(57)【要約】無線デバイスが、基地局からＤＣＩを受信する。ＤＣＩは、アップリンク共有チャネルの電力制御コマンドと、ＣＳＩ要求フィールドと、ハイブリッド自動繰り返し要求プロセス番号と、冗長バージョンとを含む。半永続的なＣＳＩ報告のアクティブ化についてのＤＣＩの検証が、半永続的なＣＳＩ報告の無線ネットワーク一時識別子と、第１の値に設定されているハイブリッド自動繰り返し要求プロセス番号と、第２の値に設定されている冗長バージョンとに基づいて行われる。ＣＳＩ要求フィールドによって示される半永続的なＣＳＩ報告は、達成された検証に応答してアクティブ化される。半永続的なＣＳＩレポートは、アクティブ化された半永続的なＣＳＩ報告に基づいて、アップリンク共有チャネルを介して、電力制御コマンドに基づいて判定される伝送電力で伝送される。【選択図】図３２
2021507619.tif 000002
【特許請求の範囲】
【請求項１】
無線デバイスによって基地局から、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を受信することと、
半永続的なＣＳＩ報告のアクティブ化について、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて、前記ダウンリンク制御情報の検証を行うことと、
達成された前記検証に応答して、前記ＣＳＩ要求フィールドによって示される、前記半永続的なＣＳＩ報告をアクティブ化することと、
前記アクティブ化された半永続的なＣＳＩ報告に基づいて、前記アップリンク共有チャネルを介して、前記電力制御コマンドに基づいて判定される伝送電力で、半永続的なＣＳＩレポートを伝送することと、
を含む方法。
【請求項２】
前記無線デバイスは、前記検証が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
に応答して達成されると判定する、請求項１に記載の方法。
【請求項３】
前記半永続的なＣＳＩレポートは、
チャネル品質インジケータ（ＣＱＩ）、
プリコーディング行列インジケータ（ＰＭＩ）、
チャネル状態情報基準信号リソースインジケータ（ＣＲＩ）、
レイヤインジケータ（ＬＩ）、
ランクインジケータ（ＲＩ）、および
レイヤ１基準信号受信電力（Ｌ１−ＲＳＲＰ）
のうちの少なくとも１つ以上の値を含む、請求項１に記載の方法。
【請求項４】
前記無線デバイスは、前記アクティブ化された半永続的なＣＳＩ報告のレポート周期性で、前記半永続的なＣＳＩレポートを伝送する、請求項１に記載の方法。
【請求項５】
前記第１の値は、ビットを「０」に設定したビット列を含む、事前定義された値である、請求項１に記載の方法。
【請求項６】
前記第２の値は、ビットを「０」に設定したビット列を含む、事前定義された値である、請求項１に記載の方法。
【請求項７】
前記ダウンリンク制御情報はさらに、新たなデータインジケータフィールドを含む、請求項１に記載の方法。
【請求項８】
前記無線デバイスは、前記新たなデータインジケータフィールドの値、および前記電力制御コマンドの値に関係なく、前記ダウンリンク制御情報を検証する、請求項７に記載の方法。
【請求項９】
達成されていない前記検証に応答して、前記ダウンリンク制御情報を適用しないことによって、前記ダウンリンク制御情報をスキップすることをさらに含む、請求項１に記載の方法。
【請求項１０】
前記検証は、
前記半永続的なＣＳＩ報告の前記無線ネットワーク一時識別子でスクランブルされていない、前記ダウンリンク制御情報の巡回冗長検査パリティビット、
前記第１の値に設定されていない、前記ハイブリッド自動繰り返し要求プロセス番号、および
前記第２の値に設定されていない、前記冗長バージョン、
のうちの少なくとも１つに応答して達成されない、請求項９に記載の方法。
【請求項１１】
前記ダウンリンク制御情報はさらに、
変調および符号化方式を示す値と、
前記アップリンク共有チャネル上でのリソースブロック割り当てのパラメータと、
を含む、請求項１に記載の方法。
【請求項１２】
前記無線デバイスは、前記検証が、
第３の値に設定されていない、前記変調および符号化方式を示す、前記値と、
第４の値に設定されていない、前記リソースブロック割り当ての前記パラメータと、
にさらに応答して達成されると判定する、請求項１１に記載の方法。
【請求項１３】
前記無線デバイスは、前記アップリンク共有チャネルの１つ以上のリソースブロックを介して、前記半永続的なＣＳＩレポートを伝送し、前記１つ以上のリソースブロックは、前記リソースブロック割り当ての前記パラメータによって示される、請求項１１の方法。
【請求項１４】
前記無線デバイスは、前記検証が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
第３の値に設定されていない、前記ダウンリンク制御情報の変調および符号化方式の値と、
第４の値に設定されていない、前記ダウンリンク制御情報のうちのリソースブロック割り当てのパラメータと、
に応答して達成されると判定する、請求項１に記載の方法。
【請求項１５】
前記第３の値は、ビットを「１」に設定したビット列を含む、事前定義された値である、請求項１４に記載の方法。
【請求項１６】
前記第４の値は、ビットを「１」に設定したビット列を含む、事前定義された値である、請求項１４に記載の方法。
【請求項１７】
前記第４の値は、ビットを「０」に設定したビット列を含む、事前定義された値である、請求項１４に記載の方法。
【請求項１８】
前記基地局から、
前記半永続的なＣＳＩ報告の前記無線ネットワーク一時識別子と、
前記半永続的なＣＳＩ報告を含む、複数の半永続的なＣＳＩ報告の構成パラメータと、
を含む、１つ以上の無線リソース制御メッセージを受信することをさらに含む、請求項１に記載の方法。
【請求項１９】
前記１つ以上の無線リソース制御メッセージはさらに、半永続的なダウンリンクスケジューリングの第２の無線ネットワーク一時識別子、または構成済みアップリンク許可を含み、前記第２の無線ネットワーク一時識別子は、前記半永続的なＣＳＩ報告の前記無線ネットワーク一時識別子とは異なる、請求項１８に記載の方法。
【請求項２０】
前記１つ以上の無線リソース制御メッセージはさらに、動的ダウンリンク割り当ての第３の無線ネットワーク一時識別子、または動的アップリンク許可を含み、前記第３の無線ネットワーク一時識別子は、前記半永続的なＣＳＩ報告の前記無線ネットワーク一時識別子とは異なる、請求項１８に記載の方法。
【請求項２１】
前記複数の半永続的なＣＳＩ報告のうちの前記半永続的なＣＳＩ報告の前記構成パラメータは、少なくとも
１つ以上の基準信号の無線リソース、
レポート量表示、
レポート周期性、
ＣＱＩおよびＰＭＩに対する周波数粒度、ならびに／または
測定制限構成
を含む、請求項１８に記載の方法。
【請求項２２】
前記レポート量表示は、ＣＱＩ／ＰＭＩ／ＣＲＩ／ＲＩ／Ｌ１−ＲＳＲＰ値のうちの１つ以上のどれが、前記半永続的なＣＳＩレポートで伝送されるかを示す、請求項２１に記載の方法。
【請求項２３】
前記無線デバイスは、前記レポート周期性で前記半永続的なＣＳＩレポートを伝送し、前記半永続的なＣＳＩレポートは、前記レポート量表示に従って、１つ以上のＣＱＩ／ＰＭＩ／ＣＲＩ／ＲＩ／Ｌ１−ＲＳＲＰ値を含む、請求項２１に記載の方法。
【請求項２４】
無線デバイスであって、
１つ以上のプロセッサと、
命令を記憶しているメモリと、を備え、前記命令が、前記１つ以上のプロセッサによって実行されると、前記無線デバイスに、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を受信させ、
半永続的なＣＳＩ報告のアクティブ化について、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて前記ダウンリンク制御情報を検証させ、
達成された前記ダウンリンク制御情報の前記検証に応答して、前記ＣＳＩ要求フィールドによって示される、前記半永続的なＣＳＩ報告をアクティブ化させ、
半永続的なＣＳＩ報告のアクティブ化に応答して、前記アップリンク共有チャネルを介して、前記電力制御コマンドに基づいて判定される伝送電力で、半永続的なＣＳＩレポートを伝送させる、
無線デバイス。
【請求項２５】
基地局によって無線デバイスへ、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を伝送することと、
前記無線デバイスに対して、前記伝送に応答して、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて、半永続的なＣＳＩ報告をアクティブ化することと、
前記アクティブ化された半永続的なＣＳＩ報告に対して、前記無線デバイスから前記アップリンク共有チャネルを介して、半永続的なＣＳＩレポートを受信することと、
を含む方法。
【請求項２６】
前記基地局が、
前記半永続的なＣＳＩ報告の前記無線ネットワーク一時識別子でスクランブルされている、前記ダウンリンク制御情報の巡回冗長検査パリティビットと、
前記第１の値に設定される、前記ハイブリッド自動繰り返し要求プロセス番号と
前記第２の値に設定されている、前記冗長バージョンと、
に応答して、前記半永続的なＣＳＩ報告をアクティブ化する、請求項２５に記載の方法。
【請求項２７】
前記半永続的なＣＳＩレポートは、
チャネル品質インジケータ（ＣＱＩ）、
プリコーディング行列インジケータ（ＰＭＩ）、
チャネル状態情報基準信号リソースインジケータ（ＣＲＩ）、
レイヤインジケータ（ＬＩ）、
ランクインジケータ（ＲＩ）、および
レイヤ１基準信号受信電力（Ｌ１−ＲＳＲＰ）
のうちの少なくとも１つ以上の値を含む、請求項２５に記載の方法。
【請求項２８】
前記基地局は、前記アクティブ化された半永続的なＣＳＩ報告のレポート周期性で、前記半永続的なＣＳＩレポートを受信する、請求項２５に記載の方法。
【請求項２９】
前記第１の値は、ビットを「０」に設定したビット列を含む、事前定義された値である、請求項２５に記載の方法。
【請求項３０】
前記第２の値は、ビットを「０」に設定したビット列を含む、事前定義された値である、請求項２５に記載の方法。
【請求項３１】
前記ダウンリンク制御情報はさらに、新たなデータインジケータフィールドを含む、請求項２５に記載の方法。
【請求項３２】
前記ダウンリンク制御情報はさらに、
変調および符号化方式を示す値と、
前記アップリンク共有チャネル上でのリソースブロック割り当てのパラメータと、
を含む、請求項２５に記載の方法。
【請求項３３】
前記基地局が、
第３の値に設定されていない、前記変調および符号化方式を示す、前記値と、
第４の値に設定されていない、前記リソースブロック割り当ての前記パラメータと、
にさらに応答して、前記半永続的なＣＳＩ報告をアクティブ化する、請求項３２に記載の方法。
【請求項３４】
前記基地局は、前記アップリンク共有チャネルの１つ以上のリソースブロックを介して、前記半永続的なＣＳＩレポートを受信し、前記１つ以上のリソースブロックは、前記リソースブロック割り当ての前記パラメータによって示される、請求項３２に記載の方法。
【請求項３５】
前記基地局が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
第３の値に設定されていない、前記ダウンリンク制御情報の変調および符号化方式の値と、
第４の値に設定されていない、前記ダウンリンク制御情報のうちのリソースブロック割り当てのパラメータと、
に応答して、前記半永続的なＣＳＩ報告をアクティブ化する、請求項２５に記載の方法。
【請求項３６】
前記第３の値は、ビットを「１」に設定したビット列を含む、事前定義された値である、請求項３５に記載の方法。
【請求項３７】
前記第４の値は、ビットを「１」に設定したビット列を含む、事前定義された値である、請求項３５に記載の方法。
【請求項３８】
前記第４の値は、ビットを「０」に設定したビット列を含む、事前定義された値である、請求項３５に記載の方法。
【請求項３９】
前記半永続的なＣＳＩ報告の前記無線ネットワーク一時識別子と、
前記半永続的なＣＳＩ報告を含む、複数の半永続的なＣＳＩ報告の構成パラメータと、
を含む、１つ以上の無線リソース制御メッセージを、前記無線デバイスに伝送することをさらに含む、請求項２５に記載の方法。
【請求項４０】
前記１つ以上の無線リソース制御メッセージはさらに、半永続的なダウンリンクスケジューリングの第２の無線ネットワーク一時識別子、または構成済みアップリンク許可を含み、前記第２の無線ネットワーク一時識別子は、前記半永続的なＣＳＩ報告の前記無線ネットワーク一時識別子とは異なる、請求項３９に記載の方法。
【請求項４１】
前記１つ以上の無線リソース制御メッセージはさらに、動的ダウンリンク割り当ての第３の無線ネットワーク一時識別子、または動的アップリンク許可を含み、前記第３の無線ネットワーク一時識別子は、前記半永続的なＣＳＩ報告の前記無線ネットワーク一時識別子とは異なる、請求項３９に記載の方法。
【請求項４２】
前記複数の半永続的なＣＳＩ報告のうちの前記半永続的なＣＳＩ報告の前記構成パラメータは、少なくとも
１つ以上の基準信号の無線リソース、
レポート量表示、
レポート周期性、
ＣＱＩおよびＰＭＩに対する周波数粒度、ならびに／または
測定制限構成
を含む、請求項３９に記載の方法。
【請求項４３】
前記レポート量表示は、ＣＱＩ／ＰＭＩ／ＣＲＩ／ＲＩ／Ｌ１−ＲＳＲＰ値のうちの１つ以上のどれが、前記半永続的なＣＳＩレポートで伝送されるかを示す、請求項４２に記載の方法。
【請求項４４】
前記基地局は、前記レポート周期性で前記半永続的なＣＳＩレポートを受信し、前記半永続的なＣＳＩレポートは、前記レポート量表示に従って、１つ以上のＣＱＩ／ＰＭＩ／ＣＲＩ／ＲＩ／Ｌ１−ＲＳＲＰ値を含む、請求項４２に記載の方法。
【請求項４５】
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を、無線デバイスによって基地局から受信することと、
半永続的なＣＳＩ報告のアクティブ化のために、
前記半永続的なＣＳＩ報告の無線ネットワーク一時識別子と、
前記ハイブリッド自動繰り返し要求プロセス番号と、
前記冗長バージョンと、
に基づいて、前記ダウンリンク制御情報を検証することと、
達成された前記検証に応答して、前記ＣＳＩ要求フィールドによって示される、前記半永続的なＣＳＩ報告をアクティブ化することと、
前記アクティブ化された半永続的なＣＳＩ報告に基づいて、前記アップリンク共有チャネルを介して、前記電力制御コマンドに基づいて判定される伝送電力で、半永続的なＣＳＩレポートを伝送することと、
を含む方法。
【請求項４６】
前記無線デバイスは、前記検証が、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、請求項４５に記載の方法。
【請求項４７】
前記第１の値は、ビットを「０」に設定したビット列を含む、事前定義された値である、請求項４６に記載の方法。
【請求項４８】
前記第２の値は、ビットを「０」に設定したビット列を含む、事前定義された値である、請求項４６に記載の方法。
【請求項４９】
無線デバイスから、半永続的なＣＳＩ報告のために半永続的なＣＳＩレポートを伝送することと、
チャネル状態情報（ＣＳＩ）要求フィールドと、
ハイブリッド自動繰り返し要求プロセス番号と、
変調および符号化方式の値と、
リソースブロック割り当てのパラメータと、
冗長バージョンと、
を含む、ダウンリンク制御情報を受信することと、
前記半永続的なＣＳＩ報告の無線ネットワーク一時識別子と、
前記ハイブリッド自動繰り返し要求プロセス番号と、
前記冗長バージョンと、
前記リソースブロック割り当てのパラメータと、
前記変調および符号化方式の値と、
に基づいて、前記半永続的なＣＳＩ報告の非アクティブ化のために、前記ダウンリンク制御情報を検証することと、
達成された前記検証に応答して、前記ＣＳＩ要求フィールドによって示される、前記半永続的なＣＳＩ報告を非アクティブ化することと、
アップリンク共有チャネルを介する、前記半永続的なＣＳＩレポートの伝送を停止することと、
を含む、方法。
【請求項５０】
前記無線デバイスは、前記検証が、
前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
第３の値に設定されている、前記変調および符号化方式の値と、
第４の値に設定されている、前記リソースブロック割り当ての前記パラメータと、
に応答して達成されると判定する、請求項４９に記載の方法。
【請求項５１】
前記第１の値は、ビットを「０」に設定したビット列を含む、事前定義された値である、請求項５０に記載の方法。
【請求項５２】
前記第２の値は、ビットを「０」に設定したビット列を含む、事前定義された値である、請求項５０に記載の方法。
【請求項５３】
前記第３の値は、ビットを「１」に設定したビット列を含む、事前定義された値である、請求項５０に記載の方法。
【請求項５４】
前記第４の値は、ビットを「１」に設定したビット列を含む、事前定義された値である、請求項５０に記載の方法。
【請求項５５】
前記第４の値は、ビットを「０」に設定したビット列を含む、事前定義された値である、請求項５０に記載の方法。
【請求項５６】
複数の半永続的なチャネル状態情報（ＳＰ  ＣＳＩ）報告のパラメータと、
ＳＰ  ＣＳＩ無線ネットワーク一時識別子と、
を含む１つ以上のメッセージを、無線デバイスによって基地局から受信することと、
アップリンク共有チャネルの電力制御コマンドと、
前記複数のＳＰ  ＣＳＩ報告のうちのＳＰ  ＣＳＩ報告を示す、ファイルされたチャネル状態情報要求と、
ハイブリッド自動繰り返し要求プロセス番号と、
冗長バージョンと、
を含む、ダウンリンク制御情報を受信することと、
前記ＳＰ  ＣＳＩ無線ネットワーク一時識別子と、
前記ハイブリッド自動繰り返し要求プロセス番号と、
前記冗長バージョンと、
に基づいて、前記ＳＰ  ＣＳＩ報告のアクティブ化のために、前記ダウンリンク制御情報の検証を行うことと、
達成された前記検証に応答して、前記ＳＰ  ＣＳＩ報告に基づいて、前記アップリンク共有チャネルを介して、前記電力制御コマンドに基づいて判定される伝送電力で、ＳＰ  ＣＳＩレポートを伝送することと、
を含む、方法。
【請求項５７】
前記無線デバイスは、前記検証が、
前記ＳＰ  ＣＳＩ無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、請求項５６に記載の方法。
【請求項５８】
前記第１の値は、ビットを「０」に設定したビット列を含む、事前定義された値である、請求項５７に記載の方法。
【請求項５９】
前記第２の値は、ビットを「０」に設定したビット列を含む、事前定義された値である、請求項５７に記載の方法。
【請求項６０】
無線デバイスによって基地局からダウンリンク制御チャネルを介して、ダウンリンク制御情報を受信することと、
半永続的なＣＳＩ報告のアクティブ化のために、
前記半永続的なＣＳＩ報告の無線ネットワーク一時識別子と、
前記ダウンリンク制御情報のハイブリッド自動繰り返し要求プロセス番号と、
前記ダウンリンク制御情報の冗長バージョンと、
に基づいて、前記ダウンリンク制御情報を検証することと、
達成された前記検証に応答して、前記半永続的なＣＳＩ報告をアクティブ化することと、
を含む方法。
【請求項６１】
前記アクティブ化された半永続的なＣＳＩ報告に対して、前記ダウンリンク制御情報の電力制御コマンドに基づいて判定される伝送電力で、半永続的なＣＳＩレポートを伝送することをさらに含む、請求項６０に記載の方法。
【請求項６２】
前記アクティブ化された半永続的なＣＳＩ報告に対して、アップリンク共有チャネルを介して、半永続的なＣＳＩレポートを伝送することをさらに含む、請求項６０に記載の方法。
【請求項６３】
前記半永続的なＣＳＩレポートは、前記ダウンリンク制御情報の電力制御コマンドに基づいて判定される伝送電力で伝送される、請求項６２に記載の方法。
【請求項６４】
前記無線デバイスは、前記検証が、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、請求項６０に記載の方法。
【請求項６５】
前記第１の値は、ビットを「０」に設定したビット列を含む、事前定義された値である、請求項６４に記載の方法。
【請求項６６】
前記第２の値は、ビットを「０」に設定したビット列を含む、事前定義された値である、請求項６４に記載の方法。
【請求項６７】
第１の数のビーム障害インスタンスを検出するのに応答して、無線デバイスによってビーム障害回復プロシージャを開始することと、
第１のタイマ値でビーム障害回復タイマを始動することと、
前記ビーム障害回復タイマの満了に応答して、第１の基準信号を選択することと、
前記第１の基準信号に関連付けられた、第１のプリアンブルを伝送することと、
応答ウィンドウの間、前記第１のプリアンブルの伝送に応答して、ダウンリンク制御情報用のダウンリンク制御チャネルを監視することと、
前記応答ウィンドウの間に前記ダウンリンク制御情報を受信しないのに応答して、前記ビーム障害回復タイマの前記満了前に、プリアンブル伝送カウンタを前記プリアンブル伝送カウンタの値からインクリメントさせることと、
プリアンブル伝送に対して、第３の数以下である第２の数を示す、前記プリアンブル伝送カウンタに応答して、前記ビーム障害回復プロシージャに対する第２のプリアンブルを伝送することと、
を含む、方法。
【請求項６８】
プリアンブル伝送に対して、前記第３の数より大きい前記第２の数を示す、前記プリアンブル伝送カウンタに応答して、前記ビーム障害回復プロシージャの完了に失敗することをさらに含む、請求項６７に記載の方法。
【請求項６９】
前記監視中に前記ダウンリンク制御情報を受信するのに応答して、前記ビーム障害回復プロシージャの完了に成功することをさらに含む、請求項６７に記載の方法。
【請求項７０】
前記ビーム障害回復プロシージャを開始することは、前記プリアンブル伝送カウンタを初期値に設定することを含む、請求項６７に記載の方法。
【請求項７１】
前記初期値が１である、請求項７０に記載の方法。
【請求項７２】
前記無線デバイスは、プリアンブル伝送に対して、前記第３の数以下である前記第２の数を示す、前記プリアンブル伝送カウンタに応答して、前記プリアンブル伝送カウンタをインクリメントさせる、請求項６７に記載の方法。
【請求項７３】
前記ビーム障害回復プロシージャの構成パラメータを含む、１つ以上の無線リソース制御メッセージの受信をさらに含み、前記構成パラメータは、
第１の複数の基準信号と、
前記第１のタイマ値と、
前記第１の数と、
前記第３の数と、
を含む、請求項６７に記載の方法。
【請求項７４】
前記無線デバイスは、前記第１の複数の基準信号に基づいて、前記第１の数のビーム障害インスタンスを検出し、前記第１の数のビーム障害インスタンスのうちのビーム障害インスタンスが、第１の閾値より悪い、前記第１の複数の基準信号の無線リンク品質に応答して発生する、請求項７３に記載の方法。
【請求項７５】
前記無線リンク品質は、ブロック誤り率（ＢＬＥＲ）の値を含む、請求項７４に記載の方法。
【請求項７６】
プリアンブル伝送に対して、前記第３の数より大きい前記第２の数を示す、前記プリアンブル伝送カウンタに応答して、前記無線デバイスの無線リソース制御レイヤに、第１の情報を示すことをさらに含む、請求項６７に記載の方法。
【請求項７７】
前記第１の情報は、
ランダムアクセス問題と、
プリアンブル伝送に対して、前記第３の数より大きい前記第２の数を示す、前記プリアンブル伝送カウンタと、
前記ビーム障害回復プロシージャの障害と、
同期外れと、
のうちの少なくとも１つを示す、請求項７６に記載の方法。
【請求項７８】
前記無線デバイスによって前記基地局へ、前記第１の情報を含む無線リンク障害レポートを伝送することをさらに含む、請求項７７に記載の方法。
【請求項７９】
前記ビーム障害回復タイマが動いている間に、前記無線デバイスによって、第２の基準信号を選択することと、
前記第２の基準信号に関連付けられている、第３のプリアンブルを伝送することと、
前記第３のプリアンブルの伝送に応答して、第１の応答ウィンドウの間、第１のダウンリンク制御情報用の第１のダウンリンク制御チャネルを監視することと、
前記第１の応答ウィンドウの間に前記第１のダウンリンク制御情報を受信しないのに応答して、前記プリアンブル伝送カウンタをインクリメントさせることと、
をさらに含む、請求項６７に記載の方法。
【請求項８０】
前記第２の基準信号に関連付けられている前記第３のプリアンブルは、無線リソース制御メッセージの中の１つ以上のビーム障害構成パラメータによって示される、請求項７９に記載の方法。
【請求項８１】
前記無線デバイスは、前記ビーム障害回復プロシージャに対する制御リソースセットの中の、前記第１のダウンリンク制御チャネルを監視する、請求項７９に記載の方法。
【請求項８２】
前記第１のダウンリンク制御情報は、前記ビーム障害回復プロシージャに対する前記第３のプリアンブルへの応答である、請求項７９に記載の方法。
【請求項８３】
前記無線デバイスは、複数の基準信号から、第２の閾値より優れた無線リンク品質を持つ、前記第２の基準信号を選択する、請求項７９に記載の方法。
【請求項８４】
前記無線リンク品質は、基準信号受信電力（ＲＳＲＰ）の値を含む、請求項８３に記載の方法。
【請求項８５】
前記複数の基準信号は、無線リソース制御メッセージの中に構成される、請求項８３に記載の方法。
【請求項８６】
無線デバイスであって、
１つ以上のプロセッサと、
命令を記憶しているメモリと、を備え、前記命令が、前記１つ以上のプロセッサによって実行されると、前記無線デバイスに、
いくつかのビーム障害インスタンスを検出するのに応答して、ビーム障害回復プロシージャを開始させ、
タイマ値でビーム障害回復タイマを始動させ、
前記ビーム障害回復タイマの満了に応答して、第１の基準信号を選択させ、
前記第１の基準信号に関連付けられた、第１のプリアンブルを伝送させ、
応答ウィンドウの間、前記第１のプリアンブルの伝送に応答して、ダウンリンク制御情報用のダウンリンク制御チャネルを監視させ、
前記応答ウィンドウの間に前記ダウンリンク制御情報を受信しないのに応答して、前記ビーム障害回復タイマの前記満了前に、プリアンブル伝送カウンタを前記プリアンブル伝送カウンタの値からインクリメントさせ、
プリアンブル伝送に対して、第２の数以下である第１の数を示す、前記プリアンブル伝送カウンタに応答して、前記ビーム障害回復プロシージャに対する第２のプリアンブルを伝送させる、
無線デバイス。
【請求項８７】
ビーム障害回復プロシージャの開始に応答して、タイマ値でビーム障害回復タイマを始動させることと、
前記ビーム障害回復タイマが動いている間に、第１のプリアンブルを伝送することと、
第１の応答ウィンドウの間に、前記第１のプリアンブルに対する第１の応答を受信しないのに応じて、プリアンブル伝送カウンタをインクリメントさせることと、
前記ビーム障害回復タイマの満了に応答して、第２のプリアンブルを伝送することと、
前記第２のプリアンブルの伝送に応答して、第２の応答ウィンドウの間に、第２の応答についてダウンリンク制御チャネルを監視することと、
前記第２のプリアンブルに対する前記第２の応答を受信しないのに応じて、前記ビーム障害回復タイマの前記満了前に、前記プリアンブル伝送カウンタの値から、前記プリアンブル伝送カウンタをインクリメントさせることと、
を含む、方法。
【請求項８８】
プリアンブル伝送に対して、第２の数以下である第１の数を示す、前記プリアンブル伝送カウンタに応答して、前記ビーム障害回復プロシージャに対する第３のプリアンブルを伝送することをさらに含む、請求項８７に記載の方法。
【請求項８９】
プリアンブル伝送に対して、第２の数より大きい第１の数を示す、前記プリアンブル伝送カウンタに応答して前記ビーム障害回復プロシージャの完了に失敗することをさらに含む、請求項８７に記載の方法。
【請求項９０】
前記第１の応答を受信するのに応じて、前記ビーム障害回復プロシージャを完了することをさらに含む、請求項８７に記載の方法。
【請求項９１】
前記第２の応答を受信するのに応じて、前記ビーム障害回復プロシージャの完了に成功することをさらに含む、請求項８７に記載の方法。
【請求項９２】
ビーム障害インスタンスを検出するのに応答して、ビーム障害回復プロシージャを開始することと、
タイマ値でビーム障害回復タイマを始動することと、
第１の応答ウィンドウの間に、第１のプリアンブルの伝送に対する第１の応答を受信しないのに応じて、プリアンブル伝送カウンタを第１の値へインクリメントさせることと、
前記ビーム障害回復タイマの満了に応答して、第２のプリアンブルを伝送することと、
第２の応答ウィンドウの間に、前記第２のプリアンブルへの第２の応答について、ダウンリンク制御チャネルを監視することと、
前記第２の応答ウィンドウの間に、前記第２の応答を受信しないのに応じて、前記第１の値から前記プリアンブル伝送カウンタをインクリメントさせることと、
を含む、方法。
【請求項９３】
ビーム障害回復プロシージャの開始に応答して、タイマ値でビーム障害回復タイマを始動させることと、
前記ビーム障害回復タイマが動いている間に、第１のプリアンブルを伝送することと、
第１の応答ウィンドウの間に、前記第１のプリアンブルへの第１の応答を受信しないのに応じて、プリアンブル伝送カウンタを第１の値へインクリメントさせることと、
前記ビーム障害回復タイマの満了に応答して、第２のプリアンブルを伝送することと、
第２の応答ウィンドウの間に、前記第２のプリアンブルへの第２の応答について、第２のダウンリンク制御チャネルを監視することと、
前記第２の応答ウィンドウの間に、前記第２の応答を受信しないのに応じて、前記第１の値から前記プリアンブル伝送カウンタをインクリメントさせることと、
プリアンブル伝送に対して、第２の数より大きい第１の数を示す、前記プリアンブル伝送カウンタに応答して、ランダムアクセス問題または前記ビーム障害回復プロシージャの障害を示す、１つ以上のパラメータを含む無線リンク障害レポートを伝送することと、
を含む、方法。
【請求項９４】
媒体アクセス制御（ＭＡＣ）サブヘッダにより識別されるＭＡＣ制御要素（ＣＥ）を、無線デバイスによって受信することであって、前記ＭＡＣ  ＣＥは、
複数のセルのうちの第１のセルに関連付けられる第１のフィールドであって、第１の値に設定されている前記第１のフィールドは、前記第１のセルに関するＳＰ  ＣＳＩ報告のアクティブ化／非アクティブ化のコマンドが存在することを示す、第１のフィールドと、
半永続的なチャネル状態情報（ＳＰ  ＣＳＩ）報告のアクティブ化／非アクティブ化インジケータと、
前記第１のセルに関する複数のＳＰ  ＣＳＩ報告のうちのＳＰ  ＣＳＩ報告を示す、ＳＰ  ＣＳＩレポートトリガフィールドと、
を含む、ことと、
前記第１のセルに関する前記ＳＰ  ＣＳＩ報告のアクティブ化を示す、前記ＳＰ  ＣＳＩ報告のアクティブ化／非アクティブ化インジケータに応答して、アップリンク制御チャネルを介して、前記第１のセルに対するＳＰ  ＣＳＩレポートを伝送することと、
を含む方法。
【請求項９５】
前記ＭＡＣサブヘッダは、少なくとも
前記ＭＡＣ  ＣＥのサイズを示す長さフィールドと、
前記ＭＡＣ  ＣＥが、前記ＳＰ  ＣＳＩ報告のアクティブ化／非アクティブ化用であることを示す、論理チャネル識別子と、
を含む、請求項９４に記載の方法。
【請求項９６】
前記ＭＡＣ  ＣＥは固定サイズを有する、請求項９４に記載の方法。
【請求項９７】
前記第１の値は１である、請求項９４に記載の方法。
【請求項９８】
前記複数のセルは、プライマリセルおよび１つ以上のセカンダリセルを含む、請求項９４に記載の方法。
【請求項９９】
前記第１のフィールドに関連付けられる前記第１のセルは、無線リソース制御メッセージの中に示される、請求項９４に記載の方法。
【請求項１００】
前記第１のフィールドに関連付けられる前記第１のセルは、前記第１のセルのセルインデックスによって識別され、前記セルインデックスによって、前記ＭＡＣ  ＣＥの中で前記第１のフィールドの位置を判定する、請求項９４に記載の方法。
【請求項１０１】
前記ＳＰ  ＣＳＩ報告のアクティブ化／非アクティブ化インジケータは、ビットを含む、請求項９４に記載の方法。
【請求項１０２】
前記無線デバイスは、前記ＳＰ  ＣＳＩ報告の１つ以上のパラメータによって示されるレポート周期性で、前記ＳＰ  ＣＳＩレポートを伝送する、請求項９４に記載の方法。
【請求項１０３】
前記無線デバイスは、前記ＳＰ  ＣＳＩ報告の１つ以上のパラメータによって示される前記アップリンク制御チャネルを介して、前記ＳＰ  ＣＳＩレポートを伝送する、請求項９４に記載の方法。
【請求項１０４】
前記複数のセルに関する前記複数のＳＰ  ＣＳＩ報告の構成パラメータを含む、１つ以上の無線リソース制御メッセージの受信をさらに含み、前記構成パラメータは、少なくとも
１つ以上のチャネル状態情報基準信号リソース構成と、
１つ以上のチャネル状態情報レポート量インジケータと、
レポート周期性と、
１つ以上のアップリンク制御チャネル構成パラメータと、
を示す、請求項９４に記載の方法。
【請求項１０５】
前記第１のセルに関する前記ＳＰ  ＣＳＩ報告の非アクティブ化を示す、前記ＳＰ  ＣＳＩ報告のアクティブ化／非アクティブ化インジケータに応答して、前記アップリンク制御チャネルを介して、前記第１のセルに対する前記ＳＰ  ＣＳＩレポートの伝送を停止することをさらに含む、請求項９４に記載の方法。
【請求項１０６】
前記ＳＰ  ＣＳＩ報告のアクティブ化／非アクティブ化インジケータは、ビットを含む、請求項９４に記載の方法。
【請求項１０７】
前記ＭＡＣ  ＣＥはさらに、前記第１のセルの複数のＲＳのうちの少なくとも１つを示す、基準信号リソースインジケータを含む、請求項９４に記載の方法。
【請求項１０８】
前記無線デバイスは、前記第１のセルの前記複数のＲＳのうちの前記１つに関して測定された、前記ＳＰ  ＣＳＩレポートを伝送する、請求項１０７に記載の方法。
【請求項１０９】
前記ＭＡＣ  ＣＥはさらに、前記複数のセルのうちの第２のセルに関連付けられる、第２のフィールドを含み、第２の値に設定されている前記第２のフィールドは、前記第２のセルに関するＳＰ  ＣＳＩ報告のアクティブ化／非アクティブ化のコマンドが存在しないことを示す、請求項９４に記載の方法。
【請求項１１０】
前記第２の値は０である、請求項１０９に記載の方法。
【請求項１１１】
前記第２のフィールドに関連付けられる前記第２のセルは、無線リソース制御メッセージの中に示される、請求項１０９に記載の方法。
【請求項１１２】
前記第２のフィールドに関連付けられる前記第２のセルは、前記第２のセルのセルインデックスによって識別され、前記セルインデックスによって、前記ＭＡＣ  ＣＥの中で前記第２のフィールドの位置を判定する、請求項１０９に記載の方法。
【請求項１１３】
前記第２のセルに関する前記ＳＰ  ＣＳＩ報告のアクティブ化／非アクティブ化のコマンドが、存在しないことを示す、前記第２のセルに関連付けられる前記第２のフィールドに応答して、前記第２のセルに関するＳＰ  ＣＳＩ報告の状態を維持することをさらに含む、請求項１０９に記載の方法。
【請求項１１４】
複数のセルの１つ以上の第１の構成パラメータと、
複数のＳＰ  ＣＳＩ報告の１つ以上の第２の構成パラメータと、
を含む１つ以上のメッセージを、無線デバイスによって基地局から受信することと、
媒体アクセス制御（ＭＡＣ）サブヘッダにより識別される、ＭＡＣ制御要素（ＣＥ）を受信することであって、前記ＭＡＣ  ＣＥは、
前記複数のセルのうちの第１のセルに関連付けられる第１のフィールドであって、第１の値に設定されている前記第１のフィールドは、前記第１のセルに関するＳＰ  ＣＳＩ報告のアクティブ化／非アクティブ化のコマンドが存在することを示す、第１のフィールドと、
半永続的なチャネル状態情報（ＳＰ  ＣＳＩ）報告のアクティブ化／非アクティブ化インジケータと、
前記第１のセルに関する複数のＳＰ  ＣＳＩ報告のうちのＳＰ  ＣＳＩ報告を示す、ＳＰ  ＣＳＩレポートトリガフィールドと、
を含む、ことと、
前記第１のセルに関する前記ＳＰ  ＣＳＩ報告のアクティブ化を示す、前記ＳＰ  ＣＳＩ報告のアクティブ化／非アクティブ化インジケータに応答して、アップリンク制御チャネルを介して、前記第１のセルに対するＳＰ  ＣＳＩレポートを伝送することと、
を含む方法。
【請求項１１５】
前記ＭＡＣサブヘッダは、少なくとも
前記ＭＡＣ  ＣＥのサイズを示す長さフィールドと、
前記ＭＡＣ  ＣＥが、前記ＳＰ  ＣＳＩ報告のアクティブ化／非アクティブ化用であることを示す、論理チャネル識別子と、
を含む、請求項１１４に記載の方法。
【請求項１１６】
前記ＭＡＣ  ＣＥはさらに、前記複数のセルのうちの第２のセルに関連付けられる、第２のフィールドを含み、第２の値に設定されている前記第２のフィールドは、前記第２のセルに関するＳＰ  ＣＳＩ報告のアクティブ化／非アクティブ化のコマンドが存在しないことを示す、請求項１１４に記載の方法。
【請求項１１７】
前記第２のセルに関する前記ＳＰ  ＣＳＩ報告のアクティブ化／非アクティブ化のコマンドが、存在しないことを示す、前記第２のセルに関連付けられる前記第２のフィールドに応答して、前記第２のセルに関するＳＰ  ＣＳＩ報告の状態を維持することをさらに含む、請求項１１６に記載の方法。
【発明の詳細な説明】
【技術分野】
【０００１】
関連出願の相互参照
本出願は、２０１８年１月１０日に出願された米国仮特許出願第６２／６１５，９０５号、２０１８年２月６日に出願された米国仮特許出願第６２／６２６，７２３号、および２０１８年１月４日に出願された米国仮特許出願第６２／６１３，５７２号の利益を主張し、これらは参照によりその全体が本明細書に組み込まれる。
【０００２】
本発明の例示的な実施形態によって、キャリアアグリゲーションの動作を可能にする。本明細書に開示する技術の実施形態は、マルチキャリア通信システムの技術分野で用いることが可能である。より具体的には、本明細書に開示する技術の実施形態は、マルチキャリア通信システムにおける信号伝送に関し得る。
【発明の概要】
【課題を解決するための手段】
【０００３】
本発明の例示的な実施形態は、様々な物理レイヤ変調および伝送メカニズムを使用して実装されてもよい。例示的な伝送メカニズムとして、限定ではないが、ＣＤＭＡ、ＯＦＤＭ、ＴＤＭＡ、ウェーブレット技術、および／または同様のものが挙げられ得る。ＴＤＭＡ／ＣＤＭＡおよびＯＦＤＭ／ＣＤＭＡなどのハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙られるが、これらに限定されない。例示的な無線伝送方法によって、ＢＰＳＫ、ＱＰＳＫ、１６−ＱＡＭ、６４−ＱＡＭ、２５６−ＱＡＭ、１０２４−ＱＡＭ、および／または同様のものを使用して、ＱＡＭを実施してもよい。物理的な無線伝送は、伝送要件および無線条件によって、変調および符号化方式を動的または準動的に変化させることによって、強化することができる。
【図面の簡単な説明】
【０００４】
本発明の様々な実施形態のうちのいくつかの例が、図面を参照して本明細書に記載されている。
【０００５】
【図１】本開示の一実施形態の一態様による、ＯＦＤＭサブキャリアの例示的なセットを描写する図である。
【図２】本開示の一実施形態の一態様による、キャリアグループ内の２つのキャリアに関する例示的な送信時間および受信時間を描写する図である。
【図３】本開示の一実施形態の一態様による、ＯＦＤＭ無線リソースを描写する図である。
【図４】本開示の一実施形態の一態様による、基地局および無線デバイスのブロック図である。
【図５】図５Ａ、図５Ｂ、図５Ｃ、および図５Ｄは、本開示の一実施形態の一態様による、アップリンクおよびダウンリンク信号伝送の例示的な図である。
【図６】本開示の一実施形態の一態様による、マルチコネクティビティを持つプロトコル構造の例示的な図である。
【図７】本開示の一実施形態の一態様による、ＣＡおよびＤＣを用いたプロトコル構造の例示的な図である。
【図８】本開示の一実施形態の一態様による、例示的なＴＡＧ構成を示す。
【図９】本開示の一実施形態の一態様による、セカンダリＴＡＧにおけるランダムアクセスプロセスの例示的なメッセージフローである。
【図１０】図１０Ａおよび図１０Ｂは、本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１】図１１Ａ、図１１Ｂ、図１１Ｃ、図１１Ｄ、図１１Ｅ、および図１１Ｆは、本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングアーキテクチャの例示的な図である。
【図１２】図１２Ａ、図１２Ｂ、および図１２Ｃは、本開示の一実施形態の一態様による、緊密なインターワーキングベアラの無線プロトコル構造の例示的な図である。
【図１３】図１３Ａおよび図１３Ｂは、本開示の一実施形態の一態様による、ｇＮＢ展開シナリオの例示的な図である。
【図１４】本開示の一実施形態の一態様による、集中型ｇＮＢ展開シナリオの機能分割オプション例に対する例示的な図である。
【図１５】本開示の一実施形態の一態様による、同期信号ブロック伝送に対する例示的な図である。
【図１６】図１６Ａおよび図１６Ｂは、本開示の一実施形態の一態様による、ランダムアクセスプロシージャの例示的な図である。
【図１７】本開示の一実施形態の一態様による、ＲＡＲを含むＭＡＣ  ＰＤＵの例示的な図である。
【図１８】図１８Ａ、図１８Ｂおよび図１８Ｃは、本開示の一実施形態の一態様による、ＲＡＲ  ＭＡＣ  ＣＥの例示的な図である。
【図１９】本開示の一実施形態の一態様による、マルチビームを用いて構成されたときのランダムアクセスプロシージャの例示的な図である。
【図２０】本開示の一実施形態の一態様による、マルチビームを用いて構成されたときのチャネル状態情報基準信号伝送の例である。
【図２１】本開示の一実施形態の一態様による、マルチビームを用いて構成されたときのチャネル状態情報基準信号伝送の例である。
【図２２】本開示の一実施形態の一態様による、様々なビーム管理プロシージャの例である。
【図２３】（図２３Ａ）  図２３Ａは、本開示の一実施形態の一態様による、伝送受信ポイント（ＴＲＰ：ｔｒａｎｓｍｉｓｓｉｏｎ  ｒｅｃｅｉｖｉｎｇ  ｐｏｉｎｔ）におけるダウンリンクビーム障害シナリオの例示的な図である。（図２３Ｂ）図２３Ｂは、本開示の一実施形態の一態様による、複数のＴＲＰにおけるダウンリンクビーム障害シナリオの例示的な図である。
【図２４】（図２４Ａ）  図２４Ａは、本開示の一実施形態の一態様による、セカンダリアクティブ化／非アクティブ化媒体アクセス制御の制御要素（ＭＡＣ  ＣＥ：ｍｅｄｉｕｍ  ａｃｃｅｓｓ  ｃｏｎｔｒｏｌ  ｃｏｎｔｒｏｌ  ｅｌｅｍｅｎｔ）の例示的な図である。（図２４Ｂ）図２４Ｂは、本開示の一実施形態の一態様による、セカンダリアクティブ化／非アクティブ化ＭＡＣ  ＣＥの例示的な図である。
【図２５】（図２５Ａ）  図２５Ａは、本開示の一実施形態の一態様による、セカンダリセルのアクティブ化時のＣＳＩレポートのタイミングについての例示的な図である。（図２５Ｂ）図２５Ｂは、本開示の一実施形態の一態様による、セカンダリセルのアクティブ化時のＣＳＩレポートのタイミングについての例示的な図である。
【図２６】本開示の一実施形態の一態様による、ダウンリンク制御情報（ＤＣＩ）フォーマットの例示的な図である。
【図２７】本開示の一実施形態の一態様による、帯域幅部分（ＢＷＰ：ｂａｎｄｗｉｄｔｈ  ｐａｒｔ）構成の例示的な図である。
【図２８】本開示の一実施形態の一態様による、セカンダリセルにおけるＢＷＰ動作の例示的な図である。
【図２９】本開示の一実施形態の一態様による、様々なＣＳＩ報告メカニズムの例示的な図である。
【図３０】本開示の一実施形態の一態様による、半永続的なＣＳＩ報告メカニズムの例示的な図である。
【図３１】本開示の一実施形態の一態様による、半永続的なＣＳＩ報告メカニズムの例示的な図である。
【図３２】本開示の一実施形態の一態様による、半永続的なＣＳＩ報告メカニズムの例示的な図である。
【図３３】本開示の一実施形態の一態様による、半永続的なＣＳＩ報告メカニズムの例示的なフローチャートである。
【図３４】本開示の一実施形態の一態様による、半永続的なＣＳＩ報告メカニズムの例示的なフローチャートである。
【図３５】本開示の一実施形態の一態様による、半永続的なＣＳＩ報告メカニズムの例示的なフローチャートである。
【図３６】本開示の一実施形態の一態様による、ビーム障害回復プロシージャの例示的なフローチャートである。
【図３７】本開示の一実施形態の一態様による、ビーム障害回復プロシージャの例示的な図である。
【図３８】本開示の一実施形態の一態様による、ビーム障害回復プロシージャの例示的な図である。
【図３９】本開示の一実施形態の一態様による、ビーム障害回復プロシージャの例示的な図である。
【図４０】本開示の一実施形態の一態様による、ビーム障害回復プロシージャの例示的な図である。
【図４１】本開示の一実施形態の一態様による、ビーム障害回復プロシージャの例示的な図である。
【図４２】本開示の一実施形態の一態様による、ビーム障害回復プロシージャの例示的な図である。
【図４３】本開示の一実施形態の一態様による、ビーム障害回復プロシージャの例示的な図である。
【図４４】本開示の一実施形態の一態様による、ビーム障害回復プロシージャの例示的な図である。
【図４５】図４５Ａおよび図４５Ｂは、本開示の一実施形態の一態様による、ＳＰ  ＣＳＩレポートのアクティブ化／非アクティブ化のＭＡＣ  ＣＥおよびＭＡＣサブヘッダの例示的な図である。
【図４６】図４６Ａおよび図４６Ｂは、本開示の一実施形態の一態様による、複数のＳＣｅｌｌに対するＳＰ  ＣＳＩレポートのアクティブ化／非アクティブ化のＭＡＣ  ＣＥおよびＭＡＣサブヘッダの例示的な図である。
【図４７】本開示の一実施形態の一態様による、複数のＳＣｅｌｌに対するＳＰ  ＣＳＩレポートのアクティブ化／非アクティブ化のＭＡＣ  ＣＥの例示的な図である。
【図４８】図４８Ａおよび図４８Ｂ本開示の一実施形態の一態様による、ＳＰ  ＣＳＩレポートのアクティブ化／非アクティブ化およびＲＳリソース構成のＭＡＣ  ＣＥならびにＭＡＣサブヘッダの例示的な図である。
【図４９】図４９Ａおよび図４９Ｂは、本開示の一実施形態の一態様による、複数のＳＣｅｌｌに対するＳＰ  ＣＳＩレポートのアクティブ化／非アクティブ化およびＲＳリソース構成のＭＡＣ  ＣＥおよびＭＡＣサブヘッダの例示的な図である。
【図５０】本開示の一実施形態の一態様による、複数のＳＣｅｌｌに対するＳＰ  ＣＳＩレポートのアクティブ化／非アクティブ化およびＲＳリソース構成のＭＡＣ  ＣＥの例示的な図である。
【図５１】本開示の一実施形態の一態様の流れ図である。
【図５２】本開示の一実施形態の一態様の流れ図である。
【図５３】本開示の一実施形態の一態様の流れ図である。
【図５４】本開示の一実施形態の一態様の流れ図である。
【図５５】本開示の一実施形態の一態様の流れ図である。
【図５６】本開示の一実施形態の一態様の流れ図である。
【図５７】本開示の一実施形態の一態様の流れ図である。
【図５８】本開示の一実施形態の一態様の流れ図である。
【図５９】本開示の一実施形態の一態様の流れ図である。
【図６０】本開示の一実施形態の一態様の流れ図である。
【図６１】本開示の一実施形態の一態様の流れ図である。
【図６２】本開示の一実施形態の一態様の流れ図である。
【図６３】本開示の一実施形態の一態様の流れ図である。
【図６４】本開示の一実施形態の一態様の流れ図である。
【発明を実施するための形態】
【０００６】
本開示を通じ、以下の略称を使用する。
ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ（特定用途向け集積回路）
ＢＰＳＫ：ｂｉｎａｒｙ  ｐｈａｓｅ  ｓｈｉｆｔ  ｋｅｙｉｎｇ（二位相偏移変調）
ＣＡ：ｃａｒｒｉｅｒ  ａｇｇｒｅｇａｔｉｏｎ（キャリアアグリゲーション）
ＣＣ：ｃｏｍｐｏｎｅｎｔ  ｃａｒｒｉｅｒ（コンポーネントキャリア）
ＣＤＭＡ：ｃｏｄｅ  ｄｉｖｉｓｉｏｎ  ｍｕｌｔｉｐｌｅ  ａｃｃｅｓｓ（符号分割多重アクセス）
ＣＰ：ｃｙｃｌｉｃ  ｐｒｅｆｉｘ（サイクリックプレフィックス）
ＣＰＬＤ：ｃｏｍｐｌｅｘ  ｐｒｏｇｒａｍｍａｂｌｅ  ｌｏｇｉｃ  ｄｅｖｉｃｅｓ（複合プログラマブル論理デバイス）
ＣＳＩ：ｃｈａｎｎｅｌ  ｓｔａｔｅ  ｉｎｆｏｒｍａｔｉｏｎ（チャネル状態情報）
ＣＳＳ：ｃｏｍｍｏｎ  ｓｅａｒｃｈ  ｓｐａｃｅ（共通検索空間）
ＣＵ：ｃｅｎｔｒａｌ  ｕｎｉｔ（集約基地局）
ＤＣ：ｄｕａｌ  ｃｏｎｎｅｃｔｉｖｉｔｙ（デュアルコネクティビティ）
ＤＣＩ：ｄｏｗｎｌｉｎｋ  ｃｏｎｔｒｏｌ  ｉｎｆｏｒｍａｔｉｏｎ（ダウンリンク制御情報）
ＤＬ：ｄｏｗｎｌｉｎｋ（ダウンリンク）
ＤＵ：ｄｉｓｔｒｉｂｕｔｅｄ  ｕｎｉｔ（分散基地局）
ｅＭＢＢ：ｅｎｈａｎｃｅｄ  ｍｏｂｉｌｅ  ｂｒｏａｄｂａｎｄ（拡張モバイルブロードバンド）
ＥＰＣ：ｅｖｏｌｖｅｄ  ｐａｃｋｅｔ  ｃｏｒｅ（進化型パケットコア）
Ｅ‐ＵＴＲＡＮ：ｅｖｏｌｖｅｄ−ｕｎｉｖｅｒｓａｌ  ｔｅｒｒｅｓｔｒｉａｌ  ｒａｄｉｏ  ａｃｃｅｓｓ  ｎｅｔｗｏｒｋ（進化型ユニバーサル地上無線アクセスネットワーク）
ＦＤＤ：ｆｒｅｑｕｅｎｃｙ  ｄｉｖｉｓｉｏｎ  ｍｕｌｔｉｐｌｅｘｉｎｇ（周波数分割多重化）
ＦＰＧＡ：ｆｉｅｌｄ  ｐｒｏｇｒａｍｍａｂｌｅ  ｇａｔｅ  ａｒｒａｙｓ（フィールドプログラマブルゲートアレイ）
Ｆｓ‐Ｃ：Ｆｓ−ｃｏｎｔｒｏｌ  ｐｌａｎｅ（Ｆｓ制御プレーン）
Ｆｓ‐Ｕ：Ｆｓ−ｕｓｅｒ  ｐｌａｎｅ（Ｆｓユーザプレーン）
ｇＮＢ：ｎｅｘｔ  ｇｅｎｅｒａｔｉｏｎ  ｎｏｄｅ  Ｂ（次世代ノードＢ）
ＨＤＬ：ｈａｒｄｗａｒｅ  ｄｅｓｃｒｉｐｔｉｏｎ  ｌａｎｇｕａｇｅｓ（ハードウェア記述言語）
ＨＡＲＱ：ｈｙｂｒｉｄ  ａｕｔｏｍａｔｉｃ  ｒｅｐｅａｔ  ｒｅｑｕｅｓｔ（ハイブリッド自動繰り返し要求）
ＩＥ：ｉｎｆｏｒｍａｔｉｏｎ  ｅｌｅｍｅｎｔ（情報要素）
ＬＴＥ：ｌｏｎｇ  ｔｅｒｍ  ｅｖｏｌｕｔｉｏｎ（ロングタームエボリューション）
ＭＡＣ：ｍｅｄｉａ  ａｃｃｅｓｓ  ｃｏｎｔｒｏｌ（媒体アクセス制御）
ＭＣＧ：ｍａｓｔｅｒ  ｃｅｌｌ  ｇｒｏｕｐ（マスタセルグループ）
ＭｅＮＢ：ｍａｓｔｅｒ  ｅｖｏｌｖｅｄ  ｎｏｄｅ  Ｂ（マスタ進化型ノードＢ）
ＭＩＢ：ｍａｓｔｅｒ  ｉｎｆｏｒｍａｔｉｏｎ  ｂｌｏｃｋ（マスタ情報ブロック）
ＭＭＥ：ｍｏｂｉｌｉｔｙ  ｍａｎａｇｅｍｅｎｔ  ｅｎｔｉｔｙ（モビリティ管理エンティティ）
ｍＭＴＣ：ｍａｓｓｉｖｅ  ｍａｃｈｉｎｅ  ｔｙｐｅ  ｃｏｍｍｕｎｉｃａｔｉｏｎｓ（大規模マシンタイプ通信）
ＮＡＳ：ｎｏｎ−ａｃｃｅｓｓ  ｓｔｒａｔｕｍ（非アクセス層）
ＮＧＣ：ｎｅｘｔ  ｇｅｎｅｒａｔｉｏｎ  ｃｏｒｅ（次世代コア）
ＮＧ  ＣＰ：ｎｅｘｔ  ｇｅｎｅｒａｔｉｏｎ  ｃｏｎｔｒｏｌ  ｐｌａｎｅ  ｃｏｒｅ（次世代制御プレーンコア）
ＮＧ‐Ｃ：ＮＧ−ｃｏｎｔｒｏｌ  ｐｌａｎｅ（ＮＧ‐制御プレーン）
ＮＧ‐Ｕ：ＮＧ−ｕｓｅｒ  ｐｌａｎｅ（ＮＧ‐ユーザプレーン）
ＮＲ：Ｎｅｗ  Ｒａｄｉｏ
ＮＲ  ＭＡＣ：Ｎｅｗ  Ｒａｄｉｏ  ＭＡＣ
ＮＲ  ＰＨＹ：Ｎｅｗ  Ｒａｄｉｏ  ｐｈｙｓｉｃａｌ
ＮＲ  ＰＤＣＰ：Ｎｅｗ  Ｒａｄｉｏ  ＰＤＣＰ
ＮＲ  ＲＬＣ：Ｎｅｗ  Ｒａｄｉｏ  ＲＬＣ
ＮＲ  ＲＲＣ：Ｎｅｗ  Ｒａｄｉｏ  ＲＲＣ
ＮＳＳＡＩ：ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ（ネットワークスライス選択支援情報）
ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ（直交周波数分割多重化）
ＰＣＣ：ｐｒｉｍａｒｙ  ｃｏｍｐｏｎｅｎｔ  ｃａｒｒｉｅｒ（プライマリコンポーネントキャリア）
ＰＣｅｌｌ：ｐｒｉｍａｒｙ  ｃｅｌｌ（プライマリセル）
ＰＤＣＣＨ：ｐｈｙｓｉｃａｌ  ｄｏｗｎｌｉｎｋ  ｃｏｎｔｒｏｌ  ｃｈａｎｎｅｌ（物理ダウンリンク制御チャネル）
ＰＤＣＰ：ｐａｃｋｅｔ  ｄａｔａ  ｃｏｎｖｅｒｇｅｎｃｅ  ｐｒｏｔｏｃｏｌ（パケットデータコンバージェンスプロトコル）
ＰＤＵ：ｐａｃｋｅｔ  ｄａｔａ  ｕｎｉｔ（パケットデータユニット）
ＰＨＩＣＨ：ｐｈｙｓｉｃａｌ  ＨＡＲＱ  ｉｎｄｉｃａｔｏｒ  ｃｈａｎｎｅｌ（物理ＨＡＲＱインジケータチャネル）
ＰＨＹ：ｐｈｙｓｉｃａｌ（物理）
ＰＬＭＮ：ｐｕｂｌｉｃ  ｌａｎｄ  ｍｏｂｉｌｅ  ｎｅｔｗｏｒｋ（公衆陸上移動体ネットワーク）
ＰＳＣｅｌｌ：ｐｒｉｍａｒｙ  ｓｅｃｏｎｄａｒｙ  ｃｅｌｌ（プライマリセカンダリセル）
ｐＴＡＧ：ｐｒｉｍａｒｙ  ｔｉｍｉｎｇ  ａｄｖａｎｃｅ  ｇｒｏｕｐ（プライマリタイミングアドバンスグループ）
ＰＵＣＣＨ：ｐｈｙｓｉｃａｌ  ｕｐｌｉｎｋ  ｃｏｎｔｒｏｌ  ｃｈａｎｎｅｌ（物理アップリンク制御チャネル）
ＰＵＳＣＨ：ｐｈｙｓｉｃａｌ  ｕｐｌｉｎｋ  ｓｈａｒｅｄ  ｃｈａｎｎｅｌ（物理アップリンク共有チャネル）
ＱＡＭ：ｑｕａｄｒａｔｕｒｅ  ａｍｐｌｉｔｕｄｅ  ｍｏｄｕｌａｔｉｏｎ（直角位相振幅変調）
ＱＰＳＫ：ｑｕａｄｒａｔｕｒｅ  ｐｈａｓｅ  ｓｈｉｆｔ  ｋｅｙｉｎｇ（四位相偏移変調）
ＲＡ：ｒａｎｄｏｍ  ａｃｃｅｓｓ（ランダムアクセス）
ＲＢ：ｒｅｓｏｕｒｃｅ  ｂｌｏｃｋｓ（リソースブロック）
ＲＢＧ：ｒｅｓｏｕｒｃｅ  ｂｌｏｃｋ  ｇｒｏｕｐｓ（リソースブロックグループ）
ＲＬＣ：ｒａｄｉｏ  ｌｉｎｋ  ｃｏｎｔｒｏｌ（無線リンク制御）
ＲＲＣ：ｒａｄｉｏ  ｒｅｓｏｕｒｃｅ  ｃｏｎｔｒｏｌ（無線リソース制御）
ＳＣＣ：ｓｅｃｏｎｄａｒｙ  ｃｏｍｐｏｎｅｎｔ  ｃａｒｒｉｅｒ（セカンダリコンポーネントキャリア）
ＳＣｅｌｌ：ｓｅｃｏｎｄａｒｙ  ｃｅｌｌ（セカンダリセル）
ＳＣＧ：ｓｅｃｏｎｄａｒｙ  ｃｅｌｌ  ｇｒｏｕｐ（セカンダリセルグループ）
ＳＣ‐ＯＦＤＭ：ｓｉｎｇｌｅ  ｃａｒｒｉｅｒ−ＯＦＤＭ（単一キャリアＯＦＤＭ）
ＳＤＵ：ｓｅｒｖｉｃｅ  ｄａｔａ  ｕｎｉｔ（サービスデータユニット）
ＳｅＮＢ：ｓｅｃｏｎｄａｒｙ  ｅｖｏｌｖｅｄ  ｎｏｄｅ  Ｂ（セカンダリ進化型ノードＢ）
ＳＩＢ：ｓｙｓｔｅｍ  ｉｎｆｏｒｍａｔｉｏｎ  ｂｌｏｃｋ（システム情報ブロック）
ＳＦＮ：ｓｙｓｔｅｍ  ｆｒａｍｅ  ｎｕｍｂｅｒ（システムフレーム番号）
ｓＴＡＧｓ：ｓｅｃｏｎｄａｒｙ  ｔｉｍｉｎｇ  ａｄｖａｎｃｅ  ｇｒｏｕｐ（セカンダリタイミングアドバンスグループ）
Ｓ‐ＧＷ：ｓｅｒｖｉｎｇ  ｇａｔｅｗａｙ（サービングゲートウェイ）
ＳＲＢ：ｓｉｇｎａｌｉｎｇ  ｒａｄｉｏ  ｂｅａｒｅｒ（シグナリング無線ベアラ）
ＴＡ：ｔｉｍｉｎｇ  ａｄｖａｎｃｅ（タイミングアドバンス）
ＴＡＧ：ｔｉｍｉｎｇ  ａｄｖａｎｃｅ  ｇｒｏｕｐ（タイミングアドバンスグループ）
ＴＡＩ：ｔｒａｃｋｉｎｇ  ａｒｅａ  ｉｄｅｎｔｉｆｉｅｒ（追跡エリア識別子）
ＴＡＴ：ｔｉｍｅ  ａｌｉｇｎｍｅｎｔ  ｔｉｍｅｒ（タイムアライメントタイマ）
ＴＢ：ｔｒａｎｓｐｏｒｔ  ｂｌｏｃｋ（トランスポートブロック）
ＴＤＤ：ｔｉｍｅ  ｄｉｖｉｓｉｏｎ  ｄｕｐｌｅｘｉｎｇ（時分割複信）
ＴＤＭＡ：ｔｉｍｅ  ｄｉｖｉｓｉｏｎ  ｍｕｌｔｉｐｌｅ  ａｃｃｅｓｓ（時分割多重アクセス）
ＴＴＩ：ｔｒａｎｓｍｉｓｓｉｏｎ  ｔｉｍｅ  ｉｎｔｅｒｖａｌ（伝送時間間隔）
ＵＥ：ｕｓｅｒ  ｅｑｕｉｐｍｅｎｔ（ユーザ機器）
ＵＬ：ｕｐｌｉｎｋ（アップリンク）
ＵＰＧＷ：ｕｓｅｒ  ｐｌａｎｅ  ｇａｔｅｗａｙ（ユーザプレーンゲートウェイ）
ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ（超高信頼低遅延通信）
ＶＨＤＬ：ＶＨＳＩＣ  ｈａｒｄｗａｒｅ  ｄｅｓｃｒｉｐｔｉｏｎ  ｌａｎｇｕａｇｅ（ＶＨＳＩＣハードウェア記述言語）
Ｘｎ‐Ｃ：Ｘｎ−ｃｏｎｔｒｏｌ  ｐｌａｎｅ（Ｘｎ制御プレーン）
Ｘｎ‐Ｕ：Ｘｎ−ｕｓｅｒ  ｐｌａｎｅ（Ｘｎユーザプレーン）
Ｘｘ‐Ｃ：Ｘｘ−ｃｏｎｔｒｏｌ  ｐｌａｎｅ（Ｘｘ制御プレーン）
Ｘｘ‐Ｕ：Ｘｘ−ｕｓｅｒ  ｐｌａｎｅ（Ｘｘユーザプレーン）
【０００７】
図１は、本開示の一実施形態の一態様による、ＯＦＤＭサブキャリアの例示的なセットを描写する図である。本実施例に図示されるように、図内の矢印が、マルチキャリアＯＦＤＭシステム内のサブキャリアを描写してもよい。ＯＦＤＭシステムは、ＯＦＤＭ技術、ＤＦＴＳ−ＯＦＤＭ技術、ＳＣ−ＯＦＤＭ技術、または同様のものなどの技術を使用し得る。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に示すように、ガードバンド１０６は、サブキャリア１０３とサブキャリア１０４との間にある。サブキャリアＡ１０２の例示的なセットは、サブキャリア１０３と、サブキャリア１０４とを含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システム内のキャリアは、連続キャリア、非連続キャリア、または連続キャリアおよび非連続キャリア両方の組み合わせであり得る。
【０００８】
図２は、本開示の実施形態の一態様による、２つのキャリアに関する例示的な送信時間および受信時間を描写する図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはそうではなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。本実施例では、無線フレーム持続時間が１０ミリ秒である。例えば１〜１００ミリ秒の範囲内などの、他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、および５ミリ秒などの、他のサブフレーム持続時間もまた、サポートされてもよい。サブフレーム（複数可）は、２つ以上のスロット（例えば、スロット２０６および２０７）を含んでいてもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクおよびダウンリンク伝送は、周波数領域内で分離することができる。スロットは、ノーマルＣＰを有する、６０ｋＨｚまでの同じサブキャリア間隔の場合、７または１４個のＯＦＤＭシンボルとすることができる。スロットは、ノーマルＣＰを有する、６０ｋＨｚより大きい同じサブキャリア間隔の場合、１４個のＯＦＤＭシンボルとすることができる。スロットは、すべてのダウンリンク、すべてのアップリンク、またはダウンリンク部分およびアップリンク部分、ならびに／もしくは同様のものを収容することができる。スロットアグリゲーションがサポートされてもよく、例えば、データ伝送は、スケジュール設定されて１つまたは複数のスロットの範囲に及び得る。一例では、ミニスロットが、サブフレーム内のＯＦＤＭシンボルで開始し得る。ミニスロットは、１つ以上のＯＦＤＭシンボルの持続時間を有することができる。スロット（複数可）は、複数のＯＦＤＭシンボル２０３を含んでもよい。スロット２０６内のＯＦＤＭシンボル２０３の数が、サイクリックプレフィックス長およびサブキャリア間隔に依存してもよい。
【０００９】
図３は、本開示の一実施形態の一態様による、ＯＦＤＭ無線リソースを描写する図である。時間３０４および周波数３０５におけるリソースグリッド構造が、図３に例解されている。ダウンリンクサブキャリアまたはＲＢの量は、セル内で構成されたダウンリンク伝送帯域幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれる、より大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックは、リソース要素へのある物理チャネルのマッピングを記述するために使用され得る。物理的リソース要素の他の事前定義されたグループ化も、無線技術に応じて、システムにおいて実施され得る。例えば、２４個のサブキャリアが、５ミリ秒の持続時間中に無線ブロックとしてグループ化されてもよい。一説明例においては、リソースブロックが、（１５ＫＨｚサブキャリア帯域幅および１２個のサブキャリアに関して）時間領域内の１つのスロットおよび周波数領域内の１８０ｋＨｚに対応してもよい。
【００１０】
例示的な一実施形態では、複数のヌメロロジーがサポートされ得る。一例では、ヌメロロジーは、基本サブキャリア間隔を整数Ｎによりスケーリングすることによって導出され得る。一例では、スケーリング可能なヌメロロジーは、少なくとも１５ｋＨｚ〜４８０ｋＨｚのサブキャリア間隔を可能にすることができる。１５ｋＨｚを有するヌメロロジー、および同じＣＰオーバーヘッドを有する、異なるサブキャリア間隔を有するスケーリングされたヌメロロジーは、ＮＲキャリア内で１ミリ秒毎にシンボル境界において整列することができる。
【００１１】
図５Ａ、図５Ｂ、図５Ｃ、および図５Ｄは、本開示の一実施形態の一態様による、アップリンクおよびダウンリンク信号伝送の例示的な図である。図５Ａは、例示的なアップリンク物理チャネルを示す。物理アップリンク共有チャネルを表すベースバンド信号は、以下のプロセスを行うことができる。これらの機能は例として図示しており、他のメカニズムが様々な実施形態において実施され得ることが想定される。機能は、スクランブリング、複素数値シンボルを生成するためのスクランブルされたビットの変調、１つまたはいくつかの伝送レイヤ上への複素数値変調シンボルのマッピング、複素数値シンボルを生成するための変換プリコーディング、複素数値シンボルのプリコーディング、プリコーディングされた複素数値シンボルのリソース要素へのマッピング、アンテナポート用の複素数値時間領域ＤＦＴＳ−ＯＦＤＭ／ＳＣ−ＦＤＭＡ信号の生成、および／または同様のものを含んでもよい。
【００１２】
アンテナポート用の複素数値ＤＦＴＳ−ＯＦＤＭ／ＳＣ−ＦＤＭＡベースバンド信号、および／または複素数値ＰＲＡＣＨベースバンド信号のキャリア周波数への例示的な変調およびアップコンバージョンが、図５Ｂに示されている。フィルタリングは、伝送の前に用いられてもよい。
【００１３】
ダウンリンク伝送のための例示的構造が、図５Ｃに示される。ダウンリンク物理チャネルを表すベースバンド信号は、以下のプロセスを実行し得る。これらの機能は例として図示しており、他のメカニズムが様々な実施形態において実施され得ることが想定される。機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上を伝送するための、層上にある複素数値変調シンボルのプリコーディング、アンテナポート用の複素数値変調シンボルのリソース要素へのマッピング、アンテナポート用の複素数値時間領域ＯＦＤＭ信号の生成、および／または同様のものを含む。
【００１４】
アンテナポートの複素数値ＯＦＤＭベースバンド信号のキャリア周波数に対する、例示的な変調およびアップコンバージョンが、図５Ｄに示されている。フィルタリングは、伝送の前に用いられてもよい。
【００１５】
図４は、本開示の一実施形態の一態様による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一時的メモリ４０４内に記憶され、かつ少なくとも１つのプロセッサ４０３によって実行可能な、少なくとも１セットのプログラムコード命令４０５とを含み得る。無線デバイス４０６は、少なくとも１つの通信インターフェース４０７と、少なくとも１つのプロセッサ４０８と、非一時的メモリ４０９内に記憶され、かつ少なくとも１つのプロセッサ４０８によって実行可能な、少なくとも１セットのプログラムコード命令４１０とを含み得る。基地局４０１内の通信インターフェース４０２は、少なくとも１つの無線リンク４１１を含む通信経路を介して、無線デバイス４０６内の通信インターフェース４０７との通信を行うように構成されていてもよい。無線リンク４１１は、双方向リンクであってもよい。無線デバイス４０６内の通信インターフェース４０７もまた、基地局４０１内の通信インターフェース４０２との通信を行うように構成されていてもよい。基地局４０１および無線デバイス４０６は、複数の周波数キャリアを使用し、無線リンク４１１を経由して、データを送受信するように構成されていてもよい。実施形態の様々な態様の一部によれば、送受信機（複数可）が使用され得る。送受信機は、送信機および受信機の両方を有するデバイスである。送受信機が、無線デバイス、基地局、中継ノード、および／または同様のものなどのデバイス内で用いられてもよい。通信インターフェース４０２、４０７、および無線リンク４１１において実装される無線技術に関する例示的な実施形態が示され、それらは図１、図２、図３、図５、および関連するテキストである。
【００１６】
インターフェースが、ハードウェアインターフェース、ファームウェアインターフェース、ソフトウェアインターフェース、および／またはそれらの組み合わせであってもよい。ハードウェアインターフェースは、コネクタ、ワイヤ、電子デバイス、例えば、ドライバ、増幅器、および／または同様のものを含んでもよい。ソフトウェアインターフェースは、プロトコル、プロトコルレイヤ、通信ドライバ、デバイスドライバ、それらの組み合わせ、および／または同様のものを実装するように、メモリデバイスに記憶されるコードを含んでもよい。ファームウェアインターフェースが、組込み型ハードウェアと、接続、電子デバイス動作、プロトコル、プロトコルレイヤ、通信ドライバ、デバイスドライバ、ハードウェア動作、それらの組み合わせ、および／もしくは同様のものを実装するように、メモリデバイス内に記憶され、ならびに／またはメモリデバイスと通信するコードとの組み合わせを含んでもよい。
【００１７】
構成されるという用語は、デバイスが動作状態または非動作状態にあるかどうかに関わらず、デバイスの能力と関連し得る。構成されるとは、また、デバイスが動作状態または非動作状態にあるかどうかに関わらず、そのデバイスの動作特性に影響を及ぼす、デバイス内の特定の設定を指し得る。換言すると、ハードウェア、ソフトウェア、ファームウェア、レジスタ、メモリ値、および／または同様のものは、デバイスが動作状態または非動作状態にあるかどうかに関わらず、デバイスに具体的特性を提供するように、デバイス内で「構成」されていてもよい。「デバイス内で生じさせるための制御メッセージ」などの用語は、デバイスが動作状態または非動作状態にあるかどうかに関わらず、デバイス内の具体的特性を構成するために使用され得るパラメータを、制御メッセージが有することを意味し得る。
【００１８】
実施形態の様々な態様の一部によれば、５Ｇネットワークは、多数の基地局を含むことができ、無線デバイスに向かうユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続することができる（例えば、Ｘｎインターフェースを用いる）。基地局はまた、例えば、ＮＧインターフェースを用いて、ＮＧＣに接続され得る。図１０Ａおよび図１０Ｂは、本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを用いるＮＧＣ制御プレーン（例えば、ＮＧ  ＣＰ）に、およびＮＧ−Ｕインターフェースを用いるＮＧＣユーザプレーン（例えば、ＵＰＧＷ）に相互接続されてもよい。ＮＧインターフェースは、５Ｇコアネットワークと基地局との間の多対多の関係をサポートすることができる。
【００１９】
基地局が、多くのセクタ、例えば、１、２、３、４、または６つのセクタを含んでもよい。基地局が、多くのセル、例えば、１〜５０以上のセルを含んでもよい。セルは、例えば、プライマリセルまたはセカンダリセルとして分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアは、ダウンリンクプライマリコンポーネントキャリア（ＤＬ  ＰＣＣ）であってもよく、一方、アップリンクでは、そのキャリアは、アップリンクプライマリコンポーネントキャリア（ＵＬ  ＰＣＣ）であってもよい。無線デバイス能力に応じて、セカンダリセル（ＳＣｅｌｌ）は、ＰＣｅｌｌとともに、サービングセルのセットを形成するように構成され得てもよい。ダウンリンクでは、ＳＣｅｌｌに対応するキャリアは、ダウンリンクセカンダリコンポーネントキャリア（ＤＬ  ＳＣＣ）であってもよく、一方、アップリンクでは、アップリンクセカンダリコンポーネントキャリア（ＵＬ  ＳＣＣ）であってもよい。ＳＣｅｌｌは、アップリンクキャリアを有しても有していなくてもよい。
【００２０】
セルは、ダウンリンクキャリア、および任意選択的にアップリンクキャリアを含み、物理セルＩＤおよびセルインデックスを割り当てられ得る。キャリア（ダウンリンクまたはアップリンク）が、１つのセルのみに属してもよい。またセルＩＤまたはセルインデックスによって、セルのダウンリンクキャリアまたはアップリンクキャリアを識別することもできる（使用状況に応じて、それが使用される）。本明細書では、セルＩＤは、等しくキャリアＩＤを意味してもよく、セルインデックスは、キャリアインデックスを意味し得る。実装態様では、物理セルＩＤまたはセルインデックスは、セルに割り当てられてもよい。セルＩＤは、ダウンリンクキャリアで伝送される同期信号を使用して、判定されてもよい。セルインデックスは、ＲＲＣメッセージを使用して判定されてもよい。例えば、本明細書で、第１のダウンリンクキャリアに対する第１の物理セルＩＤに言及した場合、本明細書は、第１の物理セルＩＤが、第１のダウンリンクキャリアを含むセルに対するものであることを意味し得る。同じ概念は、例えば、キャリアアクティブ化に適用することができる。本明細書で、第１のキャリアをアクティブ化することを示す場合、本明細書は、第１のキャリアを含むセルをアクティブ化することを同等に意味し得る。
【００２１】
実施形態は、必要に応じて動作するように構成することができる。開示されるメカニズムは、例えば、無線デバイス、基地局、無線環境、ネットワーク、上記の組み合わせ、および／または同様のものにおいて、ある基準が満たされている場合に実行され得る。例示的な基準は、例えば、トラフィック負荷、初期システム設定、パケットサイズ、トラフィック特性、上記の組み合わせ、および／または同様のものに少なくとも部分的に基づいていてもよい。１つ以上の基準が満たされている場合に、様々な例示的な実施形態が適用され得る。したがって、本開示のプロトコルを選択的に実装する、例示的な実施形態を実施することが可能であり得る。
【００２２】
基地局は、混在した無線デバイスと通信することができる。無線デバイスは、複数の技術および／または同一技術の複数のリリースをサポートしてもよい。無線デバイスは、その無線デバイスカテゴリおよび／または能力（複数可）に応じて、いくつかの具体的能力（複数可）を有してもよい。基地局が、複数のセクタを含んでもよい。本開示で、複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／もしくは開示される方法に従って機能する、カバレッジ領域内のすべての無線デバイスのサブセット、ならびに／または同様のものを指してもよい。カバレッジ領域には、開示された方法に適合することができない、複数の無線デバイスが存在してもよく、例えば、その理由は、それらの無線デバイスが、ＬＴＥまたは５Ｇ技術のより古いリリースに基づいて動作するからである。
【００２３】
図６および図７は、本開示の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸ  ＵＥは、Ｘｎインターフェース上の非理想的または理想的バックホールを介して接続された複数のｇＮＢ内に置かれた、複数のスケジューラによって提供される無線リソースを利用するように構成され得る。特定のＵＥに対するマルチコネクティビティに関与するｇＮＢは、２つの異なる役割を引き受けることができ、すなわち、ｇＮＢは、マスタｇＮＢまたはセカンダリｇＮＢのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合の、ＵＥ側ＭＡＣエンティティの１つの例示的な構造を図示しており、その構造は、実施態様を限定しなくてもよい。媒体ブロードキャストマルチキャストサービス（ＭＢＭＳ）受信は、便宜上、本図には示されない。
【００２４】
マルチコネクティビティでは、特定のベアラが使用する無線プロトコルアーキテクチャは、ベアラがどのように設定されるかに依存してもよい。図６に示されるように、ＭＣＧベアラ、ＳＣＧベアラ、および分割ベアラの３つの実施例が含まれる。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された、少なくとも１つのベアラを有するものとして、説明されることができる。マルチコネクティビティは、本開示の例示的な実施形態では、構成／実施されても、されなくてもよい。
【００２５】
マルチコネクティビティの場合には、ＵＥは、複数のＮＲ  ＭＡＣエンティティ、すなわち、マスタｇＮＢのための１つのＮＲ  ＭＡＣエンティティ、およびセカンダリｇＮＢのための他のＮＲ  ＭＡＣエンティティで構成され得る。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）を含んでいても良い。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され；ＳＣＧが構成されたときには、少なくとも１つのＳＣＧベアラまたは１つの分割ベアラが存在してもよく；ＰＳＣｅｌｌ上で物理レイヤ問題もしくはランダムアクセス問題、もしくはＳＣＧに関連付けられて到達されたＮＲ  ＲＬＣ再伝送の最大数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタｇＮＢは、ＳＣＧ故障タイプについてＵＥによって通知されてもよく、分割ベアラの場合には、マスタｇＮＢにわたるＤＬデータ転送が、維持され；ＮＲ  ＲＬＣ  ＡＭベアラは、分割ベアラのために構成されてもよく；ＰＣｅｌｌのように、ＰＳＣｅｌｌが非アクティブ化されなくてもよく；ＰＳＣｅｌｌが、ＳＣＧ変更で（例えば、セキュリティキー変更およびＲＡＣＨプロシージャで）、変更されてもよく；ならびに／または分割ベアラとＳＣＧベアラとの間の直接ベアラタイプ変更、もしくはＳＣＧおよび分割ベアラの同時構成は、サポートされても、されなくてもよい。
【００２６】
マルチコネクティビティの場合のマスタｇＮＢとセカンダリｇＮＢとの間のやり取りに関しては、以下の原理のうちの１つ以上が適用されてもよく、すなわち、マスタｇＮＢは、ＵＥのＲＲＭ測定構成を維持してもよく、（例えば、受信された測定レポート、もしくはトラフィック条件、またはベアラ型に基づいて、）ＵＥのための追加のリソース（サービングセル）を提供するように、セカンダリｇＮＢに依頼することを決定してもよく；マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを決定する）ことができ；ＵＥ機能と連係するために、マスタｇＮＢは、ＡＳ構成およびＵＥ機能（の一部）をセカンダリｇＮＢに提供してもよく；マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく；セカンダリｇＮＢは、その既存のサービングセル（例えば、セカンダリｇＮＢに向かうＰＵＣＣＨ）の再構成を開始してもよく；セカンダリｇＮＢが、どのセルが、ＳＣＧ内のＰＳＣｅｌｌであるかを決定してもよく；マスタｇＮＢは、セカンダリｇＮＢによって提供されたＮＲ  ＲＲＣ構成の内容を変更しても、しなくてもよく；ＳＣＧ追加およびＳＣＧ  ＳＣｅｌｌ追加の場合には、マスタｇＮＢは、ＳＣＧセル（複数可）に最新の測定結果を提供してもよく；マスタｇＮＢおよびセカンダリｇＮＢの両方が、ＯＡＭにより（例えば、測定ギャップのＤＲＸアライメントおよび識別のために）互いのＳＦＮおよびサブフレームオフセットを認識してもよい。一例では、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を送信するために、専用のＮＲ  ＲＲＣシグナリングが使用されてもよい。
【００２７】
一例では、サービングセルが、ＴＡグループ（ＴＡＧ）内でグループ化されてもよい。１つのＴＡＧ内のサービングセルは、同じタイミング基準を使用し得る。所与のＴＡＧに関して、ユーザ機器（ＵＥ）は、少なくとも１つのダウンリンクキャリアをタイミング基準として使用してもよい。所与のＴＡＧに関して、ＵＥは、同じＴＡＧに属するアップリンクキャリアの、アップリンクサブフレームおよびフレーム伝送タイミングを同期させてもよい。一例では、同じＴＡが適用されるアップリンクを有するサービングセルは、同じ受信機によってホストされるサービングセルに対応し得る。複数のＴＡをサポートするＵＥが、２つ以上のＴＡグループをサポートしてもよい。１つのＴＡグループは、ＰＣｅｌｌを収容してもよく、プライマリＴＡＧ（ｐＴＡＧ）と呼ばれ得る。多重ＴＡＧ構成では、少なくとも１つのＴＡグループが、ＰＣｅｌｌを収容しなくてもよく、セカンダリＴＡＧ（ｓＴＡＧ）と呼ばれてもよい。一例では、同じＴＡグループ内のキャリアが、同じＴＡ値および／または同じタイミング基準を使用し得る。ＤＣが構成される場合に、セルグループ（ＭＣＧまたはＳＣＧ）に属するセルが、ｐＴＡＧおよび１つ以上のｓＴＡＧを含む複数のＴＡＧにグループ化されてもよい。
【００２８】
図８は、本開示の一実施形態の一態様による、例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされてもよく、他の例示的なＴＡＧ構成もまた提供され得る。本開示における様々な実施例では、例示的なメカニズムが、ｐＴＡＧおよびｓＴＡＧに関して説明される。例示的メカニズムの一部が、複数のｓＴＡＧを伴う構成に適用されてもよい。
【００２９】
一例では、ｅＮＢが、アクティブ化されるＳＣｅｌｌに関するＰＤＣＣＨ順序を介して、ＲＡプロシージャを開始してもよい。このＰＤＣＣＨ順序は、このＳＣｅｌｌのスケジューリングセル上で送信されてもよい。あるセルについてクロスキャリアスケジューリングが構成される場合に、スケジューリングセルは、プリアンブル伝送のために採用されるセルとは異なってもよく、ＰＤＣＣＨ順序は、ＳＣｅｌｌインデックスを含んでもよい。少なくとも非コンテンションベースのＲＡプロシージャが、ｓＴＡＧに割り当てられるＳＣｅｌｌに対してサポートされてもよい。
【００３０】
図９は、本開示の一実施形態の一態様による、セカンダリＴＡＧにおけるランダムアクセスプロセスの例示的なメッセージフローである。ｅＮＢは、アクティブ化コマンド９００を伝送し、ＳＣｅｌｌをアクティブ化する。プリアンブル９０２（Ｍｓｇ１）が、ｓＴＡＧに属するＳＣｅｌｌ上のＰＤＣＣＨ順序９０１に応答して、ＵＥによって送信されてもよい。例示的な一実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ９０３（ＲＡＲ：ランダムアクセス応答）は、ＰＣｅｌｌ共通検索空間（ＣＳＳ）内のＲＡ−ＲＮＴＩにアドレス指定され得る。アップリンクパケット９０４が、プリアンブルが伝送されたＳＣｅｌｌ上で伝送されてもよい。
【００３１】
実施形態の様々な態様の一部によれば、初期タイミングアライメントが、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。ｅＮＢは、ＵＥによって伝送されるランダムアクセスプリアンブルから、アップリンクタイミングを推定してもよい。ＴＡコマンドは、所望のＵＬタイミングと実際のＵＬタイミングとの間の差異の推定に基づいて、ｅＮＢによって導出され得る。プリアンブルが伝送されるｓＴＡＧの対応するダウンリンクに対して、ＵＥが初期アップリンク伝送タイミングを判定してもよい。
【００３２】
ＴＡＧへのサービングセルのマッピングが、サービングｅＮＢによって、ＲＲＣシグナリングを用いて構成されてもよい。ＴＡＧ構成および再構成のためのメカニズムが、ＲＲＣシグナリングに基づいてもよい。実施形態の様々な態様の一部によれば、ｅＮＢがＳＣｅｌｌ追加構成を実行するとき、関連するＴＡＧ構成は、ＳＣｅｌｌのために構成されてもよい。例示的な一実施形態では、ｅＮＢは、ＳＣｅｌｌを除去（リリース）し、更新されたＴＡＧ  ＩＤを用いて新たなＳＣｅｌｌ（同一物理セルＩＤおよび周波数を有する）を追加（構成）することによって、ＳＣｅｌｌのＴＡＧ構成を修正してもよい。更新されたＴＡＧ  ＩＤを有する新たなＳＣｅｌｌは、更新されたＴＡＧ  ＩＤが割り当てられた後、最初は、非アクティブであってもよい。ｅＮＢは、更新された新たなＳＣｅｌｌをアクティブ化し、アクティブ化されたＳＣｅｌｌ上でパケットのスケジューリングを始動させてもよい。例示的な一実施態様においては、ＳＣｅｌｌに関連付けられたＴＡＧが変更不可能であり、ＳＣｅｌｌが除去される必要があり、新たなＳＣｅｌｌに別のＴＡＧを追加する必要があってもよい。例えば、ｓＴＡＧからｐＴＡＧにＳＣｅｌｌを移動させる必要がある場合、少なくとも１つのＲＲＣメッセージ、例えば、少なくとも１つのＲＲＣ再構成メッセージが、ＵＥに送信され、ＳＣｅｌｌをリリースし、次いでＳＣｅｌｌをｐＴＡＧの一部として構成することによって、ＴＡＧ構成を再構成してもよい（ＳＣｅｌｌが、ＴＡＧインデックスなしで追加／構成される場合には、ＳＣｅｌｌは、ｐＴＡＧに明示的に割り当てられてもよい）。ＰＣｅｌｌが、そのＴＡグループを変更せず、ｐＴＡＧのメンバであってもよい。
【００３３】
ＲＲＣ接続再構成プロシージャの目的は、ＲＲＣ接続を修正すること（例えば、ＲＢを確立、修正、および／またはリリースすること、ハンドオーバを実行すること、測定値を設定、修正、および／またはリリースすること、ＳＣｅｌｌを追加、修正、および／またはリリースすること）であり得る。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加または修正を行ってもよい。
【００３４】
ＬＴＥリリース−１０およびリリース−１１ＣＡでは、ＰＵＣＣＨが、ＰＣｅｌｌ（ＰＳＣｅｌｌ）上でのみｅＮＢに伝送される。ＬＴＥ−リリース１２およびそれ以前では、ＵＥが、ＰＵＣＣＨ情報を１つのセル（ＰＣｅｌｌまたはＰＳＣｅｌｌ）上で所与のｅＮＢに伝送してもよい。
【００３５】
ＣＡ対応ＵＥの数、およびアグリゲーションされたキャリアの数が増加するにつれて、ＰＵＣＣＨの数、および同様にＰＵＣＣＨペイロードサイズも、増加してもよい。ＰＣｅｌｌ上のＰＵＣＣＨ伝送への対応は、ＰＣｅｌｌ上の高ＰＵＣＣＨ負荷につながり得る。ＳＣｅｌｌ上のＰＵＣＣＨが、ＰＵＣＣＨリソースをＰＣｅｌｌからオフロードするために導入されてもよい。２つ以上のＰＵＣＣＨ、例えば、ＰＣｅｌｌ上のＰＵＣＣＨおよびＳＣｅｌｌ上の別のＰＵＣＣＨが、構成されてもよい。例示的な実施形態では、１つ、２つ、またはそれ以上のセルは、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つ以上のセルは、ＰＵＣＣＨを用いて構成されてもよい。例示的な構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３６】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルを、ＭＡＣエンティティが考慮する時間の長さを制御するために、ｔｉｍｅＡｌｉｇｎｍｅｎｔＴｉｍｅｒが使用され得る。ＭＡＣエンティティは、タイミングアドバンスコマンドＭＡＣ制御要素が受信されるとき、示されるＴＡＧにタイミングアドバンスコマンドを適用し、示されるＴＡＧに関連付けられたｔｉｍｅＡｌｉｇｎｍｅｎｔＴｉｍｅｒを始動または再始動させ得る。タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合に、ＭＡＣエンティティは、このＴＡＧにタイミングアドバンスコマンドを適用し、このＴＡＧに関連付けられたｔｉｍｅＡｌｉｇｎｍｅｎｔＴｉｍｅｒを始動または再始動させてもよい。そうでなければ、このＴＡＧに関連付けられたｔｉｍｅＡｌｉｇｎｍｅｎｔＴｉｍｅｒが作動中ではない場合、このＴＡＧに対するタイミングアドバンスコマンドが適用され、このＴＡＧに関連付けられたｔｉｍｅＡｌｉｇｎｍｅｎｔＴｉｍｅｒが始動され得る。コンテンション解決が成功ではないと見なされる場合には、このＴＡＧに関連付けられたｔｉｍｅＡｌｉｇｎｍｅｎｔＴｉｍｅｒが停止され得る。そうでなければ、ＭＡＣエンティティが、受信されたタイミングアドバンスコマンドを無視してもよい。
【００３７】
例示的実施形態では、タイマは、いったん始動されると、停止または満了するまで、作動中である。そうでなければ、アクティブ化していなくてもよい。タイマは、作動中ではない場合に始動可能であり、または、作動中である場合に再始動可能である。例えば、タイマがその初期値から始動または再始動されてもよい。
【００３８】
本開示の例示的実施形態が、マルチキャリア通信を実行可能としてもよい。他の例示的実施形態が、１つ以上のプロセッサによって実行可能で、マルチキャリア通信を実行させる複数の命令を備える、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている、非一時的な有形のコンピュータ可読機械アクセス可能媒体を備える製造物品を含んでもよい。デバイスは、プロセッサ、メモリ、インターフェース、および／または同様のものを含み得る。他の例示的実施形態が、基地局、無線デバイス（またはユーザ機器：ＵＥ）、サーバ、スイッチ、アンテナ、および／または同様のものなどのデバイスを備える、通信ネットワークを含んでもよい。
【００３９】
図１１Ａ、図１１Ｂ、図１１Ｃ、図１１Ｄ、図１１Ｅ、および図１１Ｆは、本開示の一実施形態の一態様による、５Ｇ  ＲＡＮとＬＴＥ  ＲＡＮとの間の緊密なインターワーキングアーキテクチャの例示的な図である。この緊密なインターワーキングにより、ＲＲＣ＿ＣＯＮＮＥＣＴＥＤ内の複数のＲＸ／ＴＸ  ＵＥが、ＬＴＥ  ｅＮＢとｇＮＢとの間のＸｘインターフェース、もしくはｅＬＴＥ  ｅＮＢとｇＮＢとの間のＸｎインターフェース上の非理想的または理想的バックホールを介して接続された、２つの基地局（例えば（ｅ）ＬＴＥ  ｅＮＢおよびｇＮＢ）内に置かれた２つのスケジューラによって提供される、無線リソースを利用するように構成されることを可能にしてもよい。特定のＵＥに対する緊密なインターワーキングで使用される基地局は、２つの異なる役割を引き受けることができ、すなわち、基地局は、マスタ基地局として、またはセカンダリ基地局としてのどちらかの役割を果たすことができる。緊密なインターワーキングでは、ＵＥは、１つのマスタ基地局および１つのセカンダリ基地局に接続され得る。緊密なインターワーキングで実装されるメカニズムは、３つ以上の基地局をカバーするように拡張され得る。
【００４０】
図１１Ａおよび図１１Ｂでは、マスタ基地局は、ＬＴＥ  ｅＮＢであってもよく、ＥＰＣノードに（例えば、Ｓ１−Ｃインターフェースを介してＭＭＥに、およびＳ１−Ｕインターフェースを介してＳ−ＧＷに）接続されてもよく、セカンダリ基地局は、ｇＮＢであってもよく、Ｘｘ−Ｃインターフェースを介したＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ−Ｕインターフェース、およびＬＴＥ  ｅＮＢとＳ−ＧＷとの間のＳ１−Ｕインターフェースを介して、ＬＴＥ  ｅＮＢを通ってＳ−ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、Ｘｎ−Ｃインターフェースを介したｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ−Ｕインターフェース、およびｇＮＢとユーザプレーンコアノードとの間のＮＧ−Ｕインターフェースを介して、ｇＮＢを通ってユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ−Ｕインターフェースを介して、ユーザプレーンコアノードに直接接続されてもよい。
【００４２】
図１１Ｅおよび図１１Ｆでは、マスタ基地局は、ｅＬＴＥ  ｅＮＢであってもよく、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｇＮＢであってもよく、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ−Ｕインターフェース、およびｅＬＴＥ  ｅＮＢとユーザプレーンコアノードとの間のＮＧ−Ｕインターフェースを介して、ｅＬＴＥ  ｅＮＢを通ってユーザプレーンコアノードに接続されてもよい。図１１Ｆのアーキテクチャでは、ｇＮＢに関するユーザプレーンは、ｇＮＢとユーザプレーンコアノードとの間のＮＧ−Ｕインターフェースを介して、ユーザプレーンコアノードに直接接続されてもよい。
【００４３】
図１２Ａ、図１２Ｂ、および図１２Ｃは、本開示の一実施形態の一態様による、緊密なインターワーキングベアラの無線プロトコル構造の例示的な図である。図１２Ａでは、ＬＴＥ  ｅＮＢがマスタ基地局であってもよく、ｇＮＢがセカンダリ基地局であってもよい。図１２Ｂでは、ｇＮＢがマスタ基地局であってもよく、ｅＬＴＥ  ｅＮＢがセカンダリ基地局であってもよい。図１２Ｃでは、ｅＬＴＥ  ｅＮＢがマスタ基地局であってもよく、ｇＮＢがセカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラの３つの実施例が含まれる。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された、少なくとも１つのベアラを有するものとしても説明され得る。緊密なインターワーキングは、本開示の例示的な実施形態では、構成／実施されても、されなくてもよい。
【００４４】
緊密なインターワーキングの場合には、ＵＥは、２つのＭＡＣエンティティ、すなわちマスタ基地局のための１つのＭＡＣエンティティ、およびセカンダリ基地局のための１つのＭＡＣエンティティを用いて構成されてもよい。緊密なインターワーキングでは、ＵＥに対して構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）を含んでいても良い。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌ（もしくはＳＣＧのＰＣｅｌｌ、または場合によっては、ＰＣｅｌｌ）と呼ばれ、ＰＵＣＣＨリソースを用いて構成され；ＳＣＧが構成されたときには、少なくとも１つのＳＣＧベアラまたは１つの分割ベアラが存在してもよく；ＰＳＣｅｌｌ上で物理レイヤ問題もしくはランダムアクセス問題の検出時に、もしくはＳＣＧに関連付けられた、（ＮＲ）ＲＬＣ再伝送の最大回数に到達したとき、またはＳＣＧ追加もしくはＳＣＧ変更中のＰＳＣｅｌｌに関するアクセス問題の検出時に、ＲＲＣ接続再確立プロシージャがトリガされなくてもよく、ＳＣＧのセルに向かうＵＬ伝送が停止され、マスタ基地局に、ＳＣＧ故障タイプについてＵＥによって通知されてもよく、分割ベアラの場合には、マスタ基地局にわたるＤＬデータ転送が維持され；ＲＬＣ  ＡＭベアラは、分割ベアラのために構成されてもよく；ＰＣｅｌｌのように、ＰＳＣｅｌｌが非アクティブ化されなくてもよく；ＰＳＣｅｌｌが、ＳＣＧ変更を用いて（例えば、セキュリティキー変更およびＲＡＣＨプロシージャを用いて）変更されてもよく；ならびに／または分割ベアラとＳＣＧベアラとの間の直接ベアラタイプ変更も、ＳＣＧおよび分割ベアラの同時構成もサポートされない。
【００４５】
マスタ基地局とセカンダリ基地局との間のやり取りに関しては、以下の原理のうちの１つ以上が、適用されてもよく、すなわち、マスタ基地局は、ＵＥのＲＲＭ測定構成を維持してもよく、（例えば、受信した測定レポート、トラフィック条件、またはベアラタイプに基づいて、）ＵＥに追加のリソース（サービングセル）を提供するように、セカンダリ基地局に依頼することを決定してもよく；マスタ基地局からの要求を受信すると、セカンダリ基地局が、ＵＥのために追加したサービングセルの構成に結果としてなり得るコンテナを作り出す（またはそのように作り出すのに利用可能なリソースを有していないことを判定する）ことができ；ＵＥ機能と連係するために、マスタ基地局は、ＡＳ構成およびＵＥ機能（の一部）をセカンダリ基地局に提供してもよく；マスタ基地局およびセカンダリ基地局は、ＸｎまたはＸｘメッセージ内で搬送されるＲＲＣコンテナ（ノード間メッセージ）の採用によって、ＵＥ構成についての情報を交換してもよく；セカンダリ基地局は、その既存のサービングセルの再構成を開始してもよく（例えば、セカンダリ基地局に向かうＰＵＣＣＨ）；セカンダリ基地局が、どのセルが、ＳＣＧ内のＰＳＣｅｌｌであるかを決定してもよく；マスタ基地局は、セカンダリ基地局によって提供されるＲＲＣ構成の内容を変更しなくてもよく；ＳＣＧ追加およびＳＣＧ  ＳＣｅｌｌ追加の場合には、マスタ基地局は、ＳＣＧセル（複数可）に最新の測定結果を提供してもよく；マスタ基地局およびセカンダリ基地局の両方が、ＯＡＭにより（例えば、ＤＲＸアライメント、および測定ギャップの識別のために）互いのＳＦＮおよびサブフレームオフセットを認識してもよい。一例では、新たなＳＣＧ  ＳＣｅｌｌを追加する場合に、ＳＣＧのＰＳＣｅｌｌのＭＩＢから獲得されたＳＦＮを除き、ＣＡに関するセルの要求されるシステム情報を送信するために、専用のＲＲＣシグナリングが、使用されてもよい。
【００４６】
図１３Ａおよび図１３Ｂは、本開示の一実施形態の一態様による、ｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ−ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ−Ｕは、Ｆｓインターフェース上にユーザプレーン接続を提供してもよい。集中型展開では、ＣＵとＤＵとの間の異なる機能的分割オプションが、異なるプロトコルレイヤ（ＲＡＮ機能）をＣＵおよびＤＵに配置することによって、可能になる場合がある。機能分割によって、柔軟性をサポートして、サービス要件および／またはネットワーク環境に応じて、ＣＵとＤＵとの間でＲＡＮ機能を移動させることができる。機能分割オプションは、Ｆｓインターフェース設定プロシージャ後の動作中に変更してもよく、またはＦｓ設定プロシージャのみで変更してもよい（すなわち、Ｆｓ設定プロシージャ後の動作中は変化がない）。
【００４７】
図１４は、本開示の一実施形態の一態様による、集中型ｇＮＢ展開シナリオの異なる機能分割オプション例に関する例示的な図である。分割オプション例１では、ＮＲ  ＲＲＣはＣＵ内にあってもよく、ＮＲ  ＰＤＣＰ、ＮＲ  ＲＬＣ、ＮＲ  ＭＡＣ、ＮＲ  ＰＨＹ、およびＲＦはＤＵ内にあってもよい。分割オプション例２では、ＮＲ  ＲＲＣおよびＮＲ  ＰＤＣＰはＣＵ内にあってもよく、ＮＲ  ＲＬＣ、ＮＲ  ＭＡＣ、ＮＲ  ＰＨＹ、およびＲＦはＤＵ内にあってもよい。分割オプション例３では、ＮＲ  ＲＲＣ、ＮＲ  ＰＤＣＰ、およびＮＲ  ＲＬＣの部分的機能はＣＵ内にあってもよく、ＮＲ  ＲＬＣの他の部分的機能、ＮＲ  ＭＡＣ、ＮＲ  ＰＨＹ、およびＲＦはＤＵ内にあってもよい。分割オプション例４では、ＮＲ  ＲＲＣ、ＮＲ  ＰＤＣＰ、およびＮＲ  ＲＬＣはＣＵ内にあってもよく、ＮＲ  ＭＡＣ、ＮＲ  ＰＨＹ、およびＲＦはＤＵ内にあってもよい。分割オプション例５では、ＮＲ  ＲＲＣ、ＮＲ  ＰＤＣＰ、ＮＲ  ＲＬＣ、およびＮＲ  ＭＡＣの部分的機能はＣＵ内にあってもよく、ＮＲ  ＭＡＣの他の部分的機能、ＮＲ  ＰＨＹ、およびＲＦはＤＵ内にあってもよい。分割オプション例６では、ＮＲ  ＲＲＣ、ＮＲ  ＰＤＣＰ、ＮＲ  ＲＬＣ、およびＮＲ  ＭＡＣはＣＵ内にあってもよく、ＮＲ  ＰＨＹおよびＲＦはＤＵ内にあってもよい。分割オプション例７では、ＮＲ  ＲＲＣ、ＮＲ  ＰＤＣＰ、ＮＲ  ＲＬＣ、ＮＲ  ＭＡＣ、およびＮＲ  ＰＨＹの部分的機能はＣＵ内にあってもよく、ＮＲ  ＰＨＹの他の部分的機能およびＲＦはＤＵ内にあってもよい。分割オプション例８では、ＮＲ  ＲＲＣ、ＮＲ  ＰＤＣＰ、ＮＲ  ＲＬＣ、ＮＲ  ＭＡＣ、およびＮＲ  ＰＨＹはＣＵ内にあってもよく、ＲＦはＤＵ内にあってもよい。
【００４８】
機能分割は、ＣＵ毎、ＤＵ毎、ＵＥ毎、ベアラ毎、スライス毎に、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラ毎の分割では、異なる分割オプションが、異なるベアラタイプに対して利用されてもよい。スライス毎のスプライスでは、異なる分割オプションは、異なるスライスに適用されてもよい。
【００４９】
例示的な一実施形態では、新たな無線アクセスネットワーク（新しいＲＡＮ）は、異なるネットワークスライスをサポートしてもよく、そのスライスによって、端末相互間の範囲で異なるサービス要件をサポートするためにカスタマイズされた、差別化した取り扱いを可能にし得る。新しいＲＡＮは、事前に構成され得る異なるネットワークスライスに、差別化されたトラフィック処理を提供することができ、単一のＲＡＮノードが複数のスライスをサポートすることが可能になり得る。新しいＲＡＮは、ＵＥまたはＮＧＣ（例えば、ＮＧ  ＣＰ）により提供される１つ以上のスライスＩＤまたはＮＳＳＡＩによって、所与のネットワークスライスに対するＲＡＮ部分の選択をサポートし得る。スライスＩＤ（複数可）またはＮＳＳＡＩ（複数可）によって、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳシグナリングをＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳシグナリングをデフォルトのＮＧＣ制御プレーン機能に送信することができる。後続のアクセスのために、ＵＥは、スライス識別のための一時的なＩＤを提供することができ、そのＩＤは、ＮＧＣ制御プレーン機能によって割り当てられて、ＲＡＮノードがＮＡＳメッセージを適切なＮＧＣ制御プレーン機能にルーティングすることが可能になり得る。新しいＲＡＮは、スライス間のリソース分離をサポートすることができる。ＲＡＮリソース分離は、１つのスライス内の共有リソースの不足により、別のスライスに対するサービスレベルの同意に違反することを回避することによって、達成され得る。
【００５０】
セルラー式ネットワーク上で搬送されるデータトラフィックの量は、今後何年にもわたって増加すると予想されている。ユーザ／デバイスの数は増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える、超高速データの提供が要求される。それゆえに、携帯通信事業者が、増大する要求を満たすためには、より多くのスペクトルが必要とされる。シームレスな移動性とともに高速データに関するユーザの期待を考慮すると、セルラー式システムのために、スモールセルのみならず、マクロセルをも展開するためのより多くのスペクトルが利用可能になることが有益となる。
【００５１】
市場の要求を満たそうとの取り組みがあり、トラフィックの成長を満たすために無認可スペクトルを利用して、いくつかの相補的なアクセスを展開することに、通信事業者からの関心が高まっている。この例が、通信事業者が展開する多数のＷｉ−Ｆｉネットワークと、ＬＴＥ／ＷＬＡＮインターワーキングソリューションの３ＧＰＰ標準化とに見られる。この関心は、ホットスポットエリアのようないくつかのシナリオにおいて、無認可スペクトルが存在する場合に、無認可スペクトルは、セルラー事業者の認可スペクトルを効果的に補完してトラフィック急増への対処に役立ち得ることを示している。ＬＡＡによって、通信事業者が、１つの無線ネットワークを管理しながら、無認可スペクトルを使用する代案を提供され、これにより、ネットワーク効率を最適化する新たな可能性が提案されている。
【００５２】
例示的な一実施形態では、ＬＡＡセル内での伝送のために、リッスンビフォアトーク（クリアチャネルアセスメント）が実装され得る。リッスンビフォアトーク（ＬＢＴ：ｌｉｓｔｅｎ−ｂｅｆｏｒｅ−ｔａｌｋ）プロシージャでは、機器は、チャネルを使用する前にクリアチャネルアセスメント（ＣＣＡ：ｃｌｅａｒ  ｃｈａｎｎｅｌ  ａｓｓｅｓｓｍｅｎｔ）チェックを適用することができる。例えば、ＣＣＡによって、チャネルが占有されているか、または空の状態であるかを、それぞれ判定するために、少なくともエネルギー検出を利用して、チャネル上の他の信号の存在または不存在を判定する。例えば、欧州および日本の規制では、無認可バンドでのＬＢＴの使用が義務づけられている。規制要件とは別に、ＬＢＴを介するキャリア検知は、無認可スペクトルを公平に共有するための１つの方法であり得る。
【００５３】
例示的な一実施形態では、制限された最大伝送持続時間を有する、無認可キャリアに関する不連続伝送が可能であり得る。これらの機能のうちのいくつかは、不連続ＬＡＡダウンリンク伝送の始めから伝送される、１つ以上の信号によってサポートされ得る。チャネル予約は、正常なＬＢＴ動作を介してチャネルアクセスを取得した後に、ＬＡＡノードによる信号の伝送によって可能であってもよく、その結果、特定の閾値を超えるエネルギーを有する伝送信号を受信する他のノードは、チャネルが占有されていることを検知する。不連続なダウンリンク伝送を伴うＬＡＡ動作のために、１つ以上の信号によってサポートされる必要があり得る機能は、無線デバイスによるＬＡＡダウンリンク伝送の検出（セル識別を含む）、無線デバイスの時間および周波数同期のうちの１つ以上を含んでもよい。
【００５４】
例示的な一実施形態では、ＤＬ  ＬＡＡ設計は、ＣＡにより集約されたサービングセルの両端における、ＬＴＥ−Ａキャリアアグリゲーションタイミング関係に従って、サブフレーム境界アライメントを採用してもよい。これは、基地局の伝送がサブフレーム境界でのみ開始し得ることを意味しない場合がある。ＬＡＡは、すべてのＯＦＤＭシンボルが、ＬＢＴに従ってサブフレーム内の伝送に対して、利用可能であるとは限らない場合には、ＰＤＳＣＨの伝送をサポートしてもよい。ＰＤＳＣＨのために必要な制御情報の配信もまた、サポートされてもよい。
【００５５】
ＬＢＴプロシージャは、無認可スペクトルにおける、ＬＡＡと、動作する他の通信事業者および技術との公正でかつ親和的な共存のために採用され得る。無認可スペクトル内のキャリア上で伝送しようとするノード上のＬＢＴプロシージャは、当該チャネルが自由に使用することができるかどうかを判定するために、クリアチャネルアセスメントの実行をノードに要求する。ＬＢＴプロシージャは、当該チャネルが使用されているかどうかを判定するために、少なくともエネルギー検出を必要とし得る。例えば、いくつかの地域、例えば、欧州での規制要件は、エネルギー検出閾値を指定しており、それによって、ノードがこの閾値より大きいエネルギーを受信した場合、ノードは、チャネルが空いていないと推定する。ノードは、そのような規制要件に従うことができるが、ノードは、規制要件によって指定された閾値より低いエネルギー検出のための閾値を任意選択的に使用してもよい。一例では、ＬＡＡは、エネルギー検出閾値を適応的に変化させるためのメカニズムを採用してもよく、例えば、ＬＡＡは、上位境界からエネルギー検出閾値を適応的に小さくするためのメカニズムを採用してもよい。適応メカニズムは、閾値の静的、または準静的設定を排除しなくてもよい。一例では、カテゴリ４ＬＢＴメカニズム、または他のタイプのＬＢＴメカニズムが、実装されてもよい。
【００５６】
様々な例示的なＬＢＴメカニズムが実装され得る。一例では、いくつかの信号の場合、いくつかの実施態様シナリオにおいて、いくつかの状況では、および／またはいくつかの周波数では、ＬＢＴプロシージャは、伝送エンティティによっては実行されない場合がある。一例では、カテゴリ２（例えば、ランダムバックオフなしのＬＢＴ）が実装されてもよい。伝送エンティティが伝送する前に、チャネルがアイドル状態であると検知される期間は、決定論的であり得る。一例では、カテゴリ３（例えば、固定サイズのコンテンションウィンドウを有するランダムバックオフを用いたＬＢＴ）が実装されてもよい。ＬＢＴプロシージャは、その構成要素の１つとして以下の手順を有することができる。伝送エンティティは、コンテンションウィンドウ内に乱数Ｎを選び出すことができる。コンテンションウィンドウのサイズは、Ｎの最小値および最大値によって指定され得る。コンテンションウィンドウのサイズは、固定され得る。乱数ＮをＬＢＴプロシージャにおいて使用して、伝送エンティティがチャネル上で伝送する前に、チャネルがアイドル状態であると検知される期間を決定することができる。一例では、カテゴリ４（例えば、可変サイズのコンテンションウィンドウを有するランダムバックオフを用いたＬＢＴ）が実装されてもよい。伝送エンティティは、コンテンションウィンドウ内に乱数Ｎを選び出すことができる。コンテンションウィンドウのサイズは、Ｎの最小値および最大値によって指定されてもよい。伝送エンティティは、乱数Ｎを選び出すときに、コンテンションウィンドウのサイズを変化させてもよい。乱数Ｎは、ＬＢＴプロシージャ内で使用されて、伝送エンティティがチャネル上で伝送する前に、チャネルがアイドル状態であると検知される持続時間を決定する。
【００５７】
ＬＡＡは、無線デバイスにおいてアップリンクＬＢＴを使用することができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、無線デバイスのチャネルコンテンション機会に影響を及ぼす、スケジュールされたアクセスに基づくからである。異なるＵＬ  ＬＢＴ方式を動機付ける他の配慮としては、以下に限定されないが、単一のサブフレーム内の複数の無線デバイスの多重化が挙げられる。
【００５８】
一例では、ＤＬ伝送バーストは、同じＣＣ上の同じノードから直前または直後には伝送しない、ＤＬ伝送ノードからの連続伝送であってもよい。無線デバイスの観点からのＵＬ伝送バーストは、同じＣＣ上の同じ無線デバイスから直前または直後には伝送しない、無線デバイスからの連続伝送であってもよい。一例では、ＵＬ伝送バーストは、無線デバイスの観点から定義される。一例では、ＵＬ伝送バーストは、基地局の観点から定義されてもよい。一例では、基地局が、同じ無認可キャリア上でＤＬ＋ＵＬ  ＬＡＡを動作させる場合に、ＬＡＡ上のＤＬ伝送バースト（複数可）およびＵＬ伝送バースト（複数可）は、同じ無認可キャリア上のＴＤＭ方式でスケジュールされてもよい。例えば、時間におけるある瞬間は、ＤＬ伝送バーストまたはＵＬ伝送バースの一部であってもよい。
【００５９】
Ｎｅｗ  Ｒａｄｉｏ（ＮＲ）システムは、シングルビームとマルチビームの両方の操作をサポートし得る。マルチビームシステムでは、基地局（例えば、ｇＮＢ）は、ダウンリンクビーム掃引を実行して、ダウンリンク同期信号（ＳＳ：Ｓｙｎｃｈｒｏｎｉｚａｔｉｏｎ  Ｓｉｇｎａｌ）および共通制御チャネルのカバレッジを提供し得る。ユーザ機器（ＵＥ）は、アップリンク方向のアップリンクビーム掃引を実行して、セルにアクセスすることができる。シングルビームシナリオでは、ｇＮＢは、１つのＳＳブロックの時間反復伝送を設定することができる。これは、少なくともプライマリ同期信号（ＰＳＳ：Ｐｒｉｍａｒｙ  Ｓｙｎｃｈｒｏｎｉｚａｔｉｏｎ  Ｓｉｇｎａｌ）、セカンダリ同期信号（ＳＳＳ：Ｓｅｃｏｎｄａｒｙ  Ｓｙｎｃｈｒｏｎｉｚａｔｉｏｎ  Ｓｉｇｎａｌ）、および物理ブロードキャストチャネル（ＰＢＣＨ：Ｐｈｙｓｉｃａｌ  Ｂｒｏａｄｃａｓｔ  Ｃｈａｎｎｅｌ）を、ワイドビームで含むことができる。マルチビームのシナリオでは、ｇＮＢは、これらの信号と物理チャネルの少なくとも一部を複数のビームで構成することができる。ＵＥは、少なくともＯＦＤＭシンボルインデックス、無線フレーム内のスロットインデックス、およびＳＳブロックからの無線フレーム番号を識別し得る。
【００６０】
一例では、ＲＲＣ＿ＩＮＡＣＴＩＶＥ状態またはＲＲＣ＿ＩＤＬＥ状態では、ＵＥは、ＳＳブロックがＳＳバーストを形成し、ＳＳバーストセットを形成すると想定する場合がある。ＳＳバーストセットには、一定の周期性がある場合がある。マルチビームシナリオでは、ＳＳブロックは、複数のビームで伝送され、一緒にＳＳバーストを形成することができる。１つ以上のＳＳブロックが、１つのビームで伝送され得る。ビームは、ステアリング方向を有する。複数のＳＳバーストがビームで伝送される場合、これらのＳＳバーストは、図１５に示されるようにＳＳバーストセットを一緒に形成してもよい。基地局１５０１（例えば、ＮＲのｇＮＢ）は、期間１５０３中にＳＳバースト１５０２Ａ〜１５０２Ｈを伝送することができる。複数のこれらのＳＳバーストは、ＳＳバーストセット１５０４（例えば、ＳＳバースト１５０２Ａおよび１５０２Ｅ）などのＳＳバーストセットを含み得る。ＳＳバーストセットは、任意の数の複数のＳＳバースト１５０２Ａ〜１５０２Ｈを含むことができる。ＳＳバーストセット内の各ＳＳバーストは、期間１５０３中に固定または可変の周期で伝送され得る。
【００６１】
ＳＳは、巡回プレフィックス直交周波数分割多重化（ＣＰ−ＯＦＤＭ）に基づく場合がある。ＳＳは、少なくとも２つのタイプの同期信号（ＮＲ−ＰＳＳ（プライマリ同期信号）およびＮＲ−ＳＳＳ（セカンダリ同期信号））を含んでいてもよい。ＮＲ−ＰＳＳは、少なくともＮＲセルへの初期シンボル境界同期のために定義され得る。ＮＲ−ＳＳＳは、ＮＲセルＩＤまたはＮＲセルＩＤの少なくとも一部の検出用に定義され得る。ＮＲ−ＳＳＳ検出は、少なくとも所与の周波数範囲およびＣＰオーバーヘッド内のデュプレックスモードおよびビーム操作タイプに関係なく、ＮＲ−ＰＳＳリソース位置との固定時間／周波数関係に基づいている場合がある。ＮＲ−ＰＳＳおよびＮＲ−ＳＳＳでは、通常のＣＰがサポートされ得る。
【００６２】
ＮＲは、少なくとも１つの物理ブロードキャストチャネル（ＮＲ−ＰＢＣＨ）を含み得る。ｇＮＢがＮＲ−ＰＢＣＨを伝送（またはブロードキャスト）する場合、ＵＥは、少なくとも所与の周波数範囲およびＣＰオーバーヘッド内のデュプレックスモードおよびビーム操作タイプに関係なく、ＮＲ−ＰＳＳおよび／またはＮＲ−ＳＳＳリソース位置との固定関係に基づいてＮＲ−ＰＢＣＨをデコードし得る。ＮＲ−ＰＢＣＨは、キャリア周波数範囲に応じて、仕様で事前定義された固定ペイロードサイズおよび周期性を備えた最小システム情報の少なくとも一部を搬送する、スケジュールされていないブロードキャストチャネルであり得る。
【００６３】
シングルビームおよびマルチビームのシナリオでは、ＮＲは、ＮＲ−ＰＳＳ、ＮＲ−ＳＳＳ、およびＮＲ−ＰＢＣＨの時間（周波数および／または空間）分割多重化をサポートし得る、ＳＳブロックを含むことができる。ｇＮＢは、ＳＳブロック内でＮＲ−ＰＳＳ、ＮＲ−ＳＳＳ、および／またはＮＲ−ＰＢＣＨを伝送し得る。所定の周波数帯域では、ＳＳブロックは、デフォルトのサブキャリア間隔に基づいてＮ個のＯＦＤＭシンボルに対応する場合があり、Ｎは定数である場合がある。信号多重化構造は、ＮＲで固定され得る。無線デバイスは、例えば、ＳＳブロックから、ＯＦＤＭシンボルインデックス、無線フレーム内のスロットインデックス、およびＳＳブロックからの無線フレーム番号を識別してもよい。
【００６４】
ＮＲは、１つ以上のＳＳブロックを含むＳＳバーストをサポートし得る。ＳＳバーストセットは、１つ以上のＳＳバーストを含み得る。例えば、ＳＳバーストセット内のＳＳバーストの数は、有限である場合がある。物理層の仕様の観点から、ＮＲは、ＳＳバーストセットの少なくとも１つの周期性をサポートすることができる。ＵＥの観点から、ＳＳバーストセットの伝送は周期的であり得、ＵＥは、ＳＳバーストセットの周期性で所与のＳＳブロックが繰り返されると仮定し得る。
【００６５】
ＳＳバーストセットの周期内で、１つ以上のＳＳブロックで繰り返されるＮＲ−ＰＢＣＨが変更される場合がある。可能なＳＳブロックの時間位置のセットは、ＲＲＣメッセージの周波数帯域ごとに指定され得る。ＳＳバーストセット内のＳＳブロックの最大数は、キャリア周波数に依存する場合がある。実際に伝送されたＳＳブロックの位置（複数可）は、少なくともＣＯＮＮＥＣＴＥＤ／ＩＤＬＥモードの測定を支援するため、ＣＯＮＮＥＣＴＥＤモードＵＥが１つ以上のＳＳブロックでダウンリンク（ＤＬ）データ／制御を受信することを支援するため、またはＩＤＬＥモードＵＥが１つ以上のＳＳブロックでＤＬデータ／制御を受信することを支援するために通知され得る。ＵＥは、ｇＮＢが同じ数の物理ビーム（複数可）を伝送すると想定しない場合がある。ＵＥは、ＳＳバーストセット内の異なるＳＳブロックにわたる同じ物理ビーム（複数可）を想定しない場合がある。初期セル選択では、ＵＥは、ＲＲＣメッセージを介してブロードキャストされ、周波数帯域に依存し得る、デフォルトのＳＳバーストセットの周期性を想定し得る。少なくともマルチビーム動作の場合では、ＳＳブロックの時間インデックスをＵＥに示すことができる。
【００６６】
ＣＯＮＮＥＣＴＥＤおよびＩＤＬＥモードのＵＥの場合、ＮＲは、ＳＳバーストセットの周期性および情報のネットワーク表示をサポートして、測定のタイミング／持続時間（ＮＲ−ＳＳ検出の時間窓など）を導出することができる。ｇＮＢは、（例えば、ＲＲＣメッセージのブロードキャストを介して）周波数キャリアごとに１つのＳＳバーストセット周期性情報をＵＥに提供してもよく、可能であれば測定タイミング／持続時間を導出するための情報を提供し得る。１つのＳＳバーストセットの周期性、およびタイミング／持続時間に関する１つの情報が示されている場合、ＵＥは、同じキャリア上のすべてのセルの周期性およびタイミング／持続時間を想定することができる。ｇＮＢがＳＳバーストセット周期性の表示および測定タイミング／持続時間を導出するための情報を提供しない場合、ＵＥは、ＳＳバーストセット周期性として既定の周期性、例えば、５ミリ秒を想定し得る。ＮＲは、適応およびネットワーク表示のためにＳＳバーストセットの周期値のセットをサポートし得る。
【００６７】
初期アクセスの場合、ＵＥは、ＮＲ仕様によって与えられた所与の周波数帯域内の、ＮＲ−ＰＳＳ／ＳＳＳの特定のサブキャリア間隔に対応する信号を想定することができる。ＮＲ−ＰＳＳの場合、Ｚａｄｏｆｆ−Ｃｈｕ（ＺＣ）シーケンスを、ＮＲ−ＰＳＳのシーケンスとして用いることができる。ＮＲは、シーケンスベースのＳＳ設計の場合、ＳＳの少なくとも１つの基本シーケンス長を定義することができる。ＮＲ−ＰＳＳのアンテナポートの数は、１であり得る。ＮＲ−ＰＢＣＨ伝送の場合、ＮＲは、固定数のアンテナポート（複数可）をサポートすることができる。ＵＥは、ＮＲ−ＰＢＣＨ伝送方式またはアンテナポートの数のブラインド検出には必要ない場合がある。ＵＥは、ＮＲ−ＳＳと同じＰＢＣＨヌメロロジーを想定する場合がある。最小限のシステム情報配信のために、ＮＲ−ＰＢＣＨは、最小限のシステム情報の一部を含む場合がある。ＮＲ−ＰＢＣＨコンテンツは、ＳＦＮ（システムフレーム番号）またはＣＲＣの少なくとも一部を含むことができる。ｇＮＢは、ＮＲ−ＰＤＳＣＨを介して共有ダウンリンクチャネルで、残りの最小システム情報を伝送し得る。
【００６８】
マルチビームの例では、例えばセル選択、セル再選択、および／または初期アクセスプロシージャをサポートするために、セルに対してＰＳＳ、ＳＳＳ、またはＰＢＣＨ信号のうちの１つ以上を繰り返すことができる。ＳＳバーストの場合、関連付けられたＰＢＣＨまたは物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）スケジューリングシステム情報は、基地局によって複数の無線デバイスにブロードキャストされ得る。ＰＤＳＣＨは、共通検索空間内の物理ダウンリンク制御チャネル（ＰＤＣＣＨ）によって示され得る。システム情報は、ビームの物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）構成を含むことができる。ビームに関して、基地局（例えば、ＮＲのｇＮＢ）は、ＰＲＡＣＨプリアンブルプール、時間および／または周波数無線リソース、ならびに他の電力関連パラメータを含み得る、ＲＡＣＨ構成を有してもよい。無線デバイスは、ＲＡＣＨ構成からのＰＲＡＣＨプリアンブルを使用して、コンテンションベースのＲＡＣＨプロシージャまたはコンテンションのないＲＡＣＨプロシージャを開始することができる。無線デバイスは、コンテンションベースのＲＡＣＨプロシージャまたはコンテンションのないＲＡＣＨプロシージャであり得る、４ステップＲＡＣＨプロシージャを実行することができる。無線デバイスは、最良の受信信号品質を有する可能性のある、ＳＳブロックに関連付けられたビームを選択してもよい。無線デバイスは、セルに関連付けられたセル識別子を正常に検出し、かつＲＡＣＨ構成を使用してシステム情報をデコードすることができる。無線デバイスは、１つのＰＲＡＣＨプリアンブルを使用し、選択されたビームに関連付けられたシステム情報によって示されるＲＡＣＨリソースから、１つのＰＲＡＣＨリソースを選択し得る。ＰＲＡＣＨリソースは、ＰＲＡＣＨプリアンブルを示すＰＲＡＣＨインデックス、ＰＲＡＣＨフォーマット、ＰＲＡＣＨヌメロロジー、時間および／もしくは周波数無線リソース割り当て、ＰＲＡＣＨ伝送の電力設定、ならびに／または他の無線リソースパラメータのうちの少なくとも１つを含み得る。コンテンションのないＲＡＣＨプロシージャの場合、ＰＲＡＣＨプリアンブルおよびリソースは、ＤＣＩまたは他の高層シグナリングで示される場合がある。
【００６９】
一例では、ＵＥは、セル選択／再選択および／または初期アクセスプロシージャのために、１つ以上のＰＳＳ／ＳＳＳ／ＰＢＣＨを検出し得る。システム情報ブロックタイプ２（ＳＩＢ２）などのシステム情報をスケジュールする、共通検索空間の物理ダウンリンク制御チャネル（ＰＤＣＣＨ）で示される、ＰＢＣＨまたは物理ダウンリンク共有チャネル（ＰＤＳＣＨ）は、複数のＵＥにブロードキャストできる。一例では、ＳＩＢ２は、１つ以上の物理ランダムアクセスチャネル（ＰＲＡＣＨ）構成を搬送することができる。一例では、ｇＮＢは、ＰＲＡＣＨプリアンブルプール、時間／周波数無線リソース、および他の電力関連パラメータを含み得る、１つ以上のランダムアクセスチャネル（ＲＡＣＨ）構成を有し得る。ＵＥは、ＲＡＣＨ構成からＰＲＡＣＨプリアンブルを選択して、コンテンションベースのＲＡＣＨプロシージャ、またはコンテンションのないＲＡＣＨプロシージャを開始することができる。
【００７０】
一例では、ＵＥは、コンテンションベースまたはコンテンションのないＲＡＣＨプロシージャであり得る、４ステップのＲＡＣＨプロシージャを実行し得る。４ステップランダムアクセス（ＲＡ）プロシージャには、図１６に示すように、第１のステップでのＲＡプリアンブル（ＲＡＰ：ＲＡ  ｐｒｅａｍｂｌｅ）伝送、第２のステップでのランダムアクセス応答（ＲＡＲ：ｒａｎｄｏｍ  ａｃｃｅｓｓ  ｒｅｓｐｏｎｓｅ）伝送、第３のステップでの１つ以上のトランスポートブロック（ＴＢ）のスケジュールされた伝送、および第４のステップでのコンテンション解決が含まれ得る。具体的には、図１６Ａは、コンテンションベースの４ステップＲＡプロシージャを示し、図１６Ｂは、コンテンションのないＲＡプロシージャを示す。
【００７１】
第１のステップでは、ＵＥは、構成されたＲＡプリアンブルフォーマットを使用して、ＴｘビームでＲＡＰを伝送することができる。ＲＡチャネル（ＲＡＣＨ：ＲＡ  ｃｈａｎｎｅｌ）リソースは、ＲＡＰを伝送する時間周波数リソースとして定義され得る。ブロードキャストシステム情報は、ＲＡＣＨリソースのサブセット内で、ＵＥが１つまたは複数の／反復されるプリアンブルを伝送する必要があるかどうかを通知し得る。
【００７２】
基地局は、第２のステップでダウンリンク（ＤＬ）伝送を決定するために、ＤＬ信号／チャネルと、ＲＡＣＨリソースのサブセットおよび／またはＲＡＰインデックスのサブセットとの間の関連付けを構成し得る。ＤＬ測定および対応する関連付けに基づいて、ＵＥは、ＲＡＣＨリソースのサブセットおよび／またはＲＡＰインデックスのサブセットを選択し得る。一例では、ブロードキャストシステム情報によって通知される２つのＲＡＰグループがあってもよく、１つはオプションであってもよい。基地局が４ステップＲＡプロシージャで２つのグループを構成する場合、ＵＥは、第３のステップでＵＥが伝送するメッセージのパスロスおよびサイズに基づいて、どのグループからＵＥがＲＡＰを選択するかを決定し得る。基地局は、第３のステップでのメッセージサイズとＵＥの無線状態との指標として、ＲＡＰが属するグループタイプを使用し得る。基地局は、システム情報の１つ以上の閾値とともに、ＲＡＰグループ化情報をブロードキャストし得る。
【００７３】
４ステップＲＡプロシージャの第２のステップでは、基地局は、ＵＥが伝送するＲＡＰの受信に応答して、ＲＡ応答（ＲＡＲ）をＵＥに伝送し得る。ＵＥは、ＤＣＩを搬送するＰＤＣＣＨを監視して、ＲＡ応答ウィンドウにおいてＰＤＳＣＨ上で伝送されたＲＡＲを検出することができる。ＤＣＩは、ＲＡ−ＲＮＴＩ（ランダムアクセス−無線ネットワーク一時識別子：Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）によってＣＲＣスクランブルされる場合がある。ＲＡ−ＲＮＴＩは、ランダムアクセス応答メッセージが伝送されるときに、ＰＤＣＣＨ上で使用される場合がある。ＲＡ−ＲＮＴＩは、ランダムアクセスプリアンブルを伝送するために、ＭＡＣエンティティがどの時間周波数リソースを使用しているかを明確に識別し得る。ＲＡ応答ウィンドウは、ＲＡＰ伝送の終了に、３つのサブフレームを加えたものを収容するサブフレームから開始し得る。ＲＡ応答ウィンドウは、ｒａ−ＲｅｓｐｏｎｓｅＷｉｎｄｏｗＳｉｚｅで示される長さを有し得る。ＵＥは、ＲＡ−ＲＮＴＩ＝１＋ｔ＿ｉｄ＋１０＊ｆ＿ｉｄのように、ＵＥがＲＡＰを伝送するＰＲＡＣＨに関連付けられた、ＲＡ−ＲＮＴＩを計算することができ、ここで、ｔ＿ｉｄは、指定されたＰＲＡＣＨの第１のサブフレームのインデックスであり（０≦ｔ＿ｉｄ＜１０）、ｆ＿ｉｄは、周波数領域の昇順（０≦ｆ＿ｉｄ＜６）での、サブフレーム内の指定されたＰＲＡＣＨのインデックスである。一例では、異なるタイプのＵＥ、例えば、ＮＢ−ＩｏＴ、ＢＬ−ＵＥ、またはＵＥ−ＥＣは、ＲＡ−ＲＮＴＩ計算のために異なる式を使用してもよい。
【００７４】
ＵＥは、ＵＥによって伝送されたＲＡＰに一致する、ＲＡＰ識別子（ＲＡＰＩＤ）を含むＲＡＲ用のＭＡＣパケットデータユニット（ＰＤＵ）の復号後、ＲＡＲの監視を停止してもよい。ＭＡＣ  ＰＤＵは、１つ以上のＭＡＣ  ＲＡＲと、バックオフインジケータ（ＢＩ：ｂａｃｋｏｆｆ  ｉｎｄｉｃａｔｏｒ）を有するサブヘッダを含むことができるＭＡＣヘッダと、ＲＡＰＩＤを含む１つ以上のサブヘッダとを含むことができる。
【００７５】
図１７は、４ステップＲＡプロシージャのためのＭＡＣヘッダおよびＭＡＣ  ＲＡＲを含む、ＭＡＣ  ＰＤＵの例を示す。ＲＡＲが、ＵＥが伝送するＲＡＰに対応するＲＡＰＩＤを含む場合、ＵＥは、ＲＡＲ内の、タイミングアドバンス（ＴＡ）コマンド、ＵＬ許可、および一時（Ｔｅｍｐｏｒａｒｙ）Ｃ−ＲＮＴＩ（ＴＣ−ＲＮＴＩ）などのデータを処理し得る。
【００７６】
図１８Ａ、図１８Ｂ、および図１８Ｃは、ＭＡＣ  ＲＡＲの内容を示す。具体的には、図１８Ａは通常のＵＥのＭＡＣ  ＲＡＲの内容を示す。図１８ＢはＭＴＣ  ＵＥのＭＡＣ  ＲＡＲの内容を示す。図１８ＣはＮＢ−ＩＯＴ  ＵＥのＭＡＣ  ＲＡＲの内容を示す。
【００７７】
４ステップＲＡプロシージャの第３のステップでは、ＵＥは、第２のステップで受信したＲＡＲのＴＡコマンドに対応するＴＡ値を使用して、ＵＬタイムアライメントを調整することができ、受信されたＲＡＲのＵＬ許可で割り当てられたＵＬリソースを使用して、１つ以上のＴＢを基地局に伝送することができる。ＵＥが第３のステップで伝送するＴＢは、ＲＲＣ接続要求、ＲＲＣ接続再確立要求、またはＲＲＣ接続再開要求などのＲＲＣシグナリング、およびＵＥのＩＤを含むことができる。第３のステップで伝送されたＩＤは、第４のステップでコンテンション解決メカニズムの一部として使用される。
【００７８】
４ステップのＲＡプロシージャの第４のステップは、コンテンション解決のためのＤＬメッセージを含んでもよい。一例では、１つ以上のＵＥは、第１のステップで同じＲＡＰを選択する同時ＲＡ試行を実行し、第２のステップで同じＴＣ−ＲＮＴＩで同じＲＡＲを受信することができる。第４のステップにおけるコンテンション解決は、ＵＥが別のＵＥのＩＤを誤って使用しないことを確実にすることであり得る。コンテンション解決メカニズムは、ＵＥがＣ−ＲＮＴＩを有するかどうかに応じて、ＰＤＣＣＨのＣ−ＲＮＴＩまたはＤＬ−ＳＣＨのＵＥコンテンション解決ＩＤのいずれかに基づき得る。ＵＥがＣ−ＲＮＴＩを有する場合、ＰＤＣＣＨ上でＣ−ＲＮＴＩを検出すると、ＵＥはＲＡプロシージャの成功を判定することができる。ＵＥにＣ−ＲＮＴＩが事前に割り当てられていない場合、ＵＥは、基地局が第２のステップのＲＡＲで伝送する、ＴＣ−ＲＮＴＩに関連付けられたＤＬ−ＳＣＨを監視し、第４のステップでＤＬ−ＳＣＨ上で基地局によって伝送されたデータのＩＤを、ＵＥが第３のステップで伝送するＩＤと比較し得る。２つのＩＤが同一である場合、ＵＥはＲＡプロシージャの成功を判定し、ＴＣ−ＲＮＴＩをＣ−ＲＮＴＩにプロモートし得る。
【００７９】
４ステップＲＡプロシージャの第４のステップは、ＨＡＲＱ再伝送を可能にし得る。ＵＥは、第３のステップで、ＵＥが１つ以上のＴＢを基地局に伝送するときに、ｍａｃ−ＣｏｎｔｅｎｔｉｏｎＲｅｓｏｌｕｔｉｏｎＴｉｍｅｒを始動することができ、ＨＡＲＱ再伝送のたびにｍａｃ−ＣｏｎｔｅｎｔｉｏｎＲｅｓｏｌｕｔｉｏｎＴｉｍｅｒを再始動することができる。ＵＥが第４のステップで、Ｃ−ＲＮＴＩまたはＴＣ−ＲＮＴＩによって識別されたＤＬリソースでデータを受信すると、ＵＥはｍａｃ−ＣｏｎｔｅｎｔｉｏｎＲｅｓｏｌｕｔｉｏｎＴｉｍｅｒを停止し得る。ＵＥが第３のステップで、ＵＥによって伝送されたＩＤに一致するコンテンション解決ＩＤを検出しない場合、ＵＥはＲＡプロシージャの失敗を判定し、ＴＣ−ＲＮＴＩを破棄することができる。ｍａｃ−ＣｏｎｔｅｎｔｉｏｎＲｅｓｏｌｕｔｉｏｎＴｉｍｅｒが満了すると、ＵＥはＲＡプロシージャの失敗を判定し、ＴＣ−ＲＮＴＩを破棄し得る。コンテンション解決に失敗した場合、ＵＥはＭＡＣ  ＰＤＵの伝送に使用されるＨＡＲＱバッファをフラッシュすることができ、４ステップＲＡプロシージャを第１のステップから再始動し得る。ＵＥは、０とＲＡＲ用のＭＡＣ  ＰＤＵ内のＢＩに対応するバックオフパラメータ値との間の均一な分布に従って、ランダムに選択されたバックオフ時間だけ、後続のＲＡＰ伝送を遅延させることができる。
【００８０】
４ステップＲＡプロシージャでは、最初の２つのステップの使用法は、ＵＥのＵＬタイムアライメントを取得し、アップリンク許可を取得することであり得る。第３および第４のステップを使用して、ＲＲＣ接続をセットアップし、および／または異なるＵＥからのコンテンションを解決し得る。
【００８１】
図１９は、基地局による１つ以上のＳＳブロックの送信を含むことができる、ランダムアクセスプロシージャ（例えば、ＲＡＣＨを介した）の実施例を示している。無線デバイス１９２０（例えば、ＵＥ）は、１つ以上のプリアンブルを基地局１９２１（例えば、ＮＲのｇＮＢ）に伝送することができる。無線デバイスによる各プリアンブル伝送は、図１９に示されるような、別個のランダムアクセスプロシージャに関連付けられ得る。ランダムアクセスプロシージャは、基地局１９２１（例えば、ＮＲのｇＮＢ）が第１のＳＳブロックを無線デバイス１９２１（例えば、ＵＥ）に送信する、ステップ１９０１で開始することができる。ＳＳブロックのいずれも、ＰＳＳ、ＳＳＳ、三次同期信号（ＴＳＳ：ｔｅｒｔｉａｒｙ  ｓｙｎｃｈｒｏｎｉｚａｔｉｏｎ  ｓｉｇｎａｌ）、またはＰＢＣＨ信号のうちの１つ以上を含み得る。ステップ１９０１の第１のＳＳブロックは、第１のＰＲＡＣＨ構成に関連付けられ得る。ステップ１９０２で、基地局１９２１は、第２のＰＲＡＣＨ構成に関連付けられ得る第２のＳＳブロックを、無線デバイス１９２０に送信し得る。ステップ１９０３で、基地局１９２１は、第３のＰＲＡＣＨ構成に関連付けられ得る第３のＳＳブロックを、無線デバイス１９２０に送信し得る。ステップ１９０４で、基地局１９２１は、第４のＰＲＡＣＨ構成に関連付けられ得る第４のＳＳブロックを、無線デバイス１９２０に送信し得る。任意の数のＳＳブロックが、ステップ１９０３および１９０４に加えて、またはそれらと置換して、同じ様式で送信されてもよい。ＳＳバーストは、任意の数のＳＳブロックを含み得る。例えば、ＳＳバースト１９１０は、ステップ１９０２〜１９０４の間に送信された３つのＳＳブロックを含む。
【００８２】
無線デバイス１９２０は、ステップ１９０５で、例えば、１つ以上のＳＳブロックまたはＳＳバーストを受信した後またはそれに応答して、基地局１９２１にプリアンブルを送信してもよい。プリアンブルは、ＰＲＡＣＨプリアンブルを含んでもよく、ＲＡ  Ｍｓｇ１と呼ばれてもよい。ＰＲＡＣＨプリアンブルは、最良のＳＳブロックビームであると判定され得るＳＳブロック（例えば、ステップ１９０１〜１９０４からのＳＳブロックのうちの１つ）で受信され得るＰＲＡＣＨ構成に従って、またはそれに基づいて、ステップ１９０５で伝送され得る。無線デバイス１９２０は、ＰＲＡＣＨプリアンブルを送信する前に受信し得る、ＳＳブロックの中から最良のＳＳブロックビームを判定し得る。基地局１９２１は、ステップ１９０６で、例えば、ＰＲＡＣＨプリアンブルを受信した後、またはそれに応答して、ＲＡ  Ｍｓｇ２と呼ばれ得るランダムアクセス応答（ＲＡＲ）を送信することができる。ＲＡＲは、ステップ１９０６で、ＰＲＡＣＨ構成に関連付けられたＳＳブロックビームに対応する、ＤＬビームを介して伝送され得る。基地局１９２１は、ＰＲＡＣＨプリアンブルを受信するのに先立って、以前に送信したＳＳブロックの中から最良のＳＳブロックビームを判定し得る。基地局１６２１は、最良のＳＳブロックビームに関連付けられたＰＲＡＣＨ構成に従って、またはそれに基づいてＰＲＡＣＨプリアンブルを受信することができる。
【００８３】
無線デバイス１９２０は、ステップ１９０７で、例えば、ＲＡＲを受信した後、またはそれに応答して、ＲＡ  Ｍｓｇ３と呼ばれ得る、ＲＲＣＣｏｎｎｅｃｔｉｏｎＲｅｑｕｅｓｔ（ＲＲＣ接続要求）および／またはＲＲＣＣｏｎｎｅｃｔｉｏｎＲｅｓｕｍｅＲｅｑｕｅｓｔ（ＲＲＣ接続再開要求）メッセージを、基地局１９２１に送信し得る。基地局１９２１は、例えば、ＲＲＣＣｏｎｎｅｃｔｉｏｎＲｅｑｕｅｓｔおよび／もしくはＲＲＣＣｏｎｎｅｃｔｉｏｎＲｅｓｕｍｅＲｅｑｕｅｓｔメッセージを受信した後、またはそれに応答して、ステップ１９０８で、ＲＡ  Ｍｓｇ４と呼ばれ得るＲＲＣＣｏｎｎｅｃｔｉｏｎＳｅｔｕｐ（ＲＲＣ接続設定）および／またはＲＲＣＣｏｎｎｅｃｔｉｏｎＲｅｓｕｍｅ（ＲＲＣ接続再開）メッセージを、無線デバイス１９２０に送信し得る。無線デバイス１９２０は、ステップ１９０９で、例えば、ＲＲＣＣｏｎｎｅｃｔｉｏｎＳｅｔｕｐおよび／もしくはＲＲＣＣｏｎｎｅｃｔｉｏｎＲｅｓｕｍｅを受信した後、またはそれに応答して、ＲＡ  Ｍｓｇ５と呼ばれ得るＲＲＣＣｏｎｎｅｃｔｉｏｎＳｅｔｕｐＣｏｍｐｌｅｔｅ（ＲＲＣ接続設定完了）および／またはＲＲＣＣｏｎｎｅｃｔｉｏｎＲｅｓｕｍｅＣｏｍｐｌｅｔｅ（ＲＲＣ接続再開完了）メッセージを、基地局１９２１に送信し得る。無線デバイス１９２０と基地局１９２１との間にＲＲＣ接続を確立することができ、ランダムアクセスプロシージャは、例えば、ＲＲＣＣｏｎｎｅｃｔｉｏｎＳｅｔｕｐＣｏｍｐｌｅｔｅおよび／もしくはＲＲＣＣｏｎｎｅｃｔｉｏｎＲｅｓｕｍｅＣｏｍｐｌｅｔｅメッセージの受信後、またはそれに応答して終了することができる。
【００８４】
最良のＳＳブロックビームを含むがこれに限定されない最良のビームは、チャネル状態情報基準信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）に基づいて判定され得る。無線デバイスは、無線デバイスと基地局との間のリンクのビーム品質を推定するために、マルチビームシステムでＣＳＩ−ＲＳを使用してもよい。例えば、ＣＳＩ−ＲＳの測定に基づいて、無線デバイスは、ダウンリンクチャネル適応のＣＳＩを報告することができる。ＣＳＩパラメータは、プリコーディング行列インデックス（ＰＭＩ：ｐｒｅｃｏｄｉｎｇ  ｍａｔｒｉｘ  ｉｎｄｅｘ）、チャネル品質インデックス（ＣＱＩ：ｃｈａｎｎｅｌ  ｑｕａｌｉｔｙ  ｉｎｄｅｘ）値、および／またはランクインジケータ（ＲＩ：ｒａｎｋ  ｉｎｄｉｃａｔｏｒ）を含み得る。無線デバイスは、ＣＳＩ−ＲＳでの基準信号受信電力（ＲＳＲＰ：ｒｅｆｅｒｅｎｃｅ  ｓｉｇｎａｌ  ｒｅｃｅｉｖｅｄ  ｐｏｗｅｒ）測定に基づいて、ビームインデックスを報告することができる。無線デバイスは、ダウンリンクビーム選択のためにＣＳＩリソース表示（ＣＲＩ：ＣＳＩ  ｒｅｓｏｕｒｃｅ  ｉｎｄｉｃａｔｉｏｎ）でビームインデックスを報告してもよい。基地局は、１つ以上のアンテナポートを介して、または１つ以上の時間および／もしくは周波数無線リソースを介してなど、ＣＳＩ−ＲＳリソースを介してＣＳＩ−ＲＳを伝送することができる。ビームは、ＣＳＩ−ＲＳと関連付けることができる。ＣＳＩ−ＲＳは、ビーム方向の表示を含み得る。複数のビームの各々は、複数のＣＳＩ−ＲＳのうちの１つに関連付けられ得る。ＣＳＩ−ＲＳリソースは、セル固有の方法で、例えば、共通のＲＲＣシグナリングを介して構成され得る。追加または代替として、ＣＳＩ−ＲＳリソースは、例えば、専用ＲＲＣシグナリング、ならびに／またはレイヤ１および／もしくはレイヤ２（Ｌ１／Ｌ２）シグナリングを介して、無線デバイス固有の方法で構成され得る。セル内の、またはセルによって提供される複数の無線デバイスは、セル固有のＣＳＩ−ＲＳリソースを測定することができる。セル内の、またはセルによって提供される無線デバイスの専用サブセットは、無線デバイス固有のＣＳＩ−ＲＳリソースを測定することができる。基地局は、非周期的な伝送を使用して、またはマルチショットもしくは半永続的な伝送を使用して、ＣＳＩ−ＲＳリソースを周期的に伝送し得る。周期的な伝送では、基地局は、時間領域で構成された周期性を使用して、構成されたＣＳＩ−ＲＳリソースを伝送することができる。非周期的伝送では、基地局は、構成されたＣＳＩ−ＲＳリソースを専用タイムスロットで伝送することができる。マルチショットまたは半永続的な伝送では、基地局は、構成された期間において、構成されたＣＳＩ−ＲＳリソースを伝送することができる。基地局は、様々な目的のために、様々な時間で、様々なＣＳＩ−ＲＳリソースを構成することができる。異なる時間には、例えば、セル固有、デバイス固有、周期的、非周期的、マルチショット、または他の時間が含まれ得る。様々な目的には、例えば、ビーム管理、ＣＱＩ報告、または他の目的が含まれ得る。
【００８５】
図２０は、ビームに対して周期的にＣＳＩ−ＲＳを伝送する実施例を示している。基地局２００１は、期間２００３の間になど、時間領域で所定の順序でビームを伝送することができる。伝送２００２Ｃおよび／または２００３ＥのＣＳＩ−ＲＳ２００４などのＣＳＩ−ＲＳ伝送のために使用されるビームは、ＳＳブロック２００２Ａ、２００２Ｂ、２００２Ｄ、および２００２Ｆ〜２００２ＨなどのＳＳブロック伝送のビーム幅に対して異なるビーム幅を有する場合がある。追加的または代替的に、ＣＳＩ−ＲＳ伝送のために使用されるビームのビーム幅は、ＳＳブロックのビーム幅と同じ値を有し得る。１つ以上のＣＳＩ−ＲＳの一部またはすべては、１つ以上のビームに含まれてもよい。ＳＳブロックは、いくつかのＯＦＤＭシンボル（例えば、４）、およびいくつかのサブキャリア（例えば、２４０）を占有し、同期シーケンス信号を搬送し得る。同期シーケンス信号は、セルを識別することができる。
【００８６】
図２１は、時間領域および周波数領域にマッピングされ得る、ＣＳＩ−ＲＳの実施例を示している。図２１に示される各正方形は、セルの帯域幅内のリソースブロックを表し得る。各リソースブロックは、いくつかのサブキャリアを含んでもよい。セルは、いくつかのリソースブロックで構成される帯域幅を有することができる。基地局（例えば、ＮＲのｇＮＢ）は、１つ以上のＣＳＩ−ＲＳについてのＣＳＩ−ＲＳリソース構成パラメータを含む、１つ以上の無線リソース制御（ＲＲＣ）メッセージを伝送してもよい。各ＣＳＩ−ＲＳリソース構成についての上位レイヤシグナリングによって、以下のパラメータ：ＣＳＩ−ＲＳリソース構成ＩＤ、ＣＳＩ−ＲＳポートの数、ＣＳＩ−ＲＳ構成（例えば、サブフレーム内のシンボルおよびＲＥの位置）、ＣＳＩ−ＲＳサブフレーム構成（例えば、無線フレーム内のサブフレームの位置、オフセット、および周期性）、ＣＳＩ−ＲＳ電力パラメータ、ＣＳＩ−ＲＳシーケンスパラメータ、ＣＤＭタイプのパラメータ、周波数密度、送信コム（ｔｒａｎｓｍｉｓｓｉｏｎ  ｃｏｍｂ）、ＱＣＬパラメータ（例えば、ＱＣＬ−ｓｃｒａｍｂｌｉｎｇｉｄｅｎｔｉｔｙ、ｃｒｓ−ｐｏｒｔｓｃｏｕｎｔ、ｍｂｓｆｎ−ｓｕｂｆｒａｍｅｃｏｎｆｉｇｌｉｓｔ、ｃｓｉ−ｒｓ−ｃｏｎｆｉｇＺＰｉｄ、ｑｃｌ−ｃｓｉ−ｒｓ−ｃｏｎｆｉｇＮＺＰｉｄ）、および／または他の無線リソースパラメータのうちの１つ以上を構成することができる。
【００８７】
図２１は、例えば、無線デバイス固有の構成で、無線デバイス用に構成され得る３つのビームを示している。任意の数の追加のビーム（例えば、空白の正方形の列で表される）またはより少ないビームが、含まれてもよい。ビーム１には、第１のシンボルのリソースブロック（ＲＢ）内のいくつかのサブキャリアで伝送され得る、ＣＳＩ−ＲＳ１が割り振られ得る。ビーム２には、第２のシンボルのＲＢ内のいくつかのサブキャリアで伝送され得る、ＣＳＩ−ＲＳ２が割り振られ得る。ビーム３には、第３のシンボルのＲＢ内のいくつかのサブキャリアで送信され得る、ＣＳＩ−ＲＳ３が割り振られ得る。ＲＢ内のすべてのサブキャリアが、特定のＣＳＩ−ＲＳ（例えば、ＣＳＩ−ＲＳ１）を伝送するために、そのＣＳＩ−ＲＳ用の関連付けられたビーム（例えば、ビーム１）では必ずしも使用されない場合がある。周波数分割多重化（ＦＤＭ：ｆｒｅｑｕｅｎｃｙ  ｄｉｖｉｓｉｏｎ  ｍｕｌｔｉｐｌｅｘｉｎｇ）を使用することにより、同じＲＢの無線デバイスについてのビーム１に使用されない他のサブキャリアを、他の無線デバイスについての異なるビームに関連付けられた、他のＣＳＩ−ＲＳ伝送のために使用することができる。追加または代替として、時間領域多重化（ＴＤＭ：ｔｉｍｅ  ｄｏｍａｉｎ  ｍｕｌｔｉｐｌｅｘｉｎｇ）を使用することにより、無線デバイスのために使用されるビームは、無線デバイスについての異なるビーム（例えば、ビーム１、ビーム２、およびビーム３）が、他の無線デバイスのビームとは異なるいくつかのシンボルを使用して伝送され得るように構成されてもよい。
【００８８】
ビーム管理では、デバイス固有の構成済みＣＳＩ−ＲＳを使用することができる。ビーム管理プロシージャにおいて、無線デバイスは、基地局（例えば、ＮＲのｇＮＢ）による伝送ビーム、および無線デバイス（例えば、ＵＥ）による受信ビームを含む、ビームペアリンクのチャネル品質を監視することができる。複数のビームに関連付けられた複数のＣＳＩ−ＲＳが構成されている場合、無線デバイスは、基地局と無線デバイスとの間の複数のビームペアリンクを監視することができる。
【００８９】
無線デバイスは、１つ以上のビーム管理レポートを基地局に伝送することができる。ビーム管理レポートは、例えば、構成されたビームのサブセットの１つ以上のビーム識別、ＲＳＲＰ、ＰＭＩ、ＣＱＩ、および／またはＲＩを含む、１つ以上のビームペア品質パラメータを示し得る。
【００９０】
基地局および／または無線デバイスは、ダウンリンクＬ１／Ｌ２ビーム管理プロシージャを実行してもよい。図２３Ａおよび図２３Ｂにそれぞれ示すように、１つ以上のダウンリンクＬ１／Ｌ２ビーム管理プロシージャは、１つまたは複数の伝送および受信ポイント（ＴＲＰ：ｔｒａｎｓｍｉｓｓｉｏｎ  ａｎｄ  ｒｅｃｅｉｖｉｎｇ  ｐｏｉｎｔ）内で実行され得る。
【００９１】
図２２は、３つのビーム管理プロシージャ、Ｐ１、Ｐ２、およびＰ３の実施例を示している。プロシージャＰ１を使用して、ＴＲＰ（または複数のＴＲＰ）の異なる伝送（Ｔｘ）ビームの無線デバイス測定を可能にし、例えば、Ｔｘビームおよび／または無線デバイス受信（Ｒｘ）ビーム（複数可）（Ｐ１の上の行と下の行にそれぞれ楕円として表示されている）の選択をサポートすることができる。ＴＲＰ（または複数のＴＲＰ）でのビームフォーミングには、例えば、１組の異なるビームからのＴＲＰ内および／またはＴＲＰ間のＴｘビーム掃引（Ｐ１およびＰ２の上の行に、破線の矢印で示される反時計回りの方向に回転する楕円として示されている）が含まれてもよい。無線デバイス２２０１でのビームフォーミングには、例えば、１組の異なるビームからの無線デバイスＲｘビーム掃引（Ｐ１およびＰ３の下の行に、破線の矢印で示される時計回りの方向に回転する楕円として示されている）が含まれてもよい。プロシージャＰ２を使用して、例えば、ＴＲＰ間および／またはＴＲＰ内Ｔｘビーム（複数可）を変更し得る、ＴＲＰ（または複数のＴＲＰ）の異なるＴｘビーム（Ｐ２の上の行に、破線の矢印で示される反時計回りの方向に回転する楕円として示されている）の無線デバイス測定を可能にすることができる。プロシージャＰ２は、例えば、プロシージャＰ１よりビーム洗練化のためのより小さな１組のビームで実行されてもよい。Ｐ２は、Ｐ１の特定の実施例であり得る。プロシージャＰ３を使用して、例えば、無線デバイス２２０１がビームフォーミングを使用する場合に無線デバイスＲｘビームを変更するために、同じＴｘビーム（Ｐ３において楕円として示される）の無線デバイス測定を可能にすることができる。
【００９２】
無線デバイス２２０１（例えば、ＵＥ）および／または基地局２２０２（例えば、ｇＮＢ）は、ビーム障害回復メカニズムをトリガしてもよい。無線デバイス２２０１は、例えば、ビーム障害イベントが発生した場合に、ビーム障害回復（ＢＦＲ：ｂｅａｍ  ｆａｉｌｕｒｅ  ｒｅｃｏｖｅｒｙ）要求の伝送をトリガしてもよい。ビーム障害イベントには、例えば、関連付けられた制御チャネルのビームペアリンク（複数可）の品質が不十分であるという判定が含まれる場合がある。関連付けられたチャネルのビームペアリンク（複数可）の不十分な品質の判定は、品質が閾値を下回ることおよび／またはタイマの満了に基づいてもよい。
【００９３】
無線デバイス２２０１は、１つ以上の基準信号（ＲＳ：ｒｅｆｅｒｅｎｃｅ  ｓｉｇｎａｌ）を使用してビームペアリンク（複数可）の品質を測定し得る。１つ以上のＳＳブロック、１つ以上のＣＳＩ−ＲＳリソース、および／またはＰＢＣＨの１つ以上の復調基準信号（ＤＭ−ＲＳ：ｄｅｍｏｄｕｌａｔｉｏｎ  ｒｅｆｅｒｅｎｃｅ  ｓｉｇｎａｌ）は、ビームペアリンクの品質を測定するためのＲＳとして使用され得る。１つ以上のＣＳＩ−ＲＳリソースの各々は、ＣＳＩ−ＲＳリソースインデックス（ＣＲＩ：ＣＳＩ−ＲＳ  ｒｅｓｏｕｒｃｅ  ｉｎｄｅｘ）に関連付けられ得る。ビームペアリンクの品質は、ＲＳリソースで測定されたＲＳＲＰ値、基準信号受信品質（ＲＳＲＱ：ｒｅｆｅｒｅｎｃｅ  ｓｉｇｎａｌ  ｒｅｃｅｉｖｅｄ  ｑｕａｌｉｔｙ）値、および／またはＣＳＩ値のうちの１つ以上に基づいてもよい。基地局２２０２は、例えば、ビームペアリンク品質を測定するために使用され得るＲＳリソースが、制御チャネルの１つ以上のＤＭ−ＲＳと準共配置（ＱＣＬ：ｑｕａｓｉ−ｃｏ−ｌｏｃａｔｅ）されることを示し得る。ＲＳを介した無線デバイス２２０１への伝送からのチャネル特性、および制御チャネルを介した無線デバイスへの伝送からのチャネル特性が、構成された基準の下で類似または同じである場合、制御チャネルのＲＳリソースおよびＤＭ−ＲＳは、ＱＣＬされ得る。
【００９４】
図２３Ａは、単一のＴＲＰが関与するビーム障害イベントの実施例を示している。基地局２３０１などの単一のＴＲＰは、無線デバイス２３０２に、第１のビーム２３０３および第２のビーム２３０４を伝送することができる。例えば、第２のビーム２３０４などのサービングビームが、移動車両２３０５または他の障害物（例えば、建物、樹木、土地、または任意の物体）によってブロックされている場合、およびサービングビームを含む構成されたビーム（例えば、第１のビーム２３０３および／または第２のビーム２３０４）が単一のＴＲＰから受信されている場合に、ビーム障害イベントは発生し得る。無線デバイス２３０２は、ビーム障害が発生したときに、ビーム障害から回復するためのメカニズムをトリガすることができる。
【００９５】
図２３Ｂは、複数のＴＲＰが関与するビーム障害イベントの実施例を示している。第１の基地局２３０６および第２の基地局２３０９などでの複数のＴＲＰは、無線デバイス２３０８に、第１のビーム２３０７（例えば、第１の基地局２３０６からの）および第２のビーム２３１０（例えば、第２の基地局２３０９からの）を伝送することができる。例えば、第２のビーム２３１０などのサービングビームが、移動車両２３１１または他の障害物（例えば、建物、樹木、土地、または任意の物体）によってブロックされている場合、および構成されたビーム（例えば、第１のビーム２３０７および／または第２のビーム２３１０）が複数のＴＲＰから受信されている場合に、ビーム障害イベントは発生し得る。無線デバイス２００８は、ビーム障害が発生したときに、ビーム障害から回復するためのメカニズムをトリガすることができる。
【００９６】
無線デバイスは、Ｍ個のビームペアリンクで、Ｎｅｗ  ＲａｄｉｏのＰＤＣＣＨ（ＮＲ−ＰＤＣＣＨ）などのＰＤＣＣＨを同時に監視することができ、ここで、Ｍ≧１であり、かつＭの最大値は、少なくとも無線デバイスの機能に依存し得る。このような監視によって、ビームペアリンクのブロッキングに対するロバスト性を向上することができる。基地局は、異なるビームペアリンク（複数可）での、および／または異なるＮＲ−ＰＤＣＣＨ  ＯＦＤＭシンボルにおけるＮＲ−ＰＤＣＣＨを、無線デバイスに監視させるように構成された１つ以上のメッセージを伝送することができ、かつ無線デバイスはそれを受信することができる。
【００９７】
基地局は、複数のビームペアリンクでＮＲ−ＰＤＣＣＨを監視するための、無線デバイスのＲｘビーム設定に関連するパラメータを含み得る、上位レイヤシグナリングおよび／またはＭＡＣ制御要素（ＭＡＣ  ＣＥ）を伝送してもよい。基地局は、第１のＤＬ  ＲＳアンテナポート（複数可）と第２のＤＬ  ＲＳアンテナポート（複数可）との間の、空間ＱＣＬ仮定の１つ以上の表示を伝送してもよい。第１のＤＬ  ＲＳアンテナポート（複数可）は、セル固有のＣＳＩ−ＲＳ、デバイス固有のＣＳＩ−ＲＳ、ＳＳブロック、ＰＢＣＨのＤＭ−ＲＳを伴うＰＢＣＨ、および／またはＰＢＣＨのＤＭ−ＲＳを伴わないＰＢＣＨのうちの１つ以上のためのものであり得る。第２のＤＬ  ＲＳアンテナポート（複数可）は、ＤＬ制御チャネルの復調のためのものであり得る。ＮＲ−ＰＤＣＣＨについてのビーム表示のシグナリング（例えば、ＮＲ−ＰＤＣＣＨを監視するための構成）は、ＭＡＣ  ＣＥシグナリング、ＲＲＣシグナリング、ＤＣＩシグナリング、または仕様透過的および／もしくは暗黙的方法、ならびにそれらの任意の組み合わせによって行われ得る。
【００９８】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を伝送することができる。情報は、ＤＭ−ＲＳアンテナポート（複数可）でＱＣＬされ得る、ＲＳアンテナポート（複数可）を示している場合がある。ＤＬデータチャネル用のＤＭ−ＲＳアンテナポート（複数可）の異なるセットは、ＲＳアンテナポート（複数可）の異なるセットを用いてＱＣＬとして示され得る。
【００９９】
基地局が、ＰＤＣＣＨについてのＣＳＩ−ＲＳとＤＭ−ＲＳとの間の空間ＱＣＬパラメータを示す信号を伝送する場合、無線デバイスは、ＰＤＣＣＨ用のＤＭ−ＲＳでＱＣＬされたＣＳＩ−ＲＳを使用して、ビームペアリンクの品質を監視することができる。ビーム障害イベントが発生した場合、無線デバイスは、判定された構成などによって、ビーム障害回復要求を伝送することができる。
【０１００】
無線デバイスが、例えば、アップリンク物理チャネルまたは信号を介して、ビーム障害回復要求を伝送する場合、基地局は、アップリンク物理チャネルまたは信号を監視することによって、無線デバイスについてビーム障害イベントがあることを検出し得る。基地局は、基地局と無線デバイスとの間でＰＤＣＣＨを伝送するため、ビームペアリンクを回復するビーム回復メカニズムを開始してもよい。基地局は、例えば、ビーム障害回復要求の受信後または受信に応答して、１つ以上の制御信号を無線デバイスに伝送してもよい。ビーム回復メカニズムは、例えば、Ｌ１スキーム、またはより上位レイヤのスキームであり得る。
【０１０１】
基地局は、例えば、アップリンク物理チャネルの構成パラメータおよび／またはビーム障害回復要求を送信するための信号を含む、１つ以上のメッセージを伝送することができる。アップリンク物理チャネルおよび／または信号は、他のＰＲＡＣＨ伝送のリソースに直交するリソースを使用し得る、非コンテンションベースのＰＲＡＣＨ（例えば、ビーム障害回復（ｂｅａｍ  ｆａｉｌｕｒｅ  ｒｅｃｏｖｅｒｙ）ＰＲＡＣＨまたはＢＦＲ−ＰＲＡＣＨ）、ＰＵＣＣＨ（例えば、ビーム障害回復ＰＵＣＣＨまたはＢＦＲ−ＰＵＣＣＨ）、および／またはコンテンションベースのＰＲＡＣＨリソースのうちの少なくとも１つに基づいてもよい。これらの候補信号および／またはチャネルの組み合わせは、基地局によって構成されてもよい。
【０１０２】
ｇＮＢは、１つまたは複数のＢＦＲ要求を受信した後、ＵＥに確認メッセージで応答し得る。確認メッセージは、ＵＥが１つまたは複数のＢＦＲ要求で示す候補ビームに関連付けられたＣＲＩを含み得る。確認メッセージは、Ｌ１制御情報であり得る。
【０１０３】
キャリアアグリゲーション（ＣＡ）では、２つ以上のコンポーネントキャリア（ＣＣ）が集約され得る。無線デバイスは、ＣＡの技術を使用して、無線デバイスの機能に応じて、１つ以上のＣＣで同時に受信または伝送し得る。一例では、無線デバイスは、隣接するＣＣおよび／または隣接しないＣＣに対してＣＡをサポートし得る。ＣＣはセルに編成され得る。例えば、ＣＣは１つのプライマリセル（ＰＣｅｌｌ）と、１つ以上のセカンダリセル（ＳＣｅｌｌ）とに編成され得る。
【０１０４】
ＣＡを用いて構成されると、無線デバイスはネットワークとの１つのＲＲＣ接続を有し得る。ＲＲＣ接続の確立／再確立／ハンドオーバ中、ＮＡＳモビリティ情報を提供するセルはサービングセルであり得る。ＲＲＣ接続の再確立／ハンドオーバプロシージャ中、セキュリティ入力を提供するセルはサービングセルであり得る。一例では、サービングセルはＰＣｅｌｌを示し得る。一例では、ｇＮＢは、無線デバイスの機能に応じて、１つ以上のうちの複数のＳＣｅｌｌの構成パラメータを含む、１つ以上のメッセージを無線デバイスに伝送し得る。
【０１０５】
ＣＡを用いて構成されると、基地局および／または無線デバイスは、無線デバイスのバッテリまたは電力消費を改善するために、ＳＣｅｌｌのアクティブ化／非アクティブ化メカニズムを用いてもよい。無線デバイスが１つ以上のＳＣｅｌｌを用いて構成されると、ｇＮＢは１つ以上のＳＣｅｌｌのうちの少なくとも１つを、アクティブ化または非アクティブ化することができる。ＳＣｅｌｌの構成時に、ＳＣｅｌｌに関連付けられたＳＣｅｌｌ状態が「アクティブ化」または「休止」に設定されていない限り、ＳＣｅｌｌを非アクティブ化し得る。
【０１０６】
一例では、無線デバイスは、ＳＣｅｌｌアクティブ化／非アクティブ化ＭＡＣ  ＣＥの受信に応答して、ＳＣｅｌｌをアクティブ化／非アクティブ化することができる。
【０１０７】
一例では、ｇＮＢは無線デバイスに、ＳＣｅｌｌタイマ（例えば、ｓＣｅｌｌＤｅａｃｔｉｖａｔｉｏｎＴｉｍｅｒ）を含む１つ以上のメッセージを伝送し得る。一例では、無線デバイスは、ＳＣｅｌｌタイマの満了に応答してＳＣｅｌｌを非アクティブ化し得る。
【０１０８】
無線デバイスが、ＳＣｅｌｌをアクティブ化するＳＣｅｌｌアクティブ化／非アクティブ化ＭＡＣ  ＣＥを受信すると、無線デバイスはＳＣｅｌｌをアクティブ化し得る。ＳＣｅｌｌのアクティブ化に応答して、無線デバイスは、ＳＣｅｌｌ上でのＳＲＳ伝送、ＳＣｅｌｌのＣＱＩ／ＰＭＩ／ＲＩ／ＣＲＩ報告、ＳＣｅｌｌ上でのＰＤＣＣＨ監視、ＳＣｅｌｌに対するＰＤＣＣＨ監視、および／またはＳＣｅｌｌ上でのＰＵＣＣＨ伝送を含む動作を実行し得る。
【０１０９】
一例では、ＳＣｅｌｌのアクティブ化に応答して、無線デバイスは、ＳＣｅｌｌに関連付けられた第１のＳＣｅｌｌタイマ（例えば、ｓＣｅｌｌＤｅａｃｔｉｖａｔｉｏｎＴｉｍｅｒ）を始動または再始動してもよい。無線デバイスは、ＳＣｅｌｌをアクティブ化するＳＣｅｌｌアクティブ化／非アクティブ化ＭＡＣ  ＣＥが受信されると、スロット内の第１のＳＣｅｌｌタイマを始動または再始動し得る。一例では、ＳＣｅｌｌのアクティブ化に応答して、無線デバイスは、記憶された構成に従って、ＳＣｅｌｌに関連付けられた構成された許可タイプ１の、サスペンドされた１つ以上の構成済みアップリンク許可を（再）初期化することができる。一例では、ＳＣｅｌｌのアクティブ化に応答して、無線デバイスはＰＨＲをトリガしてもよい。
【０１１０】
無線デバイスが、アクティブ化されたＳＣｅｌｌを非アクティブ化する、ＳＣｅｌｌアクティブ化／非アクティブ化ＭＡＣ  ＣＥを受信すると、無線デバイスはアクティブ化されたＳＣｅｌｌを非アクティブ化し得る。一例では、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）が満了すると、無線デバイスはアクティブ化されたＳＣｅｌｌを非アクティブ化し得る。アクティブ化されたＳＣｅｌｌの非アクティブ化に応答して、無線デバイスは、アクティブ化されたＳＣｅｌｌに関連付けられた第１のＳＣｅｌｌタイマを停止してもよい。一例では、アクティブ化されたＳＣｅｌｌの非アクティブ化に応答して、無線デバイスは、アクティブ化されたＳＣｅｌｌに関連付けられた、１つ以上の構成済みダウンリンク割り当ておよび／または構成済みアップリンク許可タイプ２の１つ以上の構成済みアップリンク許可をクリアし得る。一例では、アクティブ化されたＳＣｅｌｌの非アクティブ化に応答して、無線デバイスは、アクティブ化されたＳＣｅｌｌに関連付けられた構成済みアップリンク許可タイプ１の１つ以上の構成済みアップリンク許可をサスペンドし、および／またはアクティブ化されたＳＣｅｌｌに関連付けられたＨＡＲＱバッファをフラッシュし得る。
【０１１１】
一例では、ＳＣｅｌｌが非アクティブ化されると、無線デバイスは、ＳＣｅｌｌでＳＲＳを伝送すること、ＳＣｅｌｌのＣＱＩ／ＰＭＩ／ＲＩ／ＣＲＩを報告すること、ＳＣｅｌｌのＵＬ−ＳＣＨで伝送すること、ＳＣｅｌｌのＲＡＣＨで伝送すること、ＳＣｅｌｌで少なくとも１つの第１のＰＤＣＣＨを監視すること、ＳＣｅｌｌの少なくとも１つの第２のＰＤＣＣＨを監視すること、および／またはＳＣｅｌｌでＰＵＣＣＨを伝送することを含む動作を実行しないことが可能である。
【０１１２】
一例では、アクティブ化されたＳＣｅｌｌの少なくとも１つの第１のＰＤＣＣＨが、アップリンク許可またはダウンリンク割り当てを示すと、無線デバイスは、アクティブ化されたＳＣｅｌｌに関連付けられた、第１のＳＣｅｌｌタイマ（例えば、ｓＣｅｌｌＤｅａｃｔｉｖａｔｉｏｎＴｉｍｅｒ）を再始動し得る。一例では、アクティブ化されたＳＣｅｌｌをスケジュールしているサービングセル（例えば、ＰＣｅｌｌまたはＰＵＣＣＨを用いて構成されたＳＣｅｌｌ、すなわちＰＵＣＣＨ  ＳＣｅｌｌ）の少なくとも１つの第２のＰＤＣＣＨが、アクティブ化されたＳＣｅｌｌのアップリンク許可またはダウンリンク割り当てを示す場合、無線デバイスは、アクティブ化されたＳＣｅｌｌに関連付けられた、第１のＳＣｅｌｌタイマ（例えば、ｓＣｅｌｌＤｅａｃｔｉｖａｔｉｏｎＴｉｍｅｒ）を再始動し得る。
【０１１３】
一例では、ＳＣｅｌｌが非アクティブ化されると、ＳＣｅｌｌ上に進行中のランダムアクセスプロシージャがある場合、無線デバイスは、ＳＣｅｌｌ上の進行中のランダムアクセスプロシージャを中止してもよい。
【０１１４】
図２４Ａは、１オクテットのＳＣｅｌｌアクティブ化／非アクティブ化ＭＡＣ  ＣＥの例を示す。第１のＬＣＩＤ（例えば、「１１１０１０」）を有する第１のＭＡＣ  ＰＤＵサブヘッダは、１オクテットのＳＣｅｌｌアクティブ化／非アクティブ化ＭＡＣ  ＣＥを識別することができる。１オクテットのＳＣｅｌｌアクティブ化／非アクティブ化ＭＡＣ  ＣＥのサイズは固定されてもよい。１オクテットのＳＣｅｌｌアクティブ化／非アクティブ化ＭＡＣ  ＣＥは、単一のオクテットを含んでもよい。単一のオクテットは、第１の数のＣフィールド（例えば、７）と、第２の数のＲフィールド（例えば、１）とを含むことができる。
【０１１５】
図２４Ｂは、４オクテットのＳＣｅｌｌアクティブ化／非アクティブ化ＭＡＣ  ＣＥの例を示す。第２のＬＣＩＤ（例えば、「１１１００１」）を有する第２のＭＡＣ  ＰＤＵサブヘッダによって、４オクテットのＳＣｅｌｌアクティブ化／非アクティブ化ＭＡＣ  ＣＥを識別することができる。４オクテットのＳＣｅｌｌアクティブ化／非アクティブ化ＭＡＣ  ＣＥのサイズは固定されてもよい。４オクテットのＳＣｅｌｌアクティブ化／非アクティブ化ＭＡＣ  ＣＥは、４オクテットを含むことができる。４つのオクテットは、第３の数のＣフィールド（例えば、３１）と第４の数のＲフィールド（例えば、１）とを含むことができる。
【０１１６】
図２４Ａおよび／または図２４Ｂにおいて、ＳＣｅｌｌインデックスｉを有するＳＣｅｌｌが構成される場合、Ｃｉフィールドが、ＳＣｅｌｌインデックスｉを有するＳＣｅｌｌのアクティブ化／非アクティブ化ステータスを示し得る。一例では、Ｃｉフィールドが１に設定されると、ＳＣｅｌｌインデックスｉを有するＳＣｅｌｌがアクティブ化され得る。一例では、Ｃｉフィールドがゼロに設定されると、ＳＣｅｌｌインデックスｉを有するＳＣｅｌｌが非アクティブ化され得る。一例では、ＳＣｅｌｌインデックスｉを用いて構成されたＳＣｅｌｌがない場合、無線デバイスはＣｉフィールドを無視し得る。図２４Ａおよび図２４Ｂにおいて、Ｒフィールドが予約ビットを示し得る。Ｒフィールドはゼロに設定され得る。
【０１１７】
図２５Ａおよび図２５Ｂは、ＵＥがＭＡＣアクティブ化コマンドを受信するタイムラインを示す。ＵＥが、サブフレームｎにおけるセカンダリセルのＭＡＣアクティブ化コマンドを受信すると、ＭＡＣレイヤにおける対応するアクションは、ＣＳＩ報告に関連するアクションと、サブフレームｎ＋８で適用されることとなる、セカンダリセルに関連付けられたｓＣｅｌｌＤｅａｃｔｉｖａｔｉｏｎＴｉｍｅｒに関連するアクションとを除いて、３ＧＰＰ  ＴＳ３６．１３３またはＴＳ３８．１３３で定義された最小要件以前かつサブフレームｎ＋８以後に適用されることとなる。ＵＥがセカンダリセルのＭＡＣ非アクティブ化コマンドを受信するか、またはセカンダリセルに関連付けられたｓＣｅｌｌＤｅａｃｔｉｖａｔｉｏｎＴｉｍｅｒがサブフレームｎで満了すると、ＭＡＣレイヤの対応するアクションが、サブフレームｎ＋８で適用されることとなる、ＣＳＩ報告に関連するアクションを除いて、３ＧＰＰ  ＴＳ３６．１３３またはＴＳ３８．１３３で定義された最小要件以前に適用されることとなる。
【０１１８】
ＵＥがサブフレームｎでセカンダリセルのＭＡＣアクティブ化コマンドを受信すると、ＣＳＩ報告に関連するアクションとセカンダリセルに関連付けられたｓＣｅｌｌＤｅａｃｔｉｖａｔｉｏｎＴｉｍｅｒに関連するアクションとが、サブフレームｎ＋８で適用される。ＵＥがセカンダリフレームのＭＡＣ非アクティブ化コマンドを受信するか、またはサブフレームｎで他の非アクティブ化条件が満たされる（例えば、セカンダリセルに関連付けられたｓＣｅｌｌＤｅａｃｔｉｖａｔｉｏｎＴｉｍｅｒが満了する）と、ＣＳＩ報告に関連するアクションがサブフレームｎ＋８で適用される。ＵＥは、（ｎ＋８）番目のサブフレームでＳＣｅｌｌに対して無効または有効なＣＳＩの報告を開始し、ｎ番目のサブフレームでＳＣｅｌｌをアクティブ化するＭＡＣ  ＣＥを受信すると、ｓＣｅｌｌＤｅａｃｔｉｖａｔｉｏｎＴｉｍｅｒを始動または再始動させる。アクティブ化が遅いＵＥについて、ＵＥは（ｎ＋８）番目のサブフレームで無効なＣＳＩ（範囲外のＣＳＩ）を報告する場合があり、アクティブ化が速いＵＥについて、ＵＥは（ｎ＋８）番目のサブフレームで有効なＣＳＩを報告し得る。
【０１１９】
ＵＥがサブフレームｎでＳＣｅｌｌのＭＡＣアクティブ化コマンドを受信すると、ＵＥはサブフレームｎ＋８でＳＣｅｌｌのＣＱＩ／ＰＭＩ／ＲＩ／ＰＴＩの報告を開始し、サブフレームｎ＋８でＳＣｅｌｌに関連付けられたｓＣｅｌｌＤｅａｃｔｉｖａｔｉｏｎＴｉｍｅｒを始動または再始動させる。ＵＥとｅＮＢとの両方についてのこれらのアクションのタイミングを定義することは重要である。例えば、ｓＣｅｌｌＤｅａｃｔｉｖａｔｉｏｎＴｉｍｅｒがｅＮＢとＵＥとの両方で維持され、ＵＥとｅＮＢとの両方が同じＴＴＩでこのタイマを停止、始動、および／または再始動することが重要である。そうでない場合、ＵＥのｓＣｅｌｌＤｅａｃｔｉｖａｔｉｏｎＴｉｍｅｒは、ｅＮＢの対応するｓＣｅｌｌＤｅａｃｔｉｖａｔｉｏｎＴｉｍｅｒと同期していない可能性がある。また、ｅＮＢは、同じＴＴＩ内の事前定義されたタイミングに従って、および／またはＵＥがＣＳＩの伝送を開始した後に、ＣＳＩ（ＣＱＩ／ＰＭＩ／ＲＩ／ＰＴＩ）の監視および受信を開始する。ＵＥおよびｅＮＢのＣＳＩタイミングが共通の標準またはエアインターフェースシグナリングに基づいて協調されない場合、ネットワーク動作は非効率的な動作および／またはエラーをもたらし得る。
【０１２０】
図２６は、基地局で２つのＴｘアンテナを用い、かつＬＴＥシステムにキャリアアグリゲーションを用いない、２０ＭＨｚのＦＤＤ動作の例のＤＣＩフォーマットを示す。ＮＲシステムでは、ＤＣＩフォーマットは、セル内のＰＵＳＣＨのスケジューリングを示すＤＣＩフォーマット０＿０／０＿１、セル内のＰＤＳＣＨのスケジューリングを示すＤＣＩフォーマット１＿０／１＿１、ＵＥのグループにスロットフォーマットを通知するＤＣＩフォーマット２＿０、ＵＥが伝送を意図していないとＵＥが想定し得るＰＲＢ（複数可）およびＯＦＤＭシンボル（複数可）をＵＥのグループに通知するＤＣＩフォーマット２＿１、ＰＵＣＣＨおよびＰＵＳＣＨのＴＰＣコマンドの伝送を示すＤＣＩフォーマット２＿２、および／または１つ以上のＵＥによるＳＲＳ伝送のためのＴＰＣコマンドのグループの伝送を示すＤＣＩフォーマット２＿３のうちの少なくとも１つを含んでもよい。一例では、ｇＮＢは、スケジューリング決定および電力制ために、ＰＤＣＣＨを介してＤＣＩを伝送し得る。より具体的には、ＤＣＩは、ダウンリンクスケジューリング割り当て、アップリンクスケジューリング許可、電力制御コマンドのうちの少なくとも１つを含み得る。ダウンリンクスケジューリング割り当ては、ＰＤＳＣＨリソース表示、トランスポートフォーマット、ＨＡＲＱ情報、マルチアンテナスキームに関連する制御情報、ダウンリンクスケジューリング割り当てに応答するＡＣＫ／ＮＡＣＫの伝送に使用されるＰＵＣＣＨの電力制御のためのコマンドのうちの少なくとも１つを含むことができる。アップリンクスケジューリング許可は、ＰＵＳＣＨリソース表示、トランスポートフォーマット、ＨＡＲＱ関連情報、ＰＵＳＣＨの電力制御コマンドのうちの少なくとも１つを含み得る。
【０１２１】
一例では、種々のタイプの制御情報が、種々のＤＣＩペイロードサイズに対応し得る。例えば、周波数領域においてＲＢの非連続アロケーションで空間多重化をサポートするには、周波数連続アロケーションのみを可能とし得るアップリンク許可と比較して、より大きなスケジューリングメッセージが必要となり得る。フォーマットが特定のメッセージサイズおよび使用法に対応する場合に、ＤＣＩは種々のＤＣＩフォーマットに分類されてもよい。
【０１２２】
一例では、ＵＥは、１つ以上のＤＣＩフォーマットを有する１つ以上のＤＣＩを検出するために、１つ以上のＰＤＣＣＨを監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを、検出する必要がない場合がある。検出されるべきＤＣＩフォーマットが多いほど、ＵＥでより多くの電力が消費される。
【０１２３】
一例では、ＵＥは、１つ以上のＤＣＩフォーマットを有する１つ以上のＤＣＩを検出するために、１つ以上のＰＤＣＣＨ候補を監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを、検出する必要がない場合がある。検出されるべきＤＣＩフォーマットが多いほど、ＵＥでより多くの電力が消費される。
【０１２４】
一例では、ＵＥが監視する１つ以上のＰＤＣＣＨ候補は、ＰＤＣＣＨ  ＵＥ固有の検索空間に関して定義され得る。ＣＣＥアグリゲーションレベルＬ∈｛１，２，４，８｝のＰＤＣＣＨ  ＵＥ固有の検索空間は、ＣＣＥアグリゲーションレベルＬに対するＰＤＣＣＨ候補のセットによって定義されてもよい。一例では、ＤＣＩフォーマットの場合、ＵＥは、ＣＣＥアグリゲーションレベルＬごとに、いくつかのＰＤＣＣＨ候補の１つ以上の上位レイヤパラメータによって、サービングセルごとに構成され得る。
【０１２５】
一例では、非ＤＲＸモード動作で、ＵＥは、制御リソースセットｑの１つ以上の上位レイヤパラメータによって構成され得る、ＷＰＤＣＣＨ，ｑシンボルの周期性に従って、制御リソースセットｑの中の１つ以上のＰＤＣＣＨ候補を監視し得る。
【０１２６】
一例では、ＵＥが上位レイヤパラメータ、例えば、ｃｉｆ−ＩｎＳｃｈｅｄｕｌｉｎｇＣｅｌｌを用いて構成される場合、キャリアインジケータフィールド値はｃｉｆ−ＩｎＳｃｈｅｄｕｌｉｎｇＣｅｌｌに対応し得る。
【０１２７】
一例では、ＵＥ固有の検索空間で、ＵＥが１つ以上のＰＤＣＣＨ候補を監視し得るサービングセルについて、ＵＥがキャリアインジケータフィールドを用いて構成されていない場合、ＵＥは、キャリアインジケータフィールドを有さない１つ以上のＰＤＣＣＨ候補を監視し得る。一例では、ＵＥ固有の検索空間で、ＵＥが１つ以上のＰＤＣＣＨ候補を監視し得るサービングセルについて、ＵＥがキャリアインジケータフィールドを用いて構成される場合、ＵＥは、キャリアインジケータフィールドを有する１つ以上のＰＤＣＣＨ候補を監視し得る。
【０１２８】
一例では、別のサービングセル内のセカンダリセルに対応するキャリアインジケータフィールドを有する、１つ以上のＰＤＣＣＨ候補を監視するようにＵＥが構成される場合、ＵＥは、セカンダリセル上の１つ以上のＰＤＣＣＨ候補を監視しなくてもよい。例えば、ＵＥが１つ以上のＰＤＣＣＨ候補を監視し得るサービングセルについて、ＵＥは、少なくとも同じサービングセルに対して１つ以上のＰＤＣＣＨ候補を監視し得る。
【０１２９】
一例では、ダウンリンクスケジューリングに使用されるＤＣＩフォーマットの情報は、ＤＣＩフォーマット間で相違して存在するフィールドを有する異なるグループに編成でき、キャリアインジケータ（０または３ビット）、ＲＢアロケーションからなるリソース情報と、ＨＡＲＱプロセス番号と、ＭＣＳ、ＮＤＩ、およびＲＶ（第１のＴＢに対する）と、ＭＣＳ、ＮＤＩ、およびＲＶ（第２のＴＢに対する）と、ＭＩＭＯ関連情報と、ＰＤＳＣＨリソース要素マッピングおよびＱＣＩと、ダウンリンク割り当てインデックス（ＤＡＩ：Ｄｏｗｎｌｉｎｋ  ａｓｓｉｇｎｍｅｎｔ  ｉｎｄｅｘ）と、ＰＵＣＣＨのＴＰＣと、ワンショットＳＲＳ伝送をトリガする、ＳＲＳ要求（１ビット）と、ＡＣＫ／ＮＡＣＫオフセットと、ＤＣＩフォーマット１ＡとＤＣＩフォーマット０とを区別するために使用される、ＤＣＩフォーマット０／１Ａ表示と、必要に応じたパディングとのうちの少なくとも１つを含む。ＭＩＭＯ関連情報は、ＰＭＩ、プリコーディング情報、トランスポートブロックスワップフラグ、ＰＤＳＣＨと基準信号との間の電力オフセット、基準信号スクランブルシーケンス、レイヤ数、および／または伝送用アンテナポートのうちの少なくとも１つを含み得る。
【０１３０】
一例では、アップリンクスケジューリングに使用されるＤＣＩフォーマットの情報は、ＤＣＩフォーマット間で相違して存在するフィールドを有する異なるグループに編成でき、キャリアインジケータ、リソースアロケーションタイプ、ＲＢアロケーションからなるリソース情報と、ＭＣＳ、ＮＤＩ（第１のＴＢに対する）と、ＭＣＳ、ＮＤＩ（第２のＴＢに対する）と、アップリンクＤＭＲＳの位相回転と、プリコーディング情報と、非周期的なＣＳＩレポートを要求するＣＳＩ要求と、最大３つの事前構成された設定のうちの１つを使用して、非周期的なＳＲＳ伝送をトリガするために使用されるＳＲＳ要求（２ビット）と、アップリンクインデックス／ＤＡＩと、ＰＵＳＣＨのＴＰＣと、ＤＣＩフォーマット０／１Ａ表示と、必要に応じたパディングとのうちの少なくとも１つを含む。
【０１３１】
一例では、ｇＮＢは、ＰＤＣＣＨを介してＤＣＩを伝送する前に、ＤＣＩに対してＣＲＣスクランブリングを実行し得る。ｇＮＢは、ＤＣＩのＣＲＣビットを有する少なくとも１つの無線デバイス識別子（例えば、Ｃ−ＲＮＴＩ、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＳＰ  ＣＳＩ  Ｃ−ＲＮＴＩ、ＳＲＳ−ＴＰＣ−ＲＮＴＩ、ＩＮＴ−ＲＮＴＩ、ＳＦＩ−ＲＮＴＩ、Ｐ−ＲＮＴＩ、ＳＩ−ＲＮＴＩ、ＲＡ−ＲＮＴＩ、および／またはＭＣＳ−Ｃ−ＲＮＴＩ）の複数のビットのビットごとの加算（または、法２の加算または排他的ＯＲ（ＸＯＲ）演算）によってＣＲＣスクランブリングを実行し得る。無線デバイスは、ＤＣＩを検出すると、ＤＣＩのＣＲＣビットを検査し得る。無線デバイスは、少なくとも１つの無線デバイス識別子と同じである、ビットシーケンスによってＣＲＣがスクランブルされると、ＤＣＩを受信し得る。
【０１３２】
ＮＲシステムでは、広帯域幅動作をサポートするために、ｇＮＢは異なる制御リソースセットで１つ以上のＰＤＣＣＨを伝送し得る。ｇＮＢは、１つ以上の制御リソースセットの構成パラメータを含む、１つ以上のＲＲＣメッセージを伝送し得る。１つ以上の制御リソースセットのうちの少なくとも１つは、最初のＯＦＤＭシンボル、連続的なＯＦＤＭシンボルの数、リソースブロックのセット、ＣＣＥからＲＥＧへのマッピング、およびインターリーブされたＣＣＥからＲＥＧへのマッピングの場合のＲＥＧバンドルサイズのうちの少なくとも１つを含み得る。
【０１３３】
一例では、無線デバイスは、１つ以上のＰＵＣＣＨリソースを介して基地局へ、１つ以上のアップリンク制御情報（ＵＣＩ：ｕｐｌｉｎｋ  ｃｏｎｔｒｏｌ  ｉｎｆｏｒｍａｔｉｏｎ）を伝送し得る。１つ以上のＵＣＩは、ＨＡＲＱ‐ＡＣＫ情報、スケジューリング要求（ＳＲ：ｓｃｈｅｄｕｌｉｎｇ  ｒｅｑｕｅｓｔ）、および／またはＣＳＩレポートのうちの少なくとも１つを含み得る。一例では、ＰＵＣＣＨリソースは、少なくとも、周波数位置（例えば、ＰＲＢの開始）、ならびに／または土台となるシーケンスの初期巡回シフトおよび時間領域位置（例えば、シンボルインデックスの開始）に関連付けられるＰＵＣＣＨフォーマットによって識別されてもよい。一例では、ＰＵＣＣＨフォーマットは、ＰＵＣＣＨフォーマット０、ＰＵＣＣＨフォーマット１、ＰＵＣＣＨフォーマット２、ＰＵＣＣＨフォーマット３、またはＰＵＣＣＨフォーマット４であり得る。ＰＵＣＣＨフォーマット０は、１つまたは２つのＯＦＤＭシンボルの長さを有し、２ビット以下であってもよい。ＰＵＣＣＨフォーマット１は、４〜１４個のＯＦＤＭシンボルの数を占有し、２ビット以下であってもよい。ＰＵＣＣＨフォーマット２は、１つまたは２つのＯＦＤＭシンボルを占有し、２ビットより大きくてもよい。ＰＵＣＣＨフォーマット３は、４〜１４個のＯＦＤＭシンボルの数を占有し、２ビットより大きくてもよい。ＰＵＣＣＨフォーマット４は、４〜１４個のＯＦＤＭシンボルの数を占有し、２ビットより大きくてもよい。ＰＵＣＣＨリソースは、ＰＣｅｌｌまたはＰＵＣＣＨセカンダリセル上に構成されてもよい。
【０１３４】
一例では、複数のアップリンクＢＷＰで構成されるとき、基地局は無線デバイスへ、複数のアップリンクＢＷＰのうちのアップリンクＢＷＰに関する、１つ以上のＰＵＣＣＨリソースセット（例えば、最大で４セット）の構成パラメータを含む、１つ以上のＲＲＣメッセージを伝送してもよい。各ＰＵＣＣＨリソースセットは、ＰＵＣＣＨリソースセットのインデックス、各ＰＵＣＣＨリソースがＰＵＣＣＨリソース識別子（例えば、ｐｕｃｃｈ−Ｒｅｓｏｕｒｃｅｉｄ）により識別されている、ＰＵＣＣＨリソースのリスト、および／または無線デバイスがＰＵＣＣＨリソースセットの中の複数のＰＵＣＣＨリソースのうちの１つを使用して送信し得る、最大数のＵＣＩ情報ビットで構成されてもよい。
【０１３５】
一例では、１つ以上のＰＵＣＣＨリソースセットで構成されるとき、無線デバイスが伝送するであろうＵＣＩ情報ビット（例えば、ＨＡＲＱ‐ＡＲＱビット、ＳＲ、および／またはＣＳＩ）の総ビット長に基づいて、無線デバイスは、１つ以上のＰＵＣＣＨリソースセットのうちの１つを選択してもよい。一例では、ＵＣＩ情報ビットの総ビット長が２以下のとき、無線デバイスは、ＰＵＣＣＨリソースセットのインデックスが「０」に等しい、第１のＰＵＣＣＨリソースセットを選択してもよい。一例では、ＵＣＩ情報ビットの総ビット長が、２より大きく、第１の構成された値以下のとき、無線デバイスは、ＰＵＣＣＨリソースセットのインデックスが「１」に等しい、第２のＰＵＣＣＨリソースセットを選択してもよい。一例では、ＵＣＩ情報ビットの総ビット長が、第１の構成された値より大きく、第２の構成された値以下のとき、無線デバイスは、ＰＵＣＣＨリソースセットのインデックスが「２」に等しい、第３のＰＵＣＣＨリソースセットを選択してもよい。一例では、ＵＣＩ情報ビットの総ビット長が、第２の構成された値より大きく、第３の値（例えば、１７０６）以下のとき、無線デバイスは、ＰＵＣＣＨリソースセットのインデックスが「３」に等しい、第４のＰＵＣＣＨリソースセットを選択してもよい。
【０１３６】
一例では、無線デバイスは、ＵＣＩ伝送のアップリンクシンボルの数およびＵＣＩビットの数に基づいて、ＰＵＣＣＨフォーマット０、ＰＵＣＣＨフォーマット１、ＰＵＣＣＨフォーマット２、ＰＵＣＣＨフォーマット３、および／またはＰＵＣＣＨフォーマット４を含む複数のＰＵＣＣＨフォーマットから、ＰＵＣＣＨフォーマットを決定し得る。一例では、無線デバイスは、伝送が１つのシンボルまたは２つのシンボルを上回り、正または負のＳＲを伴うＨＡＲＱ‐ＡＣＫ情報ビット（ＨＡＲＱ‐ＡＣＫ／ＳＲビット）の数が１または２の場合、ＰＵＣＣＨフォーマット０を使用してＰＵＣＣＨでＵＣＩを伝送してもよい。一例では、無線デバイスは、伝送が４つのシンボルを上回り、ＨＡＲＱ‐ＡＣＫ／ＳＲビットの数が１または２の場合、ＰＵＣＣＨフォーマット１を使用してＰＵＣＣＨでＵＣＩを伝送してもよい。一例では、無線デバイスは、伝送が１つのシンボルまたは２つのシンボルを上回り、ＵＣＩビットの数が２より大きい場合、ＰＵＣＣＨフォーマット２を使用してＰＵＣＣＨでＵＣＩを伝送してもよい。一例では、無線デバイスは、伝送が４つのシンボルを上回り、ＵＣＩビットの数が２より大きく、ＰＵＣＣＨリソースが直交カバーコードを含まない場合、ＰＵＣＣＨフォーマット３を使用してＰＵＣＣＨでＵＣＩを伝送してもよい。一例では、無線デバイスは、伝送が４つのシンボルを上回り、ＵＣＩビットの数が２より大きく、ＰＵＣＣＨリソースが直交カバーコードを含む場合、ＰＵＣＣＨフォーマット４を使用してＰＵＣＣＨでＵＣＩを伝送してもよい。
【０１３７】
一例では、ＰＵＣＣＨリソースに関するＨＡＲＱ‐ＡＣＫ情報を伝送するために、無線デバイスは、ＰＵＣＣＨリソースセットからＰＵＣＣＨリソース判定し得る。ＰＵＣＣＨリソースセットは、上述の通り判定され得る。無線デバイスは、ＰＤＣＣＨで受信したＤＣＩ（例えば、ＤＣＩフォーマット１＿０、または１＿１用のＤＣＩで）の中のＰＵＣＣＨリソースインジケータフィールドに基づいて、ＰＵＣＣＨリソースを判定してもよい。ＤＣＩ中の３ビットのＰＵＣＣＨリソースインジケータフィールドは、ＰＵＣＣＨリソースセットの中の８つのＰＵＣＣＨリソースのうちの１つを示してもよい。無線デバイスは、ＤＣＩ中の３−ビットのＰＵＣＣＨリソースインジケータフィールドによって示される、ＰＵＣＣＨリソースの中のＨＡＲＱ‐ＡＣＫ情報を伝送してもよい。
【０１３８】
一例では、無線デバイスは、ＰＣｅｌｌまたはＰＵＣＣＨセカンダリセルのアクティブなアップリンクＢＷＰのＰＵＣＣＨリソースによって、１つ以上のＵＣＩビットを伝送し得る。セル中の最大で１つのアクティブなアップリンクＢＷＰが、無線デバイスに対してサポートされるため、ＤＣＩに示されるＰＵＣＣＨリソースは、当然、セルのアクティブなアップリンクＢＷＰのＰＵＣＣＨリソースである。
【０１３９】
図２７は、複数のＢＷＰ構成の例を示す。ｇＮＢは、セルの１つ以上の帯域幅部分（ＢＷＰ）の構成パラメータを含む、１つ以上のメッセージを伝送し得る。セルは、ＰＣｅｌｌまたはＳＣｅｌｌであり得る。１つ以上のＲＲＣメッセージは、ＲＲＣ接続再構成メッセージ（例えば、ＲＲＣＲｅｃｏｎｆｉｇｕｒａｔｉｏｎ）、ＲＲＣ接続再確立メッセージ（例えば、ＲＲＣＲｅｓｔａｂｌｉｓｈｍｅｎｔ）、および／またはＲＲＣ接続セットアップメッセージ（例、ＲＲＣＳｅｔｕｐ）を含むことができる。１つ以上のＢＷＰは、異なるヌメロロジーを有してもよい。ｇＮＢは、クロスＢＷＰスケジューリングのための１つ以上の制御情報を、ＵＥに伝送してもよい。周波数領域では、１つのＢＷＰが別のＢＷＰと重複し得る。
【０１４０】
一例では、ｇＮＢは、アクティブなＤＬ  ＢＷＰもしくはＵＬ  ＢＷＰとして少なくとも１つのＢＷＰ、およびデフォルトのＤＬ  ＢＷＰもしくはＵＬ  ＢＷＰとして０もしくは１つのＢＷＰを有する、セルに対する１つ以上のＤＬ  ＢＷＰならびに／またはＵＬ  ＢＷＰの構成パラメータを含む１つ以上のメッセージを伝送し得る。ＰＣｅｌｌの場合、アクティブなＤＬ  ＢＷＰは、ＵＥが１つ以上のＰＤＣＣＨを監視し、および／またはＰＤＳＣＨを受信し得るＤＬ  ＢＷＰであり得る。アクティブなＵＬ  ＢＷＰは、ＵＥがアップリンク信号を伝送し得るＵＬ  ＢＷＰである。セカンダリセル（ＳＣｅｌｌ）が構成される場合、アクティブなＤＬ  ＢＷＰは、ＭＡＣアクティブ化／非アクティブ化ＣＥを受信することにより、ＳＣｅｌｌがアクティブ化されると、ＵＥが１つ以上のＰＤＣＣＨを監視し、ＰＤＳＣＨを受信し得るＤＬ  ＢＷＰであり得る。アクティブなＵＬ  ＢＷＰは、ＭＡＣアクティブ化／非アクティブ化ＣＥを受信することにより、ＳＣｅｌｌがアクティブ化されると、ＵＥがＰＵＣＣＨ（構成される場合）および／またはＰＵＳＣＨを伝送し得るＵＬ  ＢＷＰである。複数のＢＷＰの構成を使用して、ＵＥの電力消費を節減し得る。アクティブなＢＷＰとデフォルトのＢＷＰとを用いて構成されると、アクティブなＢＷＰにアクティビティがない場合、ＵＥはデフォルトのＢＷＰに切り替え得る。例えば、デフォルトのＢＷＰは狭い帯域幅を用いて構成されてもよく、アクティブなＢＷＰは広い帯域幅を用いて構成されてもよい。信号の伝送または受信がない場合、ＵＥはＢＷＰを、消費電力を低減し得るデフォルトのＢＷＰに切り替えることができる。
【０１４１】
一例では、それぞれＤＬ  ＢＷＰまたはＵＬ  ＢＷＰのセット内の各ＤＬ  ＢＷＰまたはＵＬ  ＢＷＰについて、無線デバイスは、サービングセルのために、上位レイヤパラメータによって提供されるサブキャリア間隔（例えば、ｓｕｂｃａｒｒｉｅｒＳｐａｃｉｎｇ）と、上位レイヤパラメータによって提供されるサイクリックプレフィックス（例えば、ｃｙｃｌｉｃＰｒｅｆｉｘ）と、ＲＩＶとして解釈される上位レイヤパラメータ（例えば、ｌｏｃａｔｉｏｎＡｎｄＢａｎｄｗｉｄｔｈ）によって示される最初のＰＲＢおよび連続するＰＲＢの数であって、最初のＰＲＢは、上位レイヤパラメータ（例えば、ｏｆｆｓｅｔＴｏＣａｒｒｉｅｒおよびｓｕｂｃａｒｒｉｅｒＳｐａｃｉｎｇ）によって示されるＰＲＢに対するＰＲＢオフセットである、最初のＰＲＢおよび連続するＰＲＢの数と、それぞれの上位レイヤパラメータ（例えば、ｂｗｐ−Ｉｄ）によるＤＬ  ＢＷＰまたはＵＬ  ＢＷＰのセット内のインデックスと、上位レイヤパラメータによる、ＢＷＰ共通のセットおよびＢＷＰ専用パラメータのセット（例えば、ｂｗｐ−Ｃｏｍｍｏｎおよびｂｗｐ−Ｄｅｄｉｃａｔｅｄ）とのパラメータを用いて構成され得る。
【０１４２】
一例では、ＢＷＰの切り替えは、ＤＣＩまたはタイマによってトリガされ得る。ＵＥが、アクティブなＢＷＰから新たなＢＷＰへのＤＬ  ＢＷＰ切り替えを示すＤＣＩを受信すると、ＵＥはＰＤＣＣＨを監視し、および／または新たなＢＷＰでＰＤＳＣＨを受信し得る。ＵＥが、アクティブなＢＷＰから新たなＢＷＰへのＵＬ  ＢＷＰ切り替えを示すＤＣＩを受信すると、ＵＥは、新たなＢＷＰでＰＵＣＣＨ（構成される場合）および／またはＰＵＳＣＨを伝送し得る。ｇＮＢは、ＢＷＰ非アクティビティタイマを含む、１つ以上のメッセージをＵＥに伝送し得る。ＵＥは、ＵＥのアクティブなＤＬ  ＢＷＰをデフォルトのＤＬ  ＢＷＰ以外のＤＬ  ＢＷＰに切り替えると、タイマを始動する。ＵＥは、ＵＥのアクティブなＤＬ  ＢＷＰでＰＤＳＣＨ（複数可）をスケジュールするために、ＤＣＩを正常にデコードすると、タイマを初期値に再始動させ得る。ＵＥは、ＢＷＰタイマが満了すると、アクティブなＤＬ  ＢＷＰをデフォルトのＤＬ  ＢＷＰに切り替え得る。
【０１４３】
一例では、ＢＷＰは、サブキャリア間隔、サイクリックプレフィックス、連続するＰＲＢの数、最初のＰＲＢに対する、連続するＰＲＢの数の中の最初のＰＲＢのオフセット、またはＢＷＰがＤＬ  ＢＷＰである場合のＱ個の制御リソースセットを用いて構成され得る。
【０１４４】
一例では、初期アクセスがＰｃｅｌｌ上で実行されるため、ＳＣｅｌｌ上に、初期のアクティブなＢＷＰがない場合がある。例えば、最初にアクティブ化されたＤＬ  ＢＷＰおよび／またはＵＬ  ＢＷＰは、Ｓｃｅｌｌがアクティブ化されると、ＲＲＣシグナリングによって構成または再構成され得る。一例では、また、ＲＲＣシグナリングによって、ＳＣｅｌｌのデフォルトのＢＷＰが構成または再構成され得る。
【０１４５】
一例では、ｇＮＢは、例えばロードバランシングの目的で、ＲＲＣ接続後に、初期のアクティブなＢＷＰ以外のＵＥ固有のデフォルトのＤＬ  ＢＷＰを構成し得る。デフォルトのＢＷＰは、フォールバックおよび／または接続モードのページングなど、他の接続モード動作（初期のアクティブなＢＷＰでサポートされる動作に加えて）をサポートし得る。この場合、デフォルトのＢＷＰは、共通検索空間、例えば、少なくとも、プリエンプション表示を監視するために必要な検索空間を含み得る。
【０１４６】
一例では、初期のアクティブなＤＬ  ＢＷＰ以外のＤＬ  ＢＷＰは、デフォルトＤＬ  ＢＷＰとしてＵＥに構成されてもよい。デフォルトのＤＬ  ＢＷＰの再構成は、アクティブなＤＬ  ＢＷＰと初期のアクティブなＤＬ  ＢＷＰとに用いられる、ロードバランシングおよび／または異なるヌメロロジーに起因し得る。
【０１４７】
一例では、対スペクトルの場合、ＤＬ  ＢＷＰおよびＵＬ  ＢＷＰが独立してアクティブ化され得る一方、不対スペクトルの場合、ＤＬ  ＢＷＰおよびＵＬ  ＢＷＰは一緒にアクティブ化される。アクティブなダウンリンクＢＷＰの帯域幅を変更できる帯域幅適応の場合、不対スペクトルの場合には、新たなダウンリンクＢＷＰと新たなアップリンクＢＷＰとの同時アクティブ化があり得る。例えば、アップリンクＢＷＰの帯域幅が同じであり得る、新たなＤＬ／ＵＬ  ＢＷＰ対（例えば、アップリンクＢＷＰの変更なし）。
【０１４８】
例示的な一実施形態では、ＤＬ  ＢＷＰとＵＬ  ＢＷＰとの間の関連付けを行うことにより、１つのアクティブ化／非アクティブ化コマンドがＤＬ  ＢＷＰおよびＵＬ  ＢＷＰの両方を一度に切り替え得ることが可能になり得る。そうでない場合は、個別のＢＷＰ切り替えコマンドが必要になり得る。
【０１４９】
一例では、ＰＵＣＣＨリソースは、構成済みＵＬ  ＢＷＰ、デフォルトのＵＬ  ＢＷＰ、および／または両方に構成され得る。例えば、ＰＵＣＣＨリソースがデフォルトのＵＬ  ＢＷＰに構成される場合、ＵＥはＳＲを伝送するためにデフォルトのＵＬ  ＢＷＰに再同調することができ、例えば、ＰＵＣＣＨリソースは、ＢＷＰごと、またはデフォルトのＢＷＰ以外のＢＷＰごとに構成され、ＵＥは、現在のアクティブなＢＷＰで再同調せずにＳＲを伝送し得る。
【０１５０】
一例では、サービングセルに対して、所与の時間に最大で１つのアクティブなＤＬ  ＢＷＰと、最大で１つのアクティブなＵＬ  ＢＷＰとが存在し得る。セルのＢＷＰは、特定のヌメロロジー／ＴＴＩを用いて構成され得る。一例では、無線デバイスが１つのアクティブなＢＷＰで動作する間に、ＳＲ伝送をトリガする論理チャネルおよび／または論理チャネルグループ、対応するＳＲは、ＢＷＰ切り替えに応答してトリガされたままであり得る。
【０１５１】
一例では、新たなＢＷＰがアクティブ化されると、構成済みのダウンリンク割り当ては、ＰＤＣＣＨを使用して、初期化され得る（アクティブでない場合）か、または再初期化され得る（既にアクティブな場合）。一例では、１つ以上のＲＲＣメッセージ／シグナリングを介して、無線デバイスは、少なくとも１つのＵＬ  ＢＷＰ、少なくとも１つのＤＬ  ＢＷＰ、およびセルに対する１つ以上の構成された許可を用いて構成され得る。１つ以上の構成された許可は、半永続的スケジューリング（ＳＰＳ：ｓｅｍｉ−ｐｅｒｓｉｓｔｅｎｔ  ｓｃｈｅｄｕｌｉｎｇ）、タイプ１許可なし（ＧＦ：ｇｒａｎｔ−ｆｒｅｅ）伝送／スケジューリング、および／またはタイプ２ＧＦ伝送／スケジューリングであり得る。一例では、ＵＬ  ＢＷＰごとに１つ以上の構成された許可が構成され得る。例えば、１つ以上の構成された許可に関連付けられた１つ以上の無線リソースは、２つ以上のＵＬ  ＢＷＰにわたって定義／割り当て／割り振りが行われない場合がある。
【０１５２】
一例では、ＢＷＰは、ＢＷＰ非アクティビティタイマが作動している期間中にアクティブであり得る。例えば、基地局は、無線デバイスに制御メッセージを伝送して、ＢＷＰ非アクティビティタイマの第１のタイマ値を構成してもよい。第１のタイマ値は、ＢＷＰ非アクティビティタイマが作動する長さ、例えば、ＢＷＰ非アクティビティタイマが作動する期間を決定してもよい。例えば、ＢＷＰ非アクティビティタイマは、第１のタイマ値からある値（例えば、ゼロ）までのカウントダウンタイマとして実装されてもよい。例示的な一実施形態では、ＢＷＰ非アクティビティタイマは、ある値（例えば、ゼロ）から第１のタイマ値に至るまでのカウントアップタイマとして実装されてもよい。例示的な一実施形態では、ＢＷＰ非アクティビティタイマは、第１のタイマ値からある値（例えば、ゼロ）までのダウンカウンタとして実装されてもよい。例示的な一実施形態では、ＢＷＰ非アクティビティタイマは、ある値（例えば、ゼロ）から第１のタイマ値に至るまでのカウントアップカウンタとして実装されてもよい。例えば、無線デバイスがＤＣＩを受信（および／またはデコード）して、無線デバイスのアクティブなＢＷＰ（例えば、無線デバイスのアクティブなＵＬ  ＢＷＰ、無線デバイスのアクティブなＤＬ  ＢＷＰ、および／またはＵＬ／ＤＬ  ＢＷＰ対）にＰＤＳＣＨ（複数可）をスケジュールすると、無線デバイスは、ＢＷＰ非アクティビティタイマ（例えば、ＵＬ  ＢＷＰおよび／またはＤＬ  ＢＷＰ非アクティビティタイマ）を再始動し得る。
【０１５３】
図２８は、ＢＷＰ切り替えメカニズムの例を示す。ＵＥは、ＳＣｅｌｌのパラメータと、ＳＣｅｌｌに関連付けられた１つ以上のＢＷＰ構成とを含む、ＲＲＣメッセージを受信することができる。１つ以上のＢＷＰのうち、少なくとも１つのＢＷＰが第１のアクティブなＢＷＰ（例えば、図２８のＢＷＰ１）として、１つのＢＷＰがデフォルトのＢＷＰ（例えば、図２８のＢＷＰ０）として、構成され得る。ＵＥは、ＭＡＣ  ＣＥを受信して、ｎ番目のスロットでＳＣｅｌｌをアクティブ化することができる。ＵＥは、（ｎ＋ｘ）番目のスロットで、ｓＣｅｌｌＤｅａｃｔｉｖａｔｉｏｎＴｉｍｅｒを始動し、ＳＣｅｌｌに対してＣＳＩ関連アクションを始動し、および／またはＳＣｅｌｌの第１のアクティブなＢＷＰに対してＣＳＩ関連アクションを始動し得る。ＵＥは、ＢＷＰをＢＷＰ１からＢＷＰ２に切り替えることを示すＤＣＩの受信に応答して、（ｎ＋ｘ＋ｋ）番目のスロットでＢＷＰ非アクティビティタイマを始動し得る。例えば、（ｎ＋ｘ＋ｋ＋ｍ）番目のスロットで、ＢＷＰ２のＤＬスケジューリングを示すＰＤＣＣＨを受信すると、ＵＥはＢＷＰ非アクティブタイマを再始動し得る。ＵＥは、（ｎ＋ｘ＋ｋ＋ｍ＋ｌ）番目のスロットで、ＢＷＰ非アクティブタイマが満了すると、アクティブなＢＷＰとしてデフォルトのＢＷＰ（例えば、ＢＷＰ０）に再度切り替わり得る。ＵＥは、ｓＣｅｌｌＤｅａｃｔｉｖａｔｉｏｎＴｉｍｅｒが満了すると、ＳＣｅｌｌを非アクティブ化し得る。
【０１５４】
一例では、ＢＷＰ非アクティビティタイマは、ＰＣｅｌｌの中で適用されてもよい。基地局は、ＢＷＰ非アクティビティタイマを含む１つ以上のＲＲＣメッセージを、無線デバイスに伝送し得る。無線デバイスが、ＰＣｅｌｌ上で無線デバイスのアクティブなＤＬ  ＢＷＰを、デフォルトのＤＬ  ＢＷＰ以外のＤＬ  ＢＷＰに切り替えると、無線デバイスはタイマを始動し得る。無線デバイスは、ＤＣＩを正常にデコードして、無線デバイスのアクティブなＤＬ  ＢＷＰのＰＤＳＣＨ（複数可）をスケジュールすると、ＢＷＰ非アクティビティタイマを再始動し得る。無線デバイスは、ＢＷＰ非アクティビティタイマが満了すると、アクティブなＤＬ  ＢＷＰをデフォルトのＤＬ  ＢＷＰに切り替え得る。
【０１５５】
一例では、ＵＥが、セル上（ＰＣｅｌｌまたはＳＣｅｌｌ）で複数のＢＷＰを用いて構成されると、ＢＷＰ非アクティビティタイマを用いることにより、ＵＥの電力消費が低減され得る。ＵＥは、アクティブなＢＷＰにアクティビティがないとき（例えば、ＢＷＰ非アクティビティタイマが満了するとき）、ＰＣｅｌｌまたはＳＣｅｌｌ上でデフォルトのＢＷＰに切り替え得る。
【０１５６】
一例では、ｇＮＢは、１つ以上のＣＳＩ−ＲＳリソース設定、１つ以上のＣＳＩ報告設定、および１つのＣＳＩ測定設定を少なくとも含む、１つ以上のＣＳＩ構成パラメータを含む、１つ以上のＲＲＣメッセージを伝送してもよい。
【０１５７】
一例では、ＣＳＩ−ＲＳリソース設定は、１つ以上のＣＳＩ−ＲＳリソースセットを含んでもよい。一例では、周期的なＣＳＩ−ＲＳまたは半永続的な（ＳＰ：ｓｅｍｉ−ｐｅｒｓｉｓｔｅｎｔ）ＣＳＩ−ＲＳに対して、１つのＣＳＩ−ＲＳリソースセットが存在してもよい。一例では、ＣＳＩ−ＲＳリソースセットは、１つのＣＳＩ−ＲＳタイプ（例えば、周期的、非周期的、または半永続的）と；ＣＳＩ−ＲＳリソース構成ＩＤ（またはインデックス）、ＣＳＩ−ＲＳポートの数、ＣＳＩ−ＲＳ構成（サブフレームの中のシンボルおよびＲＥ位置）、ＣＳＩ−ＲＳサブフレーム構成（無線フレームの中のサブフレーム位置、オフセット、および／または周期性）、ＣＳＩ−ＲＳ電力パラメータ、ＣＳＩ−ＲＳシーケンスパラメータ、ＣＤＭタイプのパラメータ、周波数密度、送信コム（ｔｒａｎｓｍｉｓｓｉｏｎ  ｃｏｍｂ）、および／またはＱＣＬパラメータのうちの少なくとも１つを含む、１つ以上のＣＳＩ−ＲＳリソースとのうちの少なくとも１つを含んでもよい。
【０１５８】
一例では、１つ以上のＣＳＩ−ＲＳリソースが、周期的に、非周期的伝送を使用して、マルチショット伝送を使用して、および／またはＳＰ伝送を使用して伝送されてもよい。周期的伝送では、構成済みのＣＳＩ−ＲＳリソースが、時間領域の中で構成された周期性を使用して伝送され得る。非周期的伝送では、構成済みのＣＳＩ−ＲＳリソースが、専用タイムスロットまたはサブフレームの中で伝送され得る。マルチショット伝送またはＳＰ伝送では、構成済みのＣＳＩ−ＲＳリソースが、構成された期間内に伝送され得る。一例では、ｇＮＢは、周期性を伴って１つ以上のＳＰ  ＣＳＩ−ＲＳを伝送し得る。ｇＮＢは、ＣＳＩ−ＲＳが伝送持続時間を用いて構成される場合、１つ以上のＳＰ  ＣＳＩ−ＲＳの伝送を停止し得る。ｇＮＢは、１つ以上のＳＰ  ＣＳＩ−ＲＳを非アクティブ化（またはその伝送を停止）するために、ＭＡＣ  ＣＥまたはＤＣＩの伝送に応答して、１つまたは複数のＳＰ  ＣＳＩ−ＲＳの伝送を停止し得る。
【０１５９】
一例では、ＣＳＩ報告設定は、１つのレポート構成識別子、１つのレポートタイプ、１つ以上の報告済みＣＳＩパラメータ、１つ以上のＣＳＩタイプ（例えば、タイプＩまたはタイプＩＩ）、１つ以上のコードブック構成パラメータ、時間領域挙動を示す１つ以上のパラメータ、ＣＱＩおよびＰＭＩに対する周波数粒度、および／または測定制限構成のうちの少なくとも１つを含んでもよい。レポートタイプは、レポートの時間領域挙動（非周期的、ＳＰ、または周期的）を示してもよい。ＣＳＩ報告設定はさらに、レポートタイプが周期的なまたはＳＰレポートである場合、１つの周期性パラメータ、１つの持続時間パラメータ、および／または１つのオフセット（例えば、スロット単位）のうちの少なくとも１つを含み得る。周期性パラメータは、ＣＳＩレポートの周期性を示し得る。持続時間パラメータは、ＣＳＩレポート伝送の持続時間を示し得る。オフセットパラメータは、ＣＳＩレポートのタイミングオフセットの値を示し得る。
【０１６０】
一例では、ＣＳＩ測定設定は、１つ以上のリンクパラメータを含む、１つ以上のリンクを含んでもよい。リンクパラメータは、１つのＣＳＩ報告設定表示、ＣＳＩ−ＲＳリソース設定表示、および１つ以上の測定パラメータのうちの少なくとも１つを含み得る。
【０１６１】
図２９は、様々なＣＳＩレポートトリガメカニズムの例を示す。一例では、ｇＮＢは、図２９に示すように、ＲＲＣメッセージ、もしくはＭＡＣ  ＣＥ、またはＤＣＩを伝送することによって、ＣＳＩ報告をトリガしてもよい。一例では、ＵＥは、ＲＲＣメッセージおよび１つ以上の周期的なＣＳＩ−ＲＳに基づいて、周期的なＣＳＩ報告（例えば、図２９のＰ−ＣＳＩ報告）を行い得る。一例では、ＵＥは、１つ以上の非周期的なＣＳＩ−ＲＳおよび／または１つ以上のＳＰ  ＣＳＩ−ＲＳに基づいて、周期的なＣＳＩ報告を行うことが可能にならなくても（または要求されなくても）よい。一例では、ＵＥは、ＭＡＣ  ＣＥおよび／またはＤＣＩに基づいて、ならびに１つ以上の周期的なもしくはＳＰ  ＣＳＩ−ＲＳに基づいて、ＳＰ  ＣＳＩ報告（例えば、図２９のＳＰ−ＣＳＩ報告）を行い得る。一例では、ＵＥは、１つ以上の非周期的なＣＳＩ−ＲＳに基づいて、ＳＰ  ＣＳＩ報告を行うことが可能にならなくても（または要求されなくても）よい。一例では、ＵＥは、ＤＣＩに基づいて、および１つ以上の周期的な、ＳＰ、または非周期的なＣＳＩ−ＲＳに基づいて、非周期的なＣＳＩ報告（例えば、図２９のＡｐ‐ＣＳＩ報告）を行ってもよい。一例では、無線デバイスは、ＭＡＣ  ＣＥによってアクティブ化（またはトリガ）されているＳＰ  ＣＳＩ報告に応答して、ＰＵＣＣＨに関するＳＰ  ＣＳＩ報告を行い得る。無線デバイスは、アクティブ化（またはトリガ）されているＳＰ  ＣＳＩ報告に応答して、ＰＵＳＣＨに関するＳＰ  ＣＳＩ報告を行い得る。一例では、コンパクトなＣＳＩ（例えば、少量のレポート内容）が基地局によって必要とされるとき、もしくはＤＣＩ伝送が基地局には都合が悪いとき、および／またはＣＳＩが、基地局によって緊急には必要とされていないとき、基地局は無線デバイスに、ＰＵＣＣＨに関するＳＰ  ＣＳＩ報告を行うように指示してもよい（例えば、ＭＡＣ  ＣＥの伝送によって）。一例では、大きなサイズのＣＳＩ（例えば、大量のレポート内容）が基地局によって必要とされるとき、もしくはＤＣＩ伝送が基地局にとって都合がよいとき、および／またはＣＳＩが、基地局によって緊急に必要とされるとき、基地局は無線デバイスに、ＰＵＳＣＨに関するＳＰ  ＣＳＩ報告を行うように指示してもよい（例えば、ＤＣＩの伝送によって）。
【０１６２】
図３０は、セルの中のＳＰ  ＣＳＩ報告の例を示す。一例では、基地局（例えば、図３０のｇＮＢ）は、１つ以上のＳＰ  ＣＳＩ報告構成の構成パラメータを含む、１つ以上のＲＲＣメッセージを無線デバイス（例えば、図３０のＵＥ）に伝送してもよい。基地局は、スロット（またはサブフレーム）ｎで、第１のＭＡＣ  ＣＥ、または１つ以上のＳＰ  ＣＳＩ報告構成のうちのＳＰ  ＣＳＩ報告構成のアクティブ化を示すＤＣＩを、無線デバイスへ伝送し得る。基地局は、スロット（またはサブフレーム）ｎ＋ｋで、１つ以上のＳＰ  ＣＳＩ−ＲＳの伝送を始動してもよい。一例では、ｋは、ゼロもしくはゼロより大きい整数であってもよく、ＲＲＣメッセージによって構成されてもよく、または固定値として事前定義されてもよい。
【０１６３】
図３０に示すように、第１のＭＡＣ  ＣＥもしくは第１のＤＣＩを受信した後、またはそれに応答して、無線デバイスは、アクティブ化されたＳＰ  ＣＳＩ報告の構成に従って、１つ以上のＣＳＩ−ＲＳに関してＣＳＩ測定を行ってもよい。一例では、第１のＭＡＣ  ＣＥもしくは第１のＤＣＩを受信した後、またはそれに応答して、無線デバイスは、スロット／サブフレームｎ＋ｋ＋ｍ、ｎ＋ｋ＋ｍ＋ｌ、ｎ＋ｋ＋ｍ＋２＊ｌなどで、ｌ個のサブフレーム（またはスロット）の周期性を用いて、１つ以上のＳＰ  ＣＳＩレポートを伝送してもよい（例えば、ＣＳＩ測定に基づいて）。周期性は、ＲＲＣメッセージの中に構成され得る。一例では、ＵＥは、ＳＰ  ＣＳＩ報告構成の非アクティブ化を示す、第２のＭＡＣ／ＤＣＩを受信してもよい。第２のＭＡＣ／ＤＣＩを受信した後、または第２のＭＡＣ／ＤＣＩに応答して、ＵＥは１つ以上のＳＰ  ＣＳＩレポートの伝送を停止してもよい。一例では、ｋはゼロであり得る（構成または事前に定義される）。一例では、ｍ（例えば、ｋ＝０のとき）は、無線デバイスがＳＰ  ＣＳＩ報告のアクティブ化について、第１のＭＡＣ  ＣＥ／ＤＣＩを受信するときと、無線デバイスが１つ以上のＳＰ  ＣＳＩレポートのうちの第１のＳＰ  ＣＳＩレポートを伝送するときとの間のタイムオフセットであり得る。一例では、ｍは、ＲＲＣメッセージによって構成されてもよく、または固定値として事前定義されてもよい。ｍの値は、ＵＥおよび／またはネットワークの能力に依存し得る。
【０１６４】
図３０に示すように、無線デバイスは、ＳＰ  ＣＳＩ報告構成のアクティブ化についての第１のＭＡＣ  ＣＥ／ＤＣＩに応答して、アクティブ化されたＳＰ  ＣＳＩ報告構成の１つ以上の構成パラメータに基づいて、ＣＳＩ−ＲＳ伝送期間を想定してもよい（例えば、図３０のＣＳＩ−ＲＳ伝送ウィンドウ）。基地局は、アクティブ化されたＳＰ  ＣＳＩ報告構成に基づいて、少なくともＣＳＩ−ＲＳ伝送期間に、１つ以上のＣＳＩ−ＲＳを伝送し得る。一例では、無線デバイスは、ＣＳＩ−ＲＳ伝送期間に伝送される１つ以上のＣＳＩ−ＲＳに関して、ＣＳＩ測定を行い得る。
【０１６５】
既存の技術では、基地局は、ＤＣＩをＵＥへ伝送して、いくつかのタイプのデータ伝送（例えば、ＶｏＩＰ、Ｖ２Ｘ）に対して、半永続的スケジューリング（ＳＰＳ）割り当てをトリガしてもよい。ＵＥが、ダウンリンク伝送またはアップリンク伝送に対するＳＰＳ割り当てをトリガするＤＣＩを受信すると、ＵＥは、ＰＤＳＣＨを介してダウンリンクパケットを受信し続けてもよく、またはＰＵＳＣＨを介してアップリンクパケットを伝送し続けてもよい。ＰＤＳＣＨまたはＰＵＳＣＨは、ＤＣＩの中に示され得る。それを行うことによって、基地局は、いくつかのタイプのデータ伝送に対して、ダウンリンクシグナリングの伝送を削減し得る。
【０１６６】
図３１は、ｇＮＢが、サブフレームｎで、ＤＣＩを伝送することによって、ＳＰＳ（例えば、ダウンリンク伝送に対する）またはタイプ２許可なし（例えば、アップリンク伝送に対するＧＦ）のアクティブ化をトリガし得る、実施形態の例を示す。通常の動的なスケジューリングと区別するために、ＤＣＩは、通常の動的なスケジューリングに対する第２のＲＮＴＩ（例えば、Ｃ−ＲＮＴＩ）とは異なる、第１のＲＮＴＩ（例えば、ダウンリンク伝送に対するＳＰＳ  Ｃ−ＲＮＴＩ、またはアップリンク伝送に対するＣＳ−ＲＮＴＩ）によってスクランブルされる、ＣＲＣであり得る。一例では、ｇＮＢは、アップリンクデータのスケジューリングのために、ＰＤＣＣＨを介して１つ以上のＤＣＩを伝送してもよい。第１のＲＮＴＩによってスクランブルされるＣＲＣを伴う、第１のＤＣＩを受信すると、ＵＥは、第１のＤＣＩによって示されるＰＵＳＣＨ割り当てが、ＳＰＳ／タイプ２ＧＦのスケジューリングのためであるとみなし得る。ＵＥは、構成された周期性で、複数のサブフレームでＰＵＳＣＨを介して、アップリンクデータを伝送し得る。第２のＲＮＴＩによってスクランブルされるＣＲＣを伴う、第２のＤＣＩを受信すると、ＵＥは、第２のＤＣＩによって示されるＰＵＳＣＨ割り当てが、動的なスケジューリングのためであるとみなし得る。ＵＥは、サブフレームでＰＵＳＣＨを介して、アップリンクデータを伝送し得る。サブフレームは、第２のＤＣＩによって、または第２のＤＣＩを受信するときの、事前に定義されたサブフレームの後のサブフレームによって示され得る。
【０１６７】
一例では、図３１に示すように、基地局（例えば、図３１のｇＮＢ）は、タイプ２ＧＦ伝送の構成パラメータを含む１つ以上のＲＲＣメッセージを、無線デバイス（例えば、図３１のＵＥ）に伝送する。基地局は、タイプ２ＧＦ伝送のアクティブ化を示す第１のＤＣＩを、無線デバイスへ伝送してもよい（例えば、図３１に示すようなスロット／サブフレームｎで）。ＵＥは、第１のＤＣＩに応答して、ＲＲＣメッセージまたは第１のＤＣＩによって示される、ＰＵＳＣＨ上の伝送周期性でアクティブ化されるタイプ２ＧＦに対して、アップリンクデータパケットを（例えば、図３１に示すようなスロット／サブフレームｎ＋ｍから）伝送してもよい。ＵＥは、アクティブ化されたタイプ２ＧＦに関連付けられる周期性で、アップリンクデータパケットを伝送し続けてもよい（例えば、図３１に示すように、サブフレームｎ＋ｍ＋ｌ、ｎ＋ｍ＋２＊ｌ…で）。基地局は、タイプ２ＧＦの非アクティブ化を示す第２のＤＣＩを、無線デバイスへ伝送してもよい。無線デバイスは、第２のＤＣＩに応答して、アップリンクデータパケットの伝送を停止してもよい。
【０１６８】
概して、ＨＡＲＱプロシージャは、ｇＮＢが正しくデータを受信することを保証するために、ＳＰＳ／タイプ２ＧＦ伝送を求めてもよい。図３１に示すように、基地局は、アップリンクデータパケットの再伝送を示す、第３のＤＣＩを伝送してもよい（例えば、サブフレームｎ＋ｋで）。一例では、タイプ２ＧＦ伝送のアクティブ化／非アクティブ化を示すＤＣＩを、アップリンクデータパケットの再伝送の表示と区別するために、基地局は、第２のＤＣＩの第１のフィールドを、第１の値に設定することによって、アップリンクデータパケットの最後のＰＵＳＣＨ伝送が、正しく受信されないことを示す、第２のＤＣＩを伝送してもよい。例えば、第１のフィールドは新たなデータインジケータ（例えば、ＮＤＩ（ｎｅｗ  ｄａｔａ  ｉｎｄｉｃａｔｏｒ））であってもよい。ｇＮＢは、アップリンクデータパケットの伝送が正しく受信されないと示し、ＮＤＩを１に（例えば、１ビットのＮＤＩフィールドに対して）、およびＨＡＲＱプロセス番号を、再伝送用のアップリンクデータパケットに関連付けられた値に設定することによって、ＵＥにアップリンクデータパケットを再伝送するように要求してもよい。ＵＥが再伝送を示す第２のＤＣＩを受信すると、ＵＥは、ＰＵＳＣＨを介して、ＨＡＲＱプロセス番号に関連付けられたアップリンクデータパケットを再伝送してもよい。ＰＵＳＣＨは第２のＤＣＩによって示され得る。
【０１６９】
概して、基地局は、ＤＣＩの１つ以上のフィールドおよび／またはＤＣＩのＣＲＣを使用して、ＳＰＳ／タイプ２ＧＦのアクティブ化／非アクティブ化、および／またはアクティブ化されたＳＰＳ／タイプ２ＧＦデータの再伝送を示してもよい。ＤＣＩがＳＰＳ／タイプ２ＧＦデータのアクティブ化もしくは非アクティブ化、または再伝送のいずれのためであるかを区別するために、ｇＮＢは、アクティブ化、非アクティブ化、または再伝送を示すＤＣＩの１つ以上のフィールドを設定してもよい。
【０１７０】
一例では、ＤＣＩの１つ以上のフィールドは、ＰＵＳＣＨのＴＰＣ、ＮＤＩフィールド、ＭＣＳフィールド、ＨＡＲＱプロセス番号フィールド、リソース割り当て（ＲＡ：ｒｅｓｏｕｒｃｅ  ａｓｓｉｇｎｍｅｎｔ）フィールド、および／または冗長バージョン（ＲＶ：ｒｅｄｕｎｄａｎｃｙ  ｖｅｒｓｉｏｎ）フィールドのうちの少なくとも１つを含んでもよい。ＮＤＩフィールドは、新たなデータがあるかを示し得る。ＨＡＲＱプロセス番号によって、伝送ブロックのＰＵＳＣＨ伝送に関連付けられる、ＨＡＲＱプロセスを識別してもよい。ＲＶフィールドは、再伝送の場合の冗長バージョンを示し得る。少なくとも最上位ビット（例えば、ＭＣＳフィールドの左にある第１のビットである、ＭＳＢ：Ｍｏｓｔ  Ｓｉｇｎｉｆｉｃａｎｔ  Ｂｉｔ）を含むＭＣＳフィールドは、ＰＵＳＣＨ伝送の変調およびコード体系を示し得る。
【０１７１】
一例では、基地局は、ＤＣＩの１つ以上のフィールドおよび／またはＤＣＩのＣＲＣを使用して、ＳＰＳ／タイプ２ＧＦのアクティブ化／非アクティブ化、および／またはアクティブ化されたＳＰＳ／タイプ２ＧＦデータの再伝送を示してもよい。基地局は、ＤＣＩが、ＣＳ−ＲＮＴＩ（またはＳＰＳ  Ｃ−ＲＮＴＩ）によってスクランブルされるＣＲＣであるとき、ＤＣＩがＳＰＳデータの再伝送用であると示す「１」に、ＮＤＩフィールドを設定し得る。一例では、基地局は、ＤＣＩが、ＣＳ−ＲＮＴＩ（またはＳＰＳ  Ｃ−ＲＮＴＩ）によってスクランブルされるＣＲＣであるとき、ＤＣＩがＳＰＳ伝送のアクティブ化／非アクティブ化用であると示す「０」に、ＮＤＩフィールドを設定し得る。一例では、基地局は、ＮＤＩフィールドの設定に加えて、ＤＣＩの１つ以上のフィールドを設定することによって、ＤＣＩが、アクティブ化または非アクティブ化いずれのためであるかを示し得る。一例では、基地局は、第１のＤＣＩフォーマット（例えば、ＤＣＩフォーマット０）に対して、ＴＰＣフィールドを第１の値（例えば、２ビットのＴＰＣフィールドに「００」）に、ＤＣＩ（例えば、ＤＣＩフォーマット０）ではＭＣＳおよびＲＶフィールドのＭＳＢビットを、第２の値（例えば、「０」）に設定することによって、ＳＰＳ／タイプ２ＧＦアップリンク伝送のアクティブ化を示す、ＤＣＩを伴うＰＤＣＣＨを伝送し得る。一例では、基地局は、第２のＤＣＩフォーマット（例えば、ＤＣＩフォーマット６−０Ａ）に対して、ＴＰＣフィールドを第１の値（例えば、「００」）に、ＲＶフィールドを第２の値（例えば、「００」）に、およびＤＣＩではＨＡＲＱプロセス番号を第３の値（例えば、「０００」）に設定することによって、ＳＰＳ／タイプ２ＧＦ伝送のアクティブ化を示す、ＤＣＩを伴うＰＤＣＣＨを伝送し得る。一例では、第１のＤＣＩフォーマット（例えば、ＤＣＩフォーマット０）は、第１のＰＤＣＣＨで伝送されてもよい。第２のＤＣＩフォーマット（例えば、ＤＣＩフォーマット６−０Ａ）は、第２のＰＤＣＣＨ（例えば、ＭＰＤＣＣＨ）で伝送されてもよい。第１のＰＤＣＣＨは、少なくとも伝送フォーマット、すなわち、伝送に対する無線リソースに関して、第２のＰＤＣＣＨと異なってもよく、その理由は、第２のＰＤＣＣＨは、深いカバレッジ領域に配置され、限定された受信容量を有し得るＭＴＣ  ＵＥ用であり、第１のＰＤＣＣＨは、通常のカバレッジ領域の中にあり、通常の受信容量を有し得る通常のＵＥ用であるためである。ＵＥが、ＳＰＳ  Ｃ−ＲＮＴＩまたはＣＳ−ＲＮＴＩによってスクランブルされるＤＣＩを受信すると、ＮＤＩフィールドが０に設定されている場合、ＵＥは、ＰＤＣＣＨの検証を行って、ＤＣＩがアクティブ化のためであるかを判定してもよい。一例では、ＮＤＩフィールドが１に設定されている場合、ＵＥは、ＰＤＣＣＨの検証を行わなくてもよい。この場合、ＵＥはＤＣＩに従って再伝送を行い得る。
【０１７２】
一例では、第１のＤＣＩフォーマット（例えば、ＤＣＩフォーマット０）に対してＰＤＤＣＨ検証を行うとき、受信したＤＣＩの中で、ＴＰＣコマンドが第１の値（例えば、「００」）であり、ＭＣＳおよびＲＶフィールドのＭＳＢビットが、第２の値（例えば、「０」）である場合、ＵＥは、受信したＤＣＩ情報を、それに従って有効なＳＰＳ／タイプ２ＧＦのアクティブ化とみなしてもよい。有効なＳＰＳ／タイプ２ＧＦのアクティブ化であるＤＣＩに応答して、ＵＥは、ＳＰＳ／タイプ２ＧＦをアクティブ化し、および／またはＤＣＩに従ってアップリンクデータパケットを伝送してもよい。一例では、第２のＤＣＩフォーマット（例えば、ＤＣＩフォーマット６−０Ａ）に対してＰＤＣＣＨ検証を行うとき、受信したＤＣＩの中で、ＴＰＣコマンドが「００」、ＲＶフィールドが「００」、かつＨＡＲＱプロセス番号が「０００」の場合、ＵＥは、受信したＤＣＩ情報を、それに従って有効なＳＰＳ／タイプ２ＧＦのアクティブ化とみなしてもよい。有効なＳＰＳ／タイプ２ＧＦのアクティブ化であるＤＣＩに応答して、ＵＥは、ＤＣＩに従ってアップリンクデータパケットを伝送してもよい。
【０１７３】
一例では、ＰＤＣＣＨ検証を行うとき、ＤＣＩフォーマット０に対して、受信したＤＣＩの中で、ＴＰＣコマンドが「００」ではなく、ならびに／またはＭＣＳおよびＲＶフィールドのＭＳＢビットが「０」ではない場合、ＵＥは、受信したＤＣＩ情報を、それに従って無効なＳＰＳ／タイプ２ＧＦのアクティブ化とみなしてもよい。一例では、ＰＤＣＣＨ検証を行うとき、ＤＣＩフォーマット６−０Ａに対して、受信したＤＣＩの中で、ＴＰＣコマンドが「００」ではなく、および／もしくはＲＶフィールドが「００」ではなく、ならびに／またはＨＡＲＱプロセス番号が「０００」ではない場合、ＵＥは、受信したＤＣＩ情報を、それに従って無効なＳＰＳ／タイプ２ＧＦのアクティブ化とみなしてもよい。無効なＳＰＳ／タイプ２ＧＦのアクティブ化であるＤＣＩに応答して、ＵＥは、不一致ＣＲＣのあるＤＣＩフォーマットを受信したとみなし得る。一例では、ＵＥは、不一致ＣＲＣのあるＤＣＩの受信に応答して、ＤＣＩを破棄してもよく、および／またはＤＣＩによって示されるアクションを行わなくてもよい。
【０１７４】
一例では、ｇＮＢは、通常のＵＥに対して、ＤＣＩ（例えば、ＤＣＩフォーマット０）の中で、ＴＰＣコマンドを「００」に、ＭＣＳおよびＲＶフィールドを「１１１１１」に、存在する場合には、巡回シフトＤＭ  ＲＳフィールドを「０００」に、ならびにＲＡおよびホッピングフィールドをすべて「１」に設定することによって、ＳＰＳ／タイプ２ＧＦ伝送の非アクティブ化を示す、ＤＣＩを伴うＰＤＣＣＨを伝送してもよい。一例では、ｇＮＢは、ＭＴＣ  ＵＥに対して、ＤＣＩ（例えば、ＤＣＩフォーマット６−０Ａ）の中で、ＴＰＣコマンドを「００」に、ＲＶフィールドを「００」に、反復回数を「００」に、ＭＣＳフィールドを「１１１１」に、ＲＡフィールドをすべて「１」に、およびＨＡＲＱプロセス番号を「０００」に設定することによって、ＳＰＳ／タイプ２ＧＦ伝送の非アクティブ化を示す、ＤＣＩを伴うＰＤＣＣＨを伝送してもよい。ＵＥが、ＳＰＳ  Ｃ−ＲＮＴＩまたはＣＳ−ＲＮＴＩによってスクランブルされるＤＣＩを受信すると、ＮＤＩフィールドが「０」に設定されている場合、ＵＥはＰＤＣＣＨの検証を行って、ＤＣＩが非アクティブ化のためであるかを判定してもよい。一例では、ＮＤＩフィールドが「１」に設定されている場合、ＵＥはＰＤＣＣＨの検証を行わなくてもよい。この場合、ＵＥはＤＣＩに従って再伝送を行い得る。
【０１７５】
一例では、ＤＣＩフォーマット０に対してＰＤＣＣＨ検証を行うとき、受信したＤＣＩの中で、ＴＰＣコマンドが「００」であり、ＭＣＳおよびＲＶフィールドが「１１１１１」であり、存在する場合、巡回シフトＤＭ  ＲＳフィールドが「０００」であり、ＲＡおよびホッピングフィールドがすべて「１」に設定される場合、ＵＥは、受信したＤＣＩ情報を、それに従って有効なＳＰＳ／タイプ２ＧＦの非アクティブ化とみなしてもよい。有効なＳＰＳ／タイプ２ＧＦの非アクティブ化であるＤＣＩに応答して、ＵＥは、アップリンクデータパケットの伝送を停止、またはダウンリンクデータパケットの受信を停止してもよい。一例では、ＤＣＩフォーマット６−０Ａに対してＰＤＣＣＨ検証を行うとき、受信したＤＣＩの中で、ＴＰＣコマンドが「００」であり、ＲＶフィールドが「００」であり、反復回数が「００」であり、ＭＣＳフィールドが「１１１１」であり、ＲＡフィールドがすべて「１」に設定され、ＨＡＲＱプロセス番号が「０００」の場合、ＵＥは、受信したＤＣＩ情報を、それに従って有効なＳＰＳ／タイプ２ＧＦの非アクティブ化とみなしてもよい。有効なＳＰＳ／タイプ２ＧＦの非アクティブ化であるＤＣＩに応答して、ＵＥは、アップリンクデータパケットの伝送を停止、またはダウンリンクデータパケットの受信を停止してもよい。
【０１７６】
一例では、ＰＤＣＣＨ検証を行うとき、ＤＣＩフォーマット０に対して、受信したＤＣＩの中で、ＴＰＣコマンドが「００」ではなく、および／もしくはＭＣＳおよびＲＶフィールドが「１１１１１」ではなく、および／もしくは存在する場合、巡回シフトＤＭ  ＲＳフィールドが「０００」ではなく、ならびに／またはＲＡおよびホッピングフィールドがすべて「１」には設定されない場合、ＵＥは、受信したＤＣＩ情報を、それに従って無効なＳＰＳ／タイプ２ＧＦの非アクティブ化とみなしてもよい。一例では、ＰＤＣＣＨ検証を行うとき、ＤＣＩフォーマット６−０Ａに対して、受信したＤＣＩの中で、ＴＰＣコマンドが「００」ではなく、および／もしくはＲＶフィールドが「００」ではなく、および／もしくは反復回数が「００」ではなく、および／もしくはＭＣＳフィールドが「１１１１」ではなく、および／もしくはＲＡフィールドがすべて「１」には設定されず、ならびに／またはＨＡＲＱプロセス番号が「０００」ではない場合、ＵＥは、受信したＤＣＩ情報を、それに従って無効なＳＰＳ／タイプ２ＧＦのアクティブ化とみなしてもよい。無効なＳＰＳ／タイプ２ＧＦの非アクティブ化であるＤＣＩに応答して、ＵＥは、不一致ＣＲＣのあるＤＣＩフォーマットを受信したとみなし得る。一例では、ＵＥは、不一致ＣＲＣのあるＤＣＩの受信に応答して、ＤＣＩをスキップしてもよい。
【０１７７】
一例では、ＵＥへ伝送されるべき大量の伝送ブロック（ＴＢ：ｔｒａｎｓｍｉｓｓｉｏｎ  ｂｌｏｃｋ）があるとき、および／またはＵＥがチャネルを変更している状況にあるとき、ＵＥは、ダウンリンクチャネルのスケジューリングを容易にするために、基地局へ頻繁にＣＳＩレポートを伝送してもよい。一例では、非周期的ＣＳＩレポートはこの場合、効率的ではない場合があり、ＵＥは、非周期的ＣＳＩレポートを１回伝送してもよい。非周期的ＣＳＩレポートは、ＤＣＩによってトリガされてもよい。複数のおよび／または頻繁なＣＳＩレポートの要求は、複数のＤＣＩを伝送することによって達成されてもよく、それによって、ＤＣＩ伝送が増加し、ＰＤＣＣＨの容量が減少し得る。一例では、周期的なＣＳＩレポートが、この場合には効率的にまたは都合よく働かない場合がある。周期的なＣＳＩレポートは、ＲＲＣメッセージの中に構成または再構成され得る。周期的なＣＳＩレポートに対するＲＲＣメッセージは、頻繁なＣＳＩレポートを有効または無効にするには、効率的ではない場合がある。ＤＣＩベースのアクティブ化／非アクティブ化メカニズムは、ＵＥへ伝送されるべき大量の伝送ブロック（ＴＢ）があるとき、および／またはＵＥがチャネルを変更している状況にあるとき、頻繁なＣＳＩレポートに対して効率的および／または好都合であり得る。ＤＣＩのアクティブ化／非アクティブ化に基づくＣＳＩレポートは、ＳＰ  ＣＳＩレポートであり得る。例示的な実施形態によって、ダウンリンク伝送の効率性が向上し、ＳＰ  ＣＳＩレポートの電力消費を打ち壊す。
【０１７８】
一例では、ＬＴＥ系におけるＳＰＳ／タイプ２ＧＦのアクティブ化／非アクティブ化（Ａ／Ｄ：ａｃｔｉｖａｔｉｏｎ／ｄｅａｃｔｉｖａｔｉｏｎ）のＤＣＩベースのメカニズムが、ＤＣＩを使用してＳＰ  ＣＳＩ報告のＡ／Ｄを示す場合に適用され得ることは、明快または明らかであり得る。ＳＰＳ／タイプ２ＧＦ伝送とＳＰ  ＣＳＩレポートとの間にはいくつかの差異があり、それによって、基地局および／またはＵＥが、ＳＰＳ／タイプ２ＧＦのＡ／Ｄのメカニズムを、ＳＰ  ＣＳＩレポートのＡ／Ｄに対して適用すると、ＵＥに非効率または余分な複雑さをもたらし得る。
【０１７９】
一例では、ＳＰ  ＣＳＩレポートのＡ／Ｄは、例えば、再伝送メカニズム上で、ＳＰＳ／タイプ２ＧＦのＡ／Ｄとは異なり得る。ＨＡＲＱベースの再伝送メカニズムは、ＳＰＳ／タイプ２ＧＦ伝送と比較すると、ＳＰ  ＣＳＩレポートで適用されない場合がある。その場合、ＵＥは、ＤＣＩがアクティブ化されたＳＰ  ＣＳＩレポートの再伝送のためか、または非アクティブ化のためかを検査しなくてもよい。ＳＰＳ／タイプ２ＧＦのＡ／Ｄの同じメカニズムを実装することによって、ＳＰ  ＣＳＩレポートのＡ／ＤについてＰＤＣＣＨの検証を行うとき、ＵＥで実装の複雑さおよび／または電力消費が増大し得る。例示的な実施形態によって、ＳＰ  ＣＳＩレポートに対する、ＵＥの実装の複雑さおよび／または電力消費を改善するメカニズムを提供する。
【０１８０】
一例では、ＳＰ  ＣＳＩレポートのＡ／Ｄは、例えば、電力制御メカニズム上で、ＳＰＳ／タイプ２ＧＦのＡ／Ｄとは異なり得る。ＬＴＥ系では、基地局は、ＤＣＩのＴＰＣフィールド（例えば、ＤＣＩがＴＰＣフィールドを含む場合）を、事前定義された値（例えば、０または００）に設定することによって、タイプ２ＧＦ伝送をトリガするためにＤＣＩを伝送してもよい。この場合、ＴＰＣフィールドは、事前定義された値に設定された後、ＰＵＳＣＨを介するアップリンクデータ伝送について、電力コマンドを示さなくてもよい。ＵＥは、ＲＲＣメッセージに従って伝送電力を判定し得る。一例では、ＳＰ  ＣＳＩレポートを伝送すると、ＵＥは、ＰＵＳＣＨ上をアップリンクデータパケットでＳＰ  ＣＳＩレポートを伝送してもよい。アップリンクデータパケットおよび／またはＳＰ  ＣＳＩレポートの伝送電力は、ＳＰ  ＣＳＩのＡ／ＤのＤＣＩのＴＰＣフィールド中に示されてもよい。一例では、ＤＣＩをＳＰ  ＣＳＩ報告のアクティブ化に使用するとき、ＴＰＣフィールドを、事前定義された値（例えば、０または００）に設定することが可能にならない場合がある。ＳＰＳ／タイプ２ＧＦのＡ／Ｄの同じメカニズムを実装することによって、ＰＵＳＣＨを介するＳＰ  ＣＳＩレポート伝送の誤った（例えば、必要量より少ない、または多い）伝送電力についての判定をもたらし得る。例示的な実施形態によって、ＰＵＳＣＨを介するＳＰ  ＣＳＩレポート伝送に対する、ＵＥの伝送電力判定精度を向上させるメカニズムを提供する。例示的な実施形態によって、ＰＵＳＣＨを介してＳＰ  ＣＳＩレポートを伝送するとき、他のＵＥへのアップリンク干渉を改善する、またはアップリンク伝送の効率性を向上させるメカニズムを提供する。例示的な実施形態によって、ＳＰ  ＣＳＩレポートに対する、ＵＥの実装の複雑さおよび／または電力消費を改善するメカニズムを提供する。
【０１８１】
図３２は、ＳＰ  ＣＳＩレポートのＡ／Ｄメカニズムの例示的な一実施形態を示す。一例では、基地局（例えば、図３２のｇＮＢ）は、ＳＰ  ＣＳＩ報告の構成パラメータを含む１つ以上のＲＲＣメッセージを、無線デバイス（例えば、図３２のＵＥ）へ伝送し、構成パラメータは、第１の無線ネットワーク一時識別子（例えば、図３２に示すようなＳＰ−ＣＳＩ−ＲＮＴＩ）、および少なくとも１つ以上のＳＰ  ＣＳＩ報告設定のうちの少なくとも１つを含む。
【０１８２】
一例において、１つ以上のＲＲＣメッセージは、１つの基準信号（ＲＳ）リソース設定の構成パラメータを含むことができる。ＲＳリソース設定は、ＲＳリソースのセットを含んでもよく、ＲＳリソースは、ＲＳリソース構成識別子、無線リソース構成（例えば、ポートの数、時間および周波数リソースのアロケーション、周波数密度など）に関連付けられてもよい。一例では、ＲＳはＣＳＩ−ＲＳおよび／またはＳＳブロックであり得る。
【０１８３】
一例では、ＳＰ  ＣＳＩレポート設定は、ＳＰ  ＣＳＩレポート識別子、および／またはＳＰ  ＣＳＩ報告用の１つ以上のパラメータのうちの少なくとも１つを含む、ＳＰ  ＣＳＩレポートパラメータのセットを含んでもよく、ＳＰ  ＣＳＩ報告用の１つ以上のパラメータは、ＣＳＩタイプ（例えば、タイプＩまたはタイプＩＩ）、レポート量インジケータ（例えば、ＣＳＩ関係の報告量、またはＬ１−ＲＳＲＰ関係の報告量などを示す）、レポート構成タイプ（例えば、非周期的、半永続的、または周期的のいずれかで、レポートの時間領域挙動を示す）、ＣＳＩレポートに対する周波数粒度を示す値、ＣＳＩレポートの周期性およびスロットオフセットを示すパラメータのうちの少なくとも１つを含む。
【０１８４】
一例では、１つ以上のＲＲＣメッセージはさらに、ＰＵＳＣＨに関するＳＰ  ＣＳＩレポートに対して複数のトリガ状態を示すパラメータを含んでもよい。一例では、ＳＰ  ＣＳＩレポートのトリガ状態は、ＳＰ  ＣＳＩレポートトリガインデックス、ＲＳリソース構成識別子、および／またはＳＰ  ＣＳＩレポート識別子のうちの少なくとも１つを含んでもよい。ＲＳリソース構成識別子は、ＳＰ  ＣＳＩレポートに関連付けられるＲＳリソースを示してもよい。ＳＰ  ＣＳＩレポート識別子は、ＳＰ  ＣＳＩレポート用のパラメータを示してもよい。
【０１８５】
一例では、ＵＥは、ＰＤＣＣＨを介して第１のＤＣＩ（例えば、図３２の第１のＤＣＩ）を受信してもよく、第１のＤＣＩは、ＰＵＳＣＨのＴＰＣ、ＮＤＩフィールド、ＭＣＳフィールド、ＨＡＲＱプロセス番号フィールド、ＲＡフィールド、ＲＶフィールド、ＣＳＩ要求フィールド、第１のダウンリンク割り当てインデックス、第２のダウンリンク割り当てインデックス、アップリンクプリコーディング情報と、存在する場合レイヤの数とを示す第１のパラメータ、アンテナポートを示す第２のパラメータ、および／または存在する場合、ＣＢＧ伝送情報を示す第３のパラメータのうちの少なくとも１つを含んでもよい。
【０１８６】
一例では、第１のＤＣＩの受信に応答して、またはその受信後に、ＵＥは、第１のＤＣＩのＣＲＣパリティビット、事前定義された値に設定されている第１のＤＣＩの１つ以上のフィールドのうちの少なくとも１つに基づいて、ＳＰ  ＣＳＩのアクティブ化、またはリリース／非アクティブ化についてＰＤＣＣＨ検証を行ってもよい。
【０１８７】
一例では、ＵＥは、第１のＲＮＴＩ（例えば、ＳＰ−ＣＳＩ−ＲＮＴＩ）によってスクランブルされている第１のＤＣＩのＣＲＣパリティビット、すべて「０」に設定されているＨＡＲＱプロセス番号フィールド、および／または「００」に設定されているＲＶフィールドに応答して、ＳＰ  ＣＳＩレポートのアクティブ化についてのＰＤＣＣＨ検証が達成されると判定してもよい。ＰＤＣＣＨの検証がＳＰ  ＣＳＩレポートのアクティブ化に対して達成されるのに応答して、ＵＥは、ＰＵＳＣＨの無線リソースを介して、複数のサブフレーム／スロットで伝送の周期性により、ＳＰ  ＣＳＩレポートのトリガインデックスに関連付けられるＳＰ  ＣＳＩレポートを伝送してもよい。ＰＵＳＣＨの無線リソースは、第１のＤＣＩのＲＡフィールドの中に示されてもよい。ＳＰ  ＣＳＩレポートのトリガインデックスは、第１のＤＣＩのＣＳＩ要求フィールドの中に示されてもよい。伝送周期性は、少なくとも１つのメッセージの中に構成され得る。ＰＤＣＣＨの検証がＳＰ  ＣＳＩレポートのアクティブ化に対して達成されるのに応答して、ＵＥは、ＳＰ  ＣＳＩレポートのトリガインデックスに関連付けられるＲＳリソース構成識別子によって示される、ＲＳリソースを判定してもよい。ＵＥは、ＳＰ  ＣＳＩレポートのトリガインデックスに関連付けられるＳＰ  ＣＳＩレポート識別子によって示される、ＣＳＩパラメータを測定し得る。ＵＥは、第１のサブフレーム／スロットから始めて、複数のサブフレーム／スロットで、ＰＵＳＣＨの測定済みＣＳＩパラメータに基づいてＳＰ  ＣＳＩレポートを伝送してもよい。一例では、第１のサブフレーム／スロットは、第１のＤＣＩを受信するときのサブフレーム／スロットの後、最初に利用可能なＰＵＳＣＨサブフレーム／スロットであり得る。一例では、第１のサブフレーム／スロットは、第１のＤＣＩを受信するときのサブフレーム／スロットに対するオフセットであり得る。一例では、オフセットは、第１のＤＣＩによって示されてもよく、もしくはＲＲＣメッセージによって構成されてもよく、または事前に定義された（または固定された）値であってもよい。一例では、ＵＥは、第１のＤＣＩのＴＰＣフィールドに従って、ＰＵＳＣＨを介するＳＰ  ＣＳＩレポートに対しする伝送電力を判定してもよい。一例では、第１のＤＣＩのＴＰＣフィールド（例えば、ＰＵＳＣＨに関する）は、ＰＵＳＣＨ上のＳＰ  ＣＳＩレポート伝送の電力制御を示してもよい。ＴＰＣフィールドは、ＳＰ  ＣＳＩレポートのアクティブ化／非アクティブ化を示す、事前定義された値に設定されなくてもよい。
【０１８８】
一例では、ＵＥは、第１のＲＮＴＩ（例えば、ＳＰ−ＣＳＩ−ＲＮＴＩ）によってスクランブルされていない第１のＤＣＩのＣＲＣパリティビット、すべてが「０」に設定されているわけではないＨＡＲＱプロセス番号フィールド、および／または「００」に設定されていないＲＶフィールドのうちの少なくとも１つに応答して、ＳＰ  ＣＳＩレポートのアクティブ化についてのＰＤＣＣＨ検証が達成されないと判定してもよい。ＰＤＣＣＨの検証が、ＳＰ  ＣＳＩレポートのアクティブ化に対して達成されていないのに応答して、ＵＥは、第１のＤＣＩを不一致ＣＲＣで検出したとみなしてもよい。ＰＤＣＣＨの検証が、ＳＰ  ＣＳＩレポートのアクティブ化に対して達成されていないのに応答して、ＵＥは、ＰＤＣＣＨで受信した第１のＤＣＩを無視してもよく、もしくは第１のＤＣＩに従ってアクションを行わなくなくてもよく、または第１のＤＣＩに従って、ＳＰ  ＣＳＩレポートに関係するアクションを行わなくなくてもよい。
【０１８９】
例示的な実施形態によって、ＴＰＣフィールドを事前定義された値に設定しないことで、基地局が、ＳＰ  ＣＳＩレポート用のＵＥの伝送電力を、柔軟に制御することが可能になり得る。例示的な実施形態によって、ＳＰ  ＣＳＩのアクティブ化／非アクティブ化についてＮＤＩフィールドを検査しないことで、ＳＰ  ＣＳＩレポートに対するＵＥの実装の複雑さを低減し得る。例示的な実施形態により、ＰＵＳＣＨを介するＳＰ  ＣＳＩレポート伝送に対する、ＵＥの伝送電力判定精度が向上し得る。例示的な実施形態により、ＰＵＳＣＨを介してＳＰ  ＣＳＩレポートを伝送するとき、他のＵＥへのアップリンク干渉が改善してもよく、またはアップリンク伝送の効率性が向上し得る。例示的な実施形態により、ＳＰ  ＣＳＩレポートに対する、ＵＥの実装の複雑さおよび／または電力消費が改善し得る。
【０１９０】
一例では、ＵＥは、ＰＤＣＣＨを介して第２のＤＣＩ（例えば、図３２の第２のＤＣＩ）を受信してもよく、第２のＤＣＩは、ＰＵＳＣＨのＴＰＣ、ＮＤＩフィールド、ＭＣＳフィールド、ＨＡＲＱプロセス番号フィールド、ＲＡフィールド、ＲＶフィールド、ＣＳＩ要求フィールド、第１のダウンリンク割り当てインデックス、第２のダウンリンク割り当てインデックス、アップリンクプリコーディング情報と、存在する場合レイヤの数とを示す第１のパラメータ、アンテナポートを示す第２のパラメータ、および／または存在する場合、ＣＢＧ伝送情報を示す第３のパラメータのうちの少なくとも１つを含んでもよい。
【０１９１】
一例では、第２のＤＣＩの受信に応答して、またはその受信後に、ＵＥは、第２のＤＣＩのＣＲＣパリティビット、事前定義された値に設定されている第２のＤＣＩの１つ以上のフィールドのうちの少なくとも１つに基づいて、ＳＰ  ＣＳＩのアクティブ化、またはリリース／非アクティブ化についてＰＤＣＣＨ検証を行ってもよい。
【０１９２】
一例では、ＵＥは、第１のＲＮＴＩ（例えば、ＳＰ−ＣＳＩ−ＲＮＴＩ）によってスクランブルされている第２のＤＣＩのＣＲＣパリティビット、すべて「０」に設定されているＨＡＲＱプロセス番号フィールド、および／もしくは「００」に設定されているＲＶフィールド、すべて「１」に設定されているＭＣＳフィールド、ならびに／または事前定義された値（例えば、すべて「０」またはすべて「１」）に設定されているＲＡフィールドに応答して、ＳＰ  ＣＳＩレポートの非アクティブ化についてのＰＤＣＣＨ検証が達成されると判定してもよい。ＰＤＣＣＨの検証がＳＰ  ＣＳＩレポートの非アクティブ化に対して達成されるのに応答して、ＵＥは、ＳＰ  ＣＳＩ報告のトリガインデックスに関連付けられるＳＰ  ＣＳＩレポートの伝送を停止してもよい。ＳＰ  ＣＳＩレポートのトリガインデックスは、第２のＤＣＩのＣＳＩ要求フィールドの中に示されてもよい。
【０１９３】
一例では、ＵＥは、第１のＲＮＴＩ（例えば、ＳＰ−ＣＳＩ−ＲＮＴＩ）によってスクランブルされていない第２のＤＣＩのＣＲＣパリティビット、すべてが「０」には設定されていないＨＡＲＱプロセス番号フィールド、および／もしくは「００」に設定されていないＲＶフィールド、すべてが「１」には設定されていないＭＣＳフィールド、ならびに／または事前定義された値（例えば、すべて「０」またはすべて「１」）に設定されていないＲＡフィールドに応答して、ＳＰ  ＣＳＩレポートの非アクティブ化についてのＰＤＣＣＨ検証が達成されないと判定してもよい。ＰＤＣＣＨの検証が、ＳＰ  ＣＳＩレポートの非アクティブ化に対して達成されていないのに応答して、ＵＥは、第２のＤＣＩを不一致ＣＲＣで検出したとみなしてもよい。ＰＤＣＣＨの検証が、ＳＰ  ＣＳＩレポートの非アクティブ化に対して達成されていないのに応答して、ＵＥは、ＰＤＣＣＨで受信した第２のＤＣＩを無視してもよく、または第１のＤＣＩに従ってアクションを行わなくなくてもよい。ＰＤＣＣＨの検証が、ＳＰ  ＣＳＩレポートの非アクティブ化に対して達成されていないのに応答して、ＵＥは、ＳＰ  ＣＳＩレポートを伝送し続けてもよい。
【０１９４】
例示的な実施形態によって、ＴＰＣフィールドを事前定義された値に設定しないことで、ＳＰ  ＣＳレポートを非アクティブ化するとき、基地局が、アップリンクデータパケット用のＵＥの伝送電力を、柔軟に制御することが可能になり得る。例示的な実施形態によって、ＳＰ  ＣＳＩのアクティブ化／非アクティブ化についてＮＤＩフィールドを検査しないことで、ＳＰ  ＣＳＩレポートに対するＵＥの実装の複雑さを低減し得る。例示的な実施形態により、ＰＵＳＣＨ伝送に対する、ＵＥの伝送電力判定精度が向上し得る。例示的な実施形態により、他のＵＥへのアップリンク干渉が改善してもよく、またはＰＵＳＣＨを介するアップリンク伝送の効率性が向上し得る。例示的な実施形態により、ＵＥの実装の複雑さおよび／または電力消費が改善し得る。
【０１９５】
図３３は、ＳＰ  ＣＳＩのアクティブ化についての実施形態の例示的なフローチャートを示す。一例では、無線デバイスは、ＳＰ  ＣＳＩレポートおよびＲＮＴＩ値の構成（例えば、図３３に示すようなＳＰ−ＣＳＩ−ＲＮＴＩ）を含む、ＲＲＣメッセージを少なくとも受信し得る。無線デバイスは、ＰＤＳＣＨを介してＤＣＩを受信してもよい。ＤＣＩの受信に応答して、またはその受信後に、無線デバイスは、ＲＮＴＩ値およびＤＣＩの１つ以上のフィールドに基づいて、ＳＰ  ＣＳＩレポートのアクティブ化についてＤＣＩの検証を行ってもよい。１つ以上のフィールドは、ＨＡＲＱプロセス番号およびＲＶフィールドを含み得る。無線デバイスは、ＲＮＴＩ値および１つ以上のフィールドに基づいて、検証を達成するのか、またはしないのかを判定してもよい。一例では、無線デバイスは、ＳＰ−ＣＳＩ−ＲＮＴＩによってスクランブルされているＤＣＩのＣＲＣパリティビット、第１の事前定義された値（例えば、すべて「０」）に設定されているＨＡＲＱプロセス番号、および第２の事前定義された値（例えば、「００」）に設定されているＲＶフィールドに応答して、ＳＰ  ＣＳＩレポートのアクティブ化についての検証が達成されると判定し得る。ＳＰ  ＣＳＩレポートのアクティブ化についての検証が達成されるのに応答して、無線デバイスは、ＤＣＩの中の電力制御コマンドに基づいて判定される伝送電力で、ＰＵＳＣＨを介してＳＰ  ＣＳＩレポートを伝送してもよい。
【０１９６】
一例では、無線デバイスは、サービングセルｃに対する、サブフレームｉでのＰＵＳＣＨ伝送（例えば、アップリンクデータ伝送および／またはＣＳＩレポートを含む）用の伝送電力が、次の方程式によって与えられ得ると判定してもよい。
【数１】
2021507619.tif 000003
式中、
【数２】
2021507619.tif 000004
は、サービングセルｃに対する、サブフレームｉでの無線デバイスの構成された伝送電力であり得る。
【数３】
2021507619.tif 000005
は、サブフレームｉおよびサービングセルｃに対して有効なリソースブロックの数で表現される、ＰＵＳＣＨリソース割り当ての帯域幅であってもよく、ならびに／またはＰＬｃは、ｄＢで示す無線デバイスのサービングセルｃに対するダウンリンクパスロス推定値であり得る。Ｐ０＿ＰＵＳＣＨは、ＲＲＣメッセージの中に構成される目標受信電力値であり得る。αは、ＲＲＣメッセージの中に構成される電力消費係数であり得る。Δは、電力オフセット値であり得る。ｆｃ（ｉ）は、電力制御の調整状態で、ｆｃ（ｉ−１）および電力制御コマンドの合計に等しくてもよい。電力制御コマンドは、ＤＣＩのＴＰＣによって示され得る。
【０１９７】
一例では、無線デバイスは、ＳＰ−ＣＳＩ−ＲＮＴＩによってスクランブルされていないＤＣＩのＣＲＣパリティビット、第１の事前定義された値に設定されていないＨＡＲＱプロセス番号、および第２の事前定義された値に設定されていないＲＶフィールドのうちの少なくとも１つに応答して、ＳＰ  ＣＳＩレポートのアクティブ化についての検証が達成されないと判定してもよい。ＳＰ  ＣＳＩレポートのアクティブ化についての検証が達成されないのに応答して、無線デバイスは、ＤＣＩを不一致ＣＲＣで検出したとみなしてもよい。
【０１９８】
図３４は、ＳＰ  ＣＳＩの非アクティブ化についての実施形態の例示的なフローチャートを示す。一例では、無線デバイスは、ＳＰ  ＣＳＩレポートおよびＲＮＴＩ値の構成（例えば、図３４に示すようなＳＰ−ＣＳＩ−ＲＮＴＩ）を含む、ＲＲＣメッセージを少なくとも受信し得る。無線デバイスは、ＰＤＳＣＨを介してＤＣＩを受信してもよい。ＤＣＩの受信に応答して、またはその受信後に、無線デバイスは、ＲＮＴＩ値およびＤＣＩの１つ以上のフィールドに基づいて、ＳＰ  ＣＳＩレポートの非アクティブ化についてＤＣＩの検証を行ってもよい。１つ以上のフィールドは、ＨＡＲＱプロセス番号、ＲＶフィールド、ＭＣＳフィールド、および／またはリソース割り当てフィールドを含み得る。無線デバイスは、ＲＮＴＩ値および１つ以上のフィールドに基づいて、検証を達成するのか、またはしないのかを判定してもよい。一例では、無線デバイスは、ＳＰ−ＣＳＩ−ＲＮＴＩによってスクランブルされているＤＣのＣＲＣパリティビット、第１の事前定義された値（例えば、すべて「０」）に設定されているＨＡＲＱプロセス番号、第２の事前定義された値（例えば、「００」）に設定されているＲＶフィールド、第３の事前定義された値（例えば、すべて「１」）に設定されているＭＣＳフィールド、および／または第４の事前定義された値（例えば、すべて「０」またはすべて「１」）に設定されているリソース割り当てフィールドに応答して、ＳＰ  ＣＳＩレポートの非アクティブ化についての検証が達成されると判定してもよい。ＳＰ  ＣＳＩレポートの非アクティブ化についての検証が達成されるのに応答して、無線デバイスは、ＰＵＳＣＨを介するＳＰ  ＣＳＩレポートの伝送を停止してもよい。
【０１９９】
一例では、無線デバイスは、ＳＰ−ＣＳＩ−ＲＮＴＩによってスクランブルされていないＤＣＩのＣＲＣパリティビット、第１の事前定義された値に設定されていないＨＡＲＱプロセス番号、第２の事前定義された値に設定されていないＲＶフィールド、第３の事前定義された値（例えば、すべて「１」）に設定されていないＭＣＳフィールド、および／または第４の事前定義された値（例えば、すべて「０」またはすべて「１」）に設定されていないリソース割り当てフィールドのうちの少なくとも１つに応答して、ＳＰ  ＣＳＩレポートの非アクティブ化についての検証が達成されないと判定してもよい。ＳＰ  ＣＳＩレポートのアクティブ化についての検証が達成されないのに応答して、無線デバイスは、ＤＣＩを不一致ＣＲＣで検出したとみなしてもよい。
【０２００】
一例では、ＤＣＩを受信すると、ＵＥは、ＤＣＩのＣＲＣパリティビット、ＤＣＩのＮＤＩフィールド、および／またはＤＣＩの少なくとも第２のフィールドのうちの少なくとも１つに基づいて、ＳＰ  ＣＳＩレポートのアクティブ化／非アクティブ化について、ＰＤＣＣＨの検証を行ってもよい。
【０２０１】
一例では、ＤＣＩのＣＲＣパリティビットが、ＳＰ−ＣＳＩ−ＲＮＴＩによってスクランブルされると、ＵＥは、ＤＣＩのＮＤＩフィールドに基づいて、ＰＤＣＣＨが、ＳＰ  ＣＳＩ報告のアクティブ化またはＳＰ  ＣＳＩ報告の非アクティブ化用であると判定してもよい。一例では、ＵＥは、ＮＤＩフィールドに基づいて、ＰＤＣＣＨの検証を行ってもよい。一例では、ＰＤＣＣＨの検証は、ＰＤＣＣＨがＳＰ  ＣＳＩ報告のアクティブ化用または非アクティブ化用のどちらであるかを検査することである。一例では、ＵＥは、ＮＤＩフィールドが第１の値（例えば、１ビットのＮＤＩフィールドに対して「０」または「１」）に設定されている場合、ＰＤＣＣＨがＳＰ  ＣＳＩ報告のアクティブ化用であると判定してもよい。ＳＰ  ＣＳＩレポートのアクティブ化用であるＰＤＣＣＨに応答して、ＵＥは、ＳＰ  ＣＳＩレポートのトリガインデックスに関連付けられるＲＳリソース構成識別子によって示される、ＲＳリソースを判定してもよい。ＵＥは、ＳＰ  ＣＳＩレポートのトリガインデックスに関連付けられるＳＰ  ＣＳＩレポート識別子によって示される、ＣＳＩパラメータを測定し得る。ＵＥは、第１のサブフレーム（またはスロット）から始めて、複数のサブフレーム（またはスロット）で、ＰＵＳＣＨに関する測定済みＣＳＩパラメータに基づいてＳＰ  ＣＳＩレポートを伝送してもよい。一例では、第１のサブフレーム（またはスロット）は、ＤＣＩを受信するときのサブフレーム（またはスロット）の後、最初に利用可能なＰＵＳＣＨサブフレーム（またはスロット）であり得る。一例では、第１のサブフレーム（またはスロット）は、ＤＣＩを受信するときのサブフレーム（またはスロット）に対するオフセットであり得る。一例では、オフセットは、ＤＣＩによって示されてもよく、もしくはＲＲＣメッセージによって構成されてもよく、または事前に定義された（または固定された）値であってもよい。一例では、ＵＥは、ＮＤＩフィールドが第２の値（例えば、１ビットのＮＤＩフィールドに対して「０」または「１」）に設定されている場合、ＰＤＣＣＨがＳＰ  ＣＳＩ報告の非アクティブ化用であると判定してもよい。第２の値は第１の値と異なってもよい。ＳＰ  ＣＳＩレポートの非アクティブ化用であるＰＤＣＣＨに応答して、ＵＥは、ＳＰ  ＣＳＩレポートのトリガインデックスに関連付けられるＳＰ  ＣＳＩレポートの伝送を停止し、第２のサブフレーム（またはスロット）から始動してもよい。一例では、第２のサブフレーム（またはスロット）は、ＤＣＩまたはＲＲＣメッセージによって示されてもよい。一例では、第２のサブフレーム（またはスロット）は、ＤＣＩを受信するときのサブフレーム（またはスロット）に対する事前定義されたオフセットであり得る。例示的な実施形態を実施することによって、ＳＰＳ／タイプ２アップリンク伝送のアクティブ化／非アクティブ化の検証と比較して、ＳＰ  ＣＳＩレポートのアクティブ化／非アクティブ化を示すＤＣＩを検査する複雑さを低減し得る。
【０２０２】
一例では、ＤＣＩ受信の検出エラーを低減するために、ｇＮＢは、ＤＣＩの中の２つ以上のフィールドを１つ以上の固定値に設定することによって、ＳＰ  ＣＳＩ報告のアクティブ化／非アクティブ化を示すＤＣＩを伴って、ＰＤＣＣＨを伝送してもよい。一例では、ＤＣＩの受信に応答して、ＳＰ  ＣＳＩ報告に関係するアクションを行うとき、ＵＥは、ＮＤＩフィールド、ＨＡＲＱプロセス番号、ＲＶフィールド、ＴＰＣフィールド、ＭＣＳフィールド、第１のダウンリンク割り当てインデックス、第２のダウンリンク割り当てインデックス、および／またはＲＡフィールドのうちの少なくとも１つに基づいて、ＰＤＣＣＨが、ＳＰ  ＣＳＩ報告のアクティブ化またはＳＰ  ＣＳＩ報告の非アクティブ化に対して有効であると判定（または検証）してもよい。一例では、ＵＥは、ＮＤＩフィールドが第１の固定値（例えば、１ビットのＮＤＩフィールドに対して「０」または「１」）に設定されること、ＨＡＲＱプロセス番号が第２の固定値（例えば、４ビットのＨＡＲＱプロセスフィールドに対して「００００」もしくは「１１１１１」、または事前定義された値）に設定されること、ＲＶフィールドが第３の固定値（例えば、２ビットのＲＶフィールドに対して「００」もしくは「１１」、または事前定義された値）に設定されることのうちの少なくとも１つの場合、ＰＤＣＣＨが、ＳＰ  ＣＳＩ報告のアクティブ化に対して有効であると判定（または検証）してもよい。ＳＰ  ＣＳＩレポートのアクティブ化に対して有効であるＰＤＣＣＨに応答して、ＵＥは、複数のサブフレームで、ＳＰ  ＣＳＩレポートのトリガインデックスに関連付けられるＳＰ  ＣＳＩレポートを伝送してもよい。一例では、ＵＥは、ＮＤＩフィールドが第４の固定値（例えば、第１の固定値とは異なる、「０」または「１」）に設定されること、ＨＡＲＱプロセス番号が第５の固定値（例えば、４ビットのＨＡＲＱプロセスフィールドに対して「００００」もしくは「１１１１１」、または事前定義された値）に設定されること、ＲＶフィールドが第６の固定値（例えば、２ビットのＲＶフィールドに対して「００」もしくは「１１」、または事前定義された値）に設定されること、ＴＰＣフィールドが第７の固定値（例えば、２ビットのＴＰＣフィールドに対して「００」または事前定義された値）に設定されること、ＭＣＳフィールドが第８の固定値（例えば、４ビットのＭＣＳフィールドに対して「１１１１」または事前定義された値）に設定されること、および／またはＲＡフィールドが第９の固定値に設定（例えば、すべて「１」に設定）されることのうちの少なくとも１つの場合、ＳＰ  ＣＳＩ報告の非アクティブ化に対して有効であると判定（または検証）してもよい。一例では、第５の値は第２の固定値と同じであってもよい。一例では、第６の値は第３の固定値と同じであってもよい。ＳＰ  ＣＳＩレポートの非アクティブ化に対して有効であるＰＤＣＣＨに応答して、ＵＥは、ＳＰ  ＣＳＩレポートのトリガインデックスに関連付けられるＳＰ  ＣＳＩレポートの伝送を停止してもよい。
【０２０３】
一例では、ｇＮＢは、動的な変化を伴うチャネル／干渉状況を受け入れるように、アクティブ化されたＳＰ  ＣＳＩ報告の１つ以上の伝送パラメータを変更してもよい。一例では、ｇＮＢは、新たなＤＣＩを送信することによって、ＭＣＳの変更、もしくはＲＡの変更、または電力制御コマンドの更新を示してもよい。新たなＤＣＩは、ＳＰ  ＣＳＩレポートのアクティブ化のために以前に送信された、ＤＣＩの対応するフィールドを上書きしてもよい。パラメータの変更を示すＤＣＩを、アクティブ化／非アクティブ化についてのＤＣＩと区別するためには、アクティブ化されたＳＰ  ＣＳＩ報告のパラメータの変更を示す、新たなＤＣＩが必要である。一例では、ｇＮＢは、アクティブ化されたＳＰ  ＣＳＩ報告に対して、第１の固定値（例えば、１ビットのＮＤＩフィールドに対して「０」または「１」）に設定されるＮＤＩフィールドを伴うＤＣＩを伝送して、１つ以上の伝送パラメータの変更（または更新）を示してもよい。ｇＮＢは、第２の固定値（例えば、１ビットのＮＤＩフィールドに対して、第１の固定値とは異なる、「０」または「１」）に設定されるＮＤＩフィールドを伴うＤＣＩを伝送して、ＳＰ  ＣＳＩレポートのアクティブ化／非アクティブ化を示してもよい。
【０２０４】
一例では、ＳＰ  ＣＳＩ報告に関係するアクションを行うとき、ＵＥは、ＤＣＩのＮＤＩフィールドが第１の固定値に設定される場合、ＤＣＩが、アクティブ化されたＳＰ  ＣＳＩ報告に対する、伝送パラメータの変更を示すためのものであると判定してもよい。１つ以上のパラメータの変更（または更新）を示すＤＣＩに応答して、ＵＥは、ＤＣＩによって示される１つ以上のパラメータを用い、それに従ってアクティブ化されたＳＰ  ＣＳＩ報告を伝送してもよい。一例では、ＵＥは、ＮＤＩフィールドが第２の固定値に設定される場合、ＤＣＩが、ＳＰ  ＣＳＩ報告のアクティブ化／非アクティブ化用であると判定してもよい。ＳＰ  ＣＳＩ報告のアクティブ化／非アクティブ化であるＤＣＩに応答して、ＵＥは、ＤＣＩが伝送されるＰＤＣＣＨの検証を行ってもよい。一例では、検証は、ＤＣＩがＳＰ  ＣＳＩ報告のアクティブ化もしくはＳＰ  ＣＳＩ報告の非アクティブ化用であるか、またはＤＣＩが不一致ＣＲＣと共に受信されるのかを判定することである。一例では、ＵＥは、少なくとも第２のフィールドの少なくとも第１のフィールドに基づいて、ＳＰ  ＣＳＩ報告のアクティブ化について、ＰＤＣＣＨの検証を行ってもよい。一例では、ＵＥは、少なくとも第２のフィールドの少なくとも第２のフィールドに基づいて、ＳＰ  ＣＳＩ報告の非アクティブ化について、ＰＤＣＣＨの検証を行ってもよい。
【０２０５】
一例では、ＵＥは、ＨＡＲＱプロセス番号、ＭＣＳフィールド、ＲＡフィールド、ＰＵＳＣＨフィールドのＴＰＣ、ＲＶフィールド、ＣＳＩ要求フィールド、第１のダウンリンク割り当てインデックス、第２のダウンリンク割り当てインデックス、アップリンクプリコーディング情報と、存在する場合レイヤの数とを示す第１のパラメータ、アンテナポートを示す第２のパラメータ、および／または存在する場合、ＣＢＧ伝送情報を示す第３のパラメータのうちの少なくとも１つに基づいて、ＳＰ  ＣＳＩ報告のアクティブ化について、ＰＤＣＣＨの検証を行ってもよい。一例では、ＵＥは、ＨＡＲＱプロセス番号が第１の固定値（例えば、４ビットのＨＡＲＱプロセス番号に対して、「００００」もしくは「１１１１」、または事前定義された値）に設定されること、ＲＶフィールドが第２の固定値（例えば、２ビットのＲＶフィールドに対して、「００」もしくは「１１」、または事前定義された値）に設定されること、ＭＣＳフィールドが第３の固定値（例えば、５ビットのＭＣＳフィールドに対して、「０００００」もしくは「１１１１１」、または事前定義された値）ではないこと、ＰＵＳＣＨフィールドのＴＰＣが第４の固定値（例えば、２ビットのＴＰフィールドに対して、「００」もしくは「１１」、または事前定義された値）ではないこと、ＲＡフィールドが第５の固定値（例えば、すべて「１」に設定）ではないこと、存在する場合、第１のパラメータが第１の事前定義された（または固定）値ではないこと、第２のパラメータが第２の事前定義された（または固定）値ではないこと、および／または存在する場合、第３のパラメータが第３の事前定義された（または固定）値ではないことのうちの少なくとも１つの場合、検証が達成されると判定してもよい。そうでない場合、ＵＥは検証が達成されないと判定してもよい。その例では、ＴＰＣフィールドは、ＰＵＳＣＨ伝送用の電力制御コマンドを示してもよく、および／またはＳＰ  ＣＳＩレポートのアクティブ化についてのＰＤＣＣＨの検証に使用されなくてもよい。そのため、ＴＰＣフィールドは、ＤＣＩによってＳＰ  ＣＳＩレポートをアクティブ化するとき、固定値（例えば、第４の値）に設定されなくてもよい。
【０２０６】
一例では、ＵＥは、ＨＡＲＱプロセス番号、ＭＣＳフィールド、ＲＡフィールド、ＰＵＳＣＨフィールドのＴＰＣ、ＲＶフィールド、ＣＳＩ要求フィールド、第１のダウンリンク割り当てインデックス、第２のダウンリンク割り当てインデックス、アップリンクプリコーディング情報と、存在する場合レイヤの数とを示す第１のパラメータ、アンテナポートを示す第２のパラメータ、および／または存在する場合、ＣＢＧ伝送情報を示す第３のパラメータのうちの少なくとも１つに基づいて、ＳＰ  ＣＳＩ報告の非アクティブ化について、ＰＤＣＣＨの検証を行ってもよい。一例では、ＵＥは、ＨＡＲＱプロセス番号が第６の固定値（例えば、４ビットのＨＡＲＱプロセス番号に対して、「００００」もしくは「１１１１」、または事前定義された値）に設定されること、ＲＶフィールドが第７の固定値（例えば、２ビットのＲＶフィールドに対して、「００」もしくは「１１」、または事前定義された値）に設定されること、ＭＣＳフィールドが第８の固定値（例えば、５ビットのＭＣＳフィールドに対して、「０００００」もしくは「１１１１１」、または事前定義された値）に設定されること、ＰＵＳＣＨフィールドのＴＰＣが第９の固定値（例えば、２ビットのＴＰフィールドに対して、「００」もしくは「１１」、または事前定義された値）に設定されること、ＲＡフィールドが第１０の固定値（例えば、すべて「１」に設定）に設定されること、存在する場合、第１のパラメータが第１の事前定義された（または固定）値であること、第２のパラメータが第２の事前定義された（または固定）値であること、および／または存在する場合、第３のパラメータが第３の事前定義された（または固定）値であることのうちの少なくとも１つの場合、検証が達成されると判定してもよい。そうでない場合、ＵＥは検証が達成されないと判定してもよい。一例では、第６の固定値は第１の固定値と同じであってもよい。一例では、第７の固定値は第２の固定値と同じであってもよい。一例では、第８の固定値は第３の固定値と同じであってもよい。一例では、第９の固定値は第４の固定値と同じであってもよい。一例では、第１０の固定値は第５の固定値と同じであってもよい。
【０２０７】
一例では、ＵＥは、ＳＰ  ＣＳＩ報告のアクティブ化についてのＰＤＤＣＨの検証が達成されない、および／またはＳＰ  ＣＳＩ報告の非アクティブ化についてのＰＤＣＣＨの検証が達成されない場合、ＤＣＩが不一致ＣＲＣを伴い受信されると判定してもよい。不一致ＣＲＣを伴い受信されているＤＣＩに応答して、ＵＥは、ＰＤＣＣＨをスキップしてもよく、および／またはＤＣＩに従ってアクションを行わなくてもよい。
【０２０８】
例示的な実施形態では、ｇＮＢは、ＤＣＩのＣＳＩ要求フィールドの内容もしくはフォーマットを変更することも、または新たなＤＣＩを設計することもなく、１つ以上のＤＣＩフィールドの１つ以上の値を設定することによって、ＳＰ  ＣＳＩレポートのアクティブ化または非アクティブ化を示すように、ＤＣＩを伝送してもよい。これらの実施形態によって、ＰＤＣＣＨを受信するとき、ＵＥのブラインドデコーディングの試みを減少し得る。ＳＰ  ＣＳＩレポートのアクティブ化／非アクティブ化についての１つ以上のＤＣＩフィールドは、ＳＰＳ／タイプ２のアップリンク伝送のアクティブ化／非アクティブ化の検証についての、もう１つのＤＣＩフィールドとは異なってもよく、それは再伝送および／または電力制御のメカニズムが、これら２つの場合で異なり得るためである。
【０２０９】
一例では、ＳＰ  ＣＳＩレポートのアクティブ化／非アクティブ化を示すＤＣＩは、通常の動的なスケジューリング、またはＳＰＳ／タイプ２のアップリンクスケジューリングについてのＤＣＩとは異なり得る。一例では、ＰＵＳＣＨに関するＳＰ  ＣＳＩレポートに必要とされる再伝送がないために、ＮＤＩフィールド、ＨＡＲＱプロセス番号、第１のダウンリンク割り当てインデックス、第２のダウンリンク割り当てインデックス、および／またはＲＶのうちの少なくとも１つが、ＳＰ  ＣＳＩレポートのアクティブ化／非アクティブ化の表示には必要ではない場合があるため、ＤＣＩは、これらのフィールドの少なくとも１つを含まなくてもよい。その例では、ＳＰ  ＣＳＩレポートのアクティブ化／非アクティブ化についてのこれらのフィールドのうちの少なくとも１つを有さない、新たなＤＣＩによって、伝送オーバーヘッドおよびまたはブラインドデコーディングの複雑さを低減してもよい。これらのフィールドを持たない、ＳＰ  ＣＳＩレポートのアクティブ化または非アクティブ化に関する新たなＤＣＩによって、ＤＣＩ伝送のオーバーヘッドを低減し、より多くのＣＳＩパラメータを搬送し、および／またはＤＣＩ伝送の頑健性を増大してもよい。一例では、ｇＮＢは、少なくとも１つのＣＳＩ要求フィールド、ＭＣＳフィールド、ＴＰＣフィールド、および／またはＲＡフィールドのうちの少なくとも１つを含む、ＳＰ  ＣＳＩ報告のアクティブ化／非アクティブ化のために、ＤＣＩをＵＥへ送信してもよい。少なくとも１つのＣＳＩ要求フィールドは、アクティブ化／非アクティブ化インジケータ、および／またはＳＰ  ＣＳＩレポートのトリガインデックスのうちの少なくとも１つを含んでもよい。受信したＤＣＩの中のアクティブ化／非アクティブ化インジケータが、ＳＰ  ＣＳＩレポートのアクティブ化を示すとき、ＵＥは、ＳＰ  ＣＳＩレポートのトリガインデックスに関連付けられるＳＰ  ＣＳＩレポートをアクティブ化してもよい。ＵＥは、サブフレーム（またはスロット）から始めて、複数のサブフレーム（またはスロット）で、ＳＰ  ＣＳＩレポートのトリガインデックスによって示されるＳＰ  ＣＳＩレポートを伝送してもよい。一例では、サブフレーム（またはスロット）は、ＤＣＩを受信するときのサブフレーム（またはスロット）の後、最初に利用可能なＰＵＳＣＨサブフレーム（またはスロット）であり得る。一例では、サブフレーム（またはスロット）は、ＤＣＩを受信するときのサブフレーム（またはスロット）に対するオフセットであり得る。一例では、オフセットは、ＤＣＩによって示されてもよく、もしくはＲＲＣメッセージによって構成されてもよく、または事前に定義された（または固定された）値であってもよい。ＵＥは、ＤＣＩによって示されるＴＰＣコマンドおよびＭＣＳを用いることによって、ＳＰ  ＣＳＩレポートを伝送してもよい。アクティブ化／非アクティブ化インジケータが、ＳＰ  ＣＳＩレポートの非アクティブ化を示すとき、ＵＥは、ＣＳＩレポートのトリガインデックスに関連付けられるＳＰ  ＣＳＩレポートを非アクティブ化してもよい。ＵＥは、ＳＰ  ＣＳＩレポートの伝送を停止し、サブフレーム（またはスロット）から始動してもよい。一例で���、サブフレーム（またはスロット）は、ＤＣＩを受信するとき、そのサブフレーム（またはスロット）の後に第１に利用可能なＰＵＳＣＨサブフレーム（またはスロット）であり得る。一例では、サブフレーム（またはスロット）は、ＤＣＩを受信するときのサブフレーム（またはスロット）に対するオフセットであり得る。一例では、オフセットは、ＤＣＩによって示されてもよく、もしくはＲＲＣメッセージによって構成されてもよく、または事前に定義された（または固定された）値であってもよい。一例では、アクティブ化／非アクティブ化インジケータは１ビット以上を有してもよい。アクティブ化／非アクティブ化インジケータは、１ビットを有するとき、ビットが「１」の場合は、ＳＰ  ＣＳＩレポートのアクティブ化を、ビットが「０」の場合は、ＳＰ  ＣＳＩレポートの非アクティブ化を示し得る。
【０２１０】
一例では、基地局は、ＳＰＳ／タイプ２ＧＦ伝送のアクティブ化／非アクティブ化、ＳＰ  ＣＳＩレポートのアクティブ化／非アクティブ化、またはアップリンク伝送もしくはダウンリンク伝送の動的なスケジューリングを示すＤＣＩを、ＵＥへ伝送してもよい。例示的な実施形態によって、効率的な手段でＤＣＩを扱う方法を提供する。
【０２１１】
図３５は、ＳＰ  ＣＳＩレポートで構成される場合にＤＣＩを受信するときの、異なるアクションの例示的な一実施形態を示す。一例では、基地局（例えば、図３５のｇＮＢ）は、ＳＰ  ＣＳＩレポートの構成パラメータを含む少なくとも１つのＲＲＣメッセージを、無線デバイス（例えば、図３５のＵＥ）に伝送し得る。構成パラメータは、第１のＲＮＴＩ、および少なくとも１つ以上のＳＰ  ＣＳＩ報告設定を含んでもよい。少なくとも１つのメッセージはさらに、ＳＰＳ／タイプ２ＧＦ伝送の構成パラメータを含んでもよく、構成パラメータは、第２のＲＮＴＩ、および少なくとも１つ以上のＳＰＳ／タイプ２ＧＦのリソース構成、少なくとも１つの電力制御パラメータのうちの少なくとも１つを含む。一例では、少なくとも１つのメッセージはさらに、少なくとも第３のＲＮＴＩを含んでもよい。少なくとも第３のＲＮＴＩは、ダウンリンクまたはアップリンクの動的なスケジューリングに使用されてもよい。
【０２１２】
一例では、ＵＥは、ＰＤＣＣＨを介してＤＣＩ（例えば、図３５のＤＣＩ）を受信してもよく、ＤＣＩは、ＮＤＩフィールドおよび少なくとも第２のフィールドのうちの少なくとも１つを含み得る。少なくとも第２のフィールドは、ＰＵＳＣＨのＴＰＣ、ＭＣＳフィールド、ＨＡＲＱプロセス番号フィールド、ＲＡフィールド、ＲＶフィールド、ＣＳＩ要求フィールド、第１のダウンリンク割り当てインデックス、第２のダウンリンク割り当てインデックス、アップリンクプリコーディング情報と、存在する場合レイヤの数とを示す第１のパラメータ、アンテナポートを示す第２のパラメータ、および／または存在する場合、ＣＢＧ伝送情報を示す第３のパラメータのうちの少なくとも１つを含んでもよい。一例では、少なくとも第２のフィールドは、ＳＰ  ＣＳＩレポートのトリガインデックス、および／またはＳＰ  ＣＳＩレポートのアクティブ化／非アクティブ化を示すインジケータのうちの少なくとも１つを示す、少なくとも１つのＣＳＩ要求フィールドを含んでもよい。
【０２１３】
一例では、ＤＣＩの受信に応答して、またはその受信後に、ＵＥは、ＣＲＣビットおよび／またはＤＣＩの１つ以上のフィールドに基づいて、ＤＣＩが、ＳＰ  ＣＳＩレポートのアクション（例えば、アクティブ化／非アクティブ化）、もしくはＳＰＳ／タイプ２ＧＦ伝送のアクション（例えば、アクティブ化／非アクティブ化／再伝送）、または他のアクション（例えば、動的なダウンリンク／アップリンク伝送）を示すのかを判定してもよい。
【０２１４】
一例では、ＤＣＩの受信に応答して、またはその受信後に、ＵＥは、ＣＲＣがビットをスクランブルすると判定してもよい。一例では、ＵＥは、受信したＤＣＩ中のＣＲＣスクランブルビットが、少なくともＲＲＣメッセージの中に示される第１のＲＮＴＩである場合、ＳＰ  ＣＳＩ報告に関係するアクションを行ってもよい。一例では、ＵＥは、受信したＤＣＩ中のＣＲＣスクランブルビットが、少なくともＲＲＣメッセージの中に示される第２のＲＮＴＩである場合、ＳＰＳ／タイプ２に関係するアクションを行ってもよい。一例では、ＵＥは、受信したＤＣＩ中のＣＲＣスクランブルビットが、少なくともＲＲＣメッセージの中に示される少なくとも第３のＲＮＴＩである場合、必要なアクション（例えば、動的伝送）を行ってもよい。一例では、ＳＰＳ／タイプ２に関係するアクションを行うとき、ＵＥは、受信したＤＣＩ中のＮＤＩフィールドが、「１」に設定されている場合、ＳＰＳ／タイプ２のアップリンクデータの再伝送を行ってもよい。一例では、ＳＰＳ／タイプ２に関係するアクションを行うとき、ＵＥは、受信したＤＣＩ中のＮＤＩフィールドが、「０」に設定されている場合、ＰＤＣＣＨの検証を行ってもよい。ＵＥは、ＴＰＣフィールド、ＭＣＳフィールドの少なくとも１ビット、ＨＡＲＱプロセス番号フィールド、ＲＡフィールド、および／またはＲＶフィールドのうちの少なくとも１つに基づいて、ＳＰＳ／タイプ２のアップリンク伝送のアクティブ化／非アクティブ化（またはリリース）の検証を判定してもよい。
【０２１５】
一例では、ＵＥは基地局から、半永続的なＣＳＩ（ＳＰ  ＣＳＩ）報告の構成パラメータを含む、少なくとも１つのメッセージを受信してもよく、構成パラメータは、第１のＲＮＴＩ、ならびにＳＰ  ＣＳＩレポート識別子および／または１つ以上のＳＰ  ＣＳＩレポートパラメータのうちの少なくとも１つを含む、少なくとも１つ以上のＳＰ  ＣＳＩ報告設定のうちの少なくとも１つを含む。ＵＥは、ＰＤＣＣＨを介して、ＳＰ  ＣＳＩレポートを示すＳＰ  ＣＳＩレポート識別子、新たなデータの伝送を示す第１のフィールド、ＨＡＲＱプロセス番号を示す第２のフィールド、冗長バージョンを示す第３のフィールド、ＰＵＳＣＨの伝送用の無線リソースを示す第４のフィールド、ＭＣＳインデックスを示す第５のフィールドのうちの少なくとも１つを含む、ＳＰ  ＣＳＩレポートのアクティブ化／非アクティブ化についてのＤＣＩを受信し得る。
【０２１６】
一例では、ＵＥは、第１のＲＮＴＩによってスクランブルされているＤＣＩに対するＣＲＣパリティビット、第２のフィールド、第３のフィールド、第４のフィールド、および／または第５のフィールドのうちの少なくとも１つに応答して、ＳＰ  ＣＳＩレポートのアクティブ化／非アクティブ化についてＰＤＣＣＨを検証してもよい。
【０２１７】
一例では、ＵＥは、第２のフィールドが第１の事前定義された値（例えば、すべて「０」）に設定され、第３のフィールドが第２の事前定義された値（例えば、「００」）に設定される場合、ＳＰ  ＣＳＩレポートのアクティブ化についての検証が達成されると判定し得る。ＵＥは、ＳＰ  ＣＳＩレポートのアクティブ化を示すＤＣＩに対して達成されている検証に応答して、ＳＰ  ＣＳＩレポート識別子に関連付けられるＳＰ  ＣＳＩレポートを伝送してもよい。
【０２１８】
一例では、ＵＥは、第２のフィールドが第１の事前定義された値に設定され、第３のフィールドが第２の事前定義された値に設定され、第４のフィールドが第３の事前定義された値（例えば、すべて「０」、すべて「１」、または同様のもの）に設定され、第５のフィールドが第４の事前定義された値（例えば、すべて「１」）に設定される場合、ＳＰ  ＣＳＩレポートの非アクティブ化についての検証が達成されると判定し得る。ＵＥは、ＳＰ  ＣＳレポートの非アクティブ化を示すＤＣＩに対して達成されている検証に応答して、ＳＰ  ＣＳＩレポート識別子に関連付けられるＳＰ  ＣＳＩレポートの伝送を停止してもよい。
【０２１９】
一例では、１つ以上のレポートパラメータは、ＣＳＩレポート周期性、ＣＳＩタイプ、１つ以上のＲＳ構成を少なくとも含み得る。
【０２２０】
一例では、第１のＲＮＴＩは、少なくとも構成されたスケジューリングに対するＲＮＴＩ（例えば、ＣＳ−ＲＮＴＩ）、半永続的なスケジューリングに対するＲＮＴＩ（例えば、ＳＰＳ  Ｃ−ＲＮＴＩ）、および／または動的なスケジューリングに対するＲＮＴＩ（例えば、Ｃ−ＲＮＴＩ）とは異なる。
【０２２１】
一例では、第１のフィールドが１ビットのとき、第１の値は「０」または「１」である。一例では、第２のフィールドが４ビットを有するとき、第２の値は「００００」もしくは「１１１１」、または事前定義された値である。一例では、第３のフィールドが２ビットを有するとき、第３の値は「００」もしくは「１１」、または事前定義された値である。一例では、第４の値は、ビットがすべて「１」に設定される値である。
【０２２２】
一例では、ＵＥは、検証が達成去れない場合、ＤＣＩが不一致ＣＲＣを伴い受信されたと判定し得る。一例では、ＵＥは、不一致ＣＲＣを伴い受信されているＤＣＩに応答して、ＤＣＩをスキップしてもよい。
【０２２３】
ＮＲシステムでは、複数のビームで構成されるとき、ｇＮＢおよび／または無線デバイスは、１つ以上のビーム管理プロシージャを行い得る。例えば、無線デバイスは、ｇＮＢと無線デバイスとの間の１つ以上のビームペアリンクが失敗する場合、ビーム障害回復要求（ＢＦＲ：ｂｅａｍ  ｆａｉｌｕｒｅ  ｒｅｃｏｖｅｒｙ  ｒｅｑｕｅｓｔ）プロシージャを行ってもよい。ＢＦＲプロシージャは、ビーム障害検出および回復プロシージャ、またはビーム障害回復プロシージャと呼ばれてもよい。
【０２２４】
図３６は、ＢＦＲプロシージャの例を示す。無線デバイスは、ＢＦＲパラメータを含む、１つ以上のＲＲＣメッセージを受信してもよい（３６０１）。無線デバイスは、ＢＦＲパラメータのうちの少なくとも１つに従って、少なくとも１つのビーム障害を検出し得る（３６０２）。無線デバイスは、少なくとも１つのビーム障害検出に応答して、第１のタイマを始動し得る。無線デバイスは、少なくとも１つのビーム障害検出に応答して、選択されたビーム３６０３を選択してもよい（３６０３）。無線デバイスは、選択されたビームの選択に応答して、少なくとも第１のＢＦＲ信号をｇＮＢへ伝送してもよい（３６０４）。無線デバイスは、少なくとも第１のＢＦＲ信号の伝送に応答して、応答ウィンドウを始動し得る。一例では、応答ウィンドウは、ｇＮＢによって構成される値を伴うタイマであってもよい。応答ウィンドウが動いているとき、無線デバイスは、第１のコアセットの中のＰＤＣＣＨを監視してもよい（３６０５）。第１のコアセットは、ＢＦＲプロシージャに関連付けられてもよい。一例では、無線デバイスは、少なくとも第１のＢＦＲ信号を伝送する状況で、第１のコアセットの中のＰＤＣＣＨを監視してもよい。無線デバイスは、応答ウィンドウが動いているとき、第１のコアセット３６０６の中のＰＤＣＣＨを介して、第１のＤＣＩを受信し得る（３６０６）。無線デバイスは、応答ウィンドウが満了する前に、第１のコアセットの中のＰＤＣＣＨを介して第１のＤＣＩを受信するとき、ＢＦＲプロシージャの完了に成功した（３６０７）とみなし得る。無線デバイスは、ＢＦＲプロシージャの完了成功に応答して、第１のタイマを停止してもよく、および／または応答ウィンドウを停止してもよい。
【０２２５】
一例では、応答ウィンドウが満了すると、無線デバイスは、ＢＦＲ伝送カウンタをある値（例えば、１）に設定してもよい。一例では、応答ウィンドウが満了するのに応答して、無線デバイスは、第１のタイマが満了する前に、ＢＦＲ信号伝送、応答ウィンドウの始動、ＰＤＣＣＨの監視、応答ウィンドウの満了に応答した、ＢＦＲ伝送カウンタのインクリメント（例えば、１ずつ）のうちの少なくとも１つを含む、１つ以上のアクションを行ってもよい。一例では、無線デバイスは、ＢＦＲプロシージャの完了が成功するまで、もしくは第１のタイマが満了するまで、またはＢＦＲ伝送カウンタが、構成された伝送番号以上の値を示すまで、１つ以上のアクションを繰り返してもよい。
【０２２６】
一例では、第１のタイマが満了し、無線デバイスがＤＣＩを受信しないと、無線デバイスは、ＢＦＲプロシージャ障害３６０８を宣言し（または示し）得る。一例では、ＢＦＲ信号の伝送番号が、構成された伝送番号より大きいとき、無線デバイスは、ＢＦＲプロシージャ障害を宣言し（または示し）得る。
【０２２７】
一例では、無線デバイスは、ビーム障害回復のための第１のランダムアクセスプロシージャに失敗し得る。第１のランダムアクセスプロシージャは、大まかに図１６Ｂに示すように、および／または具体的に図３６に示すように、コンテンションのないランダムアクセスプロシージャであってもよい。無線デバイスは、ビーム障害回復タイマの満了、構成数に到達するプリアンブル伝送のうちの少なくとも１つが原因で、第１のランダムアクセスプロシージャに失敗し得る。
【０２２８】
一例では、既存のビーム障害回復プロシージャは、独立したまたは別個の２つのランダムアクセスプロシージャ、ビーム障害回復のための第１のコンテンションのないランダムアクセスプロシージャ（例えば、図１６Ｂに示すような）、ビーム障害回復のための第２のコンテンションベースのランダムアクセスプロシージャ（例えば、図１６Ａに示すような）を含んでもよい。既存のビーム障害回復プロシージャを実装する無線デバイスは、第１のランダムアクセスプロシージャに失敗すると、第２のランダムアクセスプロシージャを開始してもよい。第１および第２のランダムアクセスプロシージャは独立しているため、無線デバイスは、第２のランダムアクセスプロシージャを開始することによって、プリアンブル伝送カウンタの値を初期値（例えば、１）にリセットし、１つ以上の電力パラメータを初期電力値にリセットし、および／またはプリアンブル伝送カウンタの設定を初期値にして、プリアンブルの伝送を始動してもよい。一例では、プリアンブル伝送カウンタを初期値にリセットすることによって、第２のランダムアクセスプロシージャで、プリアンブル伝送の数が増大し得る。既存のビーム障害回復プロシージャは、非効率的であるか、長時間かかるか、またはバッテリの電力消費を増加させる場合があり、例えば、ランダムアクセスプロシージャによって、ビーム障害回復プロシージャの持続時間が増加し、無線デバイスの電力消費が増大し得る。例示的な実施形態によって、無線デバイスおよび基地局が、ビーム障害回復プロシージャを強化するプロセスを提供する。ビーム障害回復タイマが満了したか、またはプリアンブル伝送番号が構成数に到達した後、無線デバイスがｇＮＢからの応答を受信しないときに、例示的な実施形態によって、ビーム障害回復プロシージャの効率を強化し得る。例示的な実施形態によって、ビーム障害回復プロシージャの持続時間が減少してもよく、バッテリの電力消費が低減し得る。
【０２２９】
図３７は、強化されたビーム障害回復（ＢＦＲ）プロシージャの例示的な一実施形態を示す。一例では、基地局（例えば、図３７のｇＮＢ）は、ＢＦＲプロシージャの１つ以上の構成パラメータを含む１つ以上のＲＲＣメッセージを、無線デバイス（例えば、図３７のＵＥ）に伝送してもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。一例では、第１のコアセットは、周波数領域に複数のＲＢ、時間領域に少なくともシンボルを含んでもよい。
【０２３０】
一例では、ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。
【０２３１】
一例では、ＢＦＲプロシージャの１つ以上の構成パラメータは、ＲＳ（ビーム）の第３のセットに関連付けられる、１つ以上のＰＵＣＣＨまたはスケジューリング要求（ＳＲ）リソースを示してもよい。一例では、１つ以上のＰＵＣＣＨまたはＳＲリソースは、時間アロケーション、周波数アロケーション、巡回シフト、直交カバーコード、および／または空間設定のうちの少なくとも１つを含んでもよい。一例では、ＲＳの第３のセットの各ＲＳは、１つ以上のＰＵＣＣＨ／ＳＲリソースの各々に関連付けられ得る。
【０２３２】
一例では、ＲＳの第１のセットは、１つ以上の第１のＣＳＩ−ＲＳまたは１つ以上の第１のＳＳＢであってもよい。一例では、ＲＳの第２のセットは、１つ以上の第２のＣＳＩ−ＲＳまたは１つ以上の第２のＳＳＢであってもよい。一例では、ＲＳの第３のセットは、１つ以上の第３のＣＳＩ−ＲＳまたは１つ以上の第３のＳＳＢであってもよい。一例では、ＢＦＲ信号は、ＰＲＡＣＨリソースの時間／周波数リソースによって伝送される、ＰＲＡＣＨプリアンブルであってもよい。ＰＲＡＣＨリソースは、候補ビーム選択用のＲＳ（ビーム）の第２のセットに関連付けられる、１つ以上のＰＲＡＣＨリソースより、または１つ以上のコンテンションベースのＰＲＡＣＨリソースより選択され得る。一例では、ＢＦＲ信号は、ＰＵＣＣＨ／ＳＲリソース上を伝送されるＰＵＣＣＨ／ＳＲであってもよい。
【０２３３】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値（例えば、１０ミリ秒、２０ミリ秒、４０ミリ秒、６０ミリ秒、８０ミリ秒、１００ミリ秒、１５０ミリ秒、２００ミリ秒のうちの１つ）、プリアンブル伝送番号（例えば、３、４、５、６、７、８、１０、２０、５０、１００、および２００のうちの１つの値を伴うｐｒｅａｍｂｌｅＴｒａｎｓＭａｘ）、第２のタイマ値（例えば、１スロット、２スロット、４スロット、８スロット、１０スロット、２０スロット、４０スロット、および８０スロットのうちの１つ）ビーム障害回復応答ウィンドウ（例えば、ｂｆｒ−ｒｅｓｐｏｎｓｅ−ｗｉｎｄｏｗ）、および／またはビーム障害インスタンス数（例えば、１、２、３、４、５、６、８、および１０の値を伴うｂｅａｍＦａｉｌｕｒｅＩｎｓｔａｎｃｅＭａｘＣｏｕｎｔ）を含み得る。
【０２３４】
一例では、ＵＥは、ＲＳの第１のセットの少なくとも１つの品質（例えば、ＲＳＲＰまたはＳＩＮＲ）が、第１の閾値より低いとき、１つ以上のビーム障害インスタンスを検出してもよい。１つ以上のビーム障害インスタンスが、ビーム障害インスタンス数（例えば、ｂｅａｍＦａｉｌｕｒｅＩｎｓｔａｎｃｅＭａｘＣｏｕｎｔ）に到達すると、ＵＥは、第１のタイマ値でビーム障害回復タイマ（例えば、図３７に示すようなＢＦＲタイマ）を始動し、ビーム障害回復のためにランダムアクセスプロシージャ（例えば、図３７に示すようなＲＡ）を開始し得る。ランダムアクセスプロシージャは、コンテンションのないランダムアクセスプロシージャから始動してもよい。ランダムアクセスプロシージャの開始には、プリアンブル伝送カウンタ（例えば、図３７に示すようなプリアンブルＴｘカウンタ）を初期値（例えば、１）に設定することを含んでもよい。
【０２３５】
一例では、ＵＥは、第２の閾値に基づいて、ＲＳの第２のセットの少なくとも１つに関連付けられる、少なくとも１つのビームを選択してもよい。一例では、ＵＥは、少なくとも１つのビームに関連付けられる、ＲＳの測定された品質（例えば、ＲＳＲＰまたはＳＩＮＲ）が、第２の閾値より大きいとき、少なくとも１つのビームを選択してもよい。ＵＥは、少なくとも１つのビームに基づいて、ＢＦＲ信号（例えば、図３７に示すような第１のプリアンブル）を選択してもよい。ＵＥは、ＢＦＲ信号をｇＮＢへ（例えば、スロット／サブフレームｎ１で）伝送してもよい。一例では、ＢＦＲ信号は、少なくとも１つのビームに関連付けられるＰＲＡＣＨプリアンブルであってもよい。ＢＦＲ信号とＰＲＡＣＨプリアンブルとの関連は、ＢＦＲプロシージャの１つ以上の構成パラメータで示され得る。一例では、ＢＦＲ信号は、少なくとも１つのビームに関連付けられる、ＰＵＣＣＨ／ＳＲ信号であってもよい。
【０２３６】
一例では、ＢＦＲ信号の伝送に応答して、ＵＥは、ＢＦＲ信号を伝送してからある期間の後（例えば、図３７に示すようなスロット／サブフレームｎ１＋ｋ）、第１のコアセットの中の、ＤＣＩを受信するための第１のＰＤＣＣＨの監視を始動してもよい。ＤＣＩはＢＦＲ信号への応答を含み得る。期間は、固定期間（例えば、４スロット）、またはＲＲＣメッセージによる構成された値であってもよい。ＵＥは、ＢＦＲ信号を伝送してからその期間の後、第２のタイマ値でビーム障害回復応答ウィンドウを始動してもよい。無線デバイスは、ビーム障害回復応答ウィンドウ中、第１のコアセットの中の第１のＰＤＣＣＨを監視し得る。
【０２３７】
一例では、ＵＥは、ビーム障害回復応答ウィンドウ中、第１のコアセットの中の第１のＰＤＣＣＨを介して、ＤＣＩを受信してもよい。無線デバイスは、第１のコアセットの中の第１のＰＤＣＣＨを介したＤＣＩの受信に応答して、ＢＦＲプロシージャを完了した（例えば、成功裏に）とみなし得る。
【０２３８】
一例では、ＵＥは、ビーム障害回復応答ウィンドウ中、第１のコアセットの中の第１のＰＤＣＣＨを介して、ＤＣＩを受信しない場合がある。ビーム障害回復ウィンドウの満了（例えば、スロット／サブフレームｎ１＋ｋ＋ｌで）に応答して、ＵＥは、プリアンブル伝送カウンタをインクリメントさせ（例えば、１ずつ）、第２のＢＦＲ信号（例えば、図３７に示す第２のプリアンブル）を伝送してもよい。ビーム障害回復応答ウィンドウ中にＤＣＩを受信しないのに応答して、ＵＥは、プリアンブルの伝送、ビーム障害回復応答ウィンドウの始動、第１のＰＤＣＣＨの監視、および／またはプリアンブル伝送カウンタのインクリメントのうちの少なくとも１つを含む、１つ以上のアクションを繰り返してもよい。
【０２３９】
一例では、ビーム障害回復タイマは、ビーム障害回復プロシージャ中に満了してもよい。ビーム障害回復タイマの満了に応答して、ＵＥは、プリアンブル伝送カウンタを記憶してもよい（維持するか、またはリセットしない）。ＵＥは、プリアンブル伝送カウンタが、プリアンブル伝送番号（例えば、ｐｒｅａｍｂｌｅＴｒａｎｓＭａｘ）以下の値を示す場合、プリアンブル伝送カウンタを記憶してもよい（維持するか、またはリセットしない）。プリアンブル伝送カウンタを記憶する（または維持する、もしくはリセットしない）ことによって、ＵＥは、ビーム障害回復のためにランダムアクセスプロシージャを続けてもよい。ＵＥは、１つ以上のコンテンションベースのＰＲＡＣＨリソースを使用することによって、ランダムアクセスプロシージャを続けてもよい。
【０２４０】
一例では、ビーム障害回復タイマの満了に応答して、ＵＥは、プリアンブル伝送カウンタを記憶してもよい。ＵＥは、新たなビームおよび／または第３のプリアンブルを選択してもよい。プリアンブル伝送番号（例えば、ｐｒｅａｍｂｌｅＴｒａｎｓＭａｘ）より小さいプリアンブル伝送カウンタに応答して、ＵＥは、第３のプリアンブル（例えば、図３７に示すような第３のプリアンブル）を伝送してもよい。例示的な実施形態では、コンテンションのないランダムアクセスプロシージャが失敗した後にＢＦＲプロシージャを続けること、具体的には、プリアンブル伝送カウンタをリセットしないことによって、既存のＢＦＲプロシージャを改善する。例示的な実施形態によって、コンテンションのないランダムアクセスプロシージャが失敗する前の、ランダムアクセスプロシージャの第１の部分、およびコンテンションのないランダムアクセスプロシージャが失敗した後の、ランダムアクセスプロシージャの第２の部分は、単一のプロシージャとなり、ビーム障害回復を行うとき、ＵＥの効率を向上させ、バッター電力削減をもたらし得る。ビーム障害回復タイマが満了した後、無線デバイスがｇＮＢからの応答を受信しないときに、例示的な実施形態によって、ビーム障害回復プロシージャの効率を強化し得る。例示的な実施形態によって、ビーム障害回復プロシージャの持続時間が減少してもよく、バッテリの電力消費が低減し得る。
【０２４１】
図３８は、強化されたビーム障害回復（ＢＦＲ）プロシージャの例示的な一実施形態を示す。一例では、基地局（例えば、図３８のｇＮＢ）は、ＢＦＲプロシージャの１つ以上の構成パラメータを含む１つ以上のＲＲＣメッセージを、無線デバイス（例えば、図３８のＵＥ）に伝送してもよい。１つ以上のＲＲＣメッセージはさらに、第１のＰＲＡＣＨリソースセット（例えば、図３８の第１のＰＲＡＣＨリソースセット）、および第２のＰＲＡＣＨリソースセット（例えば、図３８の第２のＰＲＡＣＨリソースセット）を含んでもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。一例では、第１のコアセットは、周波数領域に複数のＲＢ、時間領域に少なくともシンボルを含んでもよい。
【０２４２】
一例では、ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、１つ以上のＰＲＡＣＨリソースは、第１のＰＲＡＣＨリソースセットであってもよい。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。１つ以上のコンテンションベースのＰＲＡＣＨリソースは、第２のＰＲＡＣＨリソースセットであってもよい。
【０２４３】
一例では、ＢＦＲ信号は、ＰＲＡＣＨリソースの時間／周波数リソースによって伝送される、ＰＲＡＣＨプリアンブルであってもよい。ＰＲＡＣＨリソースは、候補ビーム選択用のＲＳ（ビーム）の第２のセットに関連付けられる、１つ以上のＰＲＡＣＨリソースより、または１つ以上のコンテンションベースのＰＲＡＣＨリソースより選択され得る。プリアンブルは、第１のＰＲＡＣＨリソースセットまたは第２のＰＲＡＣＨリソースセットより選択され得る。
【０２４４】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値、プリアンブル伝送番号（例えば、ｐｒｅａｍｂｌｅＴｒａｎｓＭａｘ）、ビーム障害回復応答ウィンドウ（例えば、ｂｆｒ−ｒｅｐｏｎｓｅ−ｗｉｎｄｏｗ）の第２のタイマ値、および／またはビーム障害インスタンス数（例えば、ｂｅａｍＦａｉｌｕｒｅＩｎｓｔａｎｃｅＭａｘＣｏｕｎｔ）を含んでもよい。
【０２４５】
一例では、ＵＥは、ＲＳの第１のセットの少なくとも１つの品質（例えば、ＲＳＲＰまたはＳＩＮＲ）が、第１の閾値より低いとき、１つ以上のビーム障害インスタンスを検出してもよい。１つ以上のビーム障害インスタンスが、ビーム障害インスタンス数（例えば、ｂｅａｍＦａｉｌｕｒｅＩｎｓｔａｎｃｅＭａｘＣｏｕｎｔ）に到達すると、ＵＥは、第１のタイマ値でビーム障害回復タイマ（例えば、図３８に示すようなＢＦＲタイマ）を始動し、ビーム障害回復のためにランダムアクセスプロシージャ（例えば、図３８に示すようなＲＡ）を開始し得る。ランダムアクセスプロシージャは、コンテンションのないランダムアクセスプロシージャから始動してもよい。ランダムアクセスプロシージャの開始には、プリアンブル伝送カウンタ（例えば、図３８に示すようなプリアンブルＴｘカウンタ）を初期値（例えば、１）に設定することを含んでもよい。
【０２４６】
一例では、ＵＥは、第２の閾値に基づいて、ＲＳの第２のセットの少なくとも１つに関連付けられる、少なくとも１つのビームを選択してもよい。一例では、ＵＥは、少なくとも１つのビームに関連付けられる、ＲＳの測定された品質（例えば、ＲＳＲＰまたはＳＩＮＲ）が、第２の閾値より大きいとき、少なくとも１つのビームを選択してもよい。ＵＥは、少なくとも１つのビームに基づいて、第１のＰＲＡＣＨリソースセットより、第１のプリアンブル（例えば、図３８に示すような第１のプリアンブル）を選択してもよい。ＵＥは、第１のプリアンブルをｇＮＢへ（例えば、スロット／サブフレームｎ１で）伝送してもよい。一例では、第１のプリアンブルは、少なくとも１つのビームに関連付けられるＰＲＡＣＨプリアンブルであってもよい。第１のプリアンブルとＰＲＡＣＨプリアンブルとの関連は、ＢＦＲプロシージャの１つ以上の構成パラメータで示され得る。
【０２４７】
一例では、第１のプリアンブルの伝送に応答して、ＵＥは、第１のプリアンブルを伝送してからある期間の後（例えば、図３８に示すようなスロット／サブフレームｎ１＋ｋ）、第１のコアセットの中の、ＤＣＩを受信するための第１のＰＤＣＣＨの監視を始動してもよい。ＤＣＩは第１のプリアンブルへの応答を含み得る。期間は、固定期間（例えば、４スロット）、またはＲＲＣメッセージによる構成された値であってもよい。ＵＥは、第１のプリアンブルを伝送してからその期間の後、第２のタイマ値でビーム障害回復応答ウィンドウを始動してもよい。無線デバイスは、ビーム障害回復応答ウィンドウ中、第１のコアセットの中の第１のＰＤＣＣＨを監視し得る。
【０２４８】
一例では、ＵＥは、ビーム障害回復応答ウィンドウ中、第１のコアセットの中の第１のＰＤＣＣＨを介して、ＤＣＩを受信してもよい。無線デバイスは、第１のコアセットの中の第１のＰＤＣＣＨを介したＤＣＩの受信に応答して、ＢＦＲプロシージャの完了に成功したとみなし得る。
【０２４９】
一例では、ＵＥは、ビーム障害回復応答ウィンドウ中、第１のコアセットの中の第１のＰＤＣＣＨを介して、ＤＣＩを受信しない場合がある。ビーム障害回復ウィンドウの満了（例えば、スロット／サブフレームｎ１＋ｋ＋ｌで）に応答して、ＵＥは、プリアンブル伝送カウンタをインクリメント（例えば、１ずつ）させてもよい。ＵＥは、第１のＰＲＡＣＨリソースセットより、第２のプリアンブル（例えば、図３８に示すような第２のプリアンブル）を選択してもよい。ＵＥは、第２のプリアンブルの選択に応答して、第２のプリアンブルを伝送してもよい。第２のプリアンブルの選択は、第１のプリアンブル選択と同じように、第１の閾値に基づく。ビーム障害回復応答ウィンドウ中にＤＣＩを受信しないのに応答して、ＵＥは、プリアンブルの伝送、ビーム障害回復応答ウィンドウの始動、第１のＰＤＣＣＨの監視、および／またはプリアンブル伝送カウンタのインクリメントのうちの少なくとも１つを含む、１つ以上のアクションを繰り返してもよい。
【０２５０】
一例では、ビーム障害回復タイマは、ビーム障害回復プロシージャ中に満了してもよい。ビーム障害回復タイマの満了に応答して、ＵＥは、プリアンブル伝送カウンタを記憶してもよい（維持するか、またはリセットしない）。プリアンブル伝送カウンタを記憶する（または維持する、もしくはリセットしない）ことによって、ＵＥは、ビーム障害回復のためにランダムアクセスプロシージャを続けてもよい。ＵＥは、第２のＰＲＡＣＨリソースセットを使用することによって、ランダムアクセスプロシージャを続けてもよい。第２のＰＲＡＣＨリソースセットは、コンテンションベースのプリアンブルおよびＲＡＣＨリソースセットであり得る。
【０２５１】
一例では、ビーム障害回復タイマの満了に応答して、ＵＥは、プリアンブル伝送カウンタを記憶してもよい。ＵＥは、第２のＰＲＡＣＨリソースセットより、第３のプリアンブル（例えば、図３８に示すような第３のプリアンブル）を選択してもよい。プリアンブル伝送番号（例えば、ｐｒｅａｍｂｌｅＴｒａｎｓＭａｘ）より小さいプリアンブル伝送カウンタ、および第３のプリアンブルの選択に応答して、ＵＥは、第３のプリアンブルを伝送してもよい。例示的な実施形態では、コンテンションのないランダムアクセスプロシージャが失敗した後にＢＦＲプロシージャを続けること、具体的には、プリアンブル伝送カウンタをリセットしないことによって、既存のＢＦＲプロシージャを改善する。例示的な実施形態によって、コンテンションのないランダムアクセスプロシージャが失敗する（例えば、ビーム障害回復タイマの満了のため）前後のランダムアクセスプロシージャは、単一のプロシージャとなり、ビーム障害回復を行うとき、ＵＥの効率を向上させ、バッター電力削減をもたらし得る。ビーム障害回復タイマが満了した後、無線デバイスがｇＮＢからの応答を受信しないときに、例示的な実施形態によって、ビーム障害回復プロシージャの効率を強化し得る。例示的な実施形態によって、ビーム障害回復プロシージャの持続時間が減少してもよく、バッテリの電力消費が低減し得る。
【０２５２】
一例では、無線デバイスは、いくつかのビーム障害インスタンス（例えば、連続する）が検出されると、ＢＦＲプロシージャをトリガしてもよい。ビーム障害インスタンスは、ビームペアリンクの品質が、構成された閾値より低いときに発生し得る。例えば、ビーム障害インスタンスは、ビームペアリンクのＲＳＲＰ値またはＳＩＮＲ値が、第１の閾値より低い、またはビームペアリンクのＢＬＥＲ（ブロック誤り率）が、第２の閾値より高いときに発生し得る。散発的なビーム障害インスタンスによる、ＢＦＲプロシージャのトリガによって、無線デバイスの電力消費が増加し得る。例示的な実施形態によって、ＢＦＲプロシージャをトリガする方法およびシステムを提供する。
【０２５３】
図３９は、強化されたビーム障害回復プロシージャの例示的な一実施形態を示す。一例では、基地局（例えば、図３９のｇＮＢ）は、ＢＦＲプロシージャの１つ以上の構成パラメータを含む１つ以上のＲＲＣメッセージを、無線デバイス（例えば、図３９のＵＥ）に伝送してもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。
【０２５４】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値、プリアンブル伝送番号（例えば、ｐｒｅａｍｂｌｅＴｒａｎｓＭａｘ）、ビーム障害回復応答ウィンドウ（例えば、ｂｆｒ−ｒｅｐｏｎｓｅ−ｗｉｎｄｏｗ）の第２のタイマ値、ビーム障害インスタンス数（例えば、ｂｅａｍＦａｉｌｕｒｅＩｎｓｔａｎｃｅＭａｘＣｏｕｎｔ）、ビーム障害検出タイマ（例えば、ｂｅａｍＦａｉｌｕｒｅＤｅｔｅｃｔｉｏｎＴｉｍｅｒ）の第３のタイマ値、および／またはビーム障害インスタンス表示の周期性を含んでもよい。
【０２５５】
一例では、無線デバイスの物理レイヤ（例えば、図３９のＵＥの物理レイヤ）で、ＲＳの第１のセットを測定してもよい。物理レイヤは、第１の閾値に基づいて、無線デバイスの上位レイヤ（例えば、図３９に示すようなＭＡＣレイヤまたはレイヤ３）へ周期的に、１つ以上のビーム障害インスタンス（例えば、図３９に示すようなビーム障害インスタンス表示）または１つ以上のビーム無障害インスタンスを示してもよい。一例では、物理レイヤは、ＲＳの第１のセットの少なくとも１つの測定された品質（例えば、ＲＳＲＰまたはＳＩＮＲ）が、第１の閾値より低いとき、ビーム障害インスタンスを示してもよい。一例では、物理レイヤは、ＲＳの第１のセットの少なくとも１つの測定された品質（例えば、仮定のＢＬＥＲ）が、第１の閾値より高いとき、ビーム障害インスタンスを示してもよい。一例では、物理レイヤは、ＲＳの第１のセットの少なくとも１つの測定された品質（例えば、ＲＳＲＰまたはＳＩＮＲ）が、第１の閾値以上のとき、ビーム無障害インスタンスを示してもよい。一例では、物理レイヤは、ＲＳの第１のセットの少なくとも１つの測定された品質（例えば、仮定のＢＬＥＲ）が、第１の閾値より低いとき、ビーム無障害インスタンスを示してもよい。一例では、表示の周期性は、ｇＮＢによって構成される値であってもよく、またはＲＳの第１のセットの伝送の周期性と同じであってもよい。
【０２５６】
一例では、無線デバイスのＭＡＣエンティティは、物理レイヤからの第１のビーム障害表示の受信に応答して、ビーム障害インスタンスカウンタをある値（例えば、１）に設定してもよい。一例では、連続する第２のビーム障害表示を受信すると、ＭＡＣエンティティは、ビーム障害インスタンスカウンタをインクリメント（例えば、１ずつ）させてもよい。一例では、第３のビーム無障害表示を受信すると、ＭＡＣエンティティは、ビーム障害インスタンスカウンタを（例えば、ゼロに）リセットしてもよい。
【０２５７】
一例では、物理レイヤから第１のビーム障害表示を受信すると、ＭＡＣエンティティは、第３のタイマ値でビーム障害検出タイマ（例えば、ｂｅａｍＦａｉｌｕｒｅＤｅｔｅｃｔｉｏｎＴｉｍｅｒ）を始動してもよい。物理レイヤから第２のビーム無障害表示を受信すると、ＭＡＣエンティティは、ビーム障害検出タイマを再始動してもよい。ビーム障害検出タイマが満了し、ビーム障害インスタンスカウンタが、ビーム障害インスタンス数より小さい値を示すとき、ＭＡＣエンティティは、ＢＦＲプロシージャをトリガしなくてもよい。一例では、ＭＡＣエンティティは、ビーム障害検出タイマが満了し、および／またはビーム障害インスタンスカウンタが、ビーム障害インスタンス数より小さい値を示すとき、ビーム障害インスタンスカウンタをリセットしてもよい（例えば、０）。一例では、ＭＡＣエンティティは、ビーム障害検出タイマが満了し、および／またはビーム障害インスタンスカウンタが、ビーム障害インスタンス数より小さい値を示すとき、ビーム障害検出タイマを第３のタイマ値にリセットしてもよい。
【０２５８】
一例では、図３９に示すように、ビーム障害インスタンスカウンタが、ビーム障害インスタンス数以上の値を示すか、またはＭＡＣエンティティによって受信されるビーム障害表示（例えば、連続する）が、ビーム障害インスタンス数に到達するとき、無線デバイスのＭＡＣエンティティは、ＢＦＲプロシージャをトリガしてもよい。無線デバイスは、ＢＦＲプロシージャ（図３９に示すような）を開始してもよい。
【０２５９】
一例では、ビーム障害インスタンスカウンタが、ビーム障害インスタンス数以上の値を示すのに応答して、無線デバイスのＭＡＣエンティティは、ＢＦＲプロシージャをトリガするとき、物理レイヤに、ビーム障害インスタンス表示を停止することを示してもよい。ＵＥの物理レイヤに、ビーム障害インスタンス表示の停止を示すことによって、ＢＦＲプロシージャが進行中のときの、ＵＥのバッター電力を節減し得る。
【０２６０】
図４０は、強化されたビーム障害回復プロシージャの例示的な一実施形態を示す。一例では、基地局（例えば、図４０のｇＮＢ）は、ＢＦＲプロシージャの１つ以上の構成パラメータを含む１つ以上のＲＲＣメッセージを、無線デバイス（例えば、図４０のＵＥ）に伝送してもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。
【０２６１】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値、プリアンブル伝送番号（例えば、ＰｒｅａｍｂｌｅＴｒａｎｓＭａｘ）、ビーム障害回復応答ウィンドウ（例えば、ｂｆｒ−ｒｅｐｏｎｓｅ−ｗｉｎｄｏｗ）の第２のタイマ値、ビーム障害インスタンス数（例えば、ｂｅａｍＦａｉｌｕｒｅＩｎｓｔａｎｃｅＭａｘＣｏｕｎｔ）、ビーム障害検出タイマ（例えば、ｂｅａｍＦａｉｌｕｒｅＤｅｔｅｃｔｉｏｎＴｉｍｅｒ）の第３のタイマ値、および／またはビーム障害インスタンス表示の周期性を含んでもよい。
【０２６２】
一例では、無線デバイスの物理レイヤ（例えば、図４０のＵＥの物理レイヤ）は、ＲＳの第１のセットを測定してもよい。物理レイヤは、第１の閾値に基づいて、無線デバイスの上位レイヤ（例えば、図４０に示すようなＭＡＣレイヤまたはレイヤ３）へ周期的に、１つ以上のビーム障害インスタンス（例えば、図４０に示すようなビーム障害インスタンス表示）または１つ以上のビーム無障害インスタンスを示してもよい。一例では、物理レイヤは、ＲＳの第１のセットの少なくとも１つの測定された品質（例えば、ＲＳＲＰまたはＳＩＮＲ）が、第１の閾値より低いとき、ビーム障害インスタンスを示してもよい。一例では、物理レイヤは、ＲＳの第１のセットの少なくとも１つの測定された品質（例えば、仮定のＢＬＥＲ）が、第１の閾値より高いとき、ビーム障害インスタンスを示してもよい。一例では、物理レイヤは、ＲＳの第１のセットの少なくとも１つの測定された品質（例えば、ＲＳＲＰまたはＳＩＮＲ）が、第１の閾値以上のとき、ビーム無障害インスタンスを示してもよい。一例では、物理レイヤは、ＲＳの第１のセットの少なくとも１つの測定された品質（例えば、仮定のＢＬＥＲ）が、第１の閾値より低いとき、ビーム無障害インスタンスを示してもよい。一例では、表示の周期性は、ｇＮＢによって構成される値であってもよく、またはＲＳの第１のセットの伝送の周期性と同じであってもよい。
【０２６３】
一例では、無線デバイスのＭＡＣエンティティは、物理レイヤからの第１のビーム障害表示の受信に応答して、ビーム障害インスタンスカウンタをある値（例えば、１）に設定してもよい。一例では、連続する第２のビーム障害表示を受信すると、ＭＡＣエンティティは、ビーム障害インスタンスカウンタをインクリメント（例えば、１ずつ）させてもよい。一例では、第３のビーム無障害表示を受信すると、ＭＡＣエンティティは、ビーム障害インスタンスカウンタを（例えば、ゼロに）リセットしてもよい。
【０２６４】
一例では、物理レイヤから第１のビーム障害表示を受信すると、ＭＡＣエンティティは、第３のタイマ値でビーム障害検出タイマ（例えば、ｂｅａｍＦａｉｌｕｒｅＤｅｔｅｃｔｉｏｎＴｉｍｅｒ）を始動してもよい。物理レイヤから第２のビーム無障害表示を受信すると、ＭＡＣエンティティは、ビーム障害検出タイマを再始動してもよい。ビーム障害検出タイマが満了し、ビーム障害インスタンスカウンタが、ビーム障害インスタンス数より小さい値を示すとき、ＭＡＣエンティティは、ＢＦＲプロシージャをトリガしなくてもよい。一例では、ＭＡＣエンティティは、ビーム障害検出タイマが満了し、および／またはビーム障害インスタンスカウンタが、ビーム障害インスタンス数より小さい値を示すとき、ビーム障害インスタンスカウンタをリセットしてもよい（例えば、０）。一例では、ＭＡＣエンティティは、ビーム障害検出タイマが満了し、および／またはビーム障害インスタンスカウンタが、ビーム障害インスタンス数より小さい値を示すとき、ビーム障害検出タイマをリセットしてもよい。
【０２６５】
一例では、図４０に示すように、ビーム障害インスタンスカウンタが、ビーム障害インスタンス数以上の値を示すか、またはＭＡＣエンティティによって受信されるビーム障害表示（例えば、連続する）が、ビーム障害インスタンス数に到達するとき、無線デバイスのＭＡＣエンティティは、ＢＦＲプロシージャをトリガしてもよい。無線デバイスは、ＢＦＲプロシージャ（図４０に示すような）を開始してもよい。
【０２６６】
一例では、ビーム障害インスタンス数以上の値を示すビーム障害インスタンスカウンタに応答して、トリガされたＢＦＲプロシージャが進行中のときに、無線デバイスのＭＡＣエンティティは、ビーム障害インスタンスカウンタを（例えば、ゼロに）リセットし、ビーム障害検出タイマをリセットし、および／または周期的なビーム障害インスタンス表示を無視してもよい。例示的な実施形態によって、ビーム障害回復プロシージャを行うときの、電力消費、時間遅延、またはアップリンク干渉を改善し得る。
【０２６７】
図４１は、強化されたビーム障害回復プロシージャの例示的な一実施形態を示す。一例では、基地局（例えば、図４１のｇＮＢ）は、ＢＦＲプロシージャの１つ以上の構成パラメータを含む１つ以上のＲＲＣメッセージを、無線デバイス（例えば、図４１のＵＥ）に伝送してもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。一例では、第１のコアセットは、周波数領域に複数のＲＢ、時間領域に少なくともシンボルを含んでもよい。
【０２６８】
一例では、ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。
【０２６９】
一例では、ＢＦＲプロシージャの１つ以上の構成パラメータは、ＲＳ（ビーム）の第３のセットに関連付けられる、１つ以上のＰＵＣＣＨまたはスケジューリング要求（ＳＲ）リソースを示してもよい。一例では、１つ以上のＰＵＣＣＨまたはＳＲリソースは、時間アロケーション、周波数アロケーション、巡回シフト、直交カバーコード、および／または空間設定のうちの少なくとも１つを含んでもよい。一例では、ＲＳの第３のセットの各ＲＳは、１つ以上のＰＵＣＣＨ／ＳＲリソースの各々に関連付けられ得る。
【０２７０】
一例では、ＲＳの第１のセットは、１つ以上の第１のＣＳＩ−ＲＳまたは１つ以上の第１のＳＳＢであってもよい。一例では、ＲＳの第２のセットは、１つ以上の第２のＣＳＩ−ＲＳまたは１つ以上の第２のＳＳＢであってもよい。一例では、ＲＳの第３のセットは、１つ以上の第３のＣＳＩ−ＲＳまたは１つ以上の第３のＳＳＢであってもよい。一例では、ＢＦＲ信号は、ＰＲＡＣＨリソースの時間／周波数リソースによって伝送される、ＰＲＡＣＨプリアンブルであってもよい。ＰＲＡＣＨリソースは、候補ビーム選択用のＲＳ（ビーム）の第２のセットに関連付けられる、１つ以上のＰＲＡＣＨリソースより、または１つ以上のコンテンションベースのＰＲＡＣＨリソースより選択され得る。一例では、ＢＦＲ信号は、ＰＵＣＣＨ／ＳＲリソース上を伝送されるＰＵＣＣＨ／ＳＲであってもよい。
【０２７１】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値、プリアンブル伝送番号（例えば、ｐｒｅａｍｂｌｅＴｒａｎｓＭａｘ）、ビーム障害回復応答ウィンドウ（例えば、ｂｆｒ−ｒｅｐｏｎｓｅ−ｗｉｎｄｏｗ）の第２のタイマ値、および／またはビーム障害インスタンス数（例えば、ｂｅａｍＦａｉｌｕｒｅＩｎｓｔａｎｃｅＭａｘＣｏｕｎｔ）を含んでもよい。
【０２７２】
一例では、ＵＥは、ＲＳの第１のセットの少なくとも１つの品質（例えば、ＲＳＲＰまたはＳＩＮＲ）が、第１の閾値より低いとき、１つ以上のビーム障害インスタンスを検出してもよい。１つ以上のビーム障害インスタンスが、ビーム障害インスタンス数（例えば、ｂｅａｍＦａｉｌｕｒｅＩｎｓｔａｎｃｅＭａｘＣｏｕｎｔ）に到達すると、ＵＥは、第１のタイマ値でビーム障害回復タイマ（例えば、図４１に示すようなＢＦＲタイマ）を始動し、ビーム障害回復のためにランダムアクセスプロシージャ（例えば、図４１に示すようなＲＡ）を開始し得る。ランダムアクセスプロシージャは、コンテンションのないランダムアクセスプロシージャから始動してもよい。ランダムアクセスプロシージャの開始には、プリアンブル伝送カウンタ（例えば、図４１に示すようなプリアンブルＴｘカウンタ）を初期値（例えば、１）に設定することを含んでもよい。
【０２７３】
一例では、ＵＥは、ビーム障害回復タイマが動いているときに、ＢＦＲのためにコンテンションのないランダムアクセスプロシージャを行ってもよい。一例では、ＵＥは、第２の閾値に基づいて、ＲＳの第２のセットの少なくとも１つに関連付けられる、少なくとも１つのビームを選択してもよい。一例では、ＵＥは、少なくとも１つのビームに関連付けられる、ＲＳの測定された品質（例えば、ＲＳＲＰまたはＳＩＮＲ）が、第２の閾値より大きいとき、少なくとも１つのビームを選択してもよい。ＵＥは、少なくとも１つのビームに基づいて、ＢＦＲ信号（例えば、図４１に示すような第ｎ番目のプリアンブル）を選択してもよい。ＵＥは、ＢＦＲ信号をｇＮＢへ伝送してもよい。
【０２７４】
一例では、ＢＦＲ信号の伝送に応答して、ＵＥは、第１のコアセットの中の、ＤＣＩを受信するための第１のＰＤＣＣＨの監視を始動してもよい。ＵＥは、ＢＦＲ信号を伝送してからある期間の後、第２のタイマ値でビーム障害回復応答ウィンドウを始動してもよい。無線デバイスは、ビーム障害回復応答ウィンドウ中、第１のコアセットの中の第１のＰＤＣＣＨを監視し得る。
【０２７５】
一例では、ＵＥは、ビーム障害回復応答ウィンドウ中、第１のコアセットの中の第１のＰＤＣＣＨを介して、ＤＣＩを受信しない場合がある。ビーム障害回復ウィンドウの満了に応答して、ＵＥは、プリアンブル伝送カウンタをインクリメントさせ（例えば、１ずつ）、第２のＢＦＲ信号（例えば、図４１に示すような第（ｎ＋１）番目のプリアンブル）を伝送してもよい。ビーム障害回復応答ウィンドウ中にＤＣＩを受信しないのに応答して、ＵＥは、プリアンブルの伝送、ビーム障害回復応答ウィンドウの始動、第１のＰＤＣＣＨの監視、および／またはプリアンブル伝送カウンタのインクリメントのうちの少なくとも１つを含む、１つ以上のアクションを繰り返してもよい。
【０２７６】
一例では、ビーム障害回復タイマは、ビーム障害回復プロシージャ中に満了してもよい。ビーム障害回復タイマの満了に応答して、ＵＥは、プリアンブル伝送カウンタを記憶してもよい（維持するか、またはリセットしない）。プリアンブル伝送カウンタを記憶する（または維持する、もしくはリセットしない）ことによって、ＵＥは、ビーム障害回復のためにランダムアクセスプロシージャを続けてもよい。ＵＥは、１つ以上のコンテンションベースのＰＲＡＣＨリソースを使用することによって、ランダムアクセスプロシージャを続けてもよい。
【０２７７】
一例では、ビーム障害回復タイマの満了に応答して、ＵＥは、プリアンブル伝送カウンタを記憶してもよい。ＵＥは、新たなビームおよび／または第３のプリアンブル（例えば、図４１に示すような第（ｎ＋２）番目のプリアンブル）を選択してもよい。プリアンブル伝送番号（例えば、ｐｒｅａｍｂｌｅＴｒａｎｓＭａｘ）より小さいプリアンブル伝送カウンタに応答して、ＵＥは第３のプリアンブルを伝送してもよい。第３のプリアンブルの伝送に応答して、ＵＥは、応答ウィンドウ中、第３のプリアンブルへの応答のために、第２のＰＤＣＣＨを監視してもよい。ＵＥは、応答ウィンドウ中、第３のプリアンブルへの応答を受信しなくてもよい。応答を受信しないのに応じて、ＵＥは、プリアンブル伝送カウンタをインクリメントさせ、および／または第４のプリアンブル（例えば、図４１に示すような第（ｎ＋３）番目のプリアンブル）を選択してもよい。ＵＥは、プリアンブル伝送番号（例えば、ｐｒｅａｍｂｌｅＴｒａｎｓＭａｘ）より小さいプリアンブル伝送カウンタに応答して、第４のプリアンブルを伝送してもよい。例示的な実施形態では、コンテンションのないランダムアクセスプロシージャが失敗した後にＢＦＲプロシージャを続けること、具体的には、例えば、新たなランダムアクセスプロシージャを開始するまで、プリアンブル伝送カウンタをリセットしないことによって、既存のＢＦＲプロシージャを改善する。例示的な実施形態によって、コンテンションのないランダムアクセスプロシージャが失敗する（例えば、ビーム障害回復タイマの満了のため）前後のランダムアクセスプロシージャは、単一のプロシージャとなり、ビーム障害回復を行うとき、ＵＥの効率を向上させ、バッター電力削減をもたらし得る。ビーム障害回復タイマが満了した後、無線デバイスがｇＮＢからの応答を受信しないときに、例示的な実施形態によって、ビーム障害回復プロシージャの効率を強化し得る。例示的な実施形態によって、ビーム障害回復プロシージャの持続時間が減少してもよく、バッテリの電力消費が低減し得る。
【０２７８】
図４２は、強化されたビーム障害回復プロシージャの例示的な一実施形態を示す。一例では、基地局（例えば、図４２のｇＮＢ）は、ＢＦＲプロシージャの１つ以上の構成パラメータを含む１つ以上のＲＲＣメッセージを、無線デバイス（例えば、図４２のＵＥ）に伝送してもよい。ＢＦＲプロシージャの１つ以上の構成パラメータは、第１の閾値、第２の閾値、および／またはＢＦＲプロシージャに関連付けられる第１の制御リソースセット（例えば、コアセット）を含んでもよい。一例では、第１のコアセットは、周波数領域に複数のＲＢ、時間領域に少なくともシンボルを含んでもよい。
【０２７９】
一例では、ＢＦＲプロシージャの１つ以上の構成パラメータは、ビーム障害検出用のＲＳの第１のセット、および／または候補ビーム選択用のＲＳ（ビーム）の第２のセットに関連付けられる、１つ以上のＰＲＡＣＨリソースを示してもよい。一例では、１つ以上のＰＲＡＣＨリソースは、１つ以上のプリアンブル、および／または１つ以上の時間／周波数リソースのうちの少なくとも１つを含み得る。一例では、ＲＳの第２のセットの各ＲＳは、１つ以上のＰＲＡＣＨリソースのうちの１つのプリアンブル、タイマリソース、および／または周波数リソースに関連付けられ得る。一例では、１つ以上のＲＲＣメッセージはさらに、１つ以上のコンテンションベースのＰＲＡＣＨリソースの構成パラメータを含んでもよい。
【０２８０】
一例では、ＢＦＲプロシージャの１つ以上の構成パラメータは、ＲＳ（ビーム）の第３のセットに関連付けられる、１つ以上のＰＵＣＣＨまたはスケジューリング要求（ＳＲ）リソースを示してもよい。一例では、１つ以上のＰＵＣＣＨまたはＳＲリソースは、時間アロケーション、周波数アロケーション、巡回シフト、直交カバーコード、および／または空間設定のうちの少なくとも１つを含んでもよい。一例では、ＲＳの第３のセットの各ＲＳは、１つ以上のＰＵＣＣＨ／ＳＲリソースの各々に関連付けられ得る。
【０２８１】
一例では、ＲＳの第１のセットは、１つ以上の第１のＣＳＩ−ＲＳまたは１つ以上の第１のＳＳＢであってもよい。一例では、ＲＳの第２のセットは、１つ以上の第２のＣＳＩ−ＲＳまたは１つ以上の第２のＳＳＢであってもよい。一例では、ＲＳの第３のセットは、１つ以上の第３のＣＳＩ−ＲＳまたは１つ以上の第３のＳＳＢであってもよい。一例では、ＢＦＲ信号は、ＰＲＡＣＨリソースの時間／周波数リソースによって伝送される、ＰＲＡＣＨプリアンブルであってもよい。ＰＲＡＣＨリソースは、候補ビーム選択用のＲＳ（ビーム）の第２のセットに関連付けられる、１つ以上のＰＲＡＣＨリソースより、または１つ以上のコンテンションベースのＰＲＡＣＨリソースより選択され得る。一例では、ＢＦＲ信号は、ＰＵＣＣＨ／ＳＲリソース上を伝送されるＰＵＣＣＨ／ＳＲであってもよい。
【０２８２】
一例では、ＢＦＲプロシージャの１つ以上の構成パラメータはさらに、ビーム障害回復タイマ（例えば、ｂｅａｍＦａｉｌｕｒｅＲｅｃｏｖｅｒｙＴｉｍｅｒ）の第１のタイマ値、プリアンブル伝送番号（例えば、ｐｒｅａｍｂｌｅＴｒａｎｓＭａｘ）、ビーム障害回復応答ウィンドウ（例えば、ｂｆｒ−ｒｅｐｏｎｓｅ−ｗｉｎｄｏｗ）の第２のタイマ値、および／またはビーム障害インスタンス数（例えば、ｂｅａｍＦａｉｌｕｒｅＩｎｓｔａｎｃｅＭａｘＣｏｕｎｔ）を含んでもよい。
【０２８３】
一例では、ＵＥは、ＲＳの第１のセットの少なくとも１つの品質（例えば、ＲＳＲＰまたはＳＩＮＲ）が、第１の閾値より低いとき、１つ以上のビーム障害インスタンスを検出してもよい。１つ以上のビーム障害インスタンスが、ビーム障害インスタンス数（例えば、ｂｅａｍＦａｉｌｕｒｅＩｎｓｔａｎｃｅＭａｘＣｏｕｎｔ）に到達すると、ＵＥは、第１のタイマ値でビーム障害回復タイマ（例えば、図４２に示すようなＢＦＲタイマ）を始動し、ビーム障害回復のためにランダムアクセスプロシージャ（例えば、図４２に示すようなＲＡ）を開始し得る。ランダムアクセスプロシージャは、コンテンションのないランダムアクセスプロシージャから始動してもよい。ランダムアクセスプロシージャの開始には、プリアンブル伝送カウンタ（例えば、図４２に示すようなプリアンブルＴｘカウンタ）を初期値（例えば、１）に設定することを含んでもよい。
【０２８４】
一例では、ＵＥは、ビーム障害回復タイマが動いているときに、ＢＦＲのためにコンテンションのないランダムアクセスプロシージャを行ってもよい。一例では、ＵＥは、第２の閾値に基づいて、ＲＳの第２のセットの少なくとも１つに関連付けられる、少なくとも１つのビームを選択してもよい。一例では、ＵＥは、少なくとも１つのビームに関連付けられる、ＲＳの測定された品質（例えば、ＲＳＲＰまたはＳＩＮＲ）が、第２の閾値より大きいとき、少なくとも１つのビームを選択してもよい。ＵＥは、少なくとも１つのビームに基づいて、ＢＦＲ信号（例えば、図４２に示すような第ｎ番目のプリアンブル）を選択してもよい。ＵＥは、ＢＦＲ信号をｇＮＢへ伝送してもよい。
【０２８５】
一例では、ＢＦＲ信号の伝送に応答して、ＵＥは、第１のコアセットの中の、ＤＣＩを受信するための第１のＰＤＣＣＨの監視を始動してもよい。ＵＥは、ＢＦＲ信号を伝送してからある期間の後、第２のタイマ値でビーム障害回復応答ウィンドウを始動してもよい。無線デバイスは、ビーム障害回復応答ウィンドウ中、第１のコアセットの中の第１のＰＤＣＣＨを監視し得る。
【０２８６】
一例では、ＵＥは、ビーム障害回復応答ウィンドウ中、第１のコアセットの中の第１のＰＤＣＣＨを介して、ＤＣＩを受信しない場合がある。ビーム障害回復ウィンドウの満了に応答して、ＵＥは、プリアンブル伝送カウンタをインクリメントさせ（例えば、１ずつ）、第２のＢＦＲ信号（例えば、図４２に示すような第（ｎ＋１）番目のプリアンブル）を伝送してもよい。ビーム障害回復応答ウィンドウ中にＤＣＩを受信しないのに応答して、ＵＥは、プリアンブルの伝送、ビーム障害回復応答ウィンドウの始動、第１のＰＤＣＣＨの監視、および／またはプリアンブル伝送カウンタのインクリメントのうちの少なくとも１つを含む、１つ以上のアクションを繰り返してもよい。
【０２８７】
一例では、ビーム障害回復タイマは、ビーム障害回復プロシージャ中に満了してもよい。ビーム障害回復タイマの満了に応答して、ＵＥは、プリアンブル伝送カウンタを記憶してもよい（維持するか、またはリセットしない）。プリアンブル伝送カウンタを記憶する（または維持する、もしくはリセットしない）ことによって、ＵＥは、ビーム障害回復のためにランダムアクセスプロシージャを続けてもよい。ＵＥは、１つ以上のコンテンションベースのＰＲＡＣＨリソースを使用することによって、ランダムアクセスプロシージャを続けてもよい。
【０２８８】
一例では、ビーム障害回復タイマの満了に応答して、ＵＥは、プリアンブル伝送カウンタを記憶してもよい。ＵＥは、新たなビームおよび／または第３のプリアンブル（例えば、図４２に示すような第（ｎ＋２）番目のプリアンブル）を選択してもよい。プリアンブル伝送番号（例えば、ｐｒｅａｍｂｌｅＴｒａｎｓＭａｘ）より小さいプリアンブル伝送カウンタに応答して、ＵＥは第３のプリアンブルを伝送してもよい。第３のプリアンブルの伝送に応答して、ＵＥは、応答ウィンドウ中、第３のプリアンブルへの応答のために、第２のＰＤＣＣＨを監視してもよい。ＵＥは、応答ウィンドウ中、第３のプリアンブルへの応答を受信しなくてもよい。
【０２８９】
一例では、応答ウィンドウ中に応答を受信しないのに応じて、ＵＥは、プリアンブル伝送カウンタをインクリメントさせてもよい。プリアンブル伝送カウンタは、プリアンブル伝送番号（例えば、ｐｒｅａｍｂｌｅＴｒａｎｓＭａｘ）プラス１に等しい値を示してもよい。プリアンブル伝送番号（例えば、ｐｒｅａｍｂｌｅＴｒａｎｓＭａｘ）プラス１に等しい値を示すプリアンブル伝送カウンタに応答して、ＵＥは、ＢＦＲプロシージャを完了してもよい。例示的な実施形態では、コンテンションのないランダムアクセスプロシージャが失敗した後にＢＦＲプロシージャを続けること、具体的には、例えば、新たなランダムアクセスプロシージャを開始するまで、プリアンブル伝送カウンタをリセットしないことによって、既存のＢＦＲプロシージャを改善する。例示的な実施形態によって、コンテンションのないランダムアクセスプロシージャが失敗する（例えば、ビーム障害回復タイマの満了のため）前後のランダムアクセスプロシージャは、単一のプロシージャとなり、ビーム障害回復を行うとき、ＵＥの効率を向上させ、バッター電力削減をもたらし得る。ビーム障害回復タイマが満了した後、無線デバイスがｇＮＢからの応答を受信しないときに、例示的な実施形態によって、ビーム障害回復プロシージャの効率を強化し得る。例示的な実施形態によって、ビーム障害回復プロシージャの持続時間が減少してもよく、バッテリの電力消費が低減し得る。
【０２９０】
一例では、第１の制御リソース（例えば、コアセット）は、ＢＦＲプロシージャに関連付けられる。無線デバイスは、ＢＦＲプロシージャのためのＢＦＲ信号の伝送に応答して、第１のコアセットの中の第１のＰＤＣＣＨを監視してもよい。無線デバイスは、ＢＦＲ信号を伝送しないのに応答して、第１のコアセットの中の第１のＰＤＣＣＨを監視しなくてもよい。一例では、ｇＮＢがＢＦＲ信号を受信しない場合、ｇＮＢは、第１のコアセットの中のＰＤＣＣＨを伝送しなくてもよい。ｇＮＢがＢＦＲ信号を受信しない場合、ｇＮＢは、第２のコアセットの中のＰＤＣＣＨを伝送してもよい。ＢＦＲプロシージャがトリガされる前に、無線がＰＤＣＣＨを監視する第２のコアセットは、第１のコアセットとは異なる。
【０２９１】
ビーム障害回復プロシージャの既存技術では、無線デバイスがビーム障害回復プロシージャの障害を宣言した（または示した）後、無線デバイスは、第１の制御リソースセット（例えば、コアセット）の中のプリアンブル伝送への応答のために、第１のＰＤＣＣＨの監視を続けてもよく、第２の制御リソースセット（例えば、基地局および無線デバイスが、通信リンクを維持する）の中の第２のＰＤＣＣＨの検出を逃し得る。一例では、第２のＰＤＣＣＨの検出を逃すことによって、接続リンクの喪失または伝送の遅延をもたらし得る。例示的な実施形態によって、ビーム障害回復プロシージャを行うとき、接続の継続性が向上し得る。
【０２９２】
図４３は、強化されたビーム障害回復プロシージャの例示的な一実施形態を示す。無線デバイスは、いくつかのビーム障害（例えば、連続する）を検出すると、ビーム障害回復タイマ（例えば、ｂｅａｍＦａｉｌｕｒｅＲｅｃｏｖｅｒｙＴｉｍｅｒ）を始動してもよい。無線デバイスは、少なくとも１つのビームを選択した後、ｎ１番目のスロットで第１のＢＦＲ信号を伝送してもよい。無線デバイスは、（ｎ１＋ｋ）番目のスロットで、第１のコアセットの第１のＰＤＣＣＨの監視を始動してもよい。ｋは、事前定義された値（例えば、４）であり得る。無線デバイスは、第１のＢＦＲ信号の伝送に応答して、（ｎ１＋ｋ）番目のスロットで、ビーム障害回復応答ウィンドウ（例えば、ｂｆｒ−ｒｅｓｐｏｎｓｅ−ｗｉｎｄｏｗ）を始動してもよい。一例では、無線デバイスが、ｂｆｒ−ｒｅｓｐｏｎｓｅ−ｗｉｎｄｏｗが満了する前に、少なくとも第１のコアセットの第１のＰＤＣＣＨ上でＤＣＩを受信すると、無線デバイスは、ＢＦＲプロシージャの完了が成功したとみなしてもよい。一例では、ＢＦＲプロシージャの完了が成功しているのに応答して、無線デバイスは、ｂｅａｍＦａｉｌｕｒｅＲｅｃｏｖｅｒｙＴｉｍｅｒおよび／またはｂｆｒ−ｒｅｓｐｏｎｓｅ−ｗｉｎｄｏｗを停止してもよい。
【０２９３】
一例では、ｂｆｒ−ｒｅｓｐｏｎｓｅ−ｗｉｎｄｏｗが（ｎ１＋ｋ＋ｌ）番目のスロットで満了すると、無線デバイスは、ＢＦＲ伝送カウンタをある値（例えば、１）に設定し、第２のＢＦＲ信号を伝送し、ｂｆｒ−ｒｅｓｐｏｎｓｅ−ｗｉｎｄｏｗが動いている間、第１のＰＤＣＣＨを監視してもよい。一例では、無線デバイスは、ｂｅａｍＦａｉｌｕｒｅＲｅｃｏｖｅｒｙＴｉｍｅｒが満了するまで、またはＢＦＲ伝送カウンタが構成されたプリアンブル伝送番号以上の値を示すまで、ｂｆｒ−ｒｅｓｐｏｎｓｅ−ｗｉｎｄｏｗの満了に応答して、ＢＦＲ信号の伝送、ｂｆｒ−ｒｅｓｐｏｎｓｅ−ｗｉｎｄｏｗの始動、第１のＰＤＣＣＨの監視、ＢＦＲ伝送カウンタのインクリメント（例えば、１ずつ）のうちの少なくとも１つを繰り返してもよい。
【０２９４】
図４３に示すように、ｂｅａｍＦａｉｌｕｒｅＲｅｃｏｖｅｒｙＴｉｍｅｒが満了し、ＢＦＲ伝送カウンタが、構成されるプリアンブル伝送番号より小さい値を示すと、無線デバイスは、第１のタイプの情報を上位レイヤ（例えば、ＭＡＣまたはＲＲＣレイヤ）へ示すこと、ＢＦＲ信号の伝送取り消し、第１のコアセットの中の第１のＰＤＣＣＨの監視停止、第２のコアセット上の第２のＰＤＣＣＨの監視、１つ以上のビーム障害インスタンス検出の始動、および新たな１つのビーム選択の開始のうちの少なくとも１つを行ってもよい。一例では、無線デバイスはＢＦＲ伝送カウンタをリセットしなくてもよい。一例では、無線デバイスはＢＦＲ伝送カウンタをリセットしてもよい（例えば、ゼロ）。一例では、第１のタイプの情報は、満了しようとしているＢＦＲタイマ、ビーム障害回復プロシージャ障害、および／または同期外れのうちの少なくとも１つを含み得る。
【０２９５】
一例では、ＢＦＲ伝送カウンタが、構成されたプリアンブル伝送番号より小さい第１の値を示す場合、ＢＦＲ伝送カウンタが、構成数以上の第２の値を示すまで、無線デバイスは、ＢＦＲ信号を伝送してもよい。
【０２９６】
一例では、構成されたプリアンブル伝送番号以上の値を示すＢＦＲ伝送カウンタに応答して、無線デバイスは、第２のタイプの情報を無線デバイスの上位レイヤに示すこと、ｂｅａｍＦａｉｌｕｒｅＲｅｃｏｖｅｒｙＴｉｍｅｒの停止、ＢＦＲ信号伝送の停止、ＢＦＲ伝送カウンタのリセット（例えば、ゼロ）、第１のコアセットの中の第１のＰＤＣＣＨ監視の停止、第２のコアセットの中の第２のＰＤＣＣＨ監視の始動、１つ以上のビーム障害インスタンス検出の始動、および新たな１つのビーム選択の開始のうちの少なくとも１つを行ってもよい。一例では、第２のタイプの情報は、構成されたプリアンブル伝送番号以上のＢＦＲ伝送番号、ビーム障害回復プロシージャ障害、および／または同期外れのうちの少なくとも１つを含み得る。
【０２９７】
図４４は、強化されたビーム障害回復プロシージャの例示的な一実施形態を示す。その例では、ｂｅａｍＦａｉｌｕｒｅＲｅｃｏｖｅｒｙＴｉｍｅｒは、第１のタイマ値（例えば、無限値）を用いて構成されてもよく、ＢＦＲ伝送カウンタが、ＢＦＲ伝送の構成数以上の値を示すときでさえ動いている場合がある。例では、無線デバイスは、ＢＦＲ伝送の構成数以上の値を示すＢＦＲ伝送カウンタに応答して、第２のタイプの情報を無線デバイスの上位レイヤに示すこと、ｂｅａｍＦａｉｌｕｒｅＲｅｃｏｖｅｒｙＴｉｍｅｒの停止、ＢＦＲ信号伝送の停止、ＢＦＲ伝送カウンタのリセット（例えば、ゼロに）、第１のコアセットの中の第１のＰＤＣＣＨ監視の停止、第２のコアセットの中の第２のＰＤＣＣＨ監視の始動、１つ以上のビーム障害インスタンス検出の始動、および／または新たな１つのビーム選択の開始のうちの少なくとも１つを行ってもよい。ＢＦＲ伝送カウンタが、ＢＦＲ伝送の構成数以上の値を示すと、ｂｅａｍＦａｉｌｕｒｅＲｅｃｏｖｅｒｙＴｉｍｅｒを停止することによって、次のビーム障害回復プロシージャのために、コンテンションベースのランダムアクセスプロシージャからの始動を回避してもよい。
【０２９８】
実施形態によって、ＢＦＲ伝送番号がＢＦＲ信号の伝送の構成数に到達し、無線デバイスがｇＮＢから応答を受信しないとき、無線デバイスは１つ以上のアクションを行ってもよい。１つ以上のアクションは、ＢＦＲプロシージャ専用のコアセットの監視を停止し、および／またはＢＦＲプロシージャが始動する前に、無線デバイスが監視するコアセットの監視に切り替えることによって、ＰＤＣＣＨ監視の電力消費を削減することにつながり得る。１つ以上のアクションは、例えば、ＢＦＲ信号の伝送を停止することによって、ＢＦＲ信号伝送の電力消費を削減することにつながり得る。１つ以上のアクションは、例えば、ビーム障害検出および／または新たなビーム選択を始動することによって、ＢＦＲプロシージャの成功率を向上することにつながり得る。
【０２９９】
一例では、無線デバイスは、いくつかのビーム障害（例えば、連続する）を検出するとき、ビーム障害回復タイマ（例えば、ｂｅａｍＦａｉｌｕｒｅＲｅｃｏｖｅｒｙＴｉｍｅｒ）を始動してもよい。ｂｅａｍＦａｉｌｕｒｅＲｅｃｏｖｅｒｙＴｉｍｅｒが動いているとき、例えば、構成された閾値より、受信品質（例えば、ＲＳＲＰまたはＳＩＮＲ）を有する、ＲＳの第２のセットからのＲＳがないことから、無線デバイスは、選択要件を満足する候補ビームを選択しない場合がある。
【０３００】
一例では、ｂｅａｍＦａｉｌｕｒｅＲｅｃｏｖｅｒｙＴｉｍｅｒ中に物理レイヤから受信される候補ビームの表示が、全く動いていないとき、ＭＡＣエンティティは、ｂｅａｍＦａｉｌｕｒｅＲｅｃｏｖｅｒｙＴｉｍｅｒの満了時に、第３のタイプの情報を上位レイヤに示してもよい。一例では、第３のタイプの情報は、選択されている候補ビームがないこと、ビーム障害回復プロシージャ障害、および／または同期外れのうちの少なくとも１つを含み得る。
【０３０１】
一例では、無線デバイスの上位レイヤ（例えば、ＲＲＣ）によって、無線デバイスのＭＡＣエンティティまたは物理レイヤに、受信された１つ以上の情報に基づいて、１つ以上のアクションを行うように指示してもよい。一例では、１つ以上の情報は、ＰＤＣＣＨで受信される応答なしでの、ｂｅａｍＦａｉｌｕｒｅＲｅｃｏｖｅｒｙＴｉｍｅｒの満了を示す、第１の情報、到達したＢＦＲ信号の構成された伝送番号を示す、第２の情報、物理レイヤによって識別される新たなビームなしでの、ｂｅａｍＦａｉｌｕｒｅＲｅｃｏｖｅｒｙＴｉｍｅｒの満了を示す、第３の情報のうちの少なくとも１つを含んでもよい。一例では、それぞれ情報は、ビーム障害回復プロシージャ障害の異なる原因を示してもよい。一例では、上位レイヤは、１つ以上の情報で無線リンク障害を示し（宣言し）てもよい。一例では、無線デバイスは、１つ以上の無線リンク障害レポートの中に、１つ以上の情報を記憶してもよい。一例では、無線デバイスは、１つ以上の無線リンク障害レポートを含む、１つ以上のＲＲＣメッセージで、ＲＲＣ接続再確立プロシージャを始動してもよい。一例では、無線デバイスおよび／またはｇＮＢは、１つ以上の無線リンク障害レポートの中に含まれる、異なる情報に従って、異なるアクションを取ってもよい。例えば、ｇＮＢで受信される、無線リンク障害レポートの中の１つ以上の情報が、無線デバイスによって識別される新たなビームなしでのｂｅａｍＦａｉｌｕｒｅＲｅｃｏｖｅｒｙＴｉｍｅｒの満了であるとき、ｇＮＢは、ＲＲＣ接続再確立プロシージャの終了に成功した後、無線リンク障害レポートの中の１つ以上の情報に基づいて、１つ以上のＲＳ構成を示すパラメータを含む、１つ以上のＲＲＣメッセージを伝送してもよい。一例では、１つ以上のＲＳは、新たな候補ビーム選択に使用され得る。
【０３０２】
一例では、無線デバイスは、１つ以上のプリアンブル、応答ウィンドウを示す第１のタイマの第１の値、ＢＦＲタイマの第２の値、１つ以上のプリアンブルのうちの１つの第１の数の伝送、第１のコアセット、および／または第２のコアセットのうちの少なくとも１つを示す、構成パラメータを含む少なくとも１つのメッセージを、基地局から受信してもよい。一例では、無線デバイスは、少なくとも第１のビーム障害の検出に応答して、第２の値に関連付けられるＢＦＲタイマを始動してもよい。一例では、無線デバイスは、伝送カウンタをある値（例えば、ゼロ）にリセットしてもよい。一例では、無線デバイスは、第１のスロットで少なくともプリアンブルを伝送してもよい。一例では、無線デバイスは、少なくともプリアンブルの伝送に応答して、第１のスロットの後に、第１の値に関連付けられる第１のタイマを始動してもよい。無線デバイスは、第１のタイマが動いているとき、少なくともタイマ期間の一部分の間、第１のコアセットの中の第１のＰＤＣＣＨを監視してもよい。一例では、無線デバイスは、第１のタイマが満了するのに応答して、伝送カウンタをインクリメントさせてもよい（例えば、１ずつ）。一例では、伝送カウンタが、第１の数以上の値を示すと、無線デバイスは、伝送カウンタのリセット（例えば、ゼロに）、第２のコアセットの中の第２のＰＤＣＣＨ監視の始動、ＢＦＲタイマの停止のうちの少なくとも１つを行ってもよい。
【０３０３】
一例では、第１のコアセットは、第１の数のＯＦＤＭシンボル、およびリソースブロックの第１のセットを含む、第１の制御リソースセットを含んでもよい。一例では、第２のコアセットは、ＯＦＤＭシンボルの第２の数、およびリソースブロックの第２のセットを含んでもよい。
【０３０４】
一例では、ビームの品質が構成された閾値より低くなると、少なくとも第１のビーム障害が発生する。
【０３０５】
一例では、無線デバイスは、第１のタイマが動いているときに、第１のＰＤＣＣＨを介してＤＣＩを受信すると、ＢＦＲプロシージャの完了に成功したとみなし得る。一例では、無線デバイスは、ＢＦＲプロシージャの完了の成功に応答して、ＢＦＲタイマおよび／または第１のタイマを停止してもよい。
【０３０６】
一例では、無線は、第１のタイマの満了に応答して、ＢＦＲタイマが満了するか、もしくは伝送カウンタが、第１の数以上の値を示すか、またはＢＦＲプロシージャの完了に成功するまで、プリアンブルの伝送、第１のタイマの始動、第１のＰＤＣＣＨの監視、伝送カウンタのインクリメント（例えば、１ずつ）のうちの少なくとも１つを繰り返してもよい。
【０３０７】
一例では、伝送カウンタが第１の数以上の値を示すと、無線デバイスは、プリアンブル伝送の取り消し、第１のコアセット上での第１のＰＤＣＣＨ監視の停止、第１のタイプの情報を少なくとも上位レイヤ（例えば、ＭＡＣまたはＲＲＣ）に示すこと、１つ以上のビーム障害インスタンス検出の始動、少なくとも１つの基準信号選択の開始、ランダムアクセスプロシージャの開始のうちの少なくとも１つを行ってもよい。一例では、第１のタイプの情報は、ランダムアクセス問題、ビーム障害回復タイマの満了、構成された伝送番号への到達、ビーム障害回復プロシージャ障害、ビームの無選択、同期外れのうちの少なくとも１つを含み得る。
【０３０８】
一例では、ＵＥへ伝送されるべき大量の伝送ブロック（ＴＢ）があるとき、および／またはＵＥがチャネルを変更している状況にあるとき、ＵＥは、ダウンリンクチャネルのスケジューリングを容易にするために、基地局へ頻繁にＣＳＩレポートを伝送してもよい。一例では、非周期的ＣＳＩレポートはこの場合、効率的ではない場合があり、ＵＥは、非周期的ＣＳＩレポートを１回伝送してもよい。非周期的ＣＳＩレポートは、ＤＣＩによってトリガされてもよい。複数のおよび／または頻繁なＣＳＩレポートの要求は、複数のＤＣＩを伝送することによって達成されてもよく、それによって、ＤＣＩ伝送が増加し、ＰＤＣＣＨの容量が減少し得る。一例では、周期的なＣＳＩレポートが、この場合には効率的にまたは都合よく働かない場合がある。周期的なＣＳＩレポートは、ＲＲＣメッセージの中に構成または再構成され得る。周期的なＣＳＩレポートに対するＲＲＣメッセージは、頻繁なＣＳＩレポートを有効または無効にするには、効率的ではない場合がある。一例では、基地局は、ダウンリンク制御チャネルを介してＤＣＩを伝送し、ＳＰ  ＣＳＩのアクティブ化／非アクティブ化を示してもよい。ＤＣＩ伝送は、効率的でないか、または無線デバイスがＤＣＩを検出するのに、余分な電力消費の原因となり得る。ＭＡＣ  ＣＥベースのＳＰ  ＣＳＩのアクティブ化／非アクティブ化メカニズムは効率的であり、および／または無線デバイスの電力消費を改善し得る。ＭＡＣ  ＣＥベースのＳＰ  ＣＳＩのアクティブ化／非アクティブ化の例示的な実施形態によって、ダウンリンク伝送の効率性が向上し、ＳＰ  ＣＳＩレポートの電力消費を打ち壊し得る。
【０３０９】
一例では、無線デバイスは、ＰＵＣＣＨ上で、１つ以上のＳＰ  ＣＳＩレポートの構成パラメータを含む、少なくともＲＲＣメッセージを基地局から受信してもよく、構成パラメータは、１つの基準信号（ＲＳ）リソース設定、および／または１つ以上のＳＰ  ＣＳＩ報告設定のうちの少なくとも１つを含む。ＲＳリソース設定は、ＲＳリソースのセットを含んでもよく、各ＲＳリソースは、ＲＳリソース構成識別子、無線リソース構成（例えば、ポートの数、時間および周波数リソースのアロケーション、周波数密度など）に関連付けられる。一例では、ＲＳはＣＳＩ−ＲＳおよび／またはＳＳブロックであり得る。一例では、ＳＰ  ＣＳＩレポート設定は、ＳＰ  ＣＳＩレポート識別子、および／またはＳＰ  ＣＳＩ報告用の１つ以上のパラメータのうちの少なくとも１つを含む、ＳＰ  ＣＳＩレポートパラメータのセットを含んでもよく、１つ以上のパラメータは、ＣＳＩタイプ（例えば、タイプＩまたはタイプＩＩ）、レポート量インジケータ（例えば、ＣＳＩ関係の報告量、またはＬ１−ＲＳＲＰ関係の報告量などを示す）、レポート構成タイプ（例えば、非周期的、半永続的、または周期的のいずれかで、報告の時間領域挙動を示す）、ＣＳＩレポートに対する周波数粒度を示す値、周期性を示すパラメータ、ＣＳＩレポートのスロットオフセット、および／またはＰＵＣＣＨリソースのうちの少なくとも１つを含んでもよい。ＵＥは、ＳＰ  ＣＳＩレポート識別子に関連付けられる、ＰＵＣＣＨリソースに関するＳＰ  ＣＳＩレポートを伝送してもよい。
【０３１０】
一例では、少なくともＲＲＣメッセージはさらに、ＰＵＣＣＨに関する１つ以上のＳＰ  ＣＳＩレポートのリンクパラメータを含んでもよい。一例では、ＳＰ  ＣＳＩレポートのリンクパラメータは、ＳＰ  ＣＳＩレポートのトリガインデックス、１つのＲＳリソース構成識別子、および／または１つのＳＰ  ＣＳＩレポート識別子のうちの少なくとも１つを含んでもよい。ＲＳリソース構成識別子は、ＳＰ  ＣＳＩレポートに関連付けられる、１つのＲＳリソースを示してもよい。ＳＰ  ＣＳＩレポート識別子は、ＳＰ  ＣＳＩレポートに関連付けられるＳＰ  ＣＳＩレポートパラメータを示してもよい。
【０３１１】
一例では、無線デバイスは、ＭＡＣサブヘッダおよび／またはＭＡＣ  ＣＥのうちの少なくとも１つを含む、ＭＡＣメッセージを受信してもよい。ＭＡＣ  ＣＥは、少なくともＳＰ  ＣＳＩレポートのトリガインデックス、少なくともアクティブ化／非アクティブ化フィールド、および／または予約ビットのうちの少なくとも１つを含んでもよい。少なくともＳＰ  ＣＳＩレポートのトリガインデックスは、１つ以上のＳＰ  ＣＳＩレポートのうちの１つをトリガすることを示してもよい。少なくともアクティブ化／非アクティブ化フィールドは、少なくともＳＰ  ＣＳＩレポートのトリガインデックスに関連付けられる、トリガされるＳＰ  ＣＳＩレポートのアクティブ化または非アクティブ化を示してもよい。
【０３１２】
図４５Ａは、ＳＰ  ＣＳＩレポートのアクティブ化／非アクティブ化のＭＡＣ  ＣＥの例示的な一実施形態を示す。一例では、図４５Ａに示すように、ＳＰ  ＣＳＩレポートのアクティブ化／非アクティブ化のＭＡＣ  ＣＥは、少なくともアクティブ化／非アクティブ化フィールド（例えば、図４５Ａに示すようなアクティブ／非アクティブ）、および少なくともＳＰ  ＣＳＩレポートのトリガインデックス（例えば、図４５Ａに示すようなＳＰ  ＣＳＩレポートのトリガインデックス）、ならびに／またはＲビットを含んでもよい。少なくともアクティブ化／非アクティブ化フィールドは、１ビットであり得る。少なくともＳＰ  ＣＳＩレポートのトリガインデックスは、６ビットの値であり得る。一例では、少なくともアクティブ化／非アクティブ化フィールドは、２ビット（例えば、「００」はアクティブ化を示してもよく、「１１」は非アクティブ化を示してもよく、または逆もまた同様）を有してもよく、少なくともＳＰ  ＣＳＩレポートのトリガインデックスは６ビットを有してもよい。一例では、少なくともアクティブ化／非アクティブ化フィールドは、ビットが「０」の場合、ＰＵＣＣＨに関するＳＰ  ＣＳＩレポートのアクティブ化を示し、またはビットが「１」の場合、ＳＰ  ＣＳＩレポートの非アクティブ化を示してもよい。一例では、少なくともアクティブ化／非アクティブ化フィールドは、ビットが「０」の場合、ＰＵＣＣＨに関するＳＰ  ＣＳＩレポートの非アクティブ化を示し、またはビットが「１」の場合、ＳＰ  ＣＳＩレポートのアクティブ化を示してもよい。一例では、少なくともＳＰレポートのトリガインデックスは、構成に基づいて、１ビット以上（例えば、２、３、４、または５）を有してもよい。
【０３１３】
図４５Ｂは、ＳＰ  ＣＳＩレポートのアクティブ化／非アクティブ化のＭＡＣ  ＣＥを識別する、ＭＡＣサブヘッダの例示的な一実施形態を示す。一例では、ＭＡＣサブヘッダは、６ビットのＬＣＩＤフィールドおよび２ビットのＲフィールドを含んでもよい。ＳＰ  ＣＳＩレポートのアクティブ化／非アクティブ化ＭＡＣ  ＣＥに対するＬＣＩＤフィールドの値は、他のＭＡＣ  ＣＥまたは論理チャネルに対する他のＬＣＩＤとは異なってもよい。例えば、値「１１０１１１」を伴うＬＣＩＤは、ＳＰ  ＣＳＩレポートのアクティブ化／非アクティブ化ＭＡＣ  ＣＥを示してもよい。一例では、ＳＰ  ＣＳＩレポートのアクティブ化／非アクティブ化についてのＭＡＣ  ＣＥが、固定された長さ（例えば、図４５Ａに示すような８ビット）を有し得るため、ＭＡＣサブヘッダは長さフィールドを有さない場合がある。
【０３１４】
一例では、ＭＡＣ  ＣＥの受信に応答して、無線デバイスは、ＭＡＣ  ＣＥが、ＳＰ  ＣＳＩレポートのアクティブ化または非アクティブ化のどちらを示すかを判定してもよい。ＭＡＣ  ＣＥの少なくともアクティブ化／非アクティブ化フィールドが、ＳＰ  ＣＳＩレポートのアクティブ化を示す場合、無線デバイスは、ＳＰ  ＣＳＩレポートのトリガインデックスに関連付けられるＲＳリソース構成識別子によって示される、ＲＳリソースを判定してもよい。無線デバイスは、ＳＰ  ＣＳＩレポートのトリガインデックスに関連付けられるＳＰ  ＣＳＩレポート識別子によって示される、ＣＳＩパラメータ（例えば、ＣＱＩ、ＰＭＩ、ＲＩ、ＣＲＩ、および／またはＬ１−ＲＳＲＰ）を測定し得る。無線デバイスは、測定されたＣＳＩパラメータに基づいて、ＰＵＣＣＨ上でＳＰ  ＣＳＩレポートを伝送してもよく、ＰＵＣＣＨはＳＰ  ＣＳＩレポート識別子に関連付けられる。
【０３１５】
一例では、ＭＡＣ  ＣＥの少なくともアクティブ化／非アクティブ化フィールドが、ＰＵＣＣＨに関するＳＰ  ＣＳＩレポートの非アクティブ化を示す場合、無線デバイスは、ＭＡＣ  ＣＥに示されるＳＰ  ＣＳＩレポートのトリガインデックスに関連付けられる、ＳＰ  ＣＳＩレポートの伝送を停止してもよい。
【０３１６】
実施形態の方法によって、ｇＮＢは、ＰＵＣＣＨに関するＳＰ  ＣＳＩレポートのアクティブ化または非アクティブ化を示すＭＡＣメッセージを、ＵＥへ伝送してもよい。ＭＡＣ  ＣＥおよびＭＡＣサブヘッダの例示的な実施形態を用いて、ｇＮＢは、無線デバイスに対して、ＰＵＣＣＨに関するＳＰ  ＣＳＩレポートを効率的にアクティブ化または非アクティブ化してもよい。ＭＡＣ  ＣＥおよびＭＡＣサブヘッダの例示的な実施形態を用いて、無線デバイスは、ＰＵＣＣＨに関するＳＰ  ＣＳＩレポートの電力消費を削減してもよい。
【０３１７】
一例では、ｇＮＢは、プライマリセルおよび少なくとも１つのセカンダリセルを含む、複数のセルのパラメータを含む、１つ以上のＲＲＣメッセージを伝送してもよく、セカンダリセルのパラメータは、ＳＣｅｌｌインデックス、および／またはセカンダリセルの無線リソース構成のうちの少なくとも１つを含んでもよい。一例では、ＳＣｅｌｌインデックスは、最大で７個のＳＣｅｌｌでのキャリアアグリゲーション動作をサポートする場合、０より大きく８より小さい整数であり得る。一例では、ＳＣｅｌｌインデックスは、最大で３１個のＳＣｅｌｌでのキャリアアグリゲーション動作をサポートする場合、０より大きく３２より小さい整数であり得る。
【０３１８】
図４６Ａは、複数のセルのＳＰ  ＣＳＩレポートのアクティブ化／非アクティブ化のＭＡＣ  ＣＥの例示的な一実施形態を示す。一例では、最大で７個のＳＣｅｌｌが構成されると、ＵＥは、ＭＡＣ  ＣＥおよび／またはＭＡＣサブヘッダのうちの少なくとも１つを含む、ＭＡＣメッセージを受信してもよく、ＭＡＣ  ＣＥは、第１のオクテットおよび１つ以上の第２のオクテットを少なくとも含む、可変サイズを有し得る。一例では、第１のオクテット（例えば、図４６Ａ中のオクテット１）のＣｉは、ＳＣｅｌｌインデックスｉ（０＜ｉ＜８）を伴うセカンダリセルについての、ＳＰ  ＣＳＩレポートのアクティブ化／非アクティブ化フィールドの存在を示してもよい。「０」に設定されるＣｉフィールドは、ＳＣｅｌｌインデックスｉ（０＜ｉ＜８）を伴うセカンダリセルについての、ＳＰ  ＣＳＩレポートのアクティブ化／非アクティブ化が、存在しないことを示し得る。「１」に設定されるＣｉフィールドは、ＳＣｅｌｌインデックスｉ（０＜ｉ＜８）を伴うセカンダリセルについての、ＳＰ  ＣＳＩレポートのアクティブ化／非アクティブ化が、存在することを示し得る。Ｃ０は、予約済みビットであり得る。第２のオクテット（例えば、図４６Ａ中のオクテット２）は、ＰＣｅｌｌについてのＳＰ  ＣＳＩレポートのアクティブ化／非アクティブ化を示してもよい。第２のオクテットは、ＳＰ  ＣＳＩレポートのアクティブ化／非アクティブ化を示す第１のビット、ＳＰ  ＣＳＩレポートのトリガインデックスを示す第２のフィールド、および／または１以上の予約ビットのうちの少なくとも１つを含み得る。「１」に設定される第１のビットは、ＳＰ  ＣＳＩレポートのトリガインデックスに関連付けられる、ＳＰ  ＣＳＩレポートをアクティブ化し得る。「０」に設定される第１のビットは、ＳＰ  ＣＳＩレポートのトリガインデックスに関連付けられる、ＳＰ  ＣＳＩレポートを非アクティブ化し得る。一例では、ＰＳＣｅｌｌが構成される場合、ＰＳＣｅｌｌに対応する第３のオクテット（例えば、図４６Ａ中のオクテット３）が存在してもよく、第３のオクテットは、ＳＰ  ＣＳＩレポートのアクティブ化／非アクティブ化を示す第１のビット、ＳＰ  ＣＳＩレポートのトリガインデックスを示す第２のフィールド、および／または１以上の予約ビットのうちの少なくとも１つを含み得る。
【０３１９】
一例では、Ｃ１が「１」に設定される場合、第４のオクテットは、ＳＣｅｌｌインデックス１を伴うＳＣｅｌｌについて、ＳＰ  ＣＳＩレポートのアクティブ化／非アクティブ化を示し得る。一例では、Ｃ１が「０」に設定される場合、ＳＣｅｌｌインデックス１を伴うＳＣｅｌｌについての、ＳＰ  ＣＳＩレポートのアクティブ化／非アクティブ化は存在しない場合がある。Ｃ２が「１」に設定される場合、第５のオクテット（Ｃ１が「１」に設定される場合、そうでなければ、第４のオクテット）は、ＳＣｅｌｌインデックス２などを伴うＳＣｅｌｌについて、ＳＰ  ＣＳＩレポートのアクティブ化／非アクティブ化を示し得る。
【０３２０】
一例では、ＭＡＣ  ＣＥは、複数のＳＣｅｌｌについて、ＳＰ  ＣＳＩレポートのアクティブ化／非アクティブ化を示してもよい。ＭＡＣ  ＣＥの長さは、ＳＰ  ＣＳＩレポートでトリガされるＳＣｅｌｌの数によって変わり得る。一例では、ＭＡＣサブヘッダは、複数のＳＣｅｌｌについて、ＳＰ  ＣＳＩのアクティブ化／非アクティブ化ＭＡＣ  ＣＥを示してもよく、ＭＡＣサブヘッダは、ＬＣＩＤフィールド、長さフィールド、長さフィールドのサイズを示すフォーマットフィールド、および／または１以上の予約済みビットのうちの少なくとも１つを含み得る。
【０３２１】
図４６Ｂは、ＳＰ  ＣＳＩのアクティブ化／非アクティブ化ＭＡＣ  ＣＥを識別する、ＭＡＣサブヘッダの例示的な一実施形態を示す。複数のＳＣｅｌｌについてのＳＰ  ＣＳＩレポートのアクティブ化／非アクティブ化のＭＡＣ  ＣＥ用の、ＭＡＣサブヘッダ中のＬＣＩＤフィールドは、他のＭＡＣ  ＣＥおよび／または論理チャネルの他のＬＣＩＤとは異なってもよい。ＭＡＣサブヘッダ中の長さフィールドは、複数のＳＣｅｌｌについてのＳＰ  ＣＳＩレポートのアクティブ化／非アクティブ化のＭＡＣ  ＣＥの長さを示し得る。
【０３２２】
図４７は、複数のセルのＳＰ  ＣＳＩレポートのアクティブ化／非アクティブ化のＭＡＣ  ＣＥの例示的な一実施形態を示す。一例では、最大で３１個のＳＣｅｌｌが構成され、ＵＥは、ＭＡＣ  ＣＥおよび／またはＭＡＣサブヘッダのうちの少なくとも１つを含む、ＭＡＣメッセージを受信してもよい。ＭＡＣ  ＣＥは可変サイズを有してもよい。ＭＡＣ  ＣＥは、最初の４つのオクテット（例えば、図４７中のオクテット１、オクテット２、オクテット３、およびオクテット４）、および１つ以上の第５のオクテット（例えば、図４７中のオクテット５）を少なくとも含み得る。最初の４つのオクテットは、ＳＣｅｌｌインデックスｉ（０＜ｉ＜３２）を伴うセカンダリセルについて、ＳＰ  ＣＳＩレポートのアクティブ化／非アクティブ化フィールドの存在／不在を示してもよい。「０」に設定されるＣｉフィールドは、ＳＣｅｌｌインデックスｉ（０＜ｉ＜３２）を伴うセカンダリセルについての、ＳＰ  ＣＳＩレポートのアクティブ化／非アクティブ化が、存在しないことを示し得る。「１」に設定されるＣｉフィールドは、ＳＣｅｌｌインデックスｉ（０＜ｉ＜３２）を伴うセカンダリセルについての、ＳＰ  ＣＳＩレポートのアクティブ化／非アクティブ化が、存在することを示し得る。Ｃ０は、予約済みビットであり得る。第５のオクテット（例えば、図４７中のオクテット５）は、ＰＣｅｌｌについてのＳＰ  ＣＳＩレポートのアクティブ化／非アクティブ化を示してもよい。第５のオクテットは、ＳＰ  ＣＳＩレポートのアクティブ化／非アクティブ化を示す第１のビット、ＳＰ  ＣＳＩレポートのトリガインデックスを示す第２のフィールド、および／または１以上の予約ビットのうちの少なくとも１つを含み得る。「１」に設定される第１のビットは、ＳＰ  ＣＳＩレポートのトリガインデックスに関連付けられる、ＳＰ  ＣＳＩレポートをアクティブ化し得る。「０」に設定される第１のビットは、ＳＰ  ＣＳＩレポートのトリガインデックスに関連付けられる、ＳＰ  ＣＳＩレポートを非アクティブ化し得る。一例では、ＰＳＣｅｌｌが構成される場合、ＰＳＣｅｌｌに対応する第６のオクテットが存在してもよい。
【０３２３】
一例では、Ｃ１が「１」に設定される場合、第７のオクテットは、ＳＣｅｌｌインデックス１を伴うＳＣｅｌｌについて、ＳＰ  ＣＳＩレポートのアクティブ化／非アクティブ化を示し得る。一例では、Ｃ１が「０」に設定される場合、ＳＣｅｌｌインデックス１を伴うＳＣｅｌｌについての、ＳＰ  ＣＳＩレポートのアクティブ化／非アクティブ化は存在しない場合がある。一例では、Ｃ２が「１」に設定される場合、第８のオクテット（Ｃ１が「１」に設定される場合、そうでなければ、第７のオクテット）は、ＳＣｅｌｌインデックス２などを伴うＳＣｅｌｌについて、ＳＰ  ＣＳＩレポートのアクティブ化／非アクティブ化を示し得る。
【０３２４】
一例では、ｇＮＢは、ＳＰ  ＣＳＩレポートのアクティブ化を柔軟にするように、ＳＰ  ＣＳＩレポートとＣＳＩ−ＲＳ（またはＳＳブロック）構成とのリンクを切り離してもよい。例えば、ｇＮＢは、ＳＰ  ＣＳＩレポートのアクティブ化／非アクティブ化およびＲＳリソース構成を示すパラメータを含む、ＭＡＣメッセージを伝送してもよい。
【０３２５】
一例では、無線デバイスは、ＰＵＣＣＨに関する１つ以上のＳＰ  ＣＳＩレポートの構成パラメータを含む、少なくともＲＲＣメッセージを基地局から受信してもよく、構成パラメータは、１つの基準信号（ＲＳ）リソース設定、および／または１つ以上のＳＰ  ＣＳＩ報告設定のうちの少なくとも１つを含む。ＲＳリソース設定は、ＲＳリソースのセットを含んでもよく、各ＲＳリソースは、ＲＳの無線リソース構成（例えば、ポートの数、時間および周波数リソースアロケーション、周波数密度など）に関連付けられ、各ＲＳは、ＲＳリソース構成識別子に関連付けられる。一例では、ＲＳはＣＳＩ−ＲＳおよび／またはＳＳブロックであり得る。一例では、１つのＳＰ  ＣＳＩレポート設定は、ＳＰ  ＣＳＩレポート識別子、および／またはＳＰ  ＣＳＩ報告用の１つ以上のパラメータのうちの少なくとも１つを含む、ＳＰ  ＣＳＩレポートパラメータのセットを含んでもよく、１つ以上のパラメータは、ＣＳＩタイプ（例えば、タイプＩまたはタイプＩＩ）、レポート量インジケータ（例えば、ＣＳＩ関係の報告量、またはＬ１−ＲＳＲＰ関係の報告量などを示す）、レポート構成タイプ（例えば、非周期的、半永続的、または周期的のいずれかで、報告の時間領域挙動を示す）、ＣＳＩレポートに対する周波数粒度を示す値、周期性を示すパラメータ、ＣＳＩレポートのスロットオフセット、および／またはＰＵＣＣＨリソースのうちの少なくとも１つを含んでもよい。
【０３２６】
図４８Ａは、ＳＰ  ＣＳＩレポートのアクティブ化／非アクティブ化、およびＲＳリソース構成のＭＡＣ  ＣＥの例示的な一実施形態を示す。一例では、ｇＮＢは、ＭＡＣ  ＣＥおよび／またはＭＡＣサブヘッダのうちの少なくとも１つを含む、ＭＡＣメッセージを伝送してもよく、ＭＡＣ  ＣＥは、ＰＵＣＣＨに関するＳＰ  ＣＳＩレポートのアクティブ化／非アクティブ化、ＲＳリソース構成のうちの少なくとも１つを示す、パラメータを含んでもよい。一例では、ＭＡＣ  ＣＥ中の第１のオクテット（例えば、図４８Ａに示すようなオクテット０）は、ＳＰ  ＣＳＩレポートＩＤに関連付けられる、ＳＰ  ＣＳＩレポートのアクティブ化または非アクティブ化を示し得る。第１のオクテットは、ＳＰ  ＣＳＩレポートのアクティブ化もしくは非アクティブ化を示す第１のアクティブ化／非アクティブ化フィールド、トリガされる１つ以上のＳＰ  ＣＳＩレポートのうちの１つを示すＳＰ  ＣＳＩレポートＩＤ、および／または１以上の予約済みビットのうちの少なくとも１つを含み得る。ＭＡＣ  ＣＥ中の第２のオクテット（例えば、図４８Ａ中のオクテット１）は、ＲＳリソース構成ＩＤに関連付けられる、ＲＳリソース構成を示し得る。第２のオクテットは、ＳＰ  ＣＳＩレポートについて１つ以上のＲＳリソースのうちの１つを示す、ＲＳリソース構成ＩＤを少なくとも含み得る。
【０３２７】
一例では、ＭＡＣ  ＣＥ中の第２のオクテットは、ＲＳリソース構成ＩＤに関連付けられるＲＳリソースのアクティブ化または非アクティブ化を示し得る（例えば、ＲＳリソースがＳＰ  ＲＳの場合）。第２のオクテットは、ＲＳリソースのアクティブ化または非アクティブ化を示す、第１のアクティブ化／非アクティブ化フィールド、１つ以上のＲＳリソースのうちの１つを示す、ＲＳリソース構成ＩＤのうちの少なくとも１つを含み得る。
【０３２８】
ＭＡＣ  ＣＥの受信に応答して、無線デバイスは、ＭＡＣ  ＣＥ中の第２のオクテットに基づいて、ＳＰ  ＣＳＩレポートについて１つ以上のＲＳを判定してもよい。無線デバイスは、ＭＡＣ  ＣＥ中の第１のオクテットに基づいて、ＳＰ  ＣＳＩレポートのアクティブ化または非アクティブ化を判定してもよい。第１のオクテットのアクティブ化／非アクティブ化フィールドが、ＳＰ  ＣＳＩレポートのアクティブ化を示す場合、無線デバイスは、１つ以上のＲＳに関する、ＳＰ  ＣＳＩレポートＩＤに関連付けられるＣＳＩパラメータを測定してもよい。無線デバイスは、ＳＰ  ＣＳＩレポートＩＤに関連付けられるＰＵＣＣＨで、測定に基づいて１つ以上のＳＰ  ＣＳＩ植え替えを伝送してもよい。ＭＡＣ  ＣＥの第１のオクテット中のアクティブ化／非アクティブ化フィールドが、ＳＰ  ＣＳＩレポートの非アクティブ化を示す場合、無線デバイスは、ＳＰ  ＣＳＩレポートＩＤに関連付けられるＳＰ  ＣＳＩレポートの伝送を停止してもよい。
【０３２９】
図４８Ｂは、ＭＡＣ  ＣＥを識別するＭＡＣサブヘッダの例示的な一実施形態を示す。一例では、ＭＡＣサブヘッダは、ＬＣＩＤフィールド、Ｒフィールドのうちの少なくとも１つを含んでもよく、ＬＣＩＤフィールドは、ＳＰ  ＣＳＩレポートのアクティブ化／非アクティブ化およびＲＳリソース構成を示すことに特化する、６ビットの値であり得る。Ｒフィールドは、予約済みの２ビットであり得る。ＭＡＣサブヘッダは、ＳＰ  ＣＳＩレポートのアクティブ化／非アクティブ化およびＲＳリソース構成に対するＭＡＣ  ＣＥが、固定された長さ（例えば、図４８Ａに示すような１６ビット）を有し得るため、ＭＡＣサブヘッダは長さフィールドを有さなくてもよい。ＳＰ  ＣＳＩレポートのアクティブ化／非アクティブ化およびＲＳリソース構成のＭＡＣ  ＣＥに対するＬＣＩＤは、他のＭＡＣ  ＣＥまたは論理チャネルに対する他のＬＣＩＤとは異なる値を有してもよい。
【０３３０】
一例では、ｇＮＢは、プライマリセルおよび少なくとも１つのセカンダリセルを含む、複数のセルのパラメータを含む、１つ以上のＲＲＣメッセージを伝送してもよく、セカンダリセルのパラメータは、ＳＣｅｌｌインデックス、および／またはセカンダリセルの無線リソース構成のうちの少なくとも１つを含んでもよい。一例では、ＳＣｅｌｌインデックスは、最大で７個のＳＣｅｌｌでのキャリアアグリゲーション動作をサポートする場合、０より大きく８より小さい整数であり得る。一例では、ＳＣｅｌｌインデックスは、最大で３１個のＳＣｅｌｌでのキャリアアグリゲーション動作をサポートする場合、０より大きく３２より小さい整数であり得る。
【０３３１】
図４９Ａは、複数のセルに関するＳＰ  ＣＳＩレポートのアクティブ化／非アクティブ化およびＲＳリソース構成のＭＡＣ  ＣＥの例示的な一実施形態を示す。一例では、最大で７個のＳＣｅｌｌを構成する場合、ＵＥは、ＭＡＣ  ＣＥおよび／またはＭＡＣサブヘッダのうちの少なくとも１つを含む、ＭＡＣメッセージを受信してもよく、ＭＡＣ  ＣＥは、可変サイズを有し、第１のオクテット（例えば、図４９Ａ中のオクテット１）、第２のオクテット（例えば、図４９Ａ中のオクテット２）、第３のオクテット（例えば、図４９中のオクテット３）、および／または１つ以上の第４のオクテット（例えば、図４９Ａ中のオクテット４／５／ｍ／ｍ＋１）を少なくとも含み得る。一例では、第１のオクテットのＣｉは、ＳＣｅｌｌインデックスｉ（０＜ｉ＜８）を伴うセカンダリセルについての、ＳＰ  ＣＳＩレポートのアクティブ化／非アクティブ化フィールドおよびＲＳリソース構成フィールドの存在を示してもよい。「０」に設定されるＣｉフィールドは、ＳＣｅｌｌインデックスｉ（０＜ｉ＜８）を伴うセカンダリセルについての、ＳＰ  ＣＳＩレポートのアクティブ化／非アクティブ化およびＲＳリソース構成が、存在しないことを示し得る。「１」に設定されるＣｉフィールドは、ＳＣｅｌｌインデックスｉ（０＜ｉ＜８）を伴うセカンダリセルについての、ＳＰ  ＣＳＩレポートのアクティブ化／非アクティブ化およびＲＳリソース構成が、存在することを示し得る。Ｃ０は、予約済みビットであり得る。第２のオクテット（オクテット２）は、ＰＣｅｌｌについてのＳＰ  ＣＳＩレポートのアクティブ化／非アクティブ化を示してもよい。第２のオクテットは、ＳＰ  ＣＳＩレポートのアクティブ化／非アクティブ化を示す第１のビット、ＳＰ  ＣＳＩレポートのトリガインデックスを示す第２のフィールド、および／または１以上の予約ビットのうちの少なくとも１つを含み得る。「１」に設定される第１のビットは、ＳＰ  ＣＳＩレポートのトリガインデックスに関連付けられる、ＳＰ  ＣＳＩレポートをアクティブ化し得る。「０」に設定される第１のビットは、ＳＰ  ＣＳＩレポートのトリガインデックスに関連付けられる、ＳＰ  ＣＳＩレポートを非アクティブ化し得る。第３のオクテットは、ＳＰ  ＣＳＩレポート用の測定に使用され得る、少なくともＲＳ構成ＩＤを示す、パラメータを含み得る。一例では、ＰＳＣｅｌｌが構成される場合、ＰＳＣｅｌｌに対応する第４および第５のオクテットが存在してもよい。
【０３３２】
一例では、Ｃ１が「１」に設定される場合、第６のオクテットおよび第７のオクテットは、ＳＣｅｌｌインデックス１を伴うＳＣｅｌｌについて、ＳＰ  ＣＳＩレポートのアクティブ化／非アクティブ化、およびＳＰ  ＣＳＩレポートに関連付けられるＲＳリソース構成を示し得る。一例では、Ｃ１が「０」に設定される場合、ＳＣｅｌｌインデックス１を伴うＳＣｅｌｌについての、ＳＰ  ＣＳＩレポートのアクティブ化／非アクティブ化およびＲＳリソース構成は存在しない場合がある。Ｃ２が「１」に設定される場合、第８および第９のオクテット（Ｃ１が「１」に設定される場合、そうでなければ、第６および第７のオクテット）は、ＳＣｅｌｌインデックス２などを伴うＳＣｅｌｌについて、ＳＰ  ＣＳＩレポートのアクティブ化／非アクティブ化、およびＳＰ  ＣＳＩレポートに関連付けられるＲＳリソース構成を示し得る。
【０３３３】
図４９Ｂは、ＭＡＣ  ＣＥを識別するＭＡＣサブヘッダの例示的な一実施形態を示す。一例では、ＭＡＣ  ＣＥは、複数のＳＣｅｌｌについて、ＳＰ  ＣＳＩレポートのアクティブ化／非アクティブ化、およびＲＳリソース構成を示してもよい。ＭＡＣ  ＣＥの長さは、ＳＰ  ＣＳＩレポートでトリガされるＳＣｅｌｌの数によって変わり得る。一例では、ＭＡＣサブヘッダは、複数のＳＣｅｌｌについて、ＳＰ  ＣＳＩのアクティブ化／非アクティブ化およびＲＳリソース構成のＭＡＣ  ＣＥを示してもよく、ＭＡＣサブヘッダは、ＬＣＩＤフィールド、長さフィールド、長さフィールドのサイズを示すフォーマットフィールド、および／または１以上の予約済みビットのうちの少なくとも１つを含み得る。ＳＰ  ＣＳＩレポートのアクティブ化／非アクティブ化およびＲＳリソース構成、ならびに複数のＳＣｅｌｌに対するＲＳリソース構成のＭＡＣ  ＣＥ用の、ＭＡＣサブヘッダ中のＬＣＩＤフィールドは、他のＭＡＣ  ＣＥおよび／または論理チャネルの他のＬＣＩＤとは異なってもよい。ＭＡＣサブヘッダ中の長さフィールドは、複数のＳＣｅｌｌについての、ＳＰ  ＣＳＩレポートのアクティブ化／非アクティブ化およびＲＳリソース構成のＭＡＣ  ＣＥの長さを示し得る。
【０３３４】
図５０は、複数のセルに関する、ＳＰ  ＣＳＩレポートのアクティブ化／非アクティブ化およびＲＳリソース構成のＭＡＣ  ＣＥの例示的な一実施形態を示す。一例では、８個より多いＳＣｅｌｌが構成されるとき、ＭＡＣ  ＣＥの最初の４つのオクテット（例えば、図５０中のオクテット１、オクテット２、オクテット３、およびオクテット４）は、ＳＣｅｌｌインデックスｉ（０＜ｉ＜３２）を伴うセカンダリセルについての、ＳＰ  ＣＳＩレポートのアクティブ化／非アクティブ化フィールドおよびＣＳＩ−ＲＳ構成の存在／不在を示す。オクテット対は、あるＳＣｅｌｌについて、ＳＰ  ＣＳＩレポートのアクティブ化または非アクティブ化（第１のオクテットによって）、およびＳＰ  ＣＳＩレポートに関連付けられるＲＳ構成（第２のオクテットによって）を示し得る。
【０３３５】
一例では、無線デバイスは、１つ以上の半永続的なＣＳＩ（ＳＰ  ＣＳＩ）レポートの構成パラメータを含む少なくとも１つのメッセージを、基地局から受信してもよく、構成パラメータは、少なくとも１つ以上のＣＳＩトリガインデックスを示し、各ＣＳＩトリガインデックスは、無線リソース構成に関連付けられる１つ以上のＣＳＩ  ＲＳ、ＳＰ  ＣＳＩレポート識別子に関連付けられる１つのＳＰ  ＣＳＩ報告設定、およびＳＰ  ＣＳＩ報告用の１つ以上のパラメータのうちの少なくとも１つに関連付けられる。無線デバイスは、１つ以上のＳＰ  ＣＳＩレポートのうちの１つを示すＳＰ  ＣＳＩレポートトリガフィールド、および／または１つ以上のＳＰ  ＣＳＩレポートのうちの１つのアクティブ化もしくは非アクティブ化を示すインジケータフィールドのうちの少なくとも１つを含む、媒体アクセス制御（ＭＡＣ）コマンドを受信し得る。無線デバイスは、ＳＰ  ＣＳＩレポートに関連付けられたインジケータフィールドが、ＳＰ  ＣＳＩレポートのアクティブ化を示す場合、ＭＡＣコマンドの受信に応答して、ＳＰ  ＣＳＩレポートを伝送し得る。一例では、無線デバイスは、ＳＰ  ＣＳＩレポートに関連付けられたインジケータフィールドが、ＳＰ  ＣＳＩレポートの非アクティブ化を示す場合、ＭＡＣコマンドの受信に応答して、ＳＰ  ＣＳＩレポートの伝送を停止し得る。
【０３３６】
様々な実施形態によれば、例えば、無線デバイス、オフネットワーク無線デバイス、基地局、コアネットワークデバイス、および／または同様のものなどのデバイスは、１つ以上のプロセッサと、メモリとを備えることができる。メモリは、１つ以上のプロセッサによって実行されると、デバイスに一連のアクションを実行させる命令を記憶し得る。例示的なアクションの実施形態は、添付の図面および明細書に例解されている。様々な実施形態からの特徴を組み合わせて、さらに別の実施形態を作り出すことができる。
【０３３７】
図５１は、本開示の一実施形態の一態様の流れ図である。５１１０で、無線デバイスは、基地局からダウンリンク制御情報を受信し得る。ダウンリンク制御情報は、アップリンク共有チャネルの電力制御コマンドを含んでもよい。ダウンリンク制御情報は、チャネル状態情報（ＣＳＩ）要求フィールドを含んでもよい。ダウンリンク制御情報は、ハイブリッド自動繰り返し要求プロセス番号を含んでもよい。ダウンリンク制御情報は、冗長バージョンを含んでもよい。５１２０で、半永続的なＣＳＩ報告のアクティブ化についてのダウンリンク制御情報の検証は、半永続的なＣＳＩ報告の無線ネットワーク一時識別子に基づいて行われ得る。半永続的なＣＳＩ報告のアクティブ化についてのダウンリンク制御情報の検証は、第１の値に設定されている、ハイブリッド自動繰り返し要求プロセス番号に基づいて行われてもよい。半永続的なＣＳＩ報告のアクティブ化についてのダウンリンク制御情報の検証は、第２の値に設定されている、冗長バージョンに基づいて行われてもよい。５１３０で、ＣＳＩ要求フィールドによって示される半永続的なＣＳＩ報告は、達成された検証に応答してアクティブ化され得る。５１４０で、半永続的なＣＳＩレポートは、アクティブ化された半永続的なＣＳＩ報告に基づいて、アップリンク共有チャネルを介して、電力制御コマンドに基づいて判定される伝送電力で伝送され得る。
【０３３８】
例示的な一実施形態によれば、無線デバイスは、半永続的なＣＳＩ報告の無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。例示的な一実施形態によれば、半永続的なＣＳＩレポートは、チャネル品質インジケータ（ＣＱＩ）を含み得る。半永続的なＣＳＩレポートは、プリコーディング行列インジケータ（ＰＭＩ：ｐｒｅｃｏｄｉｎｇ  ｍａｔｒｉｘ  ｉｎｄｉｃａｔｏｒ）を含んでもよい。半永続的なＣＳＩレポートは、チャネル状態情報基準信号リソースインジケータ（ＣＲＩ）を含んでもよい。半永続的なＣＳＩレポートは、レイヤインジケータ（ＬＩ：ｌａｙｅｒ  ｉｎｄｉｃａｔｏｒ）を含んでもよい。半永続的なＣＳＩレポートは、ランクインジケータ（ＲＩ）を含んでもよい。半永続的なＣＳＩレポートは、レイヤ１基準信号受信電力（Ｌ１−ＲＳＲＰ：ｌａｙｅｒ  １  ｒｅｆｅｒｅｎｃｅ  ｓｉｇｎａｌ  ｒｅｃｅｉｖｅｄ  ｐｏｗｅｒ）を含んでもよい。例示的な一実施形態によれば、無線デバイスは、アクティブ化された半永続的なＣＳＩ報告のレポート周期性で、半永続的なＣＳＩレポートを伝送し得る。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。
【０３３９】
例示的な一実施形態によれば、ダウンリンク制御情報は、新たなデータインジケータフィールドを含み得る。例示的な一実施形態によれば、無線デバイスは、新たなデータインジケータフィールドの値、および電力制御コマンドの値に関係なく、ダウンリンク制御情報を検証してもよい。例示的な一実施形態によれば、ダウンリンク制御情報は、達成されていない検証に応答して、ダウンリンク制御情報を適用しないことによってスキップされ得る。例示的な一実施形態によれば、半永続的なＣＳＩ報告の無線ネットワーク一時識別子でスクランブルされていない、ダウンリンク制御情報の巡回冗長検査パリティビットに応答して、検証が達成されなくてもよい。半永続的なＣＳＩレポートは、第１の値に設定されていないハイブリッド自動繰り返し要求プロセス番号を含み得る。半永続的なＣＳＩレポートは、第２の値に設定されていない冗長バージョンを含み得る。
【０３４０】
例示的な一実施形態によれば、ダウンリンク制御情報は、変調および符号化方式を示す値を含み得る。ダウンリンク制御情報は、アップリンク共有チャネル上でのリソースブロック割り当てのパラメータを含んでもよい。例示的な一実施形態によれば、無線デバイスは、第３の値に設定されていない、変調および符号化方式を示す値に応答して、検証が達成されると判定し得る。無線デバイスは、第４の値に設定されていない、リソースブロック割り当てのパラメータに応答して、検証が達成されると判定してもよい。例示的な一実施形態によれば、無線デバイスは、アップリンク共有チャネルの１つ以上のリソースブロックを介して、半永続的なＣＳＩレポートを伝送し得る。１つ以上のリソースブロックは、リソースブロック割り当てのパラメータによって示されてもよい。
【０３４１】
例示的な一実施形態によれば、無線デバイスは、半永続的なＣＳＩ報告の無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。無線デバイスは、第３の値に設定されていない、ダウンリンク制御情報の変調および符号化方式の値に応答して、検証が達成されると判定してもよい。無線デバイスは、第４の値に設定されていない、ダウンリンク制御情報のうちのリソースブロック割り当てのパラメータに応答して、検証が達成されると判定してもよい。例示的な一実施形態によれば、第３の値は、ビットを「１」に設定したビット列を含む、事前定義された値であってもよい。例示的な一実施形態によれば、第４の値は、ビットを「１」に設定したビット列を含む、事前定義された値であってもよい。例示的な一実施形態によれば、第４の値は、ビットを「０」に設定したビット列を含む、事前定義された値であってもよい。
【０３４２】
例示的な一実施形態によれば、基地局は、１つ以上の無線リソース制御メッセージを受信し得る。１つ以上の無線リソース制御メッセージは、半永続的なＣＳＩ報告の無線ネットワーク一時識別子を含んでもよい。１つ以上の無線リソース制御メッセージは、半永続的なＣＳＩ報告を含む、複数の半永続的なＣＳＩ報告の構成パラメータを含んでもよい。例示的な一実施形態によれば、１つ以上の無線リソース制御メッセージは、半永続的なダウンリンクスケジューリングの第２の無線ネットワーク一時識別子、または構成されたアップリンク許可を含み得る。第２の無線ネットワーク一時識別子は、半永続的なＣＳＩ報告の無線ネットワーク一時識別子とは異なってもよい。例示的な一実施形態によれば、１つ以上の無線リソース制御メッセージは、動的ダウンリンク割り当ての第３の無線ネットワーク一時識別子、または動的アップリンク許可を含み得る。第３の無線ネットワーク一時識別子は、半永続的なＣＳＩ報告の無線ネットワーク一時識別子とは異なってもよい。例示的な一実施形態によれば、複数の半永続的なＣＳＩ報告のうちの半永続的なＣＳＩ報告の構成パラメータは、１つ以上の基準信号の無線リソースを含み得る。複数の半永続的なＣＳＩ報告のうちの半永続的なＣＳＩ報告の構成パラメータは、レポート量表示を含んでもよい。複数の半永続的なＣＳＩ報告のうちの半永続的なＣＳＩ報告の構成パラメータは、レポート周期性を含んでもよい。複数の半永続的なＣＳＩ報告のうちの半永続的なＣＳＩ報告の構成パラメータは、ＣＱＩおよびＰＭＩに対する周波数粒度を含んでもよい。複数の半永続的なＣＳＩ報告のうちの半永続的なＣＳＩ報告の構成パラメータは、測定制限構成を含んでもよい。例示的な一実施形態によれば、レポート量表示は、ＣＱＩ／ＰＭＩ／ＣＲＩ／ＲＩ／Ｌ１−ＲＳＲＰ値のうちの１つ以上のどれが、半永続的なＣＳＩレポートで伝送されるかを示し得る。例示的な一実施形態によれば、無線デバイスは、レポート周期性で、半永続的なＣＳＩレポートを伝送し得る。半永続的なＣＳＩレポートは、レポート量表示に従って、１つ以上のＣＱＩ／ＰＭＩ／ＣＲＩ／ＲＩ／Ｌ１−ＲＳＲＰ値を含んでもよい。
【０３４３】
図５２は、本開示の一実施形態の一態様の流れ図である。５２１０で、ダウンリンク制御情報が受信され得る。ダウンリンク制御情報は、は、アップリンク共有チャネルの電力制御コマンドを含んでもよい。ダウンリンク制御情報は、チャネル状態情報（ＣＳＩ）要求フィールドを含んでもよい。ダウンリンク制御情報は、ハイブリッド自動繰り返し要求プロセス番号を含んでもよい。ダウンリンク制御情報は、冗長バージョンを含んでもよい。５２２０で、半永続的なＣＳＩ報告のアクティブ化についてのダウンリンク制御情報は、半永続的なＣＳＩ報告の無線ネットワーク一時識別子に基づいて検証され得る。半永続的なＣＳＩ報告のアクティブ化についてのダウンリンク制御情報は、第１の値に設定されている、ハイブリッド自動繰り返し要求プロセス番号に基づいて検証されてもよい。半永続的なＣＳＩ報告のアクティブ化についてのダウンリンク制御情報は、第２の値に設定されている冗長バージョンに基づいて検証されてもよい。５２３０で、ＣＳＩ要求フィールドによって示される半永続的なＣＳＩ報告は、達成されたダウンリンク制御情報の検証に応答してアクティブ化され得る。５２４０で、半永続的なＣＳＩ報告のアクティブ化に応答して、半永続的なＣＳＩレポートは、アップリンク共有チャネルを介して、電力制御コマンドに基づいて判定される伝送電力で伝送され得る。
【０３４４】
図５３は、本開示の一実施形態の一態様の流れ図である。５３１０で、基地局は、無線デバイスへダウンリンク制御情報を伝送し得る。ダウンリンク制御情報は、アップリンク共有チャネルの電力制御コマンドを含んでもよい。ダウンリンク制御情報は、チャネル状態情報（ＣＳＩ）要求フィールドを含んでもよい。ダウンリンク制御情報は、ハイブリッド自動繰り返し要求プロセス番号を含んでもよい。ダウンリンク制御情報は、冗長バージョンを含んでもよい。５３２０で、伝送に応答して、半永続的なＣＳＩ報告は、無線デバイスに対してアクティブ化され得る。アクティブ化は、半永続的なＣＳＩ報告の無線ネットワーク一時識別子に基づいてもよい。アクティブ化は、第１の値に設定されている、ハイブリッド自動繰り返し要求プロセス番号に基づいてもよい。アクティブ化は、第２の値に設定されている、冗長バージョンに基づいてもよい。５３３０で、無線デバイスは、アクティブ化された半永続的なＣＳＩ報告に対して、アップリンク共有チャネルを介して、半永続的なＣＳＩレポートを受信し得る。
【０３４５】
例示的な一実施形態によれば、基地局は、半永続的なＣＳＩ報告の無線ネットワーク一時識別子でスクランブルされている、ダウンリンク制御情報の巡回冗長検査パリティビットに応答して、半永続的なＣＳＩ報告をアクティブ化し得る。基地局は、第１の値に設定されているハイブリッド自動繰り返し要求プロセス番号に応答して、半永続的なＣＳＩ報告をアクティブ化してもよい。基地局は、第２の値に設定されている冗長バージョンに応答して、半永続的なＣＳＩ報告をアクティブ化してもよい。例示的な一実施形態によれば、半永続的なＣＳＩレポートは、チャネル品質インジケータ（ＣＱＩ）を含み得る。半永続的なＣＳＩレポートは、プリコーディング行列インジケータ（ＰＭＩ）を含んでもよい。半永続的なＣＳＩレポートは、チャネル状態情報基準信号リソースインジケータ（ＣＲＩ）を含んでもよい。半永続的なＣＳＩレポートは、レイヤインジケータ（ＬＩ）を含んでもよい。半永続的なＣＳＩレポートは、ランクインジケータ（ＲＩ）を含んでもよい。半永続的なＣＳＩレポートは、レイヤ１基準信号受信電力（Ｌ１−ＲＳＲＰ）を含んでもよい。例示的な一実施形態によれば、基地局は、アクティブ化された半永続的なＣＳＩ報告のレポート周期性で、半永続的なＣＳＩレポートを受信し得る。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。例示的な一実施形態によれば、ダウンリンク制御情報は、新たなデータインジケータフィールドを含み得る。
【０３４６】
例示的な一実施形態によれば、ダウンリンク制御情報は、変調および符号化方式を示す値を含み得る。ダウンリンク制御情報は、アップリンク共有チャネル上でのリソースブロック割り当てのパラメータを含んでもよい。例示的な一実施形態によれば、基地局は、第３の値に設定されていない、変調および符号化方式を示す値にさらに応答して、半永続的なＣＳＩ報告をアクティブ化し得る。基地局は、第４の値に設定されていない、リソースブロック割り当てのパラメータにさらに応答して、半永続的なＣＳＩ報告をアクティブ化してもよい。例示的な一実施形態によれば、基地局は、アップリンク共有チャネルの１つ以上のリソースブロックを介して、半永続的なＣＳＩレポートを受信し得る。１つ以上のリソースブロックは、リソースブロック割り当てのパラメータによって示されてもよい。
【０３４７】
例示的な一実施形態によれば、基地局は、半永続的なＣＳＩ報告の無線ネットワーク一時識別子でスクランブルされている、ダウンリンク制御情報の巡回冗長検査パリティビットに応答して、半永続的なＣＳＩ報告をアクティブ化し得る。基地局は、第１の値に設定されているハイブリッド自動繰り返し要求プロセス番号に応答して、半永続的なＣＳＩ報告をアクティブ化してもよい。基地局は、第２の値に設定されている冗長バージョンに応答して、半永続的なＣＳＩ報告をアクティブ化してもよい。基地局は、第３の値に設定されていない、ダウンリンク制御情報の変調および符号化方式の値に応答して、半永続的なＣＳＩ報告をアクティブ化してもよい。基地局は、第４の値に設定されていない、ダウンリンク制御情報のうちのリソースブロック割り当てのパラメータに応答して、半永続的なＣＳＩ報告をアクティブ化してもよい。例示的な一実施形態によれば、第３の値は、ビットを「１」に設定したビット列を含む、事前定義された値であってもよい。例示的な一実施形態によれば、第４の値は、ビットを「１」に設定したビット列を含む、事前定義された値であってもよい。例示的な一実施形態によれば、第４の値は、ビットを「０」に設定したビット列を含む、事前定義された値であってもよい。
【０３４８】
例示的な一実施形態によれば、無線デバイスは、１つ以上の無線リソース制御メッセージを伝送し得る。１つ以上の無線リソース制御メッセージは、半永続的なＣＳＩ報告の無線ネットワーク一時識別子を含んでもよい。１つ以上の無線リソース制御メッセージは、半永続的なＣＳＩ報告を含む、複数の半永続的なＣＳＩ報告の構成パラメータを含んでもよい。例示的な一実施形態によれば、１つ以上の無線リソース制御メッセージは、半永続的なダウンリンクスケジューリングの第２の無線ネットワーク一時識別子、または構成されたアップリンク許可を含み得る。第２の無線ネットワーク一時識別子は、半永続的なＣＳＩ報告の無線ネットワーク一時識別子とは異なってもよい。例示的な一実施形態によれば、１つ以上の無線リソース制御メッセージは、動的ダウンリンク割り当ての第３の無線ネットワーク一時識別子、または動的アップリンク許可を含み得る。第３の無線ネットワーク一時識別子は、半永続的なＣＳＩ報告の無線ネットワーク一時識別子とは異なってもよい。例示的な一実施形態によれば、複数の半永続的なＣＳＩ報告のうちの半永続的なＣＳＩ報告の構成パラメータは、１つ以上の基準信号の無線リソースを含み得る。複数の半永続的なＣＳＩ報告のうちの半永続的なＣＳＩ報告の構成パラメータは、レポート量表示を含んでもよい。複数の半永続的なＣＳＩ報告のうちの半永続的なＣＳＩ報告の構成パラメータは、レポート周期性を含んでもよい。複数の半永続的なＣＳＩ報告のうちの半永続的なＣＳＩ報告の構成パラメータは、ＣＱＩおよびＰＭＩに対する周波数粒度を含んでもよい。複数の半永続的なＣＳＩ報告のうちの半永続的なＣＳＩ報告の構成パラメータは、測定制限構成を含んでもよい。例示的な一実施形態によれば、レポート量表示は、ＣＱＩ／ＰＭＩ／ＣＲＩ／ＲＩ／Ｌ１−ＲＳＲＰ値のうちの１つ以上のどれが、半永続的なＣＳＩレポートで伝送されるかを示し得る。例示的な一実施形態によれば、基地局は、レポート周期性で、半永続的なＣＳＩレポートを受信し得る。半永続的なＣＳＩレポートは、レポート量表示に従って、１つ以上のＣＱＩ／ＰＭＩ／ＣＲＩ／ＲＩ／Ｌ１−ＲＳＲＰ値を含んでもよい。
【０３４９】
図５４は、本開示の一実施形態の一態様の流れ図である。５４１０で、無線デバイスは、基地局からダウンリンク制御情報を受信し得る。ダウンリンク制御情報は、アップリンク共有チャネルの電力制御コマンドを含んでもよい。ダウンリンク制御情報は、チャネル状態情報（ＣＳＩ）要求フィールドを含んでもよい。ダウンリンク制御情報は、ハイブリッド自動繰り返し要求プロセス番号を含んでもよい。ダウンリンク制御情報は、冗長バージョンを含んでもよい。５４２０で、半永続的なＣＳＩ報告のアクティブ化についてのダウンリンク制御情報が検証され得る。検証は、半永続的なＣＳＩ報告の無線ネットワーク一時識別子に基づいてもよい。検証は、ハイブリッド自動繰り返し要求プロセス番号に基づいてもよい。検証は、冗長バージョンに基づいてもよい。５４３０で、ＣＳＩ要求フィールドによって示される半永続的なＣＳＩ報告は、達成された検証に応答してアクティブ化され得る。５４４０で、アクティブ化された半永続的なＣＳＩ報告に基づいて、半永続的なＣＳＩレポートは、アップリンク共有チャネルを介して、電力制御コマンドに基づいて判定される伝送電力で伝送され得る。
【０３５０】
例示的な一実施形態によれば、無線デバイスは、半永続的なＣＳＩ報告の無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。
【０３５１】
図５５は、本開示の一実施形態の一態様の流れ図である。５５１０で、無線デバイスは、半永続的なＣＳＩ報告のために半永続的なＣＳＩレポートを伝送し得る。５５２０で、ダウンリンク制御情報が受信され得る。ダウンリンク制御情報は、チャネル状態情報（ＣＳＩ）要求フィールドを含んでもよい。ダウンリンク制御情報は、ハイブリッド自動繰り返し要求プロセス番号を含んでもよい。ダウンリンク制御情報は、変調および符号化方式の値を含んでもよい。ダウンリンク制御情報は、リソースブロック割り当てのパラメータを含んでもよい。ダウンリンク制御情報は、冗長バージョンを含んでもよい。５５３０で、半永続的なＣＳＩ報告の非アクティブ化についてのダウンリンク制御情報が検証され得る。検証は、半永続的なＣＳＩ報告の無線ネットワーク一時識別子に基づいてもよい。検証は、ハイブリッド自動繰り返し要求プロセス番号に基づいてもよい。検証は、冗長バージョンに基づいてもよい。検証は、リソースブロック割り当てのパラメータに基づいてもよい。検証は、変調および符号化方式の値に基づいてもよい。５５４０で、ＣＳＩ要求フィールドによって示される半永続的なＣＳＩ報告は、達成された検証に応答して非アクティブ化され得る。５５５０で、アップリンク共有チャネルを介する、半永続的なＣＳＩレポートの伝送が停止され得る。
【０３５２】
例示的な一実施形態によれば、無線デバイスは、無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。無線デバイスは、第３の値に設定されている、変調および符号化方式の値に応答して、検証が達成されると判定してもよい。無線デバイスは、第４の値に設定されている、リソースブロック割り当てのパラメータに応答して、検証が達成されると判定してもよい。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。例示的な一実施形態によれば、第３の値は、ビットを「１」に設定したビット列を含む、事前定義された値であってもよい。例示的な一実施形態によれば、第４の値は、ビットを「１」に設定したビット列を含む、事前定義された値であってもよい。例示的な一実施形態によれば、第４の値は、ビットを「０」に設定したビット列を含む、事前定義された値であってもよい。
【０３５３】
図５６は、本開示の一実施形態の一態様の流れ図である。５６１０で、無線デバイスは、基地局から１つ以上のメッセージを受信し得る。１つ以上のメッセージは、複数の半永続的なチャネル状態情報（ＳＰ  ＣＳＩ）報告のパラメータを含んでもよい。１つ以上のメッセージは、ＳＰ  ＣＳＩ無線ネットワーク一時識別子を含んでもよい。５６２０で、ダウンリンク制御情報が受信され得る。ダウンリンク制御情報は、アップリンク共有チャネルの電力制御コマンドを含んでもよい。ダウンリンク制御情報は、複数のＳＰ  ＣＳＩ報告のうちのＳＰ  ＣＳＩ報告を示す、ファイルされたチャネル状態情報要求を含んでもよい。ダウンリンク制御情報は、ハイブリッド自動繰り返し要求プロセス番号を含んでもよい。ダウンリンク制御情報は、冗長バージョンを含んでもよい。５６３０で、ＳＰ  ＣＳＩ報告のアクティブ化についてのダウンリンク制御情報の検証は、ＳＰ  ＣＳＩ無線ネットワーク一時識別子に基づいて行われてもよい。ＳＰ  ＣＳＩ報告のアクティブ化についてのダウンリンク制御情報の検証は、ハイブリッド自動繰り返し要求プロセス番号に基づいて行われてもよい。ＳＰ  ＣＳＩ報告のアクティブ化についてのダウンリンク制御情報の検証は、冗長バージョンに基づいて行われてもよい。５６４０で、達成された検証に応答して、ＳＰ  ＣＳＩ報告に基づいて、ＳＰ  ＣＳＩレポートは、アップリンク共有チャネルを介して、電力制御コマンドに基づいて判定される伝送電力で伝送され得る。
【０３５４】
例示的な一実施形態によれば、無線デバイスは、ＳＰ  ＣＳＩ無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。
【０３５５】
図５７は、本開示の一実施形態の一態様の流れ図である。５７１０で、無線デバイスは、基地局からダウンリンク制御チャネルを介して、ダウンリンク制御情報を受信し得る。５７２０で、半永続的なＣＳＩ報告のアクティブ化についてのダウンリンク制御情報が検証され得る。検証は、半永続的なＣＳＩ報告の無線ネットワーク一時識別子に基づいてもよい。検証は、ダウンリンク制御情報のハイブリッド自動繰り返し要求プロセス番号に基づいてもよい。検証は、ダウンリンク制御情報の冗長バージョンに基づいてもよい。５７３０で、半永続的なＣＳＩ報告は、達成された検証に応答してアクティブ化され得る。
【０３５６】
例示的な一実施形態によれば、アクティブ化された半永続的なＣＳＩ報告に対して、半永続的なＣＳＩレポートが、ダウンリンク制御情報の電力制御コマンドに基づいて判定される伝送電力で伝送され得る。例示的な一実施形態によれば、アクティブ化された半永続的なＣＳＩ報告に対して、半永続的なＣＳＩレポートは、アップリンク共有チャネルを介して伝送されてもよい。例示的な一実施形態によれば、半永続的なＣＳＩレポートは、ダウンリンク制御情報の電力制御コマンドに基づいて判定される、伝送電力で伝送されてもよい。例示的な一実施形態によれば、無線デバイスは、半永続的なＣＳＩ報告の無線ネットワーク一時識別子でスクランブルされている、ダウンリンク制御情報の巡回冗長検査パリティビットに応答して、検証が達成されると判定してもよい。無線デバイスは、第１の値に設定されているハイブリッド自動繰り返し要求プロセス番号に応答して、検証が達成されると判定してもよい。無線デバイスは、第２の値に設定されている冗長バージョンに応答して、検証が達成されると判定してもよい。例示的な一実施形態によれば、第１の値は、ビットを「０」に設定したビット列を含む、事前定義された値であってもよい。例示的な一実施形態によれば、第２の値は、ビットを「０」に設定したビット列を含む、事前定義された値であってもよい。
【０３５７】
図５８は、本開示の一実施形態の一態様の流れ図である。５８１０で、無線デバイスは、第１の数のビーム障害インスタンスを検出するのに応答して、ビーム障害回復プロシージャを開始し得る。５８２０で、ビーム障害回復タイマは第１のタイマ値で始動し得る。５８３０で、第１の基準信号は、ビーム障害回復タイマの満了に応答して選択され得る。５８４０で、第１の基準信号に関連付けられた、第１のプリアンブルが伝送され得る。５８５０で、応答ウィンドウの間、第１のプリアンブルの伝送に応答して、ダウンリンク制御情報用のダウンリンク制御チャネルが監視され得る。５８６０で、プリアンブル伝送カウンタは、ビーム障害回復タイマの満了前に、プリアンブル伝送カウンタの値からインクリメントされ得る。プリアンブル伝送カウンタのインクリメントは、応答ウィンドウの間に、ダウンリンク制御情報を受信しないのに応答してであってもよい。５８７０で、プリアンブル伝送カウンタが、プリアンブル伝送に対して第３の数以下の第２の数を示すのに応答して、ビーム障害回復プロシージャ用の第２のプリアンブルが伝送され得る。
【０３５８】
例示的な一実施形態によれば、ビーム障害回復プロシージャは、プリアンブル伝送に対して、第３の数より大きい第２の数を示す、プリアンブル伝送カウンタに応答して完了に失敗し得る。例示的な一実施形態によれば、ビーム障害回復プロシージャは、監視中、ダウンリンク制御情報の受信に応答して完了に成功し得る。例示的な一実施形態によれば、ビーム障害回復プロシージャの開始は、プリアンブル伝送カウンタの初期値への設定を含んでもよい。例示的な一実施形態によれば、初期値は１であってもよい。例示的な一実施形態によれば、無線デバイスは、プリアンブル伝送に対して、第３の数以下である第２の数を示す、プリアンブル伝送カウンタに応答して、プリアンブル伝送カウンタをインクリメントさせてもよい。
【０３５９】
例示的な一実施形態によれば、１つ以上の無線リソース制御メッセージが受信され得る。１つ以上の無線リソース制御メッセージは、ビーム障害回復プロシージャの構成パラメータを含んでもよい。構成パラメータは、第１の複数の基準信号を含んでもよい。構成パラメータには、第１のタイマ値を含み得る。構成パラメータには、第１の数を含み得る。構成パラメータには、第３の数を含み得る。例示的な一実施形態によれば、無線デバイスは、第１の複数の基準信号に基づいて、第１の数のビーム障害インスタンスを検出してもよい。第１の数のビーム障害インスタンスのうちのビーム障害インスタンスは、第１の閾値より悪い、第１の複数の基準信号の無線リンク品質に応答して発生し得る。例示的な一実施形態によれば、無線リンク品質は、ブロック誤り率（ＢＬＥＲ）の値を含んでもよい。
【０３６０】
例示的な一実施形態によれば、第１の情報は、プリアンブル伝送に対して、第３の数より大きい第２の数を示す、プリアンブル伝送カウンタに応答して、無線デバイスの無線リソース制御レイヤに示され得る。例示的な一実施形態によれば、第１の情報は、ランダムアクセス問題を示してもよい。第１の情報は、プリアンブル伝送に対して、第３の数より大きい第２の数を示す、プリアンブル伝送カウンタを示してもよい。第１の情報は、ビーム障害回復プロシージャの障害を示してもよい。第１の情報は、同期外れを示してもよい。例示的な一実施形態によれば、無線デバイスは、基地局へ無線リンク障害レポートを伝送し得る。無線リンク障害レポートは、第１の情報を含んでもよい。
【０３６１】
例示的な一実施形態によれば、無線デバイスは、ビーム障害回復タイマが動いている間に、第２の基準信号を選択し得る。例示的な一実施形態によれば、無線デバイスは、第２の基準信号に関連付けられている第３のプリアンブルを伝送し得る。例示的な一実施形態によれば、無線デバイスは、第３のプリアンブルの伝送に応答して、第１の応答ウィンドウの間、第１のダウンリンク制御情報用の第１のダウンリンク制御チャネルを監視し得る。例示的な一実施形態によれば、無線デバイスは、第１の応答ウィンドウの間に、第１のダウンリンク制御情報を受信しないのに応答して、プリアンブル伝送カウンタをインクリメントさせてもよい。
【０３６２】
例示的な一実施形態によれば、第２の基準信号に関連付けられている第３のプリアンブルは、無線リソース制御メッセージの中の１つ以上のビーム障害構成パラメータによって示され得る。例示的な一実施形態によれば、無線デバイスは、ビーム障害回復プロシージャに対する制御リソースセットの中の、第１のダウンリンク制御チャネルを監視し得る。例示的な一実施形態によれば、第１のダウンリンク制御情報は、ビーム障害回復プロシージャに対する第３のプリアンブルに応答してもよい。
【０３６３】
例示的な一実施形態によれば、無線デバイスは、複数の基準信号から、第２の閾値より優れた無線リンク品質を持つ、第２の基準信号を選択し得る。例示的な一実施形態によれば、無線リンク品質は、基準信号受信電力（ＲＳＲＰ）の値を含んでもよい。例示的な一実施形態によれば、複数の基準信号は、無線リソース制御メッセージの中に構成され得る。
【０３６４】
図５９は、本開示の一実施形態の一態様の流れ図である。５９１０で、ビーム障害回復プロシージャは、いくつかのビーム障害インスタンスを検出するのに応答して開始され得る。５９２０で、ビーム障害回復タイマはタイマ値で始動し得る。５９３０で、第１の基準信号は、ビーム障害回復タイマの満了に応答して選択され得る。５９４０で、第１の基準信号に関連付けられた、第１のプリアンブルが伝送され得る。５９５０で、ダウンリンク制御情報用のダウンリンク制御チャネルは、応答ウィンドウの間、第１のプリアンブルの伝送に応答して監視され得る。５９６０で、プリアンブル伝送カウンタは、応答ウィンドウの間に、ダウンリンク制御情報を受信しないのに応答して、ビーム障害回復タイマの満了前に、プリアンブル伝送カウンタの値からインクリメントされ得る。５９７０で、プリアンブル伝送に対して、第２の数以下である第１の数を示す、プリアンブル伝送カウンタに応答して、ビーム障害回復プロシージャに対する第２のプリアンブルが伝送され得る。
【０３６５】
図６０は、本開示の一実施形態の一態様の流れ図である。６０１０で、ビーム障害回復タイマは、ビーム障害回復プロシージャの開始に応答して、タイマ値で始動され得る。６０２０で、第１のプリアンブルは、ビーム障害回復タイマが動いている間に伝送され得る。６０３０で、プリアンブル伝送カウンタは、第１の応答ウィンドウの間に、第１のプリアンブルに対する第１の応答を受信しないのに応じてインクリメントされ得る。６０４０で、第２のプリアンブルは、ビーム障害回復タイマの満了に応答して伝送され得る。６０５０で、ダウンリンク制御チャネルは、第２のプリアンブルの伝送に応答して、第２の応答ウィンドウの間に、第２の応答に対して監視され得る。６０６０で、プリアンブル伝送カウンタは、第２のプリアンブルに対する第２の応答を受信しないのに応じて、ビーム障害回復タイマの満了前に、プリアンブル伝送カウンタの値からインクリメントされ得る。
【０３６６】
例示的な一実施形態によれば、プリアンブル伝送に対して第２の数以下である第１の数を示す、プリアンブル伝送カウンタに応答して、ビーム障害回復プロシージャに対する第３のプリアンブルが伝送され得る。例示的な一実施形態によれば、ビーム障害回復プロシージャは、プリアンブル伝送に対して第２の数より大きい第１の数を示す、プリアンブル伝送カウンタに応答して完了に失敗し得る。例示的な一実施形態によれば、ビーム障害回復プロシージャは、第１の応答の受信に応答して完了し得る。例示的な一実施形態によれば、ビーム障害回復プロシージャは、第２の応答の受信に応答して完了に成功し得る。
【０３６７】
図６１は、本開示の一実施形態の一態様の流れ図である。６１１０で、ビーム障害回復プロシージャは、ビーム障害インスタンスの検出に応答して開始され得る。６１２０で、ビーム障害回復タイマはタイマ値で始動し得る。６１３０で、プリアンブル伝送カウンタは、第１の応答ウィンドウの間に、第１のプリアンブルの伝送に対する第１の応答を受信しないのに応じて、第１の値へインクリメントされ得る。６１４０で、第２のプリアンブルは、ビーム障害回復タイマの満了に応答して伝送され得る。６１５０で、第２の応答ウィンドウの間に、ダウンリンク制御チャネルは、第２のプリアンブルへの第２の応答に対して監視され得る。６１６０で、プリアンブル伝送カウンタは、第２の応答ウィンドウの間に、第２の応答を受信しないのに応じて、第１の値からインクリメントされ得る。
【０３６８】
図６２は、本開示の一実施形態の一態様の流れ図である。６２１０で、ビーム障害回復タイマは、ビーム障害回復プロシージャの開始に応答して、タイマ値で始動され得る。６２２０で、第１のプリアンブルは、ビーム障害回復タイマが動いている間に伝送され得る。６２３０で、プリアンブル伝送カウンタは、第１の応答ウィンドウの間に、第１のプリアンブルへの第１の応答を受信しないのに応じて、第１の値へインクリメントされ得る。６２４０で、第２のプリアンブルは、ビーム障害回復タイマの満了に応答して伝送され得る。６２５０で、第２の応答ウィンドウの間に、第２のダウンリンク制御チャネルは、第２のプリアンブルへの第２の応答に対して監視され得る。６２６０で、プリアンブル伝送カウンタは、第２の応答ウィンドウの間に、第２の応答を受信しないのに応じて、第１の値からインクリメントされ得る。６２７０で、無線リンク障害レポートは、プリアンブル伝送に対して、第２の数より大きい第１の数を示す、プリアンブル伝送カウンタに応答して伝送され得る。無線リンク障害レポートは、ランダムアクセス問題またはビーム障害回復プロシージャの障害を示す、１つ以上のパラメータを含んでもよい。
【０３６９】
図６３は、本開示の一実施形態の一態様の流れ図である。６３１０で、無線デバイスは、ＭＡＣサブヘッダによって識別される、媒体アクセス制御（ＭＡＣ）制御要素（ＣＥ：ｃｏｎｔｒｏｌ  ｅｌｅｍｅｎｔ）を受信し得る。ＭＡＣ  ＣＥは、複数のセルの第１のセルに関連付けられる、第１のフィールドを含んでもよい。第１の値に設定されている第１のフィールドは、第１のセルに関するＳＰ  ＣＳＩ報告のアクティブ化／非アクティブ化のコマンドが存在することを示してもよい。ＭＡＣ  ＣＥは、半永続的なチャネル状態情報（ＳＰ  ＣＳＩ）報告のアクティブ化／非アクティブ化インジケータを含んでもよい。ＭＡＣ  ＣＥは、第１のセルに関する複数のＳＰ  ＣＳＩ報告のうちのＳＰ  ＣＳＩ報告を示す、ＳＰ  ＣＳＩレポートトリガフィールドを含んでもよい。６３２０で、第１のセルに関するＳＰ  ＣＳＩ報告のアクティブ化を示す、ＳＰ  ＣＳＩ報告のアクティブ化／非アクティブ化インジケータに応答して、アップリンク制御チャネルを介して第１のセルに対するＳＰ  ＣＳＩレポートを伝送し得る。
【０３７０】
例示的な一実施形態によれば、ＭＡＣサブヘッダは、ＭＡＣ  ＣＥのサイズを示す長さフィールドを含み得る。ＭＡＣサブヘッダは、ＭＡＣ  ＣＥが、ＳＰ  ＣＳＩ報告のアクティブ化／非アクティブ化用であることを示す、論理チャネル識別子を含んでもよい。例示的な一実施形態によれば、ＭＡＣ  ＣＥは固定サイズを有してもよい。例示的な一実施形態によれば、第１の値は１であってもよい。例示的な一実施形態によれば、複数のセルは、プライマリセルおよび１つ以上のセカンダリセルを含んでもよい。例示的な一実施形態によれば、第１のフィールドに関連付けられる第１のセルは、無線リソース制御メッセージの中に示され得る。例示的な一実施形態によれば、第１のフィールドに関連付けられる第１のセルは、第１のセルのセルインデックスによって識別されてもよく、セルインデックスによって、ＭＡＣ  ＣＥの中で第１のフィールドの位置を判定する。例示的な一実施形態によれば、ＳＰ  ＣＳＩ報告のアクティブ化／非アクティブ化インジケータは、ビットを含み得る。例示的な一実施形態によれば、無線デバイスは、ＳＰ  ＣＳＩ報告１つ以上のパラメータによって示されるレポート周期性で、ＳＰ  ＣＳＩレポートを伝送し得る。例示的な一実施形態によれば、無線デバイスは、ＳＰ  ＣＳＩ報告の１つ以上のパラメータによって示されるアップリンク制御チャネルを介して、ＳＰ  ＣＳＩレポートを伝送し得る。例示的な一実施形態によれば、１つ以上の無線リソース制御メッセージが受信され得る。１つ以上の無線リソース制御メッセージは、複数のセルに関する複数のＳＰ  ＣＳＩ報告の構成パラメータを含んでもよい。構成パラメータは、１つ以上のチャネル状態情報基準信号リソース構成を示してもよい。構成パラメータは、１つ以上のチャネル状態情報レポート量インジケータを示してもよい。構成パラメータはレポート周期性を示してもよい。構成パラメータは、１つ以上のアップリンク制御チャネル構成パラメータを示してもよい。例示的な一実施形態によれば、第１のセルに関するＳＰ  ＣＳＩ報告の非アクティブ化を示す、ＳＰ  ＣＳＩ報告のアクティブ化／非アクティブ化インジケータに応答して、アップリンク制御チャネルを介する第１のセルに対するＳＰ  ＣＳＩレポートの伝送が停止され得る。例示的な一実施形態によれば、ＳＰ  ＣＳＩ報告のアクティブ化／非アクティブ化インジケータはビットを含み得る。
【０３７１】
例示的な一実施形態によれば、ＭＡＣ  ＣＥは、第１のセルの複数のＲＳのうちの少なくとも１つを示す、基準信号リソースインジケータを含み得る。例示的な一実施形態によれば、無線デバイスは、第１のセルの複数のＲＳのうちの１つに関して測定された、ＳＰ  ＣＳＩレポートを伝送し得る。
【０３７２】
例示的な一実施形態によれば、ＭＡＣ  ＣＥは、複数のセルの第２のセルに関連付けられる、第２のフィールドを含んでもよい。第２の値に設定されている第２のフィールドは、第２のセルに関するＳＰ  ＣＳＩ報告のアクティブ化／非アクティブ化のコマンドが存在しないことを示してもよい。例示的な一実施形態によれば、第２の値は０であってもよい。例示的な一実施形態によれば、第２のフィールドに関連付けられる第２のセルは、無線リソース制御メッセージの中に示され得る。例示的な一実施形態によれば、第２のフィールドに関連付けられる第２のセルは、第２のセルのセルインデックスによって識別され得る。セルインデックスによって、ＭＡＣ  ＣＥの中の第２のフィールドの位置を判定してもよい。例示的な一実施形態によれば、第２のセルに関するＳＰ  ＣＳＩ報告の状態は、第２のセルに関するＳＰ  ＣＳＩ報告のアクティブ化／非アクティブ化のコマンドが存在しないことを示す、第２のセルに関連付けられる第２のフィールドに応答して維持され得る。
【０３７３】
図６４は、本開示の一実施形態の一態様の流れ図である。６４１０において、無線デバイスは、１つ以上のメッセージを基地局から受信し得る。１つ以上のメッセージは、複数のセルの１つ以上の第１の構成パラメータを含んでもよい。１つ以上のメッセージは、複数のＳＰ  ＣＳＩ報告の１つ以上の第２の構成パラメータを含んでもよい。６４２０で、ＭＡＣサブヘッダによって識別される、媒体アクセス制御（ＭＡＣ）制御要素（ＣＥ）が受信され得る。ＭＡＣ  ＣＥは、複数のセルの第１のセルに関連付けられる、第１のフィールドを含んでもよい。第１の値に設定されている第１のフィールドは、第１のセルに関するＳＰ  ＣＳＩ報告のアクティブ化／非アクティブ化のコマンドが存在することを示してもよい。ＭＡＣ  ＣＥは、半永続的なチャネル状態情報（ＳＰ  ＣＳＩ）報告のアクティブ化／非アクティブ化インジケータを含んでもよい。ＭＡＣ  ＣＥは、第１のセルに関する複数のＳＰ  ＣＳＩ報告のうちのＳＰ  ＣＳＩ報告を示す、ＳＰ  ＣＳＩレポートトリガフィールドを含んでもよい。６４３０で、第１のセルに関するＳＰ  ＣＳＩ報告のアクティブ化を示す、ＳＰ  ＣＳＩ報告のアクティブ化／非アクティブ化インジケータに応答して、アップリンク制御チャネルを介して第１のセルに対するＳＰ  ＣＳＩレポートを伝送し得る。
【０３７４】
例示的な一実施形態によれば、ＭＡＣサブヘッダは、ＭＡＣ  ＣＥのサイズを示す長さフィールドを含み得る。ＭＡＣサブヘッダは、ＭＡＣ  ＣＥがＳＰ  ＣＳＩ報告のアクティブ化／非アクティブ化用であることを示す、論理チャネル識別子を含んでもよい。例示的な一実施形態によれば、ＭＡＣ  ＣＥは、複数のセルの第２のセルに関連付けられる、第２のフィールドを含んでもよい。第２のフィールドは、第２の値に設定されてもよく、第２のセルに関するＳＰ  ＣＳＩ報告のアクティブ化／非アクティブ化のコマンドが存在しないことを示す。例示的な一実施形態によれば、第２のセルに関するＳＰ  ＣＳＩ報告の状態は、第２のセルに関するＳＰ  ＣＳＩ報告のアクティブ化／非アクティブ化のコマンドが存在しないことを示す、第２のセルに関連付けられる第２のフィールドに応答して維持され得る。
【０３７５】
本開示において、「ある」および「１つ」（「ａ」および「ａｎ」）ならびに同様の語句は、「少なくとも１つ」または「１つ以上」と解釈されるべきである。同様に、「（複数化）」（接尾語「（ｓ）」）で終わる任意の用語も、「少なくとも１つ」および「１つ以上」と解釈されるべきである。本開示において、「してもよい」、「し得る」（用語「ｍａｙ」）は、「場合があり、例えば」と解釈されるべきである。換言すれば、「してもよい」、「し得る」（用語「ｍａｙ」）は、その前に出てくる語句が、様々な実施形態のうちの１つ以上に用いられるかもしれない、または用いられないかもしれないという多数の好適な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。「に基づいて（ｂａｓｅｄ  ｏｎ）」という語句は、その前に出てくる語句が、様々な実施形態のうちの１つ以上に使用されるかもしれない、または、されないかもしれないという多数の好適な可能性のうちの１つの例であることを暗示している。「に応答して（ｉｎ  ｒｅｓｐｏｎｓｅ  ｔｏ）」という語句は、その前に出てくる語句が、様々な実施形態のうちの１つ以上に使用されるかもしれない、または、されないかもしれないという多数の好適な可能性のうちの１つの例であることを暗示している。「含む（ｉｎｃｌｕｄｉｎｇ）」および「備える、含む（ｃｏｍｐｒｉｓｉｎｇ）」という用語は、「含むが、それに限定されない」という意味として解釈されるべきである。
【０３７６】
本開示および特許請求の範囲において、「第１」、「第２」、「第３」などの区別用語は、要素の順序または要素の機能性を意味することなく、別個の要素を識別する。区別する用語は、実施形態を記載するときに、他の区別する用語で置き換えられる場合がある。
【０３７７】
本開示において、様々な実施形態が開示されている。開示された例示的な実施形態からの制限、特徴、および／または要素を組み合わせて、本開示の範囲内で、さらなる実施形態を作り出すことができる。
【０３７８】
本開示では、パラメータ（情報要素（Ｉｎｆｏｒｍａｔｉｏｎ  ｅｌｅｍｅｎｔ）：ＩＥ）は、１つ以上のオブジェクトを含んでもよく、それらのオブジェクトの各々は、１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な一実施形態では、１つ以上のメッセージが複数のパラメータを含むとき、それは、複数のパラメータの中のあるパラメータが、１つ以上のメッセージのうちの少なくとも１つの中に含まれるが、１つ以上のメッセージの各々に含まれる必要はないことを意味する。
【０３７９】
さらに、上記で提示された多くの特徴は、「してもよい、し得る（ｍａｙ）」の使用または括弧の使用を通じて任意選択であると説明されている。簡潔さおよび読みやすさのために、本開示は、１組の任意選択の特徴から選択することによって得ることができる、ありとあらゆる順列組み合わせを明示的に列挙していない。しかしながら、本開示は、そのような順列組み合わせをすべて、明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０３８０】
開示された実施形態に記載された要素の多くは、モジュールとして実装されてもよい。モジュールは、ここでは、定義された機能を実行し、他の要素への定義されたインターフェースを有する分離可能な要素として定義される。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装され得、それらは全て挙動的に等価である。例えば、モジュールは、ハードウェアマシンによって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂ、もしくは同様のものなど）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、個別のまたはプログラム可能なアナログ、デジタル、および／もしくは量子ハードウェアを組み込む物理的ハードウェアを使用して、モジュールを実装することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋、または同様のものなどの言語を使用してプログラムされる。ＦＰＧＡ、ＡＳＩＣ、およびＣＰＬＤは、プログラマブルデバイス上で、機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば、機能モジュールの結果を達成するために組み合わせて使用されることを強調しておく必要がある。
【０３８１】
この特許文書の開示は、著作権保護の対象となる資料を組み込んでいる。著作権所有者は、特許商標庁の特許ファイルまたは記録に記載されているように、法律によって要求される限られた目的のために、誰による特許文書または特許開示の複製にも異存はないが、それ以外の場合は、すべての著作権を留保する。
【０３８２】
種々の実施形態を上述してきたが、それらは限定ではなく、例として提示したことを理解されたい。当業者には、範囲を逸脱することなく、形態および詳細の種々の変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０３８３】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙された動作は、並べ替えられてもよく、または単に任意選択で使用されてもよい。
【０３８４】
さらに、開示の要約書の目的は、米国特許商標庁および一般大衆、特に特許もしくは法的用語または表現に精通していない当該分野の科学者、技術者、および実務家が、一瞥して出願の技術的な開示の性質および本質を迅速に判断できるようにすることである。開示の要約書は、いかなる意味においても範囲を限定することを意図するものではない。
【０３８５】
最後に、「手段（ｍｅａｎｓ  ｆｏｒ）」または「ステップ（ｓｔｅｐ  ｆｏｒ）」という明示的な用語を含む請求項のみが、米国特許法第１１２条の下で解釈されることが出願人の意図である。「手段（ｍｅａｎｓ  ｆｏｒ）」または「ステップ（ｓｔｅｐ  ｆｏｒ）」という語句を明示的に含まない請求項は、米国特許法第１１２条に基づいて解釈されるべきではない。
【符号の説明】
【０３８６】
１０１  矢印
１０３  サブキャリア
１０４  サブキャリア
１０５  サブキャリアＢ
１０６  ガードバンド
１０７  ガードバンド
２０３  ＯＦＤＭシンボル
２０４  キャリアＡ
２０５  キャリアＢ
２０６  スロット
２０７  スロット
３０１  リソース要素
３０２  リソースブロック
３０３  リソースブロックグループ（ＲＢＧ）
３０４  時間
３０５  周波数
３０６  ダウンリンク伝送帯域幅
４００  通信ネットワーク
４０１  基地局
４０２  通信インターフェース
４０３  プロセッサ
４０５  プログラムコード命令
４０６  無線デバイス
４０７  通信インターフェース
４０８  プロセッサ
４０９  非一時的メモリ
４１０  プログラムコード命令
４１１  無線リンク
９００  アクティブ化コマンド
９０２  プリアンブル
９０３  Ｍｓｇ２メッセージ
９０４  アップリンクパケット
１５０１  基地局
１５０２Ａ〜１５０２Ｈ  ＳＳバースト
１５０３  期間
１５０４  ＳＳバーストセット
１９０１  ステップ
１９０２  ステップ
１９０３  ステップ
１９０４  ステップ
１９０５  ステップ
１９０６  ステップ
１９０７  ステップ
１９０９  ステップ
１９１０  ＳＳバースト
１９２０  無線デバイス
１９２１  基地局
２００１  基地局
２００２Ａ  ＳＳブロック
２００２Ｂ  ＳＳブロック
２００２Ｃ  伝送
２００２Ｄ  ＳＳブロック
２００２Ｆ〜２００２Ｈ  ＳＳブロック伝送
２００３  期間
２００３Ｅ  伝送
２００４  ＣＳＩ−ＲＳ
２２０１  無線デバイス
２２０２  基地局
２３０１  基地局
２３０２  無線デバイス
２３０３  第１のビーム
２３０４  第２のビーム
２３０５  移動車両
２３０６  第１の基地局
２３０７  第１のビーム
２３０８  無線デバイス
２３０９  第２の基地局
２３１０  第２のビーム
２３１１  移動車両
３６０１  ステップ
３６０２  ステップ
３６０３  ステップ
３６０４  ステップ
３６０５  ステップ
３６０６  ステップ
３６０７  ステップ
５１１０  ステップ
５１２０  ステップ
５１３０  ステップ
５１４０  ステップ
５２１０  ステップ
５２２０  ステップ
５２３０  ステップ
５２４０  ステップ
５３１０  ステップ
５３２０  ステップ
５３３０  ステップ
５４１０  ステップ
５４２０  ステップ
５４３０  ステップ
５４４０  ステップ
５５１０  ステップ
５５２０  ステップ
５５３０  ステップ
５５４０  ステップ
５５５０  ステップ
５６１０  ステップ
５６２０  ステップ
５６３０  ステップ
５６４０  ステップ
５７１０  ステップ
５７２０  ステップ
５７３０  ステップ
５８１０  ステップ
５８２０  ステップ
５８３０  ステップ
５８４０  ステップ
５８５０  ステップ
５８６０  ステップ
５８７０  ステップ
５９１０  ステップ
５９２０  ステップ
５９３０  ステップ
５９４０  ステップ
５９５０  ステップ
５９６０  ステップ
５９７０  ステップ
６０１０  ステップ
６０２０  ステップ
６０３０  ステップ
６０４０  ステップ
６０５０  ステップ
６０６０  ステップ
６１１０  ステップ
６１２０  ステップ
６１３０  ステップ
６１４０  ステップ
６１５０  ステップ
６１６０  ステップ
６２１０  ステップ
６２２０  ステップ
６２３０  ステップ
６２４０  ステップ
６２５０  ステップ
６２６０  ステップ
６２７０  ステップ
６３１０  ステップ
６３２０  ステップ
６４１０  ステップ
６４２０  ステップ
６４３０  ステップ
ＢＷＰ０  デフォルトのＢＷＰ
ＢＷＰ１  第１のアクティブなＢＷＰ
ＢＷＰ２  第２のＢＷＰ
Ｃ０  フィールド
Ｃ１  フィールド
Ｃ２  フィールド
Ｃｉ  フィールド
ｉ  ＳＣｅｌｌインデックス
ｎ  サブフレーム、スロット
ｎ＋８  サブフレーム
ｎ＋ｋ  スロット（またはサブフレーム）
ｎ＋ｋ＋ｍ  スロット／サブフレーム
ｎ＋ｋ＋ｍ＋２＊ｌ  スロット／サブフレーム
ｎ＋ｋ＋ｍ＋ｌ  スロット／サブフレーム
ｎ＋ｘ  スロット
ｎ＋ｘ＋ｋ  スロット
ｎ＋ｘ＋ｋ＋ｍ  スロット
ｎ＋ｘ＋ｋ＋ｍ＋ｌ  スロット
Ｐ１  ビーム管理プロシージャ
Ｐ２  ビーム管理プロシージャ
Ｐ３  ビーム管理プロシージャ
オクテット０  第１のオクテット
オクテット１  第１または第２のオクテット
オクテット２  第２のオクテット
オクテット３  第３のオクテット
オクテット４  第４のオクテット
オクテット５  第５のオクテット
【図１】
2021507619.tif 000006
【図２】
2021507619.tif 000007
【図３】
2021507619.tif 000008
【図４】
2021507619.tif 000009
【図５】
2021507619.tif 000010
【図６】
2021507619.tif 000011
【図７】
2021507619.tif 000012
【図８】
2021507619.tif 000013
【図９】
2021507619.tif 000014
【図１０】
2021507619.tif 000015
【図１１】
2021507619.tif 000016
【図１２】
2021507619.tif 000017
【図１３】
2021507619.tif 000018
【図１４】
2021507619.tif 000019
【図１５】
2021507619.tif 000020
【図１６】
2021507619.tif 000021
【図１７】
2021507619.tif 000022
【図１８】
2021507619.tif 000023
【図１９】
2021507619.tif 000024
【図２０】
2021507619.tif 000025
【図２１】
2021507619.tif 000026
【図２２】
2021507619.tif 000027
【図２３】
2021507619.tif 000028
【図２４】
2021507619.tif 000029
【図２５】
2021507619.tif 000030
【図２６】
2021507619.tif 000031
【図２７】
2021507619.tif 000032
【図２８】
2021507619.tif 000033
【図２９】
2021507619.tif 000034
【図３０】
2021507619.tif 000035
【図３１】
2021507619.tif 000036
【図３２】
2021507619.tif 000037
【図３３】
2021507619.tif 000038
【図３４】
2021507619.tif 000039
【図３５】
2021507619.tif 000040
【図３６】
2021507619.tif 000041
【図３７】
2021507619.tif 000042
【図３８】
2021507619.tif 000043
【図３９】
2021507619.tif 000044
【図４０】
2021507619.tif 000045
【図４１】
2021507619.tif 000046
【図４２】
2021507619.tif 000047
【図４３】
2021507619.tif 000048
【図４４】
2021507619.tif 000049
【図４５】
2021507619.tif 000050
【図４６】
2021507619.tif 000051
【図４７】
2021507619.tif 000052
【図４８】
2021507619.tif 000053
【図４９】
2021507619.tif 000054
【図５０】
2021507619.tif 000055
【図５１】
2021507619.tif 000056
【図５２】
2021507619.tif 000057
【図５３】
2021507619.tif 000058
【図５４】
2021507619.tif 000059
【図５５】
2021507619.tif 000060
【図５６】
2021507619.tif 000061
【図５７】
2021507619.tif 000062
【図５８】
2021507619.tif 000063
【図５９】
2021507619.tif 000064
【図６０】
2021507619.tif 000065
【図６１】
2021507619.tif 000066
【図６２】
2021507619.tif 000067
【図６３】
2021507619.tif 000068
【図６４】
2021507619.tif 000069
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
方法であって、
無線デバイス（４０６）によってダウンリンク制御情報を受信することであって、前記ダウンリンク制御情報は、
電力制御コマンドと、
ハイブリッド自動繰り返し要求プロセス番号と、
冗長バージョンと
を含む、ことと、
半永続的なチャネル状態情報（ＣＳＩ）報告のアクティブ化のために、
前記半永続的なＣＳＩ報告の無線ネットワーク一時識別子と、
前記ハイブリッド自動繰り返し要求プロセス番号と、
前記冗長バージョンと
に基づいて、前記ダウンリンク制御情報を検証することと、
達成された前記検証に応答して、前記半永続的なＣＳＩ報告をアクティブ化することと、
前記半永続的なＣＳＩ報告に対して、前記電力制御コマンドに基づいて判定される伝送電力を伴って半永続的なＣＳＩレポートを伝送することと
を含む、方法。
【請求項２】
前記無線デバイスは、前記検証が、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと
に応答して達成されると判定する、請求項１に記載の方法。
【請求項３】
前記無線デバイスは、前記検証が、
第３の値に設定されていない、前記ダウンリンク制御情報の変調および符号化方式の値と、
第４の値に設定されていない、前記ダウンリンク制御情報のリソースブロック割り当てのパラメータと
にさらに応答して達成されると判定する、請求項２に記載の方法。
【請求項４】
前記半永続的なＣＳＩレポートは、
チャネル品質インジケータ（ＣＱＩ）と、
プリコーディング行列インジケータ（ＰＭＩ）と、
チャネル状態情報基準信号リソースインジケータ（ＣＲＩ）と、
レイヤインジケータ（ＬＩ）と、
ランクインジケータ（ＲＩ）と、
レイヤ１基準信号受信電力（Ｌ１−ＲＳＲＰ）と
のうちの少なくとも１つ以上の値を含む、請求項１〜３のうちのいずれか１項に記載の方法。
【請求項５】
前記ダウンリンク制御情報は、新たなデータインジケータフィールドをさらに含み、
前記無線デバイスは、前記新たなデータインジケータフィールドの値および前記電力制御コマンドの値に関係なく、前記ダウンリンク制御情報を検証する、請求項１〜４のうちのいずれか１項に記載の方法。
【請求項６】
基地局から、１つ以上の無線リソース制御メッセージを受信することをさらに含み、
前記１つ以上の無線リソース制御メッセージは、
前記半永続的なＣＳＩ報告の前記無線ネットワーク一時識別子と、
前記半永続的なＣＳＩ報告を含む、複数の半永続的なＣＳＩ報告の構成パラメータと
を含み、
前記１つ以上の無線リソース制御メッセージは、半永続的なダウンリンクスケジューリングの第２の無線ネットワーク一時識別子、または構成済みアップリンク許可をさらに含み、前記第２の無線ネットワーク一時識別子は、前記半永続的なＣＳＩ報告の前記無線ネットワーク一時識別子とは異なる、請求項１〜５のうちのいずれか１項に記載の方法。
【請求項７】
１つ以上のプロセッサ（４０３）と、命令（４０５）を記憶するメモリ（４０４）と備える無線デバイス（４０６）であって、前記命令は、前記１つ以上のプロセッサによって実行されると、前記無線デバイスに、請求項１〜６のうちのいずれか１項に記載の方法を行わせる、無線デバイス。
【請求項８】
命令（４０５）を備える非一時的なコンピュータ可読媒体（４０４）であって、前記命令は、１つ以上のプロセッサ（４０３）によって実行されると、前記１つ以上のプロセッサに、請求項１〜６のうちのいずれか１項に記載の方法を行わせる、非一時的なコンピュータ可読媒体。
【請求項９】
方法であって、
基地局（４０１）によってダウンリンク制御情報を伝送することであって、前記ダウンリンク制御情報は、
電力制御コマンドと、
ハイブリッド自動繰り返し要求プロセス番号と、
冗長バージョンと
を含む、ことと、
前記伝送することに応答して、
半永続的なチャネル状態情報（ＣＳＩ）報告の無線ネットワーク一時識別子と、
前記ハイブリッド自動繰り返し要求プロセス番号と、
前記冗長バージョンと
に基づいて、前記半永続的なＣＳＩ報告をアクティブ化することと、
前記半永続的なＣＳＩ報告に対して、前記電力制御コマンドに基づいて判定される伝送電力を伴って半永続的なＣＳＩレポートを受信することと
を含む、方法。
【請求項１０】
前記基地局は、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと
に応答して前記半永続的なＣＳＩ報告をアクティブ化する、請求項９に記載の方法。
【請求項１１】
前記基地局は、
第３の値に設定されていない、前記ダウンリンク制御情報の変調および符号化方式の値と、
第４の値に設定されていない、前記ダウンリンク制御情報のリソースブロック割り当てのパラメータと
にさらに応答して前記半永続的なＣＳＩ報告をアクティブ化する、請求項１０に記載の方法。
【請求項１２】
前記半永続的なＣＳＩレポートは、
チャネル品質インジケータ（ＣＱＩ）と、
プリコーディング行列インジケータ（ＰＭＩ）と、
チャネル状態情報基準信号リソースインジケータ（ＣＲＩ）と、
レイヤインジケータ（ＬＩ）と、
ランクインジケータ（ＲＩ）と、
レイヤ１基準信号受信電力（Ｌ１−ＲＳＲＰ）と
のうちの少なくとも１つ以上の値を含む、請求項９〜１１のうちのいずれか１項に記載の方法。
【請求項１３】
前記ダウンリンク制御情報は、新たなデータインジケータフィールドをさらに含み、
前記基地局は、前記新たなデータインジケータフィールドの値および前記電力制御コマンドの値に関係なく、前記半永続的なＣＳＩ報告をアクティブ化する、請求項９〜１２のうちのいずれか１項に記載の方法。
【請求項１４】
１つ以上のプロセッサ（４０３）と、命令（４０５）を記憶するメモリ（４０４）と備える基地局（４０１）であって、前記命令は、前記１つ以上のプロセッサによって実行されると、前記基地局に、請求項９〜１３のうちのいずれか１項に記載の方法を行わせる、基地局。
【請求項１５】
命令（４０５）を備える非一時的なコンピュータ可読媒体（４０４）であって、前記命令は、１つ以上のプロセッサ（４０３）によって実行されると、前記１つ以上のプロセッサに、請求項９〜１３のうちのいずれか１項に記載の方法を行わせる、非一時的なコンピュータ可読媒体。
【手続補正２】
【補正対象書類名】明細書
【補正対象項目名】０００３
【補正方法】変更
【補正の内容】
【０００３】
本発明の例示的な実施形態は、様々な物理レイヤ変調および伝送メカニズムを使用して実装されてもよい。例示的な伝送メカニズムとして、限定ではないが、ＣＤＭＡ、ＯＦＤＭ、ＴＤＭＡ、ウェーブレット技術、および／または同様のものが挙げられ得る。ＴＤＭＡ／ＣＤＭＡおよびＯＦＤＭ／ＣＤＭＡなどのハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙られるが、これらに限定されない。例示的な無線伝送方法によって、ＢＰＳＫ、ＱＰＳＫ、１６−ＱＡＭ、６４−ＱＡＭ、２５６−ＱＡＭ、１０２４−ＱＡＭ、および／または同様のものを使用して、ＱＡＭを実施してもよい。物理的な無線伝送は、伝送要件および無線条件によって、変調および符号化方式を動的または準動的に変化させることによって、強化することができる。
本願明細書は、例えば、以下の項目も提供する。
（項目１）
無線デバイスによって基地局から、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を受信することと、
半永続的なＣＳＩ報告のアクティブ化について、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて、前記ダウンリンク制御情報の検証を行うことと、
達成された前記検証に応答して、前記ＣＳＩ要求フィールドによって示される、前記半永続的なＣＳＩ報告をアクティブ化することと、
前記アクティブ化された半永続的なＣＳＩ報告に基づいて、前記アップリンク共有チャネルを介して、前記電力制御コマンドに基づいて判定される伝送電力で、半永続的なＣＳＩレポートを伝送することと、
を含む方法。
（項目２）
前記無線デバイスは、前記検証が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
に応答して達成されると判定する、項目１に記載の方法。
（項目３）
前記半永続的なＣＳＩレポートは、
チャネル品質インジケータ（ＣＱＩ）、
プリコーディング行列インジケータ（ＰＭＩ）、
チャネル状態情報基準信号リソースインジケータ（ＣＲＩ）、
レイヤインジケータ（ＬＩ）、
ランクインジケータ（ＲＩ）、および
レイヤ１基準信号受信電力（Ｌ１−ＲＳＲＰ）
のうちの少なくとも１つ以上の値を含む、項目１に記載の方法。
（項目４）
前記無線デバイスは、前記アクティブ化された半永続的なＣＳＩ報告のレポート周期性で、前記半永続的なＣＳＩレポートを伝送する、項目１に記載の方法。
（項目５）
前記第１の値は、ビットを「０」に設定したビット列を含む、事前定義された値である、項目１に記載の方法。
（項目６）
前記第２の値は、ビットを「０」に設定したビット列を含む、事前定義された値である、項目１に記載の方法。
（項目７）
前記ダウンリンク制御情報はさらに、新たなデータインジケータフィールドを含む、項目１に記載の方法。
（項目８）
前記無線デバイスは、前記新たなデータインジケータフィールドの値、および前記電力制御コマンドの値に関係なく、前記ダウンリンク制御情報を検証する、項目７に記載の方法。
（項目９）
達成されていない前記検証に応答して、前記ダウンリンク制御情報を適用しないことによって、前記ダウンリンク制御情報をスキップすることをさらに含む、項目１に記載の方法。
（項目１０）
前記検証は、
前記半永続的なＣＳＩ報告の前記無線ネットワーク一時識別子でスクランブルされていない、前記ダウンリンク制御情報の巡回冗長検査パリティビット、
前記第１の値に設定されていない、前記ハイブリッド自動繰り返し要求プロセス番号、および
前記第２の値に設定されていない、前記冗長バージョン、
のうちの少なくとも１つに応答して達成されない、項目９に記載の方法。
（項目１１）
前記ダウンリンク制御情報はさらに、
変調および符号化方式を示す値と、
前記アップリンク共有チャネル上でのリソースブロック割り当てのパラメータと、
を含む、項目１に記載の方法。
（項目１２）
前記無線デバイスは、前記検証が、
第３の値に設定されていない、前記変調および符号化方式を示す、前記値と、
第４の値に設定されていない、前記リソースブロック割り当ての前記パラメータと、
にさらに応答して達成されると判定する、項目１１に記載の方法。
（項目１３）
前記無線デバイスは、前記アップリンク共有チャネルの１つ以上のリソースブロックを介して、前記半永続的なＣＳＩレポートを伝送し、前記１つ以上のリソースブロックは、前記リソースブロック割り当ての前記パラメータによって示される、項目１１の方法。
（項目１４）
前記無線デバイスは、前記検証が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
第３の値に設定されていない、前記ダウンリンク制御情報の変調および符号化方式の値と、
第４の値に設定されていない、前記ダウンリンク制御情報のうちのリソースブロック割り当てのパラメータと、
に応答して達成されると判定する、項目１に記載の方法。
（項目１５）
前記第３の値は、ビットを「１」に設定したビット列を含む、事前定義された値である、項目１４に記載の方法。
（項目１６）
前記第４の値は、ビットを「１」に設定したビット列を含む、事前定義された値である、項目１４に記載の方法。
（項目１７）
前記第４の値は、ビットを「０」に設定したビット列を含む、事前定義された値である、項目１４に記載の方法。
（項目１８）
前記基地局から、
前記半永続的なＣＳＩ報告の前記無線ネットワーク一時識別子と、
前記半永続的なＣＳＩ報告を含む、複数の半永続的なＣＳＩ報告の構成パラメータと、
を含む、１つ以上の無線リソース制御メッセージを受信することをさらに含む、項目１に記載の方法。
（項目１９）
前記１つ以上の無線リソース制御メッセージはさらに、半永続的なダウンリンクスケジューリングの第２の無線ネットワーク一時識別子、または構成済みアップリンク許可を含み、前記第２の無線ネットワーク一時識別子は、前記半永続的なＣＳＩ報告の前記無線ネットワーク一時識別子とは異なる、項目１８に記載の方法。
（項目２０）
前記１つ以上の無線リソース制御メッセージはさらに、動的ダウンリンク割り当ての第３の無線ネットワーク一時識別子、または動的アップリンク許可を含み、前記第３の無線ネットワーク一時識別子は、前記半永続的なＣＳＩ報告の前記無線ネットワーク一時識別子とは異なる、項目１８に記載の方法。
（項目２１）
前記複数の半永続的なＣＳＩ報告のうちの前記半永続的なＣＳＩ報告の前記構成パラメータは、少なくとも
１つ以上の基準信号の無線リソース、
レポート量表示、
レポート周期性、
ＣＱＩおよびＰＭＩに対する周波数粒度、ならびに／または
測定制限構成
を含む、項目１８に記載の方法。
（項目２２）
前記レポート量表示は、ＣＱＩ／ＰＭＩ／ＣＲＩ／ＲＩ／Ｌ１−ＲＳＲＰ値のうちの１つ以上のどれが、前記半永続的なＣＳＩレポートで伝送されるかを示す、項目２１に記載の方法。
（項目２３）
前記無線デバイスは、前記レポート周期性で前記半永続的なＣＳＩレポートを伝送し、前記半永続的なＣＳＩレポートは、前記レポート量表示に従って、１つ以上のＣＱＩ／ＰＭＩ／ＣＲＩ／ＲＩ／Ｌ１−ＲＳＲＰ値を含む、項目２１に記載の方法。
（項目２４）
無線デバイスであって、
１つ以上のプロセッサと、
命令を記憶しているメモリと、を備え、前記命令が、前記１つ以上のプロセッサによって実行されると、前記無線デバイスに、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を受信させ、
半永続的なＣＳＩ報告のアクティブ化について、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて前記ダウンリンク制御情報を検証させ、
達成された前記ダウンリンク制御情報の前記検証に応答して、前記ＣＳＩ要求フィールドによって示される、前記半永続的なＣＳＩ報告をアクティブ化させ、
半永続的なＣＳＩ報告のアクティブ化に応答して、前記アップリンク共有チャネルを介して、前記電力制御コマンドに基づいて判定される伝送電力で、半永続的なＣＳＩレポートを伝送させる、
無線デバイス。
（項目２５）
基地局によって無線デバイスへ、
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を伝送することと、
前記無線デバイスに対して、前記伝送に応答して、
前記半永続的なＣＳＩ報告の無線ネットワーク一時識別子と、
第１の値に設定されている、前記ハイブリッド自動繰り返し要求プロセス番号と、
第２の値に設定されている、前記冗長バージョンと、
に基づいて、半永続的なＣＳＩ報告をアクティブ化することと、
前記アクティブ化された半永続的なＣＳＩ報告に対して、前記無線デバイスから前記アップリンク共有チャネルを介して、半永続的なＣＳＩレポートを受信することと、
を含む方法。
（項目２６）
前記基地局が、
前記半永続的なＣＳＩ報告の前記無線ネットワーク一時識別子でスクランブルされている、前記ダウンリンク制御情報の巡回冗長検査パリティビットと、
前記第１の値に設定される、前記ハイブリッド自動繰り返し要求プロセス番号と
前記第２の値に設定されている、前記冗長バージョンと、
に応答して、前記半永続的なＣＳＩ報告をアクティブ化する、項目２５に記載の方法。
（項目２７）
前記半永続的なＣＳＩレポートは、
チャネル品質インジケータ（ＣＱＩ）、
プリコーディング行列インジケータ（ＰＭＩ）、
チャネル状態情報基準信号リソースインジケータ（ＣＲＩ）、
レイヤインジケータ（ＬＩ）、
ランクインジケータ（ＲＩ）、および
レイヤ１基準信号受信電力（Ｌ１−ＲＳＲＰ）
のうちの少なくとも１つ以上の値を含む、項目２５に記載の方法。
（項目２８）
前記基地局は、前記アクティブ化された半永続的なＣＳＩ報告のレポート周期性で、前記半永続的なＣＳＩレポートを受信する、項目２５に記載の方法。
（項目２９）
前記第１の値は、ビットを「０」に設定したビット列を含む、事前定義された値である、項目２５に記載の方法。
（項目３０）
前記第２の値は、ビットを「０」に設定したビット列を含む、事前定義された値である、項目２５に記載の方法。
（項目３１）
前記ダウンリンク制御情報はさらに、新たなデータインジケータフィールドを含む、項目２５に記載の方法。
（項目３２）
前記ダウンリンク制御情報はさらに、
変調および符号化方式を示す値と、
前記アップリンク共有チャネル上でのリソースブロック割り当てのパラメータと、
を含む、項目２５に記載の方法。
（項目３３）
前記基地局が、
第３の値に設定されていない、前記変調および符号化方式を示す、前記値と、
第４の値に設定されていない、前記リソースブロック割り当ての前記パラメータと、
にさらに応答して、前記半永続的なＣＳＩ報告をアクティブ化する、項目３２に記載の方法。
（項目３４）
前記基地局は、前記アップリンク共有チャネルの１つ以上のリソースブロックを介して、前記半永続的なＣＳＩレポートを受信し、前記１つ以上のリソースブロックは、前記リソースブロック割り当ての前記パラメータによって示される、項目３２に記載の方法。
（項目３５）
前記基地局が、
前記半永続的なＣＳＩ報告の前記無線ネットワーク一時識別子でスクランブルされている、前記ダウンリンク制御情報の巡回冗長検査パリティビットと、
前記第１の値に設定されている、前記ハイブリッド自動繰り返し要求プロセス番号と、
前記第２の値に設定されている、前記冗長バージョンと、
第３の値に設定されていない、前記ダウンリンク制御情報の変調および符号化方式の値と、
第４の値に設定されていない、前記ダウンリンク制御情報のうちのリソースブロック割り当てのパラメータと、
に応答して、前記半永続的なＣＳＩ報告をアクティブ化する、項目２５に記載の方法。
（項目３６）
前記第３の値は、ビットを「１」に設定したビット列を含む、事前定義された値である、項目３５に記載の方法。
（項目３７）
前記第４の値は、ビットを「１」に設定したビット列を含む、事前定義された値である、項目３５に記載の方法。
（項目３８）
前記第４の値は、ビットを「０」に設定したビット列を含む、事前定義された値である、項目３５に記載の方法。
（項目３９）
前記半永続的なＣＳＩ報告の前記無線ネットワーク一時識別子と、
前記半永続的なＣＳＩ報告を含む、複数の半永続的なＣＳＩ報告の構成パラメータと、
を含む、１つ以上の無線リソース制御メッセージを、前記無線デバイスに伝送することをさらに含む、項目２５に記載の方法。
（項目４０）
前記１つ以上の無線リソース制御メッセージはさらに、半永続的なダウンリンクスケジューリングの第２の無線ネットワーク一時識別子、または構成済みアップリンク許可を含み、前記第２の無線ネットワーク一時識別子は、前記半永続的なＣＳＩ報告の前記無線ネットワーク一時識別子とは異なる、項目３９に記載の方法。
（項目４１）
前記１つ以上の無線リソース制御メッセージはさらに、動的ダウンリンク割り当ての第３の無線ネットワーク一時識別子、または動的アップリンク許可を含み、前記第３の無線ネットワーク一時識別子は、前記半永続的なＣＳＩ報告の前記無線ネットワーク一時識別子とは異なる、項目３９に記載の方法。
（項目４２）
前記複数の半永続的なＣＳＩ報告のうちの前記半永続的なＣＳＩ報告の前記構成パラメータは、少なくとも
１つ以上の基準信号の無線リソース、
レポート量表示、
レポート周期性、
ＣＱＩおよびＰＭＩに対する周波数粒度、ならびに／または
測定制限構成
を含む、項目３９に記載の方法。
（項目４３）
前記レポート量表示は、ＣＱＩ／ＰＭＩ／ＣＲＩ／ＲＩ／Ｌ１−ＲＳＲＰ値のうちの１つ以上のどれが、前記半永続的なＣＳＩレポートで伝送されるかを示す、項目４２に記載の方法。
（項目４４）
前記基地局は、前記レポート周期性で前記半永続的なＣＳＩレポートを受信し、前記半永続的なＣＳＩレポートは、前記レポート量表示に従って、１つ以上のＣＱＩ／ＰＭＩ／ＣＲＩ／ＲＩ／Ｌ１−ＲＳＲＰ値を含む、項目４２に記載の方法。
（項目４５）
アップリンク共有チャネルの電力制御コマンドと、
チャネル状態情報（ＣＳＩ）要求フィールドと、
ハイブリッド自動繰り返し要求プロセス番号と、
冗長バージョンと、
を含む、ダウンリンク制御情報を、無線デバイスによって基地局から受信することと、
半永続的なＣＳＩ報告のアクティブ化のために、
前記半永続的なＣＳＩ報告の無線ネットワーク一時識別子と、
前記ハイブリッド自動繰り返し要求プロセス番号と、
前記冗長バージョンと、
に基づいて、前記ダウンリンク制御情報を検証することと、
達成された前記検証に応答して、前記ＣＳＩ要求フィールドによって示される、前記半永続的なＣＳＩ報告をアクティブ化することと、
前記アクティブ化された半永続的なＣＳＩ報告に基づいて、前記アップリンク共有チャネルを介して、前記電力制御コマンドに基づいて判定される伝送電力で、半永続的なＣＳＩレポートを伝送することと、
を含む方法。
（項目４６）
前記無線デバイスは、前記検証が、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、項目４５に記載の方法。
（項目４７）
前記第１の値は、ビットを「０」に設定したビット列を含む、事前定義された値である、項目４６に記載の方法。
（項目４８）
前記第２の値は、ビットを「０」に設定したビット列を含む、事前定義された値である、項目４６に記載の方法。
（項目４９）
無線デバイスから、半永続的なＣＳＩ報告のために半永続的なＣＳＩレポートを伝送することと、
チャネル状態情報（ＣＳＩ）要求フィールドと、
ハイブリッド自動繰り返し要求プロセス番号と、
変調および符号化方式の値と、
リソースブロック割り当てのパラメータと、
冗長バージョンと、
を含む、ダウンリンク制御情報を受信することと、
前記半永続的なＣＳＩ報告の無線ネットワーク一時識別子と、
前記ハイブリッド自動繰り返し要求プロセス番号と、
前記冗長バージョンと、
前記リソースブロック割り当てのパラメータと、
前記変調および符号化方式の値と、
に基づいて、前記半永続的なＣＳＩ報告の非アクティブ化のために、前記ダウンリンク制御情報を検証することと、
達成された前記検証に応答して、前記ＣＳＩ要求フィールドによって示される、前記半永続的なＣＳＩ報告を非アクティブ化することと、
アップリンク共有チャネルを介する、前記半永続的なＣＳＩレポートの伝送を停止することと、
を含む、方法。
（項目５０）
前記無線デバイスは、前記検証が、
前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
第３の値に設定されている、前記変調および符号化方式の値と、
第４の値に設定されている、前記リソースブロック割り当ての前記パラメータと、
に応答して達成されると判定する、項目４９に記載の方法。
（項目５１）
前記第１の値は、ビットを「０」に設定したビット列を含む、事前定義された値である、項目５０に記載の方法。
（項目５２）
前記第２の値は、ビットを「０」に設定したビット列を含む、事前定義された値である、項目５０に記載の方法。
（項目５３）
前記第３の値は、ビットを「１」に設定したビット列を含む、事前定義された値である、項目５０に記載の方法。
（項目５４）
前記第４の値は、ビットを「１」に設定したビット列を含む、事前定義された値である、項目５０に記載の方法。
（項目５５）
前記第４の値は、ビットを「０」に設定したビット列を含む、事前定義された値である、項目５０に記載の方法。
（項目５６）
複数の半永続的なチャネル状態情報（ＳＰ  ＣＳＩ）報告のパラメータと、
ＳＰ  ＣＳＩ無線ネットワーク一時識別子と、
を含む１つ以上のメッセージを、無線デバイスによって基地局から受信することと、
アップリンク共有チャネルの電力制御コマンドと、
前記複数のＳＰ  ＣＳＩ報告のうちのＳＰ  ＣＳＩ報告を示す、ファイルされたチャネル状態情報要求と、
ハイブリッド自動繰り返し要求プロセス番号と、
冗長バージョンと、
を含む、ダウンリンク制御情報を受信することと、
前記ＳＰ  ＣＳＩ無線ネットワーク一時識別子と、
前記ハイブリッド自動繰り返し要求プロセス番号と、
前記冗長バージョンと、
に基づいて、前記ＳＰ  ＣＳＩ報告のアクティブ化のために、前記ダウンリンク制御情報の検証を行うことと、
達成された前記検証に応答して、前記ＳＰ  ＣＳＩ報告に基づいて、前記アップリンク共有チャネルを介して、前記電力制御コマンドに基づいて判定される伝送電力で、ＳＰ  ＣＳＩレポートを伝送することと、
を含む、方法。
（項目５７）
前記無線デバイスは、前記検証が、
前記ＳＰ  ＣＳＩ無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、項目５６に記載の方法。
（項目５８）
前記第１の値は、ビットを「０」に設定したビット列を含む、事前定義された値である、項目５７に記載の方法。
（項目５９）
前記第２の値は、ビットを「０」に設定したビット列を含む、事前定義された値である、項目５７に記載の方法。
（項目６０）
無線デバイスによって基地局からダウンリンク制御チャネルを介して、ダウンリンク制御情報を受信することと、
半永続的なＣＳＩ報告のアクティブ化のために、
前記半永続的なＣＳＩ報告の無線ネットワーク一時識別子と、
前記ダウンリンク制御情報のハイブリッド自動繰り返し要求プロセス番号と、
前記ダウンリンク制御情報の冗長バージョンと、
に基づいて、前記ダウンリンク制御情報を検証することと、
達成された前記検証に応答して、前記半永続的なＣＳＩ報告をアクティブ化することと、
を含む方法。
（項目６１）
前記アクティブ化された半永続的なＣＳＩ報告に対して、前記ダウンリンク制御情報の電力制御コマンドに基づいて判定される伝送電力で、半永続的なＣＳＩレポートを伝送することをさらに含む、項目６０に記載の方法。
（項目６２）
前記アクティブ化された半永続的なＣＳＩ報告に対して、アップリンク共有チャネルを介して、半永続的なＣＳＩレポートを伝送することをさらに含む、項目６０に記載の方法。
（項目６３）
前記半永続的なＣＳＩレポートは、前記ダウンリンク制御情報の電力制御コマンドに基づいて判定される伝送電力で伝送される、項目６２に記載の方法。
（項目６４）
前記無線デバイスは、前記検証が、
前記半永続的なＣＳＩ報告の前記無線ネットワーク一時識別子でスクランブルされている、前記ダウンリンク制御情報の巡回冗長検査パリティビットと、
第１の値に設定されている、前記ハイブリッド自動繰り返し要求プロセス番号と、
第２の値に設定されている、前記冗長バージョンと、
に応答して達成されると判定する、項目６０に記載の方法。
（項目６５）
前記第１の値は、ビットを「０」に設定したビット列を含む、事前定義された値である、項目６４に記載の方法。
（項目６６）
前記第２の値は、ビットを「０」に設定したビット列を含む、事前定義された値である、項目６４に記載の方法。
（項目６７）
第１の数のビーム障害インスタンスを検出するのに応答して、無線デバイスによってビーム障害回復プロシージャを開始することと、
第１のタイマ値でビーム障害回復タイマを始動することと、
前記ビーム障害回復タイマの満了に応答して、第１の基準信号を選択することと、
前記第１の基準信号に関連付けられた、第１のプリアンブルを伝送することと、
応答ウィンドウの間、前記第１のプリアンブルの伝送に応答して、ダウンリンク制御情報用のダウンリンク制御チャネルを監視することと、
前記応答ウィンドウの間に前記ダウンリンク制御情報を受信しないのに応答して、前記ビーム障害回復タイマの前記満了前に、プリアンブル伝送カウンタを前記プリアンブル伝送カウンタの値からインクリメントさせることと、
プリアンブル伝送に対して、第３の数以下である第２の数を示す、前記プリアンブル伝送カウンタに応答して、前記ビーム障害回復プロシージャに対する第２のプリアンブルを伝送することと、
を含む、方法。
（項目６８）
プリアンブル伝送に対して、前記第３の数より大きい前記第２の数を示す、前記プリアンブル伝送カウンタに応答して、前記ビーム障害回復プロシージャの完了に失敗することをさらに含む、項目６７に記載の方法。
（項目６９）
前記監視中に前記ダウンリンク制御情報を受信するのに応答して、前記ビーム障害回復プロシージャの完了に成功することをさらに含む、項目６７に記載の方法。
（項目７０）
前記ビーム障害回復プロシージャを開始することは、前記プリアンブル伝送カウンタを初期値に設定することを含む、項目６７に記載の方法。
（項目７１）
前記初期値が１である、項目７０に記載の方法。
（項目７２）
前記無線デバイスは、プリアンブル伝送に対して、前記第３の数以下である前記第２の数を示す、前記プリアンブル伝送カウンタに応答して、前記プリアンブル伝送カウンタをインクリメントさせる、項目６７に記載の方法。
（項目７３）
前記ビーム障害回復プロシージャの構成パラメータを含む、１つ以上の無線リソース制御メッセージの受信をさらに含み、前記構成パラメータは、
第１の複数の基準信号と、
前記第１のタイマ値と、
前記第１の数と、
前記第３の数と、
を含む、項目６７に記載の方法。
（項目７４）
前記無線デバイスは、前記第１の複数の基準信号に基づいて、前記第１の数のビーム障害インスタンスを検出し、前記第１の数のビーム障害インスタンスのうちのビーム障害インスタンスが、第１の閾値より悪い、前記第１の複数の基準信号の無線リンク品質に応答して発生する、項目７３に記載の方法。
（項目７５）
前記無線リンク品質は、ブロック誤り率（ＢＬＥＲ）の値を含む、項目７４に記載の方法。
（項目７６）
プリアンブル伝送に対して、前記第３の数より大きい前記第２の数を示す、前記プリアンブル伝送カウンタに応答して、前記無線デバイスの無線リソース制御レイヤに、第１の情報を示すことをさらに含む、項目６７に記載の方法。
（項目７７）
前記第１の情報は、
ランダムアクセス問題と、
プリアンブル伝送に対して、前記第３の数より大きい前記第２の数を示す、前記プリアンブル伝送カウンタと、
前記ビーム障害回復プロシージャの障害と、
同期外れと、
のうちの少なくとも１つを示す、項目７６に記載の方法。
（項目７８）
前記無線デバイスによって前記基地局へ、前記第１の情報を含む無線リンク障害レポートを伝送することをさらに含む、項目７７に記載の方法。
（項目７９）
前記ビーム障害回復タイマが動いている間に、前記無線デバイスによって、第２の基準信号を選択することと、
前記第２の基準信号に関連付けられている、第３のプリアンブルを伝送することと、
前記第３のプリアンブルの伝送に応答して、第１の応答ウィンドウの間、第１のダウンリンク制御情報用の第１のダウンリンク制御チャネルを監視することと、
前記第１の応答ウィンドウの間に前記第１のダウンリンク制御情報を受信しないのに応答して、前記プリアンブル伝送カウンタをインクリメントさせることと、
をさらに含む、項目６７に記載の方法。
（項目８０）
前記第２の基準信号に関連付けられている前記第３のプリアンブルは、無線リソース制御メッセージの中の１つ以上のビーム障害構成パラメータによって示される、項目７９に記載の方法。
（項目８１）
前記無線デバイスは、前記ビーム障害回復プロシージャに対する制御リソースセットの中の、前記第１のダウンリンク制御チャネルを監視する、項目７９に記載の方法。
（項目８２）
前記第１のダウンリンク制御情報は、前記ビーム障害回復プロシージャに対する前記第３のプリアンブルへの応答である、項目７９に記載の方法。
（項目８３）
前記無線デバイスは、複数の基準信号から、第２の閾値より優れた無線リンク品質を持つ、前記第２の基準信号を選択する、項目７９に記載の方法。
（項目８４）
前記無線リンク品質は、基準信号受信電力（ＲＳＲＰ）の値を含む、項目８３に記載の方法。
（項目８５）
前記複数の基準信号は、無線リソース制御メッセージの中に構成される、項目８３に記載の方法。
（項目８６）
無線デバイスであって、
１つ以上のプロセッサと、
命令を記憶しているメモリと、を備え、前記命令が、前記１つ以上のプロセッサによって実行されると、前記無線デバイスに、
いくつかのビーム障害インスタンスを検出するのに応答して、ビーム障害回復プロシージャを開始させ、
タイマ値でビーム障害回復タイマを始動させ、
前記ビーム障害回復タイマの満了に応答して、第１の基準信号を選択させ、
前記第１の基準信号に関連付けられた、第１のプリアンブルを伝送させ、
応答ウィンドウの間、前記第１のプリアンブルの伝送に応答して、ダウンリンク制御情報用のダウンリンク制御チャネルを監視させ、
前記応答ウィンドウの間に前記ダウンリンク制御情報を受信しないのに応答して、前記ビーム障害回復タイマの前記満了前に、プリアンブル伝送カウンタを前記プリアンブル伝送カウンタの値からインクリメントさせ、
プリアンブル伝送に対して、第２の数以下である第１の数を示す、前記プリアンブル伝送カウンタに応答して、前記ビーム障害回復プロシージャに対する第２のプリアンブルを伝送させる、
無線デバイス。
（項目８７）
ビーム障害回復プロシージャの開始に応答して、タイマ値でビーム障害回復タイマを始動させることと、
前記ビーム障害回復タイマが動いている間に、第１のプリアンブルを伝送することと、
第１の応答ウィンドウの間に、前記第１のプリアンブルに対する第１の応答を受信しないのに応じて、プリアンブル伝送カウンタをインクリメントさせることと、
前記ビーム障害回復タイマの満了に応答して、第２のプリアンブルを伝送することと、
前記第２のプリアンブルの伝送に応答して、第２の応答ウィンドウの間に、第２の応答についてダウンリンク制御チャネルを監視することと、
前記第２のプリアンブルに対する前記第２の応答を受信しないのに応じて、前記ビーム障害回復タイマの前記満了前に、前記プリアンブル伝送カウンタの値から、前記プリアンブル伝送カウンタをインクリメントさせることと、
を含む、方法。
（項目８８）
プリアンブル伝送に対して、第２の数以下である第１の数を示す、前記プリアンブル伝送カウンタに応答して、前記ビーム障害回復プロシージャに対する第３のプリアンブルを伝送することをさらに含む、項目８７に記載の方法。
（項目８９）
プリアンブル伝送に対して、第２の数より大きい第１の数を示す、前記プリアンブル伝送カウンタに応答して前記ビーム障害回復プロシージャの完了に失敗することをさらに含む、項目８７に記載の方法。
（項目９０）
前記第１の応答を受信するのに応じて、前記ビーム障害回復プロシージャを完了することをさらに含む、項目８７に記載の方法。
（項目９１）
前記第２の応答を受信するのに応じて、前記ビーム障害回復プロシージャの完了に成功することをさらに含む、項目８７に記載の方法。
（項目９２）
ビーム障害インスタンスを検出するのに応答して、ビーム障害回復プロシージャを開始することと、
タイマ値でビーム障害回復タイマを始動することと、
第１の応答ウィンドウの間に、第１のプリアンブルの伝送に対する第１の応答を受信しないのに応じて、プリアンブル伝送カウンタを第１の値へインクリメントさせることと、
前記ビーム障害回復タイマの満了に応答して、第２のプリアンブルを伝送することと、
第２の応答ウィンドウの間に、前記第２のプリアンブルへの第２の応答について、ダウンリンク制御チャネルを監視することと、
前記第２の応答ウィンドウの間に、前記第２の応答を受信しないのに応じて、前記第１の値から前記プリアンブル伝送カウンタをインクリメントさせることと、
を含む、方法。
（項目９３）
ビーム障害回復プロシージャの開始に応答して、タイマ値でビーム障害回復タイマを始動させることと、
前記ビーム障害回復タイマが動いている間に、第１のプリアンブルを伝送することと、
第１の応答ウィンドウの間に、前記第１のプリアンブルへの第１の応答を受信しないのに応じて、プリアンブル伝送カウンタを第１の値へインクリメントさせることと、
前記ビーム障害回復タイマの満了に応答して、第２のプリアンブルを伝送することと、
第２の応答ウィンドウの間に、前記第２のプリアンブルへの第２の応答について、第２のダウンリンク制御チャネルを監視することと、
前記第２の応答ウィンドウの間に、前記第２の応答を受信しないのに応じて、前記第１の値から前記プリアンブル伝送カウンタをインクリメントさせることと、
プリアンブル伝送に対して、第２の数より大きい第１の数を示す、前記プリアンブル伝送カウンタに応答して、ランダムアクセス問題または前記ビーム障害回復プロシージャの障害を示す、１つ以上のパラメータを含む無線リンク障害レポートを伝送することと、
を含む、方法。
（項目９４）
媒体アクセス制御（ＭＡＣ）サブヘッダにより識別されるＭＡＣ制御要素（ＣＥ）を、無線デバイスによって受信することであって、前記ＭＡＣ  ＣＥは、
複数のセルのうちの第１のセルに関連付けられる第１のフィールドであって、第１の値に設定されている前記第１のフィールドは、前記第１のセルに関するＳＰ  ＣＳＩ報告のアクティブ化／非アクティブ化のコマンドが存在することを示す、第１のフィールドと、
半永続的なチャネル状態情報（ＳＰ  ＣＳＩ）報告のアクティブ化／非アクティブ化インジケータと、
前記第１のセルに関する複数のＳＰ  ＣＳＩ報告のうちのＳＰ  ＣＳＩ報告を示す、ＳＰ  ＣＳＩレポートトリガフィールドと、
を含む、ことと、
前記第１のセルに関する前記ＳＰ  ＣＳＩ報告のアクティブ化を示す、前記ＳＰ  ＣＳＩ報告のアクティブ化／非アクティブ化インジケータに応答して、アップリンク制御チャネルを介して、前記第１のセルに対するＳＰ  ＣＳＩレポートを伝送することと、
を含む方法。
（項目９５）
前記ＭＡＣサブヘッダは、少なくとも
前記ＭＡＣ  ＣＥのサイズを示す長さフィールドと、
前記ＭＡＣ  ＣＥが、前記ＳＰ  ＣＳＩ報告のアクティブ化／非アクティブ化用であることを示す、論理チャネル識別子と、
を含む、項目９４に記載の方法。
（項目９６）
前記ＭＡＣ  ＣＥは固定サイズを有する、項目９４に記載の方法。
（項目９７）
前記第１の値は１である、項目９４に記載の方法。
（項目９８）
前記複数のセルは、プライマリセルおよび１つ以上のセカンダリセルを含む、項目９４に記載の方法。
（項目９９）
前記第１のフィールドに関連付けられる前記第１のセルは、無線リソース制御メッセージの中に示される、項目９４に記載の方法。
（項目１００）
前記第１のフィールドに関連付けられる前記第１のセルは、前記第１のセルのセルインデックスによって識別され、前記セルインデックスによって、前記ＭＡＣ  ＣＥの中で前記第１のフィールドの位置を判定する、項目９４に記載の方法。
（項目１０１）
前記ＳＰ  ＣＳＩ報告のアクティブ化／非アクティブ化インジケータは、ビットを含む、項目９４に記載の方法。
（項目１０２）
前記無線デバイスは、前記ＳＰ  ＣＳＩ報告の１つ以上のパラメータによって示されるレポート周期性で、前記ＳＰ  ＣＳＩレポートを伝送する、項目９４に記載の方法。
（項目１０３）
前記無線デバイスは、前記ＳＰ  ＣＳＩ報告の１つ以上のパラメータによって示される前記アップリンク制御チャネルを介して、前記ＳＰ  ＣＳＩレポートを伝送する、項目９４に記載の方法。
（項目１０４）
前記複数のセルに関する前記複数のＳＰ  ＣＳＩ報告の構成パラメータを含む、１つ以上の無線リソース制御メッセージの受信をさらに含み、前記構成パラメータは、少なくとも
１つ以上のチャネル状態情報基準信号リソース構成と、
１つ以上のチャネル状態情報レポート量インジケータと、
レポート周期性と、
１つ以上のアップリンク制御チャネル構成パラメータと、
を示す、項目９４に記載の方法。
（項目１０５）
前記第１のセルに関する前記ＳＰ  ＣＳＩ報告の非アクティブ化を示す、前記ＳＰ  ＣＳＩ報告のアクティブ化／非アクティブ化インジケータに応答して、前記アップリンク制御チャネルを介して、前記第１のセルに対する前記ＳＰ  ＣＳＩレポートの伝送を停止することをさらに含む、項目９４に記載の方法。
（項目１０６）
前記ＳＰ  ＣＳＩ報告のアクティブ化／非アクティブ化インジケータは、ビットを含む、項目９４に記載の方法。
（項目１０７）
前記ＭＡＣ  ＣＥはさらに、前記第１のセルの複数のＲＳのうちの少なくとも１つを示す、基準信号リソースインジケータを含む、項目９４に記載の方法。
（項目１０８）
前記無線デバイスは、前記第１のセルの前記複数のＲＳのうちの前記１つに関して測定された、前記ＳＰ  ＣＳＩレポートを伝送する、項目１０７に記載の方法。
（項目１０９）
前記ＭＡＣ  ＣＥはさらに、前記複数のセルのうちの第２のセルに関連付けられる、第２のフィールドを含み、第２の値に設定されている前記第２のフィールドは、前記第２のセルに関するＳＰ  ＣＳＩ報告のアクティブ化／非アクティブ化のコマンドが存在しないことを示す、項目９４に記載の方法。
（項目１１０）
前記第２の値は０である、項目１０９に記載の方法。
（項目１１１）
前記第２のフィールドに関連付けられる前記第２のセルは、無線リソース制御メッセージの中に示される、項目１０９に記載の方法。
（項目１１２）
前記第２のフィールドに関連付けられる前記第２のセルは、前記第２のセルのセルインデックスによって識別され、前記セルインデックスによって、前記ＭＡＣ  ＣＥの中で前記第２のフィールドの位置を判定する、項目１０９に記載の方法。
（項目１１３）
前記第２のセルに関する前記ＳＰ  ＣＳＩ報告のアクティブ化／非アクティブ化のコマンドが、存在しないことを示す、前記第２のセルに関連付けられる前記第２のフィールドに応答して、前記第２のセルに関するＳＰ  ＣＳＩ報告の状態を維持することをさらに含む、項目１０９に記載の方法。
（項目１１４）
複数のセルの１つ以上の第１の構成パラメータと、
複数のＳＰ  ＣＳＩ報告の１つ以上の第２の構成パラメータと、
を含む１つ以上のメッセージを、無線デバイスによって基地局から受信することと、
媒体アクセス制御（ＭＡＣ）サブヘッダにより識別される、ＭＡＣ制御要素（ＣＥ）を受信することであって、前記ＭＡＣ  ＣＥは、
前記複数のセルのうちの第１のセルに関連付けられる第１のフィールドであって、第１の値に設定されている前記第１のフィールドは、前記第１のセルに関するＳＰ  ＣＳＩ報告のアクティブ化／非アクティブ化のコマンドが存在することを示す、第１のフィールドと、
半永続的なチャネル状態情報（ＳＰ  ＣＳＩ）報告のアクティブ化／非アクティブ化インジケータと、
前記第１のセルに関する複数のＳＰ  ＣＳＩ報告のうちのＳＰ  ＣＳＩ報告を示す、ＳＰ  ＣＳＩレポートトリガフィールドと、
を含む、ことと、
前記第１のセルに関する前記ＳＰ  ＣＳＩ報告のアクティブ化を示す、前記ＳＰ  ＣＳＩ報告のアクティブ化／非アクティブ化インジケータに応答して、アップリンク制御チャネルを介して、前記第１のセルに対するＳＰ  ＣＳＩレポートを伝送することと、
を含む方法。
（項目１１５）
前記ＭＡＣサブヘッダは、少なくとも
前記ＭＡＣ  ＣＥのサイズを示す長さフィールドと、
前記ＭＡＣ  ＣＥが、前記ＳＰ  ＣＳＩ報告のアクティブ化／非アクティブ化用であることを示す、論理チャネル識別子と、
を含む、項目１１４に記載の方法。
（項目１１６）
前記ＭＡＣ  ＣＥはさらに、前記複数のセルのうちの第２のセルに関連付けられる、第２のフィールドを含み、第２の値に設定されている前記第２のフィールドは、前記第２のセルに関するＳＰ  ＣＳＩ報告のアクティブ化／非アクティブ化のコマンドが存在しないことを示す、項目１１４に記載の方法。
（項目１１７）
前記第２のセルに関する前記ＳＰ  ＣＳＩ報告のアクティブ化／非アクティブ化のコマンドが、存在しないことを示す、前記第２のセルに関連付けられる前記第２のフィールドに応答して、前記第２のセルに関するＳＰ  ＣＳＩ報告の状態を維持することをさらに含む、項目１１６に記載の方法。
【国際調査報告】
2021507619.tif 000070
2021507619.tif 000071
2021507619.tif 000072
2021507619.tif 000073
2021507619.tif 000074